(57)【要約】      （修正有）【課題】高出力六角形状圧電素子連結発電回路型コイル無ライトレールモーターを提供する。【解決手段】本モーターは、軽水素入りの高出力圧電素子磁石体を四角形状から六角形状に変え、更に絶縁体を取り除くことに依って、六角形状圧電素子磁石体の三角点部分同志を接合して、圧電相乗効果電気が六角形状圧電素子円形磁石連結体の中を超高速スピードで進む電気磁気同一周期増幅イオン電磁誘導回転発電体に成る。又、外周の六角形状圧電素子磁石体の円形発電回路体に対し、電気を注ぐ事でモーター回転軸が作動して、注がれた電気は軽水素圧電素子磁気イオン移動の電磁誘導発電を連続に繰り返す事が出来るモーター構造とライトの玉は、軽水素トリチウム電子ガス入りフッ化カルシウム入りグラスフアイバーライトパネルと窒素ガスと軽水素ガスとアルゴンガスと超微量ネオンガスの四種類ガスの入ったライト板付の世界一の少電気消費ライト付モーターとなる。【選択図】図２４
0003206065.tif 000002
【実用新案登録請求の範囲】
【請求項１】
本考案の、高出力六角形状圧電素子連結発電回路型コイル無ライトレールモーターは、軽水素トリチウム電子ガス入り圧電素子磁石体粒子内蔵の銅筒管コイル配線を軽水素トリチウム電子ガス入りの圧電素子磁石体シートと複数針穴空きの軽水素入りのチタン酸バリウムシートを交互に成る様に多層シート重ね構造の六角形状の高出力圧電素子磁石体をアルミニウム亜鉛合金六角形カバーの磁石接合穴開き枠に対して、複数針穴形状のステンレス薄シートに依って、高出力軽水素入り多層式六角形圧電素子磁石体を複数針穴形状のステンレス薄シートで包んだ高出力圧電素子磁石体をアルミニウム亜鉛合金六角形カバーの中に填め込んでアルミニウム亜鉛合金六角形カバーを鉛溶着固定した二列リング輪形状のコイル無の複数の高出力インバータ配線制御の高出力六角形状圧電素子連結発電回路型コイル無ライトレールモーター。
【請求項２】
本考案の、高出力六角形状圧電素子連結発電回路型コイル無ライトレールモーターは、軽水素トリチウム電子ガス入り軽量竹灰入りガラス粒子内蔵圧電素子磁石体シートと複数針穴形状の軽水素トリチウム電子ガス入りチタン酸バリウムシートを交互に複数枚重ね合わせた多層式六角形連結発電回路構造の高出力圧電素子二列リング輪形状の内側複数六角形状連結発電回路リング輪にモーター軸が一体化した複数の六角形状連結二列リング輪形状の回転体をもう一列の六角形状連結発電回路リング輪に複数のプラス高出力銅筒管配線と複数のマイナス高出力銅筒管配線と複数の高出力インバータスイッチと複数の圧電素子４電子磁気分割装置を取り付けた請求項Ｉ記載の高出力六角形状圧電素子連結発電回路型コイル無ライトレールモーター。
【請求項３】
本考案の、高出力六角形状圧電素子連結発電回路型コイル無ライトレールモーターの配線は、高出力銅四角筒管電気配線の軽水素トリチウム電子ガスと窒素ガスと軽量竹灰入りガラス粒子入りチタン酸バリウム構造の圧電素子磁石体を、混合合成した電気の通り易い物質と温度の上りづらい物質で作り上げた電気の流れ易い物質配線を銅四角筒管電気配線の中に軽水素トリチウム電子ガスと窒素ガスの電気の通りが良い気化物質を内蔵指せた複数の電気配線を使用積載した請求項Ｉ記載の高出力六角形状圧電素子連結発電回路型コイル無ライトレールモーター。
【請求項４】
本考案の、高出力六角形状圧電素子連結発電回路型コイル無ライトレールモーターに積載一体型システムの圧電素子４電子磁気分割装置のプラス圧電素子４電子磁気分割装置とマイナス圧電素子４電子磁気分割装置に依って、通常電気中に含まれる熱抵抗プラス電気と熱抵抗マイナス電気を、通常電気中から取り除く装置で有り、プラス圧電素子４電子磁気分割装置の磁気の弱いプラス磁石体に、通常プラス電気を其々のプラス圧電素子磁石体の中間陽電子素子体から、プラス圧電素子磁石体の端側のプラス陽電子素子体にプラス電気を流す事に依って、電気抵抗ゼロのプラス電気を得る事が出来て、更にもう一つのマイナス圧電素子４電子磁気分割装置に対しても、通常電気中に含まれる熱抵抗マイナス電気を、圧電素子４電子磁気分割装置の磁気の弱いマイナス磁石体に、通常マイナス電気を其々のマイナス圧電素子磁石体の中間陰電子素子体から、プラス圧電素子磁石体の端側のプラス陰電子素子体にマイナス電気を流す事に依って、電気抵抗ゼロのマイナス電気を得る事が出来る請求項Ｉ記載の高出力六角形状圧電素子連結発電回路型コイル無ライトレールモーター。    
【請求項５】
本考案の、高出力六角形状圧電素子連結発電回路型コイル無ライトレールモーターの発電三重発光ライト構造は、半圧縮ガラス板ライトカバーに対してアルゴンガスと超微量ネオンガスと温度上昇の防止材の窒素ガスとアルゴンガスと超微量ネオンガスの発光促進電子ガスの軽水素トリチウム電子ガスを入れたグラスフアイバーライトパネルに対して、後ろ部分から軽水素トリチウム電子ガスと窒素ガス入りのフッ化カルシウム光瞬間吸収発光ライトグラスフアイバーライトパネルと高出力六角形状白色軽量圧電素子連結型発電回路シートパネルの二重のライトパネルとライト使用電気量を減らす為の高出力六角形状白色軽量圧電素子連結型発電回路シートパネルの三重シート重ねライトパネルを高出力六角形状圧電素子連結発電回路型コイル無ライトレールモーターのカバーに差し込みボルト固定方式で貼りつけた構造の請求項Ｉ記載の高出力六角形状圧電素子連結発電回路型コイル無ライトレールモーター。
【考案の詳細な説明】
【技術分野】
【０００１】
本考案は、一般社会生活に使用される通常電気消費モーターを、世界で一番少ないモーター電気消費技術と世界全てのモーター販売に対して日本全国販売を一手に引き受ける技術と発光ＬＥＤライトの玉に匹敵擦る電気の低消費技術と低価格技術に関する説明で有る。
【背景技術】
【０００２】
本考案の高出力六角形状圧電素子連結発電回路型コイル無ライトレールモーターの、旧レールモーターは、特開２００６―２５４６９７号の全レールモーター制御無害無給油発電機を使用した電気自動車に書かれ明記されて入る
レールモーターは、更に、特開２０１２―２１０７０３号の国の全額借金返済と都道府県市町村区の全額借金返済の為の多機能インプット全自動ロボットの著作権原本に記載されて入る図５１と図５２に記載されて入る旧棒状レールモーターの構造説明図と図３１の板磁石モーターつまり、レールモーターの原形は、２００１年５月の図３７の板磁石モーター図説に成り、レールモーターの最初の考案者に成る。
更に、軽水素をシリコン及び圧電素子磁石体に入れる技術の最初の考案者の説明として、特開２０１２―２１０７０３号の国の全額借金返済と都道府県市町村区の全額借金返済の為の多機能インプット全自動ロボットの著作権原本の図１０７に記載されている２００２年８月１日東鷹栖町で考案して有った圧電素子磁石体に水素イオンを予め入れる事で、圧電素子磁石体の圧電効果を上げるおそらく世界最新技術を、此の頃集めて、整理擦る必要性として、此の頃の北海道庁の全額借金返済に対して、北海道民財産の発明と考案の著作権原本の北海道知事の郵便物受理書を作る必要性が有ったのは、日本国企業間の技術盗作違反のラジオニュースが多く報道された時期だった為、日本企業の技術盗作に対して、裁判で勝って、北海道庁の全額借金返済まで向かう段取りが、続く事に成る。
従って、軽水素の説明として、海水からプルトニウムを採取した残りが、軽水素と酸素に成り、水爆の爆発力の増加の元が軽水素に成る為、水素と酸素の発電に対して、重水素と酸素の発電は、水素電子１の分だけしか発電しない為、重水素と酸素の発電機は、世界の科学者は作らないだけでなく書かない理由として、プルトニウムと酸素の化学反応発電が起こらない事に成り、軽水素電子ガスと酸素が発電する事に成る。
更に、軽水素は、此の頃でも、電子３として、明記されたガスに成り、軽水素自体を使用擦る技術が、ラッキーの毎、世界中で使用した者が、本考案者だった為、水発電機の水に予め水素を入れる技術及び軽水素を入れる技術及び通常の飲料水に対しても、酸素と水素の結び付の内水素中の重水素を取り除いた軽水素水の飲料水利用及び電気配線に対して、電気抵抗ゼロを実現擦る為の軽水素と言う電子ガス物質は、圧電素子磁石体に入れる技術そして、其のきっかけが、特開２０１２―０９９５０６号の燃料電池発電機と総合発電量の競争を含めた国の全額借金返済と都道府県市町村区の全額借金返済の為の知的所有財産の五種類の半永久発電装置を内蔵積載した軽水素入りの水循環発電型の燃料電池発電機著作権原本（別名高出力水発電機。）に書かれている軽水素と酸素の発電機では、重水素が発電時に不必要物質に成り、電気に成り辛い熱エネルギーを作る物質としか成らなかった事実に成る。
従って、軽水素ガス入りの圧電素子を使った発電回路は、確かに、圧電素子に水素を入れた鉄柱の圧電効果では、通常の水素の入って無い圧電素子磁石体より、圧電効果発電は、増幅する事実は、水素電子効果で、明白な事実で有った。
更に、此の頃二連振り子型機械式発電機の増幅発電に対して、ダイナモの中央に圧電素子磁石体を入れた高出力ダイナモ技術は、すでに著作権考案者が、特許公開した技術でも有った。
然しながら、二連振り子型機械式発電機の増幅発電機の増幅電気量を増やす技術として、特開２０１２―０５６５５８号のパワーアップハイブリッド車に明記した発電回路に成り、発電回路とは、軽水素ガスを圧電素子磁石体に予め多く入れた軽水素ガス入りの圧電素子磁石体に成り、電子ライタの圧電効果にヒントを得て、軽水素入りの圧電素子磁石体に強いプラス電気をプラス磁極から流すとマイナス磁極側では、軽水素電子ガスの軽水素電子ガスの磁気圧電効果に依って、プラス電気の増幅発電を得る事が出来る説明として、水爆の水素電子と酸素発火の力の大きい事が、既に子供の頃から知り得た事実の為、軽水素入りの圧電素子発電回路のプラス軽水素ガス入り圧電素子磁石体とマイナス軽水素ガス入り圧電素子磁石体の発電回路は、単品では、余り効果が無いが五個程携帯電話及び家電製品の電気回路に取り入れると、電気消費が、二倍以上に良く成るのが明白に成る。
更に、圧電素子磁石体に軽水素ガスを多く入れる技術として、高出力圧電素子磁石体として、特開２０１３―０９４０５７号の国の全額借金返済と都道府県市町村区の全額借金返済の為の世界最速の超電導リニアモーターカー装置システム全体の著作権発明原本。（企業と国及び都道府県市町村が特許権で無い企業の特許提出によって世界最速の超電導リニアモーターカーシステムの知的所有財産の技術を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の著作権原本に記載されて入る高出力圧電素子磁石体の多層重ね構造説明として、軽水素トリチウム電子ガス入りの圧電素子磁石体シートと軽水素トリチウム電子ガス入りのチタン酸バリウムシートの複数針穴形状シートの二種類のシートを多層式に重ねて圧縮して固めた軽水素ガスの多く入った圧電素子磁石体に成り、命名を高出力圧電素子または、高出力圧電素子磁石体と命名される事に成る。
従って、コイルが無くても、軽水素磁気の電気の流れ切り替えに依って、圧電素子磁石体の磁極反転を容易に出来る技術に成り、高出力発電回路技術として、電気消費を半分以下に出来る技術が、発電回路に成り、高速ＬＳＩの炭素カバーを、高出力発電回路シート内蔵の炭素カバーの圧電素子技術説明に成る。
【０００３】
この他の、高出力銅筒管コイル配線及び高出力銅筒管電気配線の説明では、登録実用新案第３１６８０４３号高出力発電７連結以上モーターに記載去れて入る高出力銅筒管コイル配線構造は、銅線を銅筒管状にした銅筒管の中に軽水素ガス入り圧電素子磁石体粒子を銅筒管の中に詰め込んだ高出力銅筒管配線に成り、電気は気化物質つまり、軽水素トリチウム電子ガスに沿って、何の障害も無くプラス高出力銅筒管配線には、電気抵抗ゼロプラス電気が電気配線を駆け巡る事に成る。
更にマイナス高出力銅筒管配線には、電気抵抗ゼロマイナス電気が電気配線を駆け巡る事に成る。
本考案のコイル無モーターの電気取次スピードが速く成る為、超高速のインバータ切り替えが出来るインバータ装置が必要に成り、旧インバータ技術では、本著作権者が考えているモータースピードの磁極切り替えスイッチには、程遠い為に、新しいインバータ技術が必要視去れる。
然しながら、鋼鉄の塊に対して、通常コイルを巻いたレールモーターまたは企業名リニアモーターでは、本著作権者が考えて入る電気消費を遥かに超える為、原子力の再稼働等が、必然的に求められる結果を招く技術では、お金と言う名の借金地獄が待つだけの為に、是書きでも回避しなければ成らない事実。
【０００４】
其の外として、国の全額借金返済と都道府県市町村区の全額借金返済の為の発電コイル無モーター換気扇の著作権原本の実願２０１２−７３００号では、本考案の高出力六角形状圧電素子連結発電回路型コイル無ライトコイル無レールモーターと異なる点は、高出力圧電素子形状が本考案では、六角形で有るが実願２０１２−７３００号では四角形状の高出力圧電素子磁石体の単独磁石体の複数の絶縁体に仕切られた複数の四角形高出力圧電素子磁石体に成る為、電気圧電増幅が、ストップ構造の高出力圧電素子磁石体使用の発電コイル無モーターにしか成らない為に、換気扇モーターとして、一度提出をしたのですが、使用用途の限られたモーターにしか成らなかった為、著作権者自身が描く世界のモーター像には、程遠い技術力としか言えない自分に対しても、本来持ち得ている高出力圧電素子磁石体の能力を生かし切って居ないのも現状の事実だった分けで有る。
【０００５】
本考案の、高出力六角形状圧電素子連結発電回路型コイル無ライトコイル無レールモーターライトシステム装置のライトは、現在に於いて、海外技術者のエジソンのライト技術が同じ海外の発光ＬＥＤライトの存在は、知り得て居たと同時に暗いライトの二回目の別人の世界特許権技術らしいまでとして、知り得る事が出来ないのは、発光ＬＥＤライトの海外技術を日本国の特許庁に提出した上で、販売しなければ成らない事に成るが、２０１６年２月２５日現在では、発光ＬＥＤライトの玉の特許提出が見受けられない事実でも有る。
要するに、海外特許権作品を、日本国で、販売擦る場合は、海外国語の特許権文章を、日本の特許庁に優先権主張と共に提出しなければ成らないのも事実に成る。
更に、発光ＬＥＤライト玉のダイオード部分にアルゴンガスを入れた場合は、蛍光灯のアルゴンガス発光電気量が必要に成る為、同じだけのアルゴンガス発光電気量を使用した場合は、ダイオードチップが熱に負ける恐れが有る為、本考案者は、微量の窒素ガスと軽水素ガスを入れたダイオードシートと軽水素ガスとアルゴンガスの混合ガス入りダイオードシートチップを重ねた技術の場合では、ダイオードが暖まりづらく擦る窒素ガス効果と軽水素トリチウム電子ガス効果に依って、少ない電気量でも、ダイオード発光を可能にして、アルゴンガスに軽水素トリチウム電子ガスを微量調整擦る事で、アルゴンガスに対して、少ない電気量で、アルゴンガスの低電気発光を可能に出来るのが、技術的の本当の真実だと言える。
但し、何れにしても、発光ＬＥＤライトの素材構成材料が高い事と、最初のライトの玉の世界特許権のエジソンの日本国の特許庁の特許提出が不在のまま自体が、日本の子供達の教育に対しての学力低下を招く要因なのだが、大学及び大学出の有識者の日本の子供達の教育に対しての学力低下を招く要因とは、誰も名言去れないのは、インターネットの海外全ての国の語学を義務教育範囲内で、日本国の文部科学省が世界トップレベルの力を付ける義務教育改革を擦るのかは、不思議な思いでも有る。
従って、本考案のライト技術は、現在のアメリカのエジソンの世界特許権のライトの玉の値段と同額の値段のライトの玉を作る為に、古くから有るアルゴンガス発光の低電気使用のアルゴンガス発光と熱を抑える技術そして、今まで不可能と去れたフッ化カルシウムの連続発光技術を使用したアルゴンガスの光量を瞬間吸収発光擦る軽水素トリチウム電子ガス入りのフッ化カルシウム入りの燃えにくいグラスファィバーパネルライト技術の二重発光とアルゴンガス内に著微量のネオンガスを入れると黄色がかったライトの玉も、可能に成る。
従って、熱防止対策として、窒素が多く入ったガラス微粒子にアルゴンガスと軽水素トリチウム電子ガスと再び窒素ガスを入れたアルゴン冷却軽水素電子ガスシート等をグラスフアイバーシート被せて再び二枚のガラスの中に挟み込んでガラス溶着したライトの玉板は、軽水素入りフッ化カルシウムグラスフアイバーライト板の合わせライト板に依って、アルゴンガスのライト板裏面の光を軽水素入りフッ化カルシウムグラスフアイバーライト板が瞬間吸収発光して、二重のアルゴンガスライトの光と軽水素ガスフッ化カルシウム光と超微量ネオンを軽水素フッ化カルシウムライト板に入れた場合は、電気配線を取り付けなければ、ネオンガスが発光しない事に成る。
問題は、低価格ライト玉にしなければ、今後の仕事不足時代を賄う技術が無ければ、商品の値段は、下げなければ成らない事実に成る。
【０００６】
本考案に必要視去れる登録実用新案第３１６８０４３号高出力発電７連結以上モーターに記載去れて入る圧電素子４電子磁気分割装置は、特開２００４―３０４９９２号公報の圧電素子３電子磁気分割装置の電気から熱抵抗電気を減らして電気を長持ちさせて、電気製品に無理をかけない電気装置の有り方（別名圧電素子４電子磁気分割装置。）。の解り易く説明したのが登録実用新案第３１６８０４３号高出力発電７連結以上モーターに記載去れて入る圧電素子４電子磁気分割装置に成り、圧電素子自体の構造を改良としては、軽量に擦る為に、通常ガラス微粒子及び雲母石微粒子をプラスチックガラス微粒子に変える事で、更に圧電素子磁石体を軽く出来る既に公開して有る本著作権者の公開特許軽量圧電素子技術に成る
【先行技術文献】
【特許文献】
【０００７】
【特許文献１】特許公開２０１５―１６７４７０号国の全額借金返済と都道府県市町村区の全額借金返済後に対して自給自足型の農業及び漁業及び林業及び中小企業が世界トップの日本円銀行団体と世界最高銀行団体と成る為の完全自給自足物流システムに対しての知的所有財産を使った財団経営の未来的農業漁業林業一体型中小企業体システム。
【０００８】
【特許文献２】特開２０１４―００８０６２号の農業用地熱暖房パネル。公序良俗違反のため、不掲載とする。
【０００９】
【特許文献３】特開２０１３―２４２８８２号の国会議員が必ず読んで借金返済対策を決めなければ成らない国と都道府県市町村区の全額借金返済の為の著作権５０００図未満の公開文書図と著作権編集機著作権原本。（企業と国及び都道府県市町村が特許権で無い企業の特許提出によって著作権編集機著作権原本商品を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の新技術の著作権物技術。
【００１０】
【特許文献４】特開２０１３―２３４５７１号の未来の別の美瑛街に出来る世界遺産を目指す為の永遠に壊さないクリスタルダイヤガラスビルに伴う修身介護システムの著作権原本。
【００１１】
【特許文献５】特開２０１３―２０９７９２号の６５歳を過ぎてから使用する溶鉱炉及び陶器の火焼きに使用する耐熱エアー服と陶器ガラスの材料説明の著作権原本。
【００１２】
【特許文献６】特開２０１３―１７８８５３号の日本の弱者一人一人の財団設立後の日本の弱者一人一人の財団商品に貼られる全自動インターネット管理社会のカラー異種異形バーコードシステム。
【００１３】
【特許文献７】特開２０１３―１２７１４５号の国の全額借金返済と都道府県市町村区の全額借金返済の為の知的所有財産の稲の茎笹の茎ナイロン合成の固形窒素糸と果物粉末色を使用した冷却糸。（企業と国及び都道府県市町村が特許権で無い企業の特許提出によって稲の茎笹の茎ナイロン合成の固形窒素糸と果物粉末色を使用した冷却糸商品を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の著作権に成る。
【００１４】
【特許文献８】特開２０１３―１０２６８８号の国の全額借金返済と都道府県市町村区の全額借金返済の為の多機能電気トラクターの著作権原本。
【００１５】
【特許文献９】特開２０１３―０９４０５７号の国の全額借金返済と都道府県市町村区の全額借金返済の為の世界最速の超電導リニアモーターカーシステム全体の著作権発明原本。（企業と国及び都道府県市町村が特許権で無い企業の特許提出によって世界最速の超電導リニアモーターカーシステムの知的所有財産の技術を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の著作権原本。
【００１６】
【特許文献１０】特開２０１３―０９３８９６号の国の全額借金返済と都道府県市町村区の全額借金返済の為の著作権先技術主張の高出力高画質発電ビデオテレビシステム（軽水素トリチウム電子ガス入りのテレビビデオインターネット防犯の映像音声システムに対して企業側が、国と都道府県市町村区と世界特許権無しで、家電製品に軽水素トリチウム電子ガスの回路技術の勝手使用によって知的所有財産の技術横領共謀で国も都道府県市町村区も著作権盗作によって罰せられます。）。
【００１７】
【特許文献１１】特開２０１３―０９１５７０号の国の全額借金返済と都道府県市町村区の全額借金返済の為の知的所有財産の携帯電話及び携帯無線装置による非常停止非常制御操作出来るエレベーター磁極切り換えインバータ制御レールモーター装置の著作権原本。
【００１８】
【特許文献１２】特開２０１３―０９１３２３号の国の全額借金返済と都道府県市町村区の全額借金返済の為の知的所有財産の偽造防止紙幣硬貨原本。（企業と国及び都道府県市町村が特許権で無い企業の特許提出によって偽造防止紙幣硬貨の商品を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の著作権に成る。
【００１９】
【特許文献１３】特開２０１３―０９０９４８号の地方経営の医療施設の技術向上と国の全額借金返済と都道府県市町村区の全額借金返済の為の知的所有財産の圧電素子陽電子静電気及び圧電素子陰電子静電気細胞蘇生リバビリテイション装置著作権原本。（北海道知事著作権郵便物受理書付）
【００２０】
【特許文献１４】特開２０１３―０８３２６８号の地方の売電利益を、上げる為と海外水力と火力と原子力発電の高出力ダイナモの増量発電技術の海外売電契約の国と都道府県市町村の全額借金返済の為の決定的な電力不足を、補う為の一般に知られて入る半永久の水力ダムの高出力ダイナモ積載の増幅発電型の半永久型の水循環増幅発電システム。
【００２１】
【特許文献１５】特開２０１３―０８２４４８号の国の全額借金返済と都道府県市町村区の全額借金返済の為の知的所有財産の山岳ヘリコプターの著作権原本。（企業と国及び都道府県市町村が特許権で無い企業の特許提出によって山岳ヘリコプターを、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の著作権原本。
【００２２】
【特許文献１６】特開２０１３―０７８６５６号の地方経営の工場の国の全額借金返済と都道府県市町村区の全額借金返済の為の無知的所有財産のスピーカー振動ゴミ取り機能付き掃除機著作権原本。
【００２３】
【特許文献１７】特開２０１３―０７７５７６号の国の全額借金返済と都道府県市町村区の全額借金返済の為の知的所有財産のバッテリー再復活充電バッテリー装置の著作権原本。（企業と国及び都道府県市町村が特許権で無い企業の特許提出によってバッテリー再復活充電バッテリー装置の商品を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の著作権に成る。
【００２４】
【特許文献１８】特開２０１３―０７０６１８号の国の全額借金返済と都道府県市町村区の全額借金返済の為の世界最速ウルトラスーパーコンピューター装置の著作権原本と著作権追加原本。（企業と国及び都道府県市町村が特許権で無い企業の特許提出によって世界最速ウルトラスーパーコンピューター装置の商品を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の先著作権技術主張の知的所有財産の著作権に成る。
【００２５】
【特許文献１９】特開２０１３―０６７６５４号の国の全額借金返済と都道府県市町村区の全額借金返済の為の知的所有財産の夏専用の果物香料入り冷却ファンドクリームと冬専用の果物香料入りの暖房ファンドクリームの著作権原本。（企業と国及び都道府県市町村が特許権で無い企業の特許提出によって夏専用の果物香料入り冷却ファンドクリームと冬専用の果物香料入りの暖房ファンドクリームの著作権原本商品を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の著作権技術文書図主張の知的所有財産の著作権に成る。
【００２６】
【特許文献２０】特開２０１２―２３６６０６号の国の全額借金返済と都道府県市町村区の全額借金返済の為の知的所有財産の多機能電気観光船著作権原本。
【００２７】
【特許文献２１】特開２０１２―２３６６０５号の国の全額借金返済と都道府県市町村区の全額借金返済の為の知的所有財産の多機能電気モータープロペラ飛行機原本。
【００２８】
【特許文献２２】特開２０１２―２１０７０３号の国の全額借金返済と都道府県市町村区の全額借金返済の為の多機能インプット全自動ロボットの著作権原本。
【００２９】
【特許文献２３】特開２０１２―１８７００１号のテレビ局の目と有識者の目と大学教授の目と共に国民の電気エネルギー危機の再チェックと試作が必要と思われる電力不足危機対応の対策案の為に公開する、国の危機の全額借金返済の為の新２連振子型機械式無害無給油無休憩発電機。（半永久連続作動発電機。）。
【００３０】
【特許文献２４】特開２０１２―１７００６３号の国の全額借金返済と都道府県市町村区の全額借金返済の為の知的所有財産の圧電素子補助急速充電携帯電話著作権原本。
【００３１】
【特許文献２５】特開２０１２―１６６９５１号の国の全額借金返済と都道府県市町村区の全額借金返済の為の知的所有財産の生ゴミ真空装置粉末処理車著作権原本。
【００３２】
【特許文献２６】特開２０１２―１４０５８４号の国の全額借金返済と都道府県市町村区の全額借金返済の為の炭素固形フロン著作権原本。
【００３３】
【特許文献２７】特開２０１２―１２０４４０号の国の全額借金返済と都道府県市町村区の全額借金返済の為の多機能電気自動車著作権原本。
【００３４】
【特許文献２８】特開２０１２―１１６７２７号の国の全額借金返済と都道府県市町村区の全額借金返済の為の知的所有財産の最速スクリュー水電気消防装置著作権原本。
【００３５】
【特許文献２９】特開２０１２―１０８１４０号の国の全額借金返済と都道府県市町村区の全額借金返済の為の知的所有財産の化石燃料一切必要としないレントゲンカメラ放射線飛散防止パネル装置著作権原本。
【００３６】
【特許文献３０】特開２０１２―１０１７９０号の国の全額借金返済と都道府県市町村区の全額借金返済の為の知的所有財産のワンタッチ全自動エアー浮輪著作権原本。
【００３７】
【特許文献３１】特開２０１２―０９９５０６号の燃料電池発電機と総合発電量の競争を含めた国の全額借金返済と都道府県市町村区の全額借金返済の為の知的所有財産の五種類の半永久発電装置を内蔵積載した軽水素入りの水循環発電型の燃料電池発電機著作権原本（別名高出力水発電機。）。
【００３８】
【特許文献３２】特開２０１２―０９７５５９号の国の全額借金返済と都道府県市町村区の全額借金返済の為の知的所有財産の化石燃料一切必要としない高速瞬間気化処理除雪車著作権原本。
【００３９】
【特許文献３３】特開２０１２―０９７５５８号の国の全額借金返済と都道府県市町村区の全額借金返済の為の知的所有財産の固形窒素プラスチックグラスフアイバーパネル著作権原本。
【００４０】
【特許文献３４】特開２０１２―０９４５４８号の国の全額借金返済と都道府県市町村区の全額借金返済の為の知的所有財産の光りフアイバーブラウン官テレビ著作権原本。
【００４１】
【特許文献３５】特開２０１２―０７７６０７号の国の全額借金返済と都道府県市町村区の全額借金返済の為の知的所有財産のヘドロ処理運搬車装置の著作権原本コメント２００８年８月２４日ＰＭ２０時２２分３３秒ヘドロ処理運搬車の図面を漸く書き終え再び書き始める美馬牛カンキチ。
【００４２】
【特許文献３６】特開２０１２―０５６５５８号のパワーアップハイブリッド車。
【００４３】
【特許文献３７】特開２０１２―０５２７８８号の国の全額借金返済と都道府県市町村区の全額借金返済の為の知的所有財産の化石燃料一切必要としない電気ストーブ著作権原本。
【００４４】
【特許文献３８】特開２０１２―０１１２１１号の国の全額借金返済と都道府県市町村区の全額借金返済の為の全自動最速電気洗濯乾燥機著作権原本。
【００４５】
【特許文献３９】特開２０１１―２３３２２８号の多機能ビデオ著作権原本。
【００４６】
【特許文献４０】特開２０１１―２１５１４８号の電子熱核燃料原石核融合発電と放射能廃棄物処理方法。
【００４７】
【特許文献４１】特開２０１１―２０９２９０号の多目的カーナビゲイション著作権原本と都道府県市町村区と国の全額借金返済と弱者自立社会を目指す為の２００１年からの道民財産著作権原本。
【００４８】
【特許文献４２】特開２０１１―２０５８９５号の多機能情報冷暖房無休憩発電機（原子力事故及び地震事故対応型。）。（無害無給油の無休憩の半永久全自動作動発電機型。）。
【００４９】
【特許文献４３】特開２０１１―２０５６７５号の多機能携帯電話装置原本。
【００５０】
【特許文献４４】特開２０１１―２０２４９８号の一戸建て免震装置著作権原本及び国の全額借金返済と都道府県市町村区の全額借金返済と弱者自立と救済の著作権技術説明の２００１年からの道民財産著作権。
【００５１】
【特許文献４５】特開２０１１―１５５２６７号の超軽量高出力発電人工衛星。
【００５２】
【特許文献４６】特開２０１１―１０５３０７号の未来的電気自動車。
【００５３】
【特許文献４７】特開２０１１―０６４０６０号の日本の弱者国民救済の地震対応型の多機能発電ハウスシステム。
【００５４】
【特許文献４８】特開２０１１―０６０２９４号の発電タッチパソコン。
【００５５】
【特許文献４９】特開２０１０―１７１９４３号の多機能新技術携帯電話。
【００５６】
【特許文献５０】特開２０１０―１６５３５５号の国の９００兆円越えの借金全額返済の為の世界最新の公共事業対策装置。
【００５７】
【特許文献５１】特開２００６―２５４６９７号の全レールモーター制御無害無給油発電機を使用した電気自動車。
【００５８】
【特許文献５２】特開２００４―３０４９９３号の一度に複数の電気配線と複数の電気コイルを持ち得て焼けないで力のあるモーターのあり方。
【００５９】
【特許文献５３】特開２００４―３０４９９２号公報の圧電素子３電子磁気分割装置の電気から熱抵抗電気を減らして電気を長持ちさせて、電気製品に無理をかけない電気装置の有り方（別名圧電素子４電子磁気分割装置。）。
【００６０】
【特許文献５４】特開２００４―１３５４８０号の自動充電池。
【００６１】
【特許文献５５】特開２００３―３２８９２５号の真空装置と機械式発電機を使った水だけの発電機。
【００６２】
【特許文献５６】登録実用新案第３１６８０４３号高出力発電７連結以上モーター。
【００６３】
【特許文献５７】登録実用新案第３１４５９６３号省エネルギー水気化水発電機（別名水発電機。）。
【００６４】
【特許文献５８】登録実用新案第３１１４４９１号二連結以上モーター。
【００６５】
【特許文献５９】登録実用新案第３２０３１０６号の国の全額借金返済と都道府県市町村区の全額借金返済に対して知事の回答が無い対策として、時効の無い国の借金返済対策として美瑛まちの庶民全体の生活権維持を守る為の知的所有財産の著作権活用と先著作権技術主張を美瑛まちが優先し、電気スピードと同じ速さで電気を流す事の出来る高出力銅筒管コイル配線と無金属二重配線に対しての知的所有財産の盗作防止の為の先著作権活用公開技術。
【００６６】
【特許文献６０】登録実用新案第３２０３１０５号の国の全額借金返済と都道府県市町村区の全額借金返済の為の日本国内で販売されている商品に対しての国内特許権番号の明示義務と海外輸出商品に対しての海外国の特許権番号明示義務と海外審査請求の番号を商品自体に明示で無く完全な商品販売に対しての商品のパンフレット特許番号記載説明書とインターネット特許番号記載義務と審査請求書記載義務と新聞のチラシいずれかの特許権番号の記載義務とテレビ局宣伝部の知的所有権の特許権データー集計管理書の特許権番号記載義務に対して知的所有財産の番号の明示義務として、法人税の国の収集を多くし個人資産の不当の商品の値段に対して騙されない様にする対策の無料の特許権番号公開で無ければ、不正競争防止法の罰金の１００倍を日本国税収不足分として国会で国税と通常個人賠償として決めて貰う事にして技術横領行為に対して国税を主な国の税金の収集源とするテレビ画像の新作パネルの低価格テレビの最初の著作権者との特許権切れに対しての新技術特許権切れの著作権契約から始まる商品作り説明。
【考案の概要】
【考案が解決しようとする課題】
【００６７】
以上述べた従来の高出力レールモーター及び企業名のリニアモーター及び高出力発光ＬＥＤライト玉の日本全国の電気消費に於いては、現在既に、休止中の原子力発電機を再稼働させてしまえば、原子力廃棄物処理の余分な国民負担を電気料金の値上げに依って、日本国民の低所得者の生活を脅かし低所得者の所有財産を切り削って、再び、嵩む日本国税金を支払う事に時代と言う時間が容赦なく弱者国民の財布へ襲い掛かる実情が身近に有った。
【００６８】
本考案は、この様な従来の四角形形状高出力圧電素子磁石体の単独高出力圧電素子の圧電効果の少ない構造構成が有していた圧電効果の増幅発電効果の出来る高出力圧電素子磁石体の連結型発電回路の電磁誘導イオン圧電効果が連続永久発生出来るモーター構造問題を解決しようと擦るもので有り、高出力六角形状圧電素子連結発電回路型コイル無ライトレールモーターの世界で一番電気消費の少ないモーターを全世界へ発信擦る事を目的と擦るもので有る。
【００６９】
更に、本考案の農業漁業林業中小企業合弁の世界一銀行を作る為の高出力六角形状圧電素子連結発電回路型コイル無ライトレールモーターライトシステム装置のライトは、現在、公の場で販売されて入る発光ＬＥＤライト及び、本著作権者発明の高出力発光ＬＥＤライト玉でも、二回目のライト玉の世界特許権者にライトの玉の特許権使用料金と部材料金が高過ぎる為、旧ライトの値段までには、程遠い値段が続いて入る為、異なったライトの玉の部材構造を使った三度目の世界特許権を目指す為の低価格つまり、旧ライトの玉と値段を競う低価格ライトの玉を、再び、日本国弱者庶民の元へ届ける事を目的と擦るもので有る。
【課題を解決するための手段】
【００７０】
そして、本考案は、上記目的を達成擦る為に、今までの登録実用新案第３１１４４９１号二連結以上モーター及び、登録実用新案第３１６８０４３号高出力発電７連結以上モーターには、必ず高出力銅筒管コイル配線と絶縁体が必要視された部品を全てモーターから取り外した高出力モーターの連続した高出力電磁誘導イオン磁気連続圧電効果発電を無限に繰り返す事の出来る構造に擦る為に、従来の四角形形状の高出力圧電素子磁石体絶縁体連結構造から、高出力六角形状圧電素子連結型発電回路コイル無ライトレールモーター構造即ち、高出力六角形状圧電素子連結発電回路の円形に対して、二つの軽水素入りの六角形状圧電素子連結発電回路形状の二つの輪に成る構造即ち、高出力レールモーターの軽水素トリチウム電子ガス入りの四角形型圧電素子磁石体の絶縁体を其々取りつけた二つの四角形絶縁体連結輪状のレールモーターから、高出力軽水素トリチウム電子ガス入りの六角形状圧電素子連結発電回路円形の二つの輪構造に擦る事に依って、電磁誘導軽水素イオン磁気連続移動の圧電連続効果の電磁イオン電気発電出来る構造に擦る事で、今までの高出力モーターの銅筒管コイルの重量を無くし、モーターコイルの電気消費を無くし、今まで絶縁体で、高出力電磁誘導イオン磁気圧電発電が出来なかった外コイルを、モーター回転に伴って、連続した高出力電磁誘導イオン磁気圧電発電が無限大に出来る世界で一番電気消費の少ない世界最新世界初の新技術のコイルと絶縁体の無いモーターの２０１６年２月２６日２２時５５分の取りあえず実用新案技術で有る。
【００７１】
第２の課題解決手段は、高出力六角形状圧電素子磁石体を連結固定して、軽水素トリチウム電子ガス入りの圧電素子磁石体は、軽水素トリチウム電子ガス入りの圧電素子磁石シートと軽水素トリチウム電子ガス入りのチタン酸バリウムシートの複数針穴構造に成り、複数針穴構造の軽水素トリチウム電子ガス入りのチタン酸バリウムシートは、軽水素トリチウム電子ガス入り軽量圧電素子つまり、黒雲母石及びガラス粒子の代わりに竹灰入りのプラスチックガラス粒子を使用し、軽水素チタン酸バリウムを絡めた軽量圧電素子磁石体に成り、高出力軽水素トリチウム電子ガス入りの軽量圧電素子磁石体シートと軽水素トリチウム電子ガス入りのチタン酸バリウムの複数穴開きシートを、馴染ませる為に、軽水素トリチウム電子ガス入りのチタン酸バリウムシートに対して、複数針穴形状に擦る事で、軽水素トリチウム電子ガス入り圧電素子磁石体シートと交互に貼り合わせた時点で、軽水素トリチウム電子ガス入りの圧電素子磁石体シートと複数針穴形状のチタン酸バリウムシートの密着接合を完璧に擦る為の複数針穴構造と言う工夫に成る。
そして、交互に多層式に貼り合わせた軽水素トリチウム電子ガス入り圧電素子磁石体シートと軽水素トリチウム電子ガス入りチタン酸バリウムシートは、大量の軽水素トリチウム電子ガスつまり、軽水素イオン電子ガスを大量に含んだ軽い圧電素子磁石体が出来る事に依って、高出力発電回路の軽水素磁気イオンの電気圧電発電効果が最大限に行う事の出来る軽水素トリチウム電子ガスが大量に入った世界で一番軽い圧電素子磁石体を、高出力圧電素子磁石体と命名して入る。
尚且つ、高出力圧電素子磁石体の圧電効果を最大限に生かす構造として、四角形形状の高出力圧電素子磁石体から、六角形状の高出力圧電素子磁石体に変える理由として、圧電素子本来は、通常の磁石体で有り、何らかの圧力つまり、磁力線圧力及び電気圧力及び電波圧力及び音波圧力及びソナー圧力及びスクリュー光子波圧力及び帯電磁力線波及び静電圧力波及び天体磁力線波及び磁石体鉱石波及び低周波及び高周波など、電気磁気が、多様に変化した物に対しての圧力を軽水素イオン入り圧電素子磁石体つまり、高出力圧電素子磁石体は、軽水素トリチウム電子ガスの入って無い通常圧電素子磁石体撚り、多くの軽水素イオン圧電効果に依る増幅電子が発生擦る事に成り、この現象を利用したのが、高出力圧電素子発電回路に成り、四角形状の圧電素子磁石体を、六角形状にした理由には、六角形状の場合の高出力圧電素子磁石体内部の磁力線の波の形状に近い、無駄の無い圧電効果に依る増幅発電に依る軽水素イオン磁力線電気圧電効果が最大限に成る六角形状の高出力圧電素子磁石体に成り、この他の形状として、楕円形の連結が考えられるが、他の様々な形の高出力圧電素子磁石体を連結させても発電出来るが、効率の良い増幅発電を求める場合は、六角形状の高出力圧電素子磁石体形状に成る。
【００７２】
第３の課題解決手段は、高出力六角形状圧電素子連結発電回路型コイル無ライトレールモーターの場合は、二つのリング輪に成る高出力六角形状圧電素子連結円形装置形状に対して、高出力圧電素子磁石体の固定装置として、加工し易いアルミニウムと亜鉛の合金または、アルミニウムと錫の合金カバーが必要に成る。
従って、二つのリング輪状の高出力六角形状圧電素子連結体を固定出来て、高出力六角形状圧電素子連結内側回転体が回転出来る高出力圧電素子磁石体が向かい合わせに成る部分は、複数針穴空きの薄ステンレス板に依って、高出力圧電素子磁石体を軽く包む構造に当たって高出力軽水素イオン圧電素子磁力線が複数針穴形状の穴の中から、高出力軽水素イオン圧電素子磁力線が出入り出来る構造にしなければ成らない。
理由として、薄ステンレス板の磁力線磁気転換作動が高出力圧電素子磁石体より、磁気磁極転換スピードが薄ステンレスの方が遅い為、あくまでも高出力圧電素子磁石体の磁極高速変換を優先擦る事で、他社のリニアモーター及び本著作権者の高出力レールモーターの同量の電気量回転スピード数値を達成する為の複数針穴形状のステンレス板に成り、無限大の回転に依る高出力圧電素子磁石体の滑落崩壊を避ける対策に成る。
【００７３】
第４の課題解決手段は、高出力六角形状圧電素子連結発電回路型コイル無ライトレールモーターの内側高出力六角形状圧電素子磁石体リング輪に対して、外側の固定高出力六角形状圧電素子磁石体リング輪の高出力六角形状圧電素子磁石体の内リング輪と外リング輪の対面に対して、外側の高出力圧電素子磁石体の高出力銅筒管配線の取り付け状態は、回転体に面する外側固定の高出力六角形状圧電素子連結体の一個一個の高出力六角形状圧電素子磁石体の対面の磁極切り替え出来る様に外側リング輪の高出力六角形状圧電素子磁石体一つ一つには、内側に面したプラス極面の磁石体の中に高出力銅筒管配線が一本ずつ内蔵固定され、対面のマイナス磁極部分にマイナス高出力銅筒管が取り付けられて入る構造に成り、微量電気を高出力六角形状圧電素子磁石体に電気を流すだけで、高出力圧電素子磁石体内の軽水素イオン電子の電気反応に依って、超高速スピードに依って、高出力六角形状圧電素子磁石体の磁極転換を容易に出来る事に成る。
別途説明として、内側の高出力六角形状圧電素子連結体に対しては、軽水素トリチウム電子ガス入りの高出力圧電素子磁石体の他、通常圧電素子磁石体に変えた場合でも、回転擦るが回転数が減る答えに成る。
此の場合は、外側の固定高出力六角形状圧電素子連結体其々一個ずつの高出力圧電素子磁石体にコイルを巻いた場合は、電気消費量が少し増す事に成る。
従って、リニアモーターの場合は、内側の鉄磁石又は鋼鉄磁石が重い為、起動磁力線が多く必要に成り、コイル無リニアモーターの実現が難しく成る。
更に、高出力銅筒管配線に対して、銅配線に変えた場合は熱発生率が高く成る。
【００７４】
第５の課題解決手段は、高出力六角形状圧電素子連結発電回路型コイル無ライトレールモーターの構造を高出力四角形型圧電素子連結発電回路型コイル無ライトレールモーターに擦る場合は、竹灰入りグラスフアイバー絶縁体及びアルミニウム絶縁体などが容易され、四角形絶縁体の中央部の軽水素イオン磁気の通過連絡配線体を取り付ける穴開き構造が設けられると確かに、電気消費の少ない高出力四角形型圧電素子連結発電回路型コイル無ライトレールモーターが出来るが、軽水素イオン磁力線の圧電効果が微妙に異なる場合が有る場合困る事と、連絡電気配線が一本の銅線でも、プラスとマイナスの磁力線が通る様で有るが、配線を二分割にして、中央に絶縁体を取り付けた二分割配線の方が、高速イオン磁力線を通し易く擦る構造に成る。
然しながら、高出力六角形状圧電素子連結発電回路型コイル無ライトレールモーターと高出力四角形型圧電素子連結発電回路型コイル無ライトレールモーターの熱発生を比較擦ると、高出力四角形型圧電素子連結発電回路型コイル無ライトレールモーターの方が、磁力線収束ラインが曲線で無い為に熱発生率が高いと考えられる。
【００７５】
第６の課題解決手段は、通常のインバータ装置を高出力インバータ装置に変えなければ成らなかった理由説明に成る。
通常インバータ装置には、シリコン酸化膜とＮ型シリコン基板が多使用されているが、シリコン自体を電気配線にした場合に解る事は、通常銅線撚り、可なり電気スピードが遅く成るが、電気の帯電体としては、銅線を遥かに超えた帯電体に成り、銅線は電気を、通してしまう物質に成り、シリコンの電気スピードを速める為に、酸化シリコン膜とは酸化鉄水膜及び酸化アルミニウム水膜つまり、酸化鉄水を濾過した物質と酸化アルミニウム濾過物質と酸化銅シリコンとは、酸化銅水を濾過させた物質などの電気の通り易い物質をシリコンに入れた酸化金属シリコン膜にＮ型半導体に対して不純物濃度の低い→Ｎ型半導体とＰ型シリコンソース構造とトランジスタＰ型シリコンとＰ型シリコンドレインに成り、対比装置として酸化銅水を濾過させた物質などの電気の通り易い物質をシリコンに入れた酸化金属シリコン膜にＰ型半導体に対して不純物濃度の低い→Ｐ型半導体とＮ型シリコンソース構造に成り、Ｎ型シリコンソースとトランジスタＮ型シリコンとＮ型シリコンドレイン装置に成り、Ｐ型半導体に対して不純物濃度の低い→Ｐ型半導体と不純物濃度の低い→Ｎ型半導体が続く構造とＰウエル構造に対して、Ｎ型シリコン基板が続き、上部にＧのゲートと両サイドの右にＰ型シリコンソースが有り、左にＮ型シリコンソース構造に成り、中央にＰ型ドレインとＮ型ドレイン構造のＣＭＯＳインバータに成り、高出力ＣＭＯＳインバータに成ると全てのＮ型シリコン半導体が軽水素トリチウム電子ガス入りの複数針穴空きＮ型シリコン半導体シートと通常のＮ型シリコン半導体シートを交互に貼りあわせた電気の通りを良くした高出力Ｎ型シリコンＮ型シリコン半導体構造とＮ型シリコン半導体が軽水素トリチウム電子ガス入りの複数針穴空きＮ型シリコン半導体シートと通常のＮ型シリコン半導体シートを交互に貼りあわせた電気の通りを良くした高出力Ｎ型シリコンＮ型シリコン半導体構造に対して、全てのＰ型シリコン半導体が軽水素トリチウム電子ガス入りの複数針穴空きＰ型シリコン半導体シートと通常のＰ型シリコン半導体シートを交互に貼りあわせた電気の通りを良くした高出力Ｐ型シリコンＰ型シリコン半導体構造とＰ型シリコン半導体が軽水素トリチウム電子ガス入りの複数針穴空きＰ型シリコン半導体シートと通常のＰ型シリコン半導体シートを交互に貼りあわせた電気の通りを良くした高出力Ｐ型シリコンＰ型シリコン半導体構造に成る。
言わば電気抵抗ゼロ電気の高出力ＣＭＯＳインバータ装置に成る。
【００７６】
第７の課題解決手段は、圧電素子４電子磁気分割装置は、特開２００４―３０４９９２号公報の圧電素子３電子磁気分割装置の電気から熱抵抗電気を減らして電気を長持ちさせて、電気製品に無理をかけない電気装置の有り方（別名圧電素子４電子磁気分割装置。）に始まり、登録実用新案第３１６８０４３号高出力発電７連結以上モーター記載公開の装置に成り、今までの通常圧電素子磁石体構造を超軽量化擦る為に、黒雲母石微粒子及び再生ガラス微粒子に対して竹灰及び雑草灰及び生ごみ灰及び炭灰などを再生ガラスに入れた竹灰入りガラス微粒子に対してチタン酸バリウムを絡めて決められた形にして、圧縮を掛けたのが軽量圧電素子磁石体に成り、高出力銅筒管電気配線をプラス軽量圧電素子４電子磁気分割装置の中間陽電子プラス磁気の弱い部分に電気配線を電気取り入れ配線とリサイクル熱電気取り入れ配線とプラス陽電子圧電素子磁石体の磁気が一番強い部分にプラス高出力銅筒管電気配線を取り付け、圧電素子磁力線の構造の関係上必然的に、プラス磁気の一番強い部分には、熱抵抗無のプラス電気が流れる事に成る。
そして、マイナス軽量圧電素子４電子磁気分割装置の中間陰電子マイナス磁気の弱い部分に電気配線を電気取り入れ配線とリサイクル熱電気取り入れ配線とマイナス陰電子圧電素子磁石体の磁気が一番強い部分にマイナス高出力銅筒管電気配線を取り付け、圧電素子磁力線の構造の関係上必然的に、マイナス磁気の一番強い部分には、熱抵抗無のマイナス電気が流れる事に成る。
従って、この装置に依って、電気抵抗ゼロスピード電気が、高出力六角形状圧電素子連結発電回路型コイル無ライトレールモーターを駆け巡る事に成る。
【００７７】
第８の課題解決手段は、発電三重発光ライトは、ライト付のモーターとしての実用新案登録願いの請求項目のライトに成り、特開２０１１―１０５３０７号の未来的電気自動車に書かれて入る高出力発光ＬＥＤライト玉は、発光ＬＥＤのダイオード発光の補助ガスとして、ダイオード電子を多く擦る為の軽水素トリチウム電子ガス入り技術説明に成り、問題点は、海外技術のライト世界特許権技術は、二回目に当たるが、球切れが長い為、少し二回目の世界ライト特許権料金使用料金が高い為に、新しい三回目の世界特許権のライトの玉の考案に挑戦しなければ成らない事態の為に、書く事に成る。
従って、テングステン技術には、銅入りテングステン金属ライトも、おそらく海外技術に成り、高出力発光ＬＥＤライト玉の値段より、安いが現在の時代に値段が適してない。
其の為、新しいライト玉の技術は、今までのライト技術と異なる技術を考案しなければ、特許権料金の請求と盗作技術としか成らなければ、考案しても意味が無い為、注意が必要に成る。
従って、発電三重発光ライトは、アルゴンガスと電灯の熱溜りと熱放出を抑えなければ成らない為、熱が掛かっても、冷却ガスが膨張しない窒素ガスを選んで、アルゴンガスのみでは、白色に成る為、超微量ネオンガスを入れたアルゴンガスと窒素ガスと超微量ネオンガスを混合したガスを比較的熱に強いグラスファイバーに入れる事で、少し黄色い光を放つライト板が出来る。
超微量ネオンガスを入れたアルゴンガスと窒素ガスと超微量ネオンガスを混合したガスを入れたグラスファイバーのプラス配線とマイナス配線側には、左右のプラス電気極パネルとマイナス電気極パネルに平均に電気が流れる様に、薄銅板をライトパネルの左右の両端の上下のライトパネルの中に入る様にした構造に成り、銅板電極の代わりに軽水素トリチウム電子ガス入り圧電素子磁石体電気磁気配線を取り付ける構造に成り、ライトパネルの前に対しては、半圧縮ガラスを使用擦る構造に成る。
更に、後ろ側では、超微量ネオンガスを入れたアルゴンガスと窒素ガスと超微量ネオンガスを混合したガスの発光した光を、瞬間吸収して、発光擦るライトに成り、軽水素トリチウム電子ガスと窒素ガスとフッ化カルシウムの混合ガスをグラスファイバーに混合合成したライトパネル方式。
この他、超微量ネオンガスを入れたアルゴンガスと窒素ガスと超微量ネオンガスを混合したガスをアクリルビニールに混合撹拌したのをシート状にしたのを、半圧縮ガラスの二枚の中に挟み込んだライトパネル方式に対して、軽水素トリチウム電子ガスと窒素ガスとフッ化カルシウムの混合したガスをアクリルビニールに混合撹拌したのをシート状にしたのを、半圧縮ガラスの二枚の中に挟み込んだライトパネル方式のガラスを二枚合わせて使用擦る方式に成り、いずれも電気消費が発光ＬＥＤより多い為、本考案の高出力六角形状軽量圧電素子連結型発電回路シートをこれらのライトの後ろ一面に貼るように取り付ける事で、発光ＬＥＤライト玉の電気消費より、少ない電気消費で、ライトの玉又はライト板が出来る。
ライト板の著作権上の説明と特許説明では、液晶テレビパネルがライトパネルとも言えるが特許切れの為、新しい構造のライトを書いて作る事が出来る為、実用新案登録願いが成立擦る事に成る。
この他、特開２０１２―０９４５４８号の国の全額借金返済と都道府県市町村区の全額借金返済の為の知的所有財産の光りフアイバーブラウン官テレビ著作権原本及び特開２０１３―０９３８９６号の国の全額借金返済と都道府県市町村区の全額借金返済の為の著作権先技術主張の高出力高画質発電ビデオテレビシステム（軽水素トリチウム電子ガス入りのテレビビデオインターネット防犯の映像音声システムに対して企業側が、国と都道府県市町村区と世界特許権無しで、家電製品に軽水素トリチウム電子ガスの回路技術の勝手使用によって知的所有財産の技術横領共謀で国も都道府県市町村区も著作権盗作によって罰せられます。）。
此処に、書かれて入るダイオード回路チップにアルゴンガスと圧電素子磁石体粒子入りの画像回路チップ即ち、ダイオード物質系のシリコンダイオード及びビニールダイオード及びグラスフアイバーダイオード等の電気を比較的通す物質に映像を映し出すガス特に映像回路の色を鮮明に擦る為の補助回路チップに成る。
これらは、商品を作る際に発生擦る特に、日本国では、特許権番号を明示しない侭、堂々テレビの４Ｋ販売が行われて入るが、誰が考え出した技術で有って、誰がどれだけの技術報酬を受けて入るのかを、不明確に擦る為に、技術者の誰が利益を上げてどれだけ、日本国に特許使用料の技術利益を、日本国に収めて入るのかが不明書くに不明確に成り、一年間のテレビの４Ｋテレビの特許技術収益に依って、日本の一年の長者番付に乗るのが現実で有るが、電気業界では、誰一人長者番付に載った者が居ない事実に対して、誰かが大がかりな脱税を国の機関と共謀で行って入ると考えておかしくない。
過去に於いても、テレビの日本の発明者が日本の長者番付に成って居ない事実も、誰が考えてもおかしい事実が有る。
確かに、音楽テープカセット及び映像テープとして、世界のトップ電気業界に成った事実は、証拠が財産を作ったと考えられる。
世界を駆け巡ったテレビパネル付ビデオも、世界トップの証拠の会社そして、コピー機で世界トップ会社に成ったのも、最初の特許権の使用量と他社が絶対に出来ない特許権が有ったから、財産が出来たただし、ビデオに関しては、違うビデオが最初に有り、此の場合は、日本のビデオ業界全てが負ける事も有る。
コピー機に関しては、機械式コピー機が最初に有った為、最初のコピー機印刷機会社の反撃が有る。
音楽テープなどは、特許権切れ後は、他の技術に依って、反撃は有るが、何れにしても、同一著作物の料金が現在の値段を上回る場合は、過去に無い技術に成り、特に４Ｋテレビは、過去のブラウン管ハイビジョンテレビ依り、鮮明と言われるが、液晶を４Ｋフラットにしても、映像回路の色の調整技術特許権が無い理由と色彩画像の電波調整技術の特許権が新しく出来た訳で無い更に、アルゴンガス入り超微量ネオンガス入りプラスチックシートを液晶パネル表面一面に貼った訳で無い為、画像本来のきめ細かさの説明に対して、アルゴンガス入り超微量ネオンガス入りプラスチックシートを液晶パネル表面一面に貼った場合などでは、液晶物質に光反射で無い為、アルゴンガス入り超微量ネオンガス入りプラスチックシートに電気を通して映す為、決め細かく成るが、つまり、ガステレビ時代のハイビジョン撚り、鮮明画像の説明には、映像回路の世界特許権説明が必要に成る。
従って、テレビは、日本が最初の世界特許権で有るが、液晶のバックライトが日本のテレビ会社と異なる電気会社特許権の様で有り、ライトの玉も、現在は、海外技術の暗い電球の世界特許権を多額に支払って作っている事に成り、発光ＬＥＤを日本特許庁で特許番号検索しても、海外国の技術者名も出ないばかりか、発光ＬＥＤライトの玉の増幅ライト光技術者名の名前が出て来ない現状で有る。
この他、著作物と成る本印刷物に対しても、特許番号及び実用新案番号が記載されない為、特許使用料金と実用新案登録使用料金の多額な脱税を、日本国官庁と共謀で行って入る恐れが有る。
そして、モーターライト事態の実用新案登録料金が有っても、わずかで有る理由に、ライトを変えたモーターでは、実用新案登録料の使用料が下がるが、本考案のライト技術を使用しない場合に限る。
更に、モーター室に対しては、ライトを付ける事は、既に特許切れに成るが、正確には、電気の発明者がライトの発明者とは、同一発明者で無い事に成り、著作権料金の支払いは、誰が管理して入るのかが不明確に成って居る。
此の場合、日本国のライト販売会社が、海外の電気発明者の会社の株所有者で有り、海外のライトの玉の発明者の会社の株所有者の事実ならば、日本国の著作権料金管理者としては、最低でも、海外の電気発明者会社の株取得と、海外の電球会社の株を日本国が取得してなければ成らない事と学問と技術発展の観点から、日本国で所有する海外技術者の特許権番号の日本語公開は、日本国自らがしなければ、成らない理由に、
日本企業が、日本国資産以上の海外株を持つ事は、日本企業が日本国の国に代わって、完全補償を擦る為に、安い税金支払が認められて入る。即ち人が生きて生活しなければ成らない共存の意味から、本来は、企業側が、無利子無担保完全無料で日本の借金を全額支払って無ければ成らないはずが、不思議と誰一人払う者が居ない。
つまり、本考案の高出力六角形状圧電素子連結発電回路型コイル無ライトレールモーターが実用新案登録に成っても、企業利益を、９４パーセント持ち去る日本全ての企業とは、提携出来ないのは、今まで、数々の努力でも、日本国の借金を全額返済していないとの、現在の日本の最高判断の場所の考えに対して、自分の事は、自分でしなさいの判断と言える為、低価格で作れる韓国及び中国との提携が濃厚に成る。
今後の、以上の文面で、日本企業全てと縺れた話に成っても、今後は、自給自足社会を自立しない限り、全国農業漁業林業中小企業の未来は無い、但しテレビ新聞ラジオインターネット報道では、確かに全国の知事が出来る範囲の報道として、一部個人の救済として、一部個人それぞれが、考えて来る知的所有財産を使った商品の発展にしか成らない為、全ての弱者救済に成らない事実に成る。
【００７８】
第９の課題解決手段は、不正競争防止法に伴う技術説明に成る。
図の５の新しい高出力７連結以上六角形状圧電素子連結発電回路型コイル無ライトレールモーターは、登録実用新案第３１６８０４３号高出力発電７連結以上モーターの改良型に成り、コイル無モーターの複数連結の七連結以上六角形状圧電素子連結発電回路型コイル無ライトレールモーターに成る。
然しながら、特開２００４―３０４９９３号の一度に複数の電気配線と複数の電気コイルを持ち得て焼けないで力のあるモーターのあり方では、五連結のコイル連結モーターの特許権請求をしたが、三連結の存在と歯車連結の存在が特許庁側から言い渡された事実に成る。
本件の前の、高出力７連結以上六角形状圧電素子連結発電回路型コイル無ライトレールモーターは、モーター板が異なり、モーターコイル配線が異なる為、登録実用新案第３１６８０４３号高出力発電７連結以上モーターは、日本国には、貴方以外存在しないから登録実用新案第３１６８０４３号高出力発電７連結以上モーターを登録しますとの回答に成った。
然し、登録実用新案第３１１４４９１号二連結以上モーターの登録説明は、通常モーターの２連結が存在しなくて、何故三連結の他人の技術が存在したのかの説明は、異なるモーターコイル巻き数コイルモーターの連結に当たって、超小型のモーターをカメラのシャッタースピードに使用した技術者が存在したが、自動車及び他の家電には、不必要の為、特許提出が無かった。
此の問題に当たって、モーターの特許権とそれに追随する著作権に成るが、一度特許庁で、古い文献の中にモーター提出に当たって、外国人の日本提出が有った。
所が、そのモーター発明者が、全てのモーター著作権者で無い理由として、当時の、電気の発明者の他、掃除機の発明者及び冷蔵庫の発明者及びクーラーの発明者などが、別人に存在したためで有るが、全て、世界特許権切れ及びそれだけの利益を取得して居る為、低価格著作権料金の発生が有る事に成る。
本説明の、著作権者は、世界で最初に発明した電気の世界特許権者の電気に関しても、通常熱抵抗電気が世界特許権者の所有財産に成るが、本考案者は、登録実用新案第３１６８０４３号高出力発電７連結以上モーターで公開した圧電素子４電子磁気分割装置は、世界特許権者の電気発明の通常熱電気を、電気熱抵抗無磁気電気のプラス電気熱抵抗無磁気電気とマイナス電気熱抵抗無磁気電気を作る事の出来る電気抵抗ゼロ電気技術の為、実用新案登録に成った事実で有る。
更に、登録実用新案第３１６８０４３号高出力発電７連結以上モーターで公開した発電回路は、プラス発電回路とマイナス発電回路が有り、プラス電気に対してプラス発電回路を通す事で増幅プラス発電に成り、マイナス電気に対してマイナス発電回路を通す事で増幅マイナス発電が出来る電気増幅装置に成り、此の場合は、使用している電気の発生元が世界特許権の所有する世界特許権と完全なる著作権で無い事で、実用新案登録は正解に成る。
この他、モーター磁石に対して、登録実用新案第３１６８０４３号高出力発電７連結以上モーターでは、高出力圧電素子磁石体に成り、別名軽水素トリチウム電子ガス入りの合成磁石を使用した物件の為に、実用新案登録に成った。
然しながら、本考案の高出力六角形状圧電素子連結発電回路型コイル無ライトレールモーターの技術は、コイル無い回転体に対して歴史を紐解くと日本に水車歯車回転装置と海外に風車歯車回転装置の存在と、波の力を吸収して船を推進する動力などが有るが、いずれもモーターで無い技術説明に成り、コイルが無い内コイルモーターと外コイルモーターは、電気を通しても回転しない事は明白に成る。
そして、企業名のリニアモーターのコイルをはずした場合でも、モーター回転しない事実に成る。
然しながら、世界特許権のモーター発明者は、電気を通しただけで回転擦る装置説明では、モーターと回答するのが答えらしい。
少し風変わりな特許説明として、本考案者提出の特開２００６―２５４６９７号の全レールモーター制御無害無給油発電機を使用した電気自動車に記載公開されている２連振り子型機械発電機は、補助回転装置として、本考案者が公開した作品に成り、水車も使用しなく、風車も使用してない世界初の特許提出の著作権文章に成り、改良を積んで完全体の機械式発電機を作る夢の作品に成る。
本題のコイル無モーターの世界評価は、世界特許提出でなければ日本の特許庁は教えて呉れ無いのが事実に成る。
従って、本考案の高出力六角形状圧電素子連結発電回路型コイル無ライトレールモーターのモーター名を外して別名として、販売しても、現在の商品以上の料金の請求が出来ないのも事実に成る。
過と言って、特開２００６―２５４６９７号の全レールモーター制御無害無給油発電機を使用した電気自動車に記載公開されている２連振り子型機械発電機を改良した場合は、発電機料金が上乗せでも、電気使用量料金が下がると同時に２連振り子型機械発電機の値段を下げなければ成らない。
要するに、最初の発明者の資金力は、後で発明した者の同一著作権物に対して内容の異なる商品利益に対して、同等の利益を世界各国が認めるかが、問題点に成る。
つまり、此の場合は、後発明者に同等の資金の取得権利を認めない場合は、商品の利益者は、海外国全てで、最初の特許権者の技術と資金を持って、自給自足社会の成立をしなければ成らない。
だが、日本国では、戦後は、現在の資本金主義が一般的に成り、太古から戦前まで、概ね指導して来た日本の農業文明と漁業文明と林業文明と中小企業文明は、現在存在しない。
有るのは、只祈るのみで有る。
本題の、本考案の高出力六角形状圧電素子連結発電回路型コイル無ライトレールモーターシステム装置は、実用新案登録が完了した場合は、日本国に同一作品が無い事に成り、２０１６年2月２９日以降日本国で本著作権考案者以外が作られた場合は、おそらく、海外特許提出の優先権主張を、日本特許庁に提出して、盗作容疑と横領容疑を完全に日本国民の前で晴らしてから作る事に成る。
尚且つ、日本企業の誰か一人の世界特許権に成る為、世界銀行の資金トップ者の約束と世界株式取得者の全てのトップ株取得者に成り得る為、本考案者以外の世界考案者の存在と世界発明者の実在は、今後のマスコミ新聞の筆頭株取得者に成り得る者だと言える但し、これは、現在の日本国の資本主義に基づく考え方と事実の発覚は大変な時代の始まりかは、世界の神々に祈るばかりで有り、そして、再び日本の神々に祈る。
商品の高騰時代の始まりが其処に存在擦るのが資本主義に成る。
因みに、本考案者は、自給自足主義に成り、マスコミテレビ及び新聞からは、嫌われ者と無視に相当擦る事に対してはこれを、人それぞれの著作権者の弱者保護のみの生き方と種族の有り方に成る。
知的所有財産の有り方の難しさはお金を言うと地獄に落ちるつまり、平等な知的所有財産の利益の取得が平等としか言わずそれを超える事実とは完全な自給自足社会が存在擦る事に成る。
【００７９】
第１０の課題解決手段は、図８の高出力六角形状圧電素子三乗連結発電回路型コイル無ライトレールモーターは、高出力六角形状圧電素子連結発電回路型コイル無ライトレールモーターの円形の六角形状の軽水素トリチウム電子ガス入りの圧電素子磁石体を三乗つまり、三方向から複数の六角形状の軽水素トリチウム電子ガス入りの圧電素子磁石体の連結発電回路のイオン磁力線でコイル無モーター回転体を回転指せる手段を使った回転方法に成り、表題の通り高出力六角形状圧電素子三乗連結発電回路型コイル無ライトレールモーターは、コイルが無いモーターと呼ぶ事に擦るが、高出力六角形状圧電素子磁石体の磁力線増加作業をコイル無で可能にする為には、高出力圧電素子磁石体でも、未完成に成る理由として、軽水素トリチウム電子ガスエネルギー量を生かす技術として、高出力六角形状圧電素子其々の一個体に対して、軽水素トリチウム電子ガス入りチタン酸バリウムシートと軽水素トリチウム電子ガス入り六角形状圧電素子磁石体の超小さな連結発電回路シートを軽水素トリチウム電子ガス入りシリコンシートに軽水素トリチウム電子ガス入り六角形状圧電素子磁石体の超小さな連結発電回路を貼りつけたシートと軽水素トリチウム電子ガス入りチタン酸バリウムシートを多層式に重ねた高出力六角形状圧電素子磁石体発電回路の連結型を高出力六角形状圧電素子連結発電回路型コイル無ライトレールモーターに成り、軽水素シリコン部分は、軽水素入り圧電素子磁石体の磁力線誘導に依って、高出力六角形状圧電素子連結発電回路型コイル無ライトレールモーター及び高出力六角形状圧電素子三乗連結発電回路型コイル無ライトレールモーターの電気熱を瞬間吸収して電気変換出来る軽水素トリチウム電子ガス入りの圧電素子磁石体磁力線イオン電子誘導発電が出来るシリコン内蔵の高出力六角形状圧電素子連結発電回路型コイル無ライトレールモーターに成り、図８の高出力六角形状圧電素子三乗連結発電回路型コイル無ライトレールモーターは、コイルの無いタイプの三連結モーターに似て入るがコイルが無い高出力六角形状圧電素子連結型発電回路内蔵型磁石体に成る為に、モーターデザインが別途異なり、モーター構造も別途異なるモーター名とした本著作権者の知的所有財産の作品に成る。
此の場合は、電圧を掛け過ぎるとモーターが焼ける恐れが有るが、少ない電気量で、多くの回転量を得る事の出来るモーターに成り、高出力六角形状圧電素子連結発電回路型コイル無ライトレールモーターは、旧レールモーター及び高出力レールモーター及び高出力コイル無レールモーターの電気配線の数は、同じ配線数と同じ高出力インバータ装置の磁極切り替え装置が必要視される。
従って、図８の高出力六角形状圧電素子三乗連結発電回路型コイル無ライトレールモーターは、三倍の電気配線と高出力インバータ装置が必要視去れる為、別名高出力コイル無三連結レールモーターとも言われるが、コイル有りモーターの構造及びデザインとは、まるっきり異なった別の作品だがモーター名は高出力六角形状圧電素子三乗連結発電回路型コイル無ライトレールモーター名に成る。
此処での、名言として、本考案著作権者以外の熱瞬間吸収発電シリコンパネルの技術者は、存在しないと言える事実に対して、否定擦ると言うならば水素入りの圧電素子磁石体粒子入りシリコンシートパネルに成る。
水素の技術に関しては、二重水素及び三重水素が存在した理由に、水爆特許権と水素ニッケル充電池だが、水素の規定量に成り、本考案者の水発電機の登録実用新案第３１４５９６３号省エネルギー水気化水発電機（別名水発電機。）と特開２００３ー３２８９２５号の真空装置と機械式発電機を使った水だけの発電機と説く開２０１１―２０５８９５号の多機能情報冷暖房無休憩発電機（原子力事故及び自身事故対応型。）。（無害無給油のなし球形の半永久全自動作動発電機型。）と特開２０１２―０９９５０６号の燃料電池発電機と総合発電量の競争を含めた国の全額借金返済と都道府県市町村区の全額借金返済の為の知的所有財産の五種類の半永久発電装置を内蔵積載した軽水素入りの水循環発電型の燃料電池発電機著作権原本（別名高出力水発電機。）と特許公開２０１５ー１６７４７０号の国の全額借金返済と都道府県市町村区の全額借金返済後に対して自給自足型の農業及び漁業及び林業及び中小企業が世界トップの日本円銀行団体と世界最高銀行団体と成る為の完全自給自足物流システムに対しての知的所有財産を使った財団経営の未来的農業漁業林業一体型中小企業体システムこれらは、足し水素技術から軽水素単独技術へ向かった技術移行説明。
【００８０】
第１１の課題解決手段は、図９の高出力六角形状圧電素子連結発電回路型電磁誘導発電モーターは、登録実用新案第３１６８０４３号高出力発電７連結以上モーターに高出力電磁誘導モーター積載の高出力発電７連結以上モーターだが、この他の高出力ダイナモも、世界特許権に成り得るダイナモ技術だが、電磁誘導発電装置は、本来少ない発電電気量しか鋼鉄磁石電磁誘導発電装置では、得る事が出来ない事実に対して、圧電素子電磁誘導発電装置に成ると数倍の発電量に成り、それを更成る発電量に擦る為に、高出力圧電素子電磁誘導発電装置が表題として明記去れる。
然しながら、高出力圧電素子電磁誘導発電装置がこの世の全ての技術だったとは書きがたい。
そして、漸くこの世に日の目を見る事の出来る高出力六角形状圧電素子連結発電回路型電磁誘導発電モーターに成り、軽量な発電装置と回転指せるのに、エネルギーを余り使わないのが利点で有るが、大量の電気を使う場合は、特開２０１０―１６５３５５号の国の９００兆円越えの借金全額返済の為の世界最新の公共事業対策装置の高出力ダイナモ技術説明に成る。
従って、高出力ダイナモ依り、更に、発電量の多い高出力ダイナモに成ると圧電素子磁石体を高出力軽水素入りの六角形状圧電素子連結発電回路型内蔵型の高出力圧電素子磁石体は、熱瞬間吸収発電も、瞬時に熟さなければ増幅発電量の域に達したとは言えない事に成る為で有る。
従って、通常電磁誘導発電は、磁力線の打撃増幅発電に成り、圧電素子磁石体では、通常鋼鉄磁石体より、磁力線打撃発電量は多くなり、水素イオン入り圧電素子磁石体の電磁誘導発電は、通常圧電素子磁石体の電磁誘導発電依り、数段多い発電量に成り、更に、軽水素トリチウム電子ガス入り圧電素子磁石体の電磁誘導発電は、通常圧電素子から通常水素入りの圧電素子電磁誘導発電装置依り、増幅発電量が水素中に入って要る発電しないプルトニウム物質を取り除いた軽水素トリチウム電子ガス入りの圧電素子磁石体使用の電磁誘導発電装置では多くの軽水素イオン磁気誘導発電が可能に成る為、軽水素イオンが消滅しても、残った圧電素子磁石体のみの電磁誘導発電が続く為に修理修復時間が短く成る。
従って、高出力電磁誘導発電装置の次の技術が高出力六角形状圧電素子連結発電回路型電磁誘導発電モーター即ち、高出力六角形状圧電素子磁石体一つ一つの高出力六角形状圧電素子其々の一個体に対して、軽水素トリチウム電子ガス入りチタン酸バリウムシートと軽水素トリチウム電子ガス入り六角形状圧電素子磁石体の超小さな連結発電回路シートを軽水素トリチウム電子ガス入りシリコンシートに軽水素トリチウム電子ガス入り六角形状圧電素子磁石体の超小さな連結発電回路を貼りつけたシートと軽水素トリチウム電子ガス入りチタン酸バリウムシートを多層式に重ねた高出力六角形状圧電素子磁石体発電回路を積載内蔵させた連結発電回路システム型の装置を高出力六角形状圧電素子連結発電回路型電磁誘導発電モーターにして入る。
問題は、高出力六角形状圧電素子連結発電回路を高出力六角形状圧電素子連結発電回路型コイル無ライトレールモーターの一つ一つの高出力六角形状圧電素子磁石体の中に入れた技術説明に成り、高出力六角形状圧電素子連結発電回路型電磁誘導発電モーターに対しての高出力電磁誘導発電装置の高出力圧電素子磁石体を、高出力六角形状圧電素子連結発電回路にして、更に一個一個の高出力六角形状圧電素子に対して、軽水素トリチウム電子ガス入りチタン酸バリウムシートと軽水素トリチウム電子ガス入り六角形状圧電素子磁石体の超小さな連結発電回路シートを軽水素トリチウム電子ガス入りシリコンシートに軽水素トリチウム電子ガス入り六角形状圧電素子磁石体の超小さな連結発電回路を貼りつけたシートと軽水素トリチウム電子ガス入りチタン酸バリウムシートを多層式に重ねた高出力六角形状圧電素子磁石体発電回路を積載した高出力六角形状圧電素子電磁誘導発電装置に成る。
然しながら、登録実用新案第３１６８０４３号高出力発電７連結以上モーターと高出力六角形状圧電素子連結発電回路型コイル無ライトレールモーターの違いと聞かれる場合は、高出力四角形状圧電素子磁石体を高出力六角形状圧電素子連結発電回路型のシステム装置を内蔵した高出力圧電素子磁石体の連結型装置構造に変えたのが大きな考案及び発明及び技術工夫の改良及び開発及び改善された個人の知的所有財産に成る。
従って、本考案の高出力六角形状圧電素子連結発電回路型コイル無ライトレールモーターが、おそらく公開されるが、公開される数年前に、既に本考案著作権者は、発電回路も、既に特開２０１２―０５６５５８号のパワーアップハイブリッド車に公開して有る軽水素トリチウム電子ガス入りの発電回路に成り、四角形状の軽水素トリチウム電子ガス入りの圧電素子連結発電回路は、此の頃既に、公開して有った知的所有財産の電気増幅発電装置に成り、高出力ダイナモ詰まり、軽水素トリチウム電子ガス入りの圧電素子磁石体入りのダイナモの公開した頃に成る。
確かに、高出力ダイナモの発電量は、通常ダイナモの二倍以上に成る為、仕方なしに特開２０１３―０８３２６８号の地方の売電利益を、上げる為と海外水力と火力と原子力発電の高出力ダイナモの増量発電技術の海外売電契約の国と都道府県市町村の全額借金返済の為の決定的な電力不足を、補う為の一般に知られて入る半永久の水力ダムの高出力ダイナモ積載の増幅発電型の半永久型の水循環増幅発電システムを特許文章として、公開した事実とは、自分が作った財産で、自分を滅ぼし更に周りの者も滅ぼす運命が、余りにも酷過ぎた為、特許公開したが、本考案作品は、日本の全企業が出来ない理由が、此の現在社会の絶対に歴史と時代と言う時間を消し去る事の出来ない事実だから、日本の全企業が絶対に作れない本考案作品に成る。
【００８１】
第１２の課題解決手段は、図の１０ の異種２連結以上高出力モーターは、高出力六角形状圧電素子三乗連結発電回路型コイル無ライトレールモーターと登録実用新案第３１６８０４３号高出力発電７連結以上モーターの高出力モーターの一個体の高出力モーターと高出力六角形状圧電素子三乗連結発電回路型コイル無ライトレールモーターを連結させた登録実用新案第３１１４４９１号二連結以上モーターのデザイン形状の異なるモーター説明に成る。
従って、日本国内で作る場合は、特開２０１１−０９１８８０の磁気連結による非接触ユニット連結発電機及びモーターと現在ＯＢに成って特許公開に成って来ない三連結モーターと歯車連結モーターが有る様で有るがいずれも、三連結以上に成る。
更に、カメラ積載の二連結モーターが日本国内に海外特許提出が存在しない為、最初に商品を作る段階までの、海外国の日本販売契約は、出来るが、海外での商品販売と日本での二連結モーターの販売に対して、海外カメラ屋の二連結モーター技術者と著作権料金の支払い契約が必要視去れる。
この他、高出力六角形状圧電素子三乗連結発電回路型コイル無ライトレールモーターに成ると、レールモーターの内側回転部分に対して、両サイドからイオン磁気移動が出来る高出力六角形状圧電素子の三乗連結発電回路部分から、磁力線モーター補助回転を擦る事で、本考案の、高出力六角形状圧電素子三乗連結発電回路型コイル無ライトレールモーターを通常の高出力レールモーターに匹敵出来る回転力を得る事を可能に擦るモーター構造に成る。
【００８２】
第１３の課題解決手段は、図の１０の異種２連結以上高出力モーターは、二トントラック等の電気モーター使用に考えられる事に成り、他の自動車業界では、リチウムバッテリー及び高価な燃料電池トラックを作るしか無い為、今後の自動車業界のマグネシウム確保が難しい事と海底マグネシウムを、全自動採掘出来る技術所有者も、本考案著作権者に成る為、果たして、値段の高いマグネシウムを使って、世界特許権の燃料電池技術の循環発電技術の所有者も本考案著作権者だが、似た作品が、特開２００８−０４７３９２燃料電池システム宇宙航空研究開発機構の作品が有り、対策として、特許公開２０１５―１６７４７０号の国の全額借金返済と都道府県市町村区の全額借金返済後に対して自給自足型の農業及び漁業及び林業及び中小企業が世界トップの日本円銀行団体と世界最高銀行団体と成る為の完全自給自足物流システムに対しての知的所有財産を使った財団経営の未来的農業漁業林業一体型中小企業体システム。の実用新案登録をして、燃料電池の水素と酸素発電が軽水素と酸素の発電量を上回るかの技術と資源の戦いが再び始まる。
この様に、異種２連結以上高出力モーターは、不思議な事にリニアモーターの一番古い物件に対して実開昭和６１−１６５９９７が一番古いリニアモーターの名称に成る。
但し、円形のリニアモーターに対しては、ハイブリット自動車のエンジン制御モーターが特許権として、日本の自動車会社が所有して入るが、特許権物件が存在して居て、２００２年の特許権なので、特許年数２０年間の間は、家電モーター屋でも、作れない事実とは、企業間の特許権取引は、現在販売されて入る商品の全世界販売数の市価の全世界２０年間の販売数に成る為、リニアモーターを使った電気商品は、本来作らない筈で有り 、銀行を持ち得た会社ならば、企業賠償も多額に成る。
それならば、上記説明のリニアモーターは、本考案者の高出力六角形状圧電素子連結発電回路型コイル無ライトレールモーター及び異種２連結以上高出力モーターとは、同一作品及び技術かの判断に成り、ハイブリットカーのリニアモーターは、二回目のモーターの世界特許権は、値段が安いのが本音に成り、現在の中コイルモーターと外コイルモーターの値段に対して、電気消費の少ない分のモーター価値観に成り、値段を上げるモーターを、電気家電屋全てが同じモーターを使った商品の販売自体が脱税に当たる。
然しながら、今後、リニアモーターの二連結モーターと７結モーターは作らないと言える。
本来は、日本特許庁に、三連結と四連結が有る為、個人の知的所有財産の契約は、果たして、海外国のカメラの二連結技術とモーターの最初の特許権者の存在する国での自動車のモーター等を、どの様にして販売するかが、要注意しながら、その動向を見て行きたい。
【００８３】
第１４の課題解決手段は、図１１の高出力軽量歯車コイル無３乗レールモーターの使用は、将来的の使用用途として、軽量歯車が多く使われる事に成り、ミッションモーターに対して、軽量歯車ミッション開発に成る。
いわば鋼鉄鉄筋入りの錫加工などのミッション歯に成り、此の場合は、特許権に擦るのが、非常に難しいのは、ミッション歯側だけで有り、ミッションの歯の形状を変え、様々な形状を変える事に成る。
此の場合は、トラクターミッションを新たに開発擦る為の軽量歯車素材で有り、内蔵機械式免震装置及びミッション歯作動補助磁力線反発補助装置等、２０１６年２月２９日将来的には、小さな発電機で、大きな電気を作って、全ての機械器具の全自動制御を完璧に行って、機械が生活の衣食住の１００パーセント全自動で農作物と魚介類生産が出来るシステムを取って行かなければ成らない。
【００８４】
第１５の課題解決手段は、図の１２のモーターの開発経緯を説明した図に成り、旧レールモーターは、全レールモーター制御無害無給油発電機を使用した電気自動車に書かれて入るレールモーターの特許提出が遅い事が解るが、発明証明日の技術発生証明日は、日本のリニアモーター企業名より、一年以上前に成り、どうやら、この、日本国と言う国は、金主義で有り、お金が有れば買えない物が無い考え方に成る為、要注意しなければ成らない。
この当時は、磁極切り替えをリレースイッチの改良で回転させる方式に成って居ただけで、無くインバータの名称は知って居てもインバータの構造も知らなかったのが、残念だが事実で有る。
二番目に考えられたのが、高出力レールモーターは、インバータスイッチも、軽水素入りに成り、レールモーターの磁石も軽水素トリチウム電子ガス入り圧電素子磁石に成る。
変えた理由とは、モーター磁石の磁極切り替えスピードが、鋼鉄磁石のコイル巻き装置に対して、軽水素トリチウム電子ガス入り圧電素子磁石体板に高出力銅筒管コイルを巻いた電磁石の高出力軽水素入りのインバータ制御モーターで有ったが、此の頃は、発電機の水発電機に対して、高出力水発電機に改良が進んで居たが今一つ消費電気量として、世界をアッと驚かす技術に程遠いと自負して入ると考えて居た頃で有る。
やがて、卍形状レールモーターと十字モーターへ技術移行擦るが、確かに中コイル式の高出力モーターは、大体の完成度が近く成って着ていたが、肝心の卍形状レールモーターと十字モーターは、扇風機及び換気栓及びクーラーのモーター使用程度の技術にしか成らなかった。
最終的に、高出力レールモーターのコイルに対して全てを外した高出力コイル無レールモーターの実用新案登録に挑むが、使用用途にクーラー及び扇風機及び換気栓までのモーターしか成らなかった。
半分半ば諦めムードは、宝石貴金属のデザイン変えなどで、気持ちの切り替えと同時に特開２０１２―０９９５０６号の燃料電池発電機と総合発電量の競争を含めた国の全額借金返済と都道府県市町村区の全額借金返済の為の知的所有財産の五種類の半永久発電装置を内蔵積載した軽水素入りの水循環発電型の燃料電池発電機著作権原本（別名高出力水発電機。）。のマグネシウムの水素と酸素の瞬間吸収物質をここで、漸く水銀とシリコン炭素圧電素子の四種類の化合物質の熱瞬間吸収発電装置に変えた事で、世界特許権確定で有った。
然しながら、水銀の世界埋蔵量に関して、果たして全世界全ての人に行き渡る水銀量の確保が難しく成る。
其の為、燃料電池発電機の液体マグネシウムを使わない水素と酸素のみの発電は無理とされた技術に対して軽水素と酸素の発電機の改良に対して暖軽水素冷酸素陽電子陰電子スパーク発電機を、保々、完成品近くの特許部品のみで、書き上げて特許提出に漕ぎ付く。
この時点で、発電回路は、確かに特開２０１２―０５６５５８号のパワーアップハイブリッド車で、公開済で有り、登録実用新案第３１６８０４３号高出力発電７連結以上モーターに於いても、発電回路は、登録済だが、通常圧電素子の圧電効果に依る圧電効果の発電量に対して、軽水素入りの高出力圧電素子の発電回路を使ったモーターの電気消費が自分の描いて居るモーターと一致しない事に成り、２０１４年１２月頃漸く、モーターコイルだけで無く、モーター絶縁体を外した現在の形のモーターに辿り付く。
そして、本考案の高出力六角形状圧電素子連結発電回路型コイル無ライトレールモーターが出来るが、エンジンは、遭いも変わらず熱火力エンジン其のため、著作権者本人が考案していた２０代頃のエンジンの回転の補助装置には、どうやら使えそう無いから、自動車のタイヤ駆動の高出力六角形状圧電素子連結発電回路型コイル無ライトレールモーター使用成ら、絶対に今度こそ、全世界を驚かせて、日本企業以外からの提携の誘いが来る事を願う今日この頃の心境で有る。
今まで、随分と日本企業一部の方々に騙され続けましたが、この辺で茶番の幕切れにします。
日本の国が永遠に滅びてしまう其の事を気が付きました、だから日本全企業とは絶対に提携しない９４パーセントの企業利益は、農業漁業林業中小企業を合わせても絶対に勝てません。だから、例え、最初に日本国の援助が、原子力の世界特許発明者の日本個人の大学に国の予算の六年分現在ならば、５０兆円×六年分＝３００兆円を、著作権考案者筆記者抜きの技術を持ち寄っても、農業漁業林業中小企業の自立が無理なので、本考案者は、日本の国の過去を消したくない為、まずは、全国の知事から連絡が無い場合は、海外提携でお金を作って、農業漁業林業中小企業の未来永劫の自給自足の約束の為の知的所有財産を書き上げる事を再び卑弥呼に誓い再び、不戦の誓いは、弱者の自給自足社会の為の海外提携と知的所有財産所有の海外財団の道筋と考えます。
本題の高出力六角形状圧電素子連結発電回路型コイル無ライトレールモーターは、使って使用して見て実感出来る電気使用量の少ないモーターに成り、自動車モーターは、高出力コイル無モーターでは、使用出来ないモーターだったが、今度は、燃料電池だけ、大きい発電機が、残念ですが、不必要に成り、問題視去れるリチウム充電池の埋蔵量に対抗した発酵堆肥熱瞬間吸収発電ボックスなどで、海外の電気自動車先進国と対抗で販売を進める事の出来る海外国を見付けるのが課題に成る２０１６年２月２９日２２時そして現在の国の借金返済では、海外の提携会社を是が来でも探さなければ、９４パーセントの企業利益は、完全に儲かる事実に成り、日本国が如何なる現状に成った場合でも、企業が滅ばない黙示時代録マシーンとは漸く気が付きました。
【００８５】
第１６の課題解決手段は、図１３の現在の高出力銅筒管コイルが通常の銅コイル配線又は銅線から進化した経緯を説明した図に成り、全家電製品のモーターコイル配線を全て電気抵抗ゼロコイル配線に出来る技術説明として、登録実用新案第３２０３１０６号の国の全額借金返済と都道府県市町村区の全額借金返済に対して知事の回答が無い対策として、時効の無い国の借金返済対策として美瑛まちの庶民全体の生活権維持を守る為の知的所有財産の著作権活用と先著作権技術主張を美瑛まちが優先し、電気スピードと同じ速さで電気を流す事の出来る高出力銅筒管コイル配線と無金属二重配線に対しての知的所有財産の盗作防止の為の先著作権活用公開技術登録実用新案第３２０３１０６号の国の全額借金返済と都道府県市町村区の全額借金返済に対して知事の回答が無い対策として、時効の無い国の借金返済対策として美瑛まちの庶民全体の生活権維持を守る為の知的所有財産の著作権活用と先著作権技術主張を美瑛まちが優先し、電気スピードと同じ速さで電気を流す事の出来る高出力銅筒管コイル配線と無金属二重配線に対しての知的所有財産の盗作防止の為の先著作権活用公開技術に説明した様に気化ガスに電気を通すと全てが電気抵抗ゼロに成る為に、金属配線以外のシリコン配線及びダイオード配線及びビニール配線及びグラスファイバー配線及び炭素入りプラスチック配線及び炭素入りシリコン配線及び炭素入りダイオード配線及び炭素入りビニール配線及び炭素入りグラスファィバー配線及びエボナイトプラスチック配線及びエボナイトダイオード配線及び、エボナイトビニール配線及びエボナイトグラスファィバー配線など全ての金属以外の物質配線に気化ガスを入れた電気抵抗ゼロ配線説明に成る。
従って、コイル配線以外成ら、錫筒電気配線及び鉄鉛錫筒電気配線など、金属筒配線に気化ガス物質入りの金属以外の気化ガス入り物質配線説明に成り、軽水素トリチウム電子ガスは、電気電子とも言えるガス物質に成り、打って付けの気化ガス物質配線に成る為、銅線の熱溜り配線と異なり、電気抵抗ゼロ配線は、放電量の少ない電気配線に成り、おそらく、全世界初の常温気化ガス入りの電気抵抗ゼロ配線技術説明に成り、圧電素子磁石体粒子の軽量プラスチックガラス部分で、熱電子をも取り除ける構造に成り、チタン酸バリウム液は軽水素ガスを固定擦る為の液体物質に成る。
【００８６】
第１７の課題解決手段は、図１４の通常磁石体〜電磁誘導発電効果の高い磁石体への移行経緯図は、最初の電磁誘導発電装置は、鉄磁石使用の為に、電磁誘導発電量が少ない技術に成るが、圧電素子磁石体を使用した電磁誘導発電装置は、圧電素子磁石体の滑落防止対策をした電磁誘導発電装置は、鉄磁石に反して、増幅発電が見込める為、事業としては最適の電磁誘導発電装置に成るが、例えば、モーター電磁誘導装置の場合は、モーターの電気消費だけ、圧電素子積載の電磁誘導発電装置では、五分五分の電気消費と電気使用量と発電量に成る為に、全ての自動車の車軸取り付け及び風車軸に取り付けるスタイル及び船のスクリュー軸取り付け及びプロペラ飛行機の回転軸に取り付ける構造及び、水道管の水車プロペラ軸に取り付ける構造と原子力沸騰水発電機とガスタービン沸騰水発電機の回転軸に取り付ける事で、電磁誘導発電の増幅発電を見越した発電機に成る。
然しながら、高出力ダイナモ技術では、特開２００６―２５４６９７号の全レールモーター制御無害無給油発電機を使用した電気自動車で公開した圧電素子入りダイナモ技術説明に成り、水素イオンガス入り圧電素子磁石体説明は、２００２年北海道知事郵便物受理書説明書入りの特開２０１２―１２０４４０号の国の全額借金返済と都道府県市町村区の全額借金返済の為の多機能電気自動車著作権原本に記載去れて入る図説に成り、水素イオンガス入りの圧電素子磁石体の電磁誘導発電装置は、発電量が多く望めるタイプに成り、軽水素トリチウム電子ガス使用の高出力ソーラーパネル技術として、特開２００６―２５４６９７号の全レールモーター制御無害無給油発電機を使用した電気自動車の高出力ソーラーパネル技術説明の軽水素トリチウム電子ガス入りの圧電素子磁石体の電磁誘導発電装置は、可なりの発電量が望めるのも事実に成る。
更に、二つのプラス軽水素入り圧電素子磁石体発電回路とマイナス軽水素入り圧電素子磁石体発電回路は、特開２０１２―０５６５５８号のパワーアップハイブリッド車に記載説明された技術で有り、軽水素トリチウム電子ガス入りの圧電素子発電回路は、連結発電回路止まりと思われた技術が、高出力六角形状圧電素子連結型シート内蔵型発電回路を使用した電磁誘導発電装置では、今まで以上の増幅発電量に成り、本考案の高出力六角形状圧電素子連結発電回路型コイル無ライトレールモーター使用の高出力六角形状圧電素子連結型シート内蔵型連結発電回路内蔵の電磁誘導発電装置は、使用した電気量以上に発電量が見込めるモーター発電機にも成る。  
【００８７】
第１８の課題解決手段は、図１５の燃えにくいプラスチックゴム絶縁体では、竹灰及び生ごみ灰及び石炭灰及び、木材灰及び竹灰及び雑草灰など、石炭燃え殻で無い燃えカスの石炭灰と竹炭で無い竹の燃えカス等をプラスチックゴムに予め入れた燃えづらいプラスチックゴム電気絶縁体電気配線カバー表皮に成り、軽水素入り圧電素子磁石体電気抵抗ゼロ配線部分を銅筒管コイル配線の筒の中に軽水素入り圧電素子磁石体電気抵抗ゼロ配線部分を内蔵させた電気抵抗ゼロ配線に成り、モーター電気配線説明に成り、登録実用新案第３２０３１０６号の国の全額借金返済と都道府県市町村区の全額借金返済に対して知事の回答が無い対策として、時効の無い国の借金返済対策として美瑛まちの庶民全体の生活権維持を守る為の知的所有財産の著作権活用と先著作権技術主張を美瑛まちが優先し、電気スピードと同じ速さで電気を流す事の出来る高出力銅筒管コイル配線と無金属二重配線に対しての知的所有財産の盗作防止の為の先著作権活用公開技術等の説明に依って、他社では絶対に出来ない技術説明に成る。
【００８８】
第１９の課題解決手段は、図１６の高出力インバータ説明改良図に成り、通常Ｎ型シリコンに対して、シリコン電子増幅の為に、軽水素トリチウム電子ガスを通常Ｎ型シリコンに入れた高出力Ｎ型シリコンシートと通常Ｎ型シリコンを同化させる為に、高出力Ｎ型シリコンシートに対して、複数針穴形状の高出力Ｎ型シリコンシートと通常Ｎ型シリコンを複数枚合わせて固定擦る事で、通常Ｎ型シリコンと高出力Ｎ型シリコンシートの同化が出来る。
従って、通常Ｐ型シリコンに対して、シリコン電子増幅の為に、軽水素トリチウム電子ガスを通常Ｐ型シリコンに入れた高出力Ｐ型シリコンシートと通常Ｐ型シリコンを同化させる為に、高出力Ｐ型シリコンシートに対して、複数針穴形状の高出力Ｐ型シリコンシートと通常Ｐ型シリコンを複数枚合わせて固定擦る事で、通常Ｐ型シリコンと高出力Ｐ型シリコンシートの同化が出来る事に依って、通常インバータと高出力インバータの違い説明に成る。
更に、通常酸化Ｎ型シリコンに対して、シリコン電子増幅の為に、軽水素トリチウム電子ガスを通常酸化Ｎ型シリコンに入れた高出力酸化Ｎ型シリコンシートと通常酸化Ｎ型シリコンを同化させる為に、高出力酸化Ｎ型シリコンシートに対して、複数針穴形状の高出力酸化Ｎ型シリコンシートと通常酸化Ｎ型シリコンを複数枚合わせて固定擦る事で、通常酸化Ｎ型シリコンと高出力酸化Ｎ型シリコンシートの同化が出来る。
そして、通常酸化Ｐ型シリコンに対して、シリコン電子増幅の為に、軽水素トリチウム電子ガスを通常酸化Ｐ型シリコンに入れた高出力酸化Ｐ型シリコンシートと通常酸化Ｐ型シリコンを同化させる為に、高出力酸化Ｐ型シリコンシートに対して、複数針穴形状の高出力酸化Ｐ型シリコンシートと通常酸化Ｐ型シリコンを複数枚合わせて固定擦る事で、通常酸化Ｐ型シリコンと高出力酸化Ｐ型シリコンシートの同化が出来る事に依って、通常インバータと高出力インバータの違い説明に成る。
個の様に、通常インバータの通常Ｎ型シリコンは、軽水素トリチウム電子ガス入りのＮ型シリコンに成り、通常Ｐ型シリコンに対しては、軽水素トリチウム電子ガス入りのＰ型シリコンに成り、通常酸化Ｎ型シリコンに対しては、軽水素トリチウム電子ガス入りの高出力酸化Ｎ型シリコンに成り、通常酸化Ｐ型シリコンに対しては、軽水素トリチウム電子ガス入りの酸化Ｐ型シリコンに成り、通常インバータの磁極切り替えスピードより、数倍から数十倍の磁極切り替えスピードを上げる事が出来る。
此の高出力インバータでは、特許権切れのインバータスイッチに対して、通常Ｎ型シリコンと通常Ｐ型シリコンと通常酸化Ｎ型シリコンと通常酸化Ｐ型シリコンシート部分を軽水素トリチウム電子ガス入りの高出力Ｎ型シリコンと高出力Ｐ型シリコンと高出力酸化Ｎ型シリコンと高出力酸化Ｐ型シリコンシート部分に変えた技術で有るが、モーターの磁極切り替え装置としては、リレー装置に匹敵する磁極切り替えスイッチに成り、おそらく、インバータ磁極切り替えスイッチの高速インバータ磁極切り替えスイッチを作り上げたのは、本考案の著作権者以外、存在しない理由に対して、軽水素トリチウム電子ガスは、水素ガス依り、電子量が多い為に、良質の電子ガスの軽水素トリチウム電子ガスを使用擦る為に、磁極切り替えスピードが、リレー装置に匹敵擦る程、磁極切り替えスピードが速く成る。
此の場合、特許権切れのインバータ磁極切り替えスイッチを使用して入る為に、商品の値段を余り上げる事が出来ないが、著作権者以外誰も作れない理由に対して、レールモーター及び高出力レールモーターは、本来は、リレー装置使用が、適切構造に成り、従来の、通常インバータスイッチでは、モーター回転スピードが極端に遅く成る。
確かに、リニアモーターでは、通常インバータ使用と記載されて、入るが、商品としては、スピードの遅いモーターしか出来ないのが事実に成る。
従って、電気洗濯機及び電気家電クーラー及び電気掃除機及び電気乾燥機及び電気布団乾燥機などでは、遅いモーター回転の電気洗濯機及び遅いモーター回転の電気掃除機及び遅いモーター回転の電気乾燥機及び遅いモーター回転の電気布団乾燥機などしか出来ない其のため、通常市販のリレー装置にインバータスイッチを変える事に依って、一般庶民が製品として、納得出来る通常レールモーターと企業名のリニアモーターで有るが、特に企業名のリニアモーターは、電気消費が多過ぎる家電モーターと電気自動車モーターと地下鉄等の電車積載モーターに成る。
本考案の著作権者は、特開２０１１―２０９２９０号の多目的カーナビゲイション著作権原本と都道府県市町村区と国の全額借金返済と弱者自立社会を目指す為の２００１年からの道民財産著作権原本に記載されて入る図説に明記して有る通りのリレースイッチ使用が本来の本考案者即ち本著作権者のレールモーターの磁極切り替えスイッチ説明に成る。
但し、磁極切り替えスイッチと明記して入る為、インバータスイッチは、この当時は、特許権切れの為、鉄道のリニアモーターカーは、おそらくリレー装置使用が正確な答えだが、鉄道のリニアモーターカーの磁極切り替え装置をインバータスイッチに変える事が出来無い理由として、インバータスイッチの磁極切り替えスピードが遅い為に成る。
確かに、先特許提出主義では、リレー装置使用のレールモーターに対して、通常鉄磁石構造の通常コイル巻きのリニアモーターの通常インバータでは、構造が、リレースイッチの代わりにインバータスイッチに変える事で、先発明と異なる先提出主義のリニアモーターとして、特許権は得る事が出来るとしても、商品価値の無いモータースピードの遅い電気モーターにしか成らない事実としては、世界特許権のインバータスイッチは、リレースイッチより、磁極切り替えが早く成るが、同一デザイン構造のレールモーターと企業名のリニアモーターのモーター回転速度は、企業名のリニアモーター依り、本考案者及び本著作権のレールモーターの方が、圧電素子磁石体を使用したモーター磁石の為、本考案者及び本著作権のレールモーターの方が、モーター回転スピードが速く成り、電気消費を少なく出来た２００１年の他の特許権切れ技術を組み合わせた応用特許は、本考案者及び本著作権のレールモーターの方が、圧電素子磁石体を使用したモーター磁石の方が、電気消費を少なく擦る圧電素子磁石体応用モーターの電気消費を少なく擦る技術として、本考案者及び本著作権勝利に成り、企業名の鉄磁石リニアモーターに対して電気消費を少なくして、モーター回転スピードを速く擦る技術では、本考案者及び本著作権者の高出力銅筒管コイル技術と高出力インバータ磁極切り替えスイッチの勝利に成り、リレー装置を使用した場合は、本考案者及び本著作権の特許文書の著作権特許技術の盗作に成り、特許請求が無くても、著作権盗作に成り、レールモーターは、本来ならば、リレースイッチを使ったモーター技術に成るが、電気自動車の電気モーターの電気モーターブレーキに対しては、インバータ磁極切り替えが適切の為、インバータスイッチとリレースイッチのＷスイッチが必然的に特許文章に明記される事に成り、他社に無い、圧電素子磁石体使用とリレースイッチ使用のレールモーターに対して、企業名のリニアモーターの同一デザインのモーターの世界販売競争は、不正競争防止法とモーターの盗作とモーターの技術介入の企業損益に対して、企業名のリニアモーターとは、全てが異なるモーターにして、更に、全世界特許権モーターに逆に企業名のリニアモーターを突き放す技術公開の最初の高出力インバータスイッチの図説説明に成る。
この時点では、特許権料金が安く成るが、他社では、真似の出来ないモーター技術説明に成る先考案と先発明に対しての、技術公開説明に対して、北海道知事の著作権考案技術の北海道知事の郵便物受理書説明に成る。
此処まで、モーター構造を変え続けた２００１年から２０１６年の１５年間に成り、特許権なら残る５年間及び実用新案では残る５年間、一切商品を作らないで、モーターの構造を変え続けて１５年に成る。
然しながら、本考案のコイル無モーターとしては、最終的なモーターのデザイン及び構造及びモーター構造部品を全て、従来技術から変えた世界特許権を得る事の出来るモーターまで、連続した１５年のモーター構造の改良年数に伴って、漸く完成近くの９５パーセント完成品の高出力六角形状圧電素子連結発電回路型コイル無ライトレールモーターに成る。
残る、低温軽水素トリチウム電子ガスの劣化に対して、半永久交換無の軽水素トリチウム電子ガス劣化減少消滅無の低温軽水素トリチウム電子ガス入りの高出力六角形状圧電素子連結発電回路型コイル無ライトレールモーターの商品販売が近い事と、実用新案登録料金を２０年全て支払う時が来たのが実感して入る２０１６年４月１１日ＡＭ８時４９分に成る。
【００８９】
第２０の課題解決手段は、図１７の発電三重発光ライトの通常ライト及び発光ＬＥＤライトのライト構造を変えた説明に成る。
従来のアルゴン気化ガス発光ライトに対して、アルゴンガスの熱劣化減少を少なく擦る技術に対して、燃えづらいグラスファィバーシートパネルにアルゴンガスとアルゴンガスの熱劣化を抑える為の窒素ガスと超微量フロンガスを入れたアルゴンガス発光グラスファィバーシートパネルは、超微量フロンガスに依って、弱冠冷える窒素ガス入りのアルゴンガス発光グラスファィバーシートパネルに対して、電気抵抗ゼロ電気の圧電素子４電子磁気分割装置を使った電気抵抗ゼロ電気配線を、弱冠冷える窒素ガス入りのアルゴンガス発光グラスファィバーシートパネルの左右若しくは、上下もしくは、交差対面位置にプラス配線とマイナス配線を取り付けた弱冠冷える窒素ガス入りのアルゴンガス発光グラスファィバーシートパネルライト構造若しくは、弱冠冷える窒素ガス入りのアルゴンガス発光グラスファィバーシートパネルを二枚にした間に、
窒素ガスと超微量フロンガスとアルゴンガスと軽水素トリチウム電子ガス入りのグラスファィバー網配線に擦る事で、電気点灯時間を、仮にマイクロ０、００１秒程のライト点灯時間を短縮出来る技術が有るが、レアーアースグラスフアイバー電気配線及びアルミニウム鉛銅合金電気配線は、短い電気抵抗ゼロ電気放電配線及びスクリュー電気配線を超微量フロンガスと窒素ガス入りのグラスファィバー溶液カバーに依って、冷やした電気抵抗ゼロ電気放電装置及びアルミニウム鉛銅合金電気スクリュー配線を銅二重管に対して窒素ガスと超微量フロンガス入りのプラス電気抵抗ゼロ電気を冷やす部分とマイナス電気抵抗ゼロ電気を冷やす部分の構造装置が必要に成る。
更に、ライトの光発光に対して、低温説明を擦る際に於いて、アルゴンガス発光は、弱冠熱が発生擦る為、最終的には、熱劣化して、ライトの玉切れに至るのが事実に成る。
これに対して、フッ化カルシウムは、電気を通すと直ぐに超微量電子ガスが燃えて消滅擦る為、今まで電気ライトの玉として、使用去れなかった事実に成る。
然しながら、フッ化カルシウムに水素ガス及び軽水素トリチウム電子ガスを入れた密封ライトでは、水素と軽水素トリチウム電子ガスの低温維持の場合は、燃焼しないで発光し続けるのが事実に成る。
更に、フッ化カルシウムとアルゴンガスを合成させた物質をグラスフアイバーに混合合成指せたシートパネルに電気を通すと電気消費量は少なく成る。
此の場合は、アルゴンガス発光に伴って、フッ化カルシウムが発光擦る為に、低電気消費に成る為に新技術ライト技術に成る。
従って、アルゴンガス発光に対して、少ない電気消費に擦る為に、電気熱を少なく擦る技術に対して、プラス電気抵抗ゼロ電気とマイナス電気抵抗ゼロ電気を使用擦る事に依って、ライト発光熱を抑える為の圧電素子４電子磁気分割装置のプラス圧電素子４電子磁気分割装置とマイナス圧電素子４電子磁気分割装置を使って、熱抵抗電気の処理を、予め行い、少ない電気でアルゴンガス自体を発光させる為には、アルゴンガスの量を減らし、減らした分だけ、フッ化カルシウム発光に依って、アルゴンガス発光を補う技術に成り、フッ化カルシウム発光に絶対必要視去れる軽水素トリチウム電子ガスをアルゴンガスとフッ化カルシウム混合体に入れると同時に、アルゴンガスの発光熱を抑える為の、超微量フロンガスと窒素ガスをアルゴンガスとフッ化カルシウム混合体に入れた撹拌物質ガスをグラスファィバー溶液で弱熱撹拌して、シート状及びパネル状にしたライトパネルにライト配線を取り付けたライトパネルで有る。
此の場合は、超微量フロンガスと軽水素と窒素ガスとアルゴンガスとフッ化カルシウムを混合合成した物質を、軽量圧電素子の素材のプラスチックガラス粒子とチタン酸バリウム溶液内に超微量フロンガスと軽水素と窒素ガスとアルゴンガスとフッ化カルシウムを混合合成した物質を入れる事で、高出力六角形状圧電素子連結型発電回路のプラス高出力六角形状圧電素子連結型発電回路とマイナス高出力六角形状圧電素子連結型発電回路のプラス磁力線部分とマイナス磁力線部分の超微量フロンガスと軽水素と窒素ガスとアルゴンガスとフッ化カルシウム入りのグラスファィバー部分に対して、プラス磁力線とマイナス磁力線電気発光
に成る事に依って、余分な電気熱発光を避けて、余った電気を回収して、再び圧電素子４電子磁気分割装置を使ってスピードスクリュー電気循環する事に依って、電気スピードは、電気増幅発電に使用して、熱抵抗電気を極力発生指せない超微量フロンガスと軽水素と窒素ガスとアルゴンガスとフッ化カルシウム圧電素子磁力線発光技術として、アルゴンガス発光とフッ化カルシウム発光と軽水素トリチウム電子グラスファィバー発光の三種類の発光源を基に考えたライトに成り、４重発光として、リン物質が有り、ライト温度を更に下げる必要が有りそうで有る為に超微量窒素ヘリウムプラスチック粒子材に対して、軽水素と窒素ガスとアルゴンガスとフッ化カルシウムとリンを混合合成したガスをプラスチック撹拌合成した粒子を超微量フロンガスと軽水素と窒素ガスとアルゴンガスとフッ化カルシウム入りのグラスファィバー溶液内に入れた発光素子粒子と発光ガスを軽量圧電素子磁石体の軽量プラスチックガラス微粒子とチタン酸バリウム溶液内に入れた発光混合合成微粒子と発光合成ガスに依って、プラス磁力線とマイナス磁力線のイオン電子誘発発光ライトシステムを行う技術説明に成る。
最終的に、高出力発電回路のイオン電気打撃発電と三種類の発光物質を使う事で、アルゴンガス発光電気量を減らす技術と球切れ防止効果のグラスファィバーパネルライト技術に成り、電気の球を付けないで、テレビの明かりで、食事を済ませた時代が有って、こそのライトデザイン構造説明に成る。
【００９０】
第２１の課題解決手段は、図１８は図１７の発電三重発光ライトの通常ライト及び発光ＬＥＤライトのライト構造を変えた説明図の著作権の発電三重発光ライトの考案日を特定擦る為に、北海道知事に図１７の部分図面を記した図面写しをハガキに貼って北海道知事宛てに郵便送付した証拠図に成り、今後、北海道知事の郵便物受理書と共に公開される事に依って、技術発明及び考案日の特定を、北海道知事の郵便物受理書で証明擦る事に成る為に、発明日及び考案日の特定即ち特に、同一作品の同日公開作品に対して、特許権の優先権主張を争う時に証拠公開と去れる技術考案日と技術発明日の特定証拠日の証拠物件の公開に成る。
【００９１】
第２２の課題解決手段は、図１９は高出力六角形状圧電素子連結型発電回路内カバー付内コイルモーターの取り付け構造説明に成り、登録実用新案第３１６８０４３号高出力発電７連結以上モーターに記載去れて入る高出力四角形状連結型発電回路の改良型に成り、高出力圧電素子磁石体の圧電効果を最大限に生かす構造として、四角形状高出力圧電素子磁石体から六角形状高出力圧電素子磁石体構造に変えた最新型の発電回路の連結型装置を内コイルカバーに内蔵させた少電気消費型の内コイルモーターに成り、軽水素トリチウム電子ガスタンク積載モーター等の技術も有る。
【００９２】
第２３の課題解決手段は、図２０は圧電素子圧電発電増幅可能な水素イオン入り圧電素子を考案から軽水素入りの六角形状圧電素子磁石体の連結型発電回路を考案した特許の考え方を検討するまでの経緯を説明した図で有り、因みに圧電素子圧電発電増幅可能な水素イオン入り圧電素子を考案は、２００２年８月上旬の考案日に成り、技術考案特定日を確定擦る北海道知事郵便物受理書の証拠図公開物件として、特開２０１２―１２０４４０号の国の全額借金返済と都道府県市町村区の全額借金返済の為の多機能電気自動車著作権原本と特開２０１３―２４２８８２号の国会議員が必ず読んで借金返済対策を決めなければ成らない国と都道府県市町村区の全額借金返済の為の著作権５０００図未満の公開文書図と著作権編集機著作権原本。（企業と国及び都道府県市町村が特許権で無い企業の特許提出によって著作権編集機著作権原本商品を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の新技術の著作権物技術に公開して有った圧電素子の圧電効果電気と水素イオンの莫大なエネルギーを組み合わせた簡単な圧電素子イオン磁石体説明に始まり、軽水素入りの六角形状圧電素子磁石体の連結型発電回路の圧電効果を最大源に生かす技術説明に成る。
発電回路の原点は、２００２年８月に成るが、実際の商品に応用擦る事を考え出すのが、特開２０１２―０５６５５８号のパワーアップハイブリッド車に記載去れて要る発電回路の連結タイプに成り、此の頃は、高出力ソーラーパネル即ち軽水素圧電素子磁石体粒子入り炭素シリコンソーラーパネルまたは、軽水素圧電素子磁石体粒子入りシリコンソーラーパネル技術のシリコン電子増幅技術説明とダイナモ内に内蔵された圧電素子磁石体構造説明は、何れも圧電素子磁石体を使った電気増幅技術に成り、特開２００６―２５４６９７号の全レールモーター制御無害無給油発電機を使用した電気自動車に記載した圧電素子磁石体を使った電気増幅技術で有り、特許提出に対して、本考案既に特許公開に成って居る高出力六角形状圧電素子連結発電回路型コイル無レールモーターの特許公開２０１５―１６７４７０号国の全額借金返済と都道府県市町村区の全額借金返済後に対して自給自足型の農業及び漁業及び林業及び中小企業が世界トップの日本円銀行団体と世界最高銀行団体と成る為の完全自給自足物流システムに対しての知的所有財産を使った財団経営の未来的農業漁業林業一体型中小企業体システムでは、高出力六角形状圧電素子連結発電回路型コイル無レールモーターを既に公開して有るが、世界特許権の付録として、本考案の実用新案として、改めて技術公開擦る事に成る。
従って、特開２００６―２５４６９７号の全レールモーター制御無害無給油発電機を使用した電気自動車に記載した圧電素子磁石体を使った電気増幅技術で既に明白な圧電素子磁石体の電気圧電効果技術と軽水素トリチウム電子ガス入りの炭素シリコン技術に依るシリコン内の軽水素トリチウム電子注入技術に依る電気増幅発電技術説明に成り、これら技術を収束したのが、特開２０１２―０５６５５８号のパワーアップハイブリッド車に成り、本来ならば、２００６年若しくは２００７年に公開しなければ、成らなかったのだが、特許庁に発明の提出の見届け証拠人と成って戴きたいと提言したが、断られた証拠物件図が、現在も、公開に成って居る。
此の当時は、燃料電池発電機に対応した特開２００３―３２８９２５号の真空装置と機械式発電機を使った水だけの発電機の液体マグネシウムと固形水素つまり、水素と酸素の発電固形物質枡枠に、複数の針穴を開けた枡内に液体マグネシウムを内蔵させた水素と酸素の融合体の瞬間吸収発電物質に成るが、誰に言わしても、二つの海外特許権を二つ共使用擦る事に依って、循環発電機が成立した物件で有るが、契約が企業では、断るのが当然な技術としては、燃料電池は水素タンク水素注入式に対して、本発明及び本考案の、登録実用新案第３１４５９６３号省エネルギー水気化水発電機（別名水発電機。）に記載去れて要る循環式発電機の為、企業側では、特許権料金と実用新案登録権の何れかを支払う事に成る為、企業収入が、減る事実だと言える。
更に、特開２０１２―０９９５０６号の燃料電池発電機と総合発電量の競争を含めた国の全額借金返済と都道府県市町村区の全額借金返済の為の知的所有財産の五種類の半永久発電装置を内蔵積載した軽水素入りの水循環発電型の燃料電池発電機著作権原本（別名高出力水発電機。）。では、液体マグネシウムと複数針穴構造の固形水素又は、複数針穴構造の炭素マグネシウム技術は、海外特許権に少しだけの著作権技術考案の複数針穴構造の炭素マグネシウム技術と液体マグネシウムの二層技術だけでは、世界特許権に乏しい為、新たな別の熱瞬間吸収発電パネルとして、炭素圧電素子水銀シリコン熱瞬間吸収発電パネルを新たに軽水素酸素水発電機として、五種類の発電システムを積載指せた発電機に対して世界特許権を取得出来る新技術組合せ位置まで近付ける事が出来たのも事実だが、レールモーターそして、企業名のリニアモーターは、同一デザインで有りながら、構造は、全ての構造物質使用に於いて異なる物件に成り、特開２０１２―０９９５０６号の燃料電池発電機と総合発電量の競争を含めた国の全額借金返済と都道府県市町村区の全額借金返済の為の知的所有財産の五種類の半永久発電装置を内蔵積載した軽水素入りの水循環発電型の燃料電池発電機著作権原本（別名高出力水発電機。）に対しては、高出力レールモーターを使用して居たが、本考案の、高出力六角形状圧電素子連結発電回路型コイル無ライトレールモーターの発明そして、考案とは、全世界に新しく生まれ変わった特許権に成り得る実用新案こそが、１５年を経て、漸く現在の形に成り、電気消費も、企業側説明のリニアモーター依り、遥かに電気消費を少なくしたのが、本考案の高出力六角形状圧電素子連結発電回路型コイル無ライトレールモーターに成り、特開２０１２―０９９５０６号の燃料電池発電機の総合発電量の燃料電池との総合発電量競争に対して、更に引き離す事の出来る技術説明が、特開２０１２―０９９５０６号の燃料電池発電機に成る。
従って、本考案の高出力六角形状圧電素子連結発電回路型コイル無ライトレールモーターの技術に依って、循環発電機のシステム使用電気量が間違いなく減る為に、登録実用新案第３１４５９６３号省エネルギー水気化水発電機（別名水発電機。）は、新しいモーター技術を得て、再び生き返る著作権原本の実用新案登録作品に成り、盗作は犯罪行為に成る。
だとすれば、どの様な発電機技術が、特許の介入に成らないのかの説明に成り、特開２００６―２５４６９７号の全レールモーター制御無害無給油発電機を使用した電気自動車では、沸騰水発電機の循環型発電機の電気の発電元として、高出力軽水素炭素シリコン発電パネルの電源に対して、特開２００４―３０４９９２号公報の圧電素子３電子磁気分割装置の電気から熱抵抗電気を減らして電気を長持ちさせて、電気製品に無理をかけない電気装置の有り方（別名圧電素子４電子磁気分割装置。）。を使った急速充電装置即ち、通常電気中の熱電気を、常温で取り除く技術は、全世界に例の無い技術で有ったと言える。
従って、特開２００６―２５４６９７号の全レールモーター制御無害無給油発電機の心臓部の一つとして、急速充電技術として、バッテリーの急速充電技術が、最初に絶対必要視去れる技術として、沸騰水のシリンダーピストンのモーター制御技術に依って、今まで、不可能に去れて来た沸騰水の蒸気発電機そして、過去の蒸気機関車の力強さと莫大な沸騰水エネルギーで有ったのを、電気熱を使って軽水素水つまり、通常の水依り、電気熱沸騰水温度が、１００度以下即ち、８０度位の電気熱温度で沸騰擦る軽水素酸素水発電機は、重水素を使わない循環型の沸騰水発電機で有った。
然しながら、特開２０１２―０９９５０６号の燃料電池発電機と総合発電量の競争を含めた国の全額借金返済と都道府県市町村区の全額借金返済の為の知的所有財産の五種類の半永久発電装置を内蔵積載した軽水素入りの水循環発電型の燃料電池発電機著作権原本（別名高出力水発電機。）では、高出力六角形状圧電素子連結発電回路型コイル無ライトレールモーター使用に依って、生まれ変わり、特開２００６―２５４６９７号の全レールモーター制御無害無給油発電機を使用した電気自動車では、本考案の高出力六角形状圧電素子連結発電回路型コイル無ライトレールモーターに依って、生まれ変わる事に成り、益々、エネルギー増幅循環発電機技術は、世界の最終エネルギーの完成度の高い循環発電機に近づく事に成る。
従って、発電回路は、特開２０１２―０５６５５８号のパワーアップハイブリッド車に明記去れた技術だが、ハイブリットとは、エンジンと他の駆動装置及びエネルギー機関との組み合わせ技術説明に成り、本考案の高出力六角形状圧電素子連結発電回路型コイル無ライトレールモーターを使ったパアーアップハイブリット車では、更に、電気使用量を少なく出来る為、残る石油資源とガス資源を含めた資源本来のエネルギー素材の有り方として、菜種油発電機とは、熱発電の三重ニクロムと菜種油を沸騰指せた熱に対して、軽水素酸素水を使ったスクリュー配管型の循環発電機は、特開２００６―２５４６９７号の全レールモーター制御無害無給油発電機依り、熱発生は、同じでも、冷めづらい利点の有る軽水素酸水の中温沸騰循環発電機に成り、ピストンを使わないで、循環型のスクリュー管と高出力電動モーター仕切り弁を使った圧縮気化ガス全自動熱制御型発電機に成り、火力発電所の小型発電機タイプに成る。
此の場合は、スクリュー配管は、三重構造スクリュー管から四重構造スクリュー配管に成り、新たに別に書く事に成るのが、電気熱菜種油力沸騰型軽水素酸素水発電所及び発電機を新たに後で、書く事に成る。
即ち、発電機が、依り安く作れて、資源の枯渇に困らない発電機が必要視去れる為、通常電気を高出力軽水素入りの圧電素子磁石体を使った発電装置の高出力発電回路は、急速充電そして、完成度の高い充電池とバッテリーに出会って無い事実として、リチウム充電池及びリチウムバッテリーは、軈て資源の枯渇の時を迎える事に成る為、交換不要のバッテリーそして、急速充電システムを略死中にした現在としては、高圧縮固形軽水素を使ったイオン磁気波発電装置は、高出力六角形状圧電素子連結発電回路型コイル無ライトレールモーターの改良型と言える存在に成り、用途外使用の新たな発想に取り掛かる日も近いと言える。
【００９３】
第２４の課題解決手段は、図２１の二重発光ライト高出力六角形状圧電素子連結型コイル無レールモーターＴ装置は、高出力アルゴンガス入りグラスファィバーパネル軽水素フッ化カルシウム光吸収発電ライト二重構造パネル装置Ｔに成り、グラスファィバーパネル内にアルゴンガスと軽水素トリチウム電子ガス入りのフッ化カルシウムを混合合成したグラスファィバーライトパネルに成り、高出力アルゴンガス入りグラスファィバーパネル軽水素フッ化カルシウム光吸収発電ライト二重構造パネル装置Ｔに成り、高出力六角形状圧電素子連結型コイル無レールモーター部分Ｔに対しては、インバータ集合配線システム装置Ｔと圧電素子４電子磁気分割装置Ｔに依って、電気抵抗ゼロ電気を高出力六角形状圧電素子連結型コイル無レールモーターＴ装置の高出力六角形状圧電素子パネル部分に電気供給して、連続回転指せるモーターシステムで有り、高出力発光ＬＥＤ依り、更に電気消費を少なく指せた二重発光ライトのグラスファィバーパネル内にアルゴンガスと軽水素トリチウム電子ガス入りのフッ化カルシウムを混合合成したグラスファィバーライトパネルに成る。
【００９４】
第２５の課題解決手段は、図２２の高出力ＣＭＯＳインバータモーター回路スイッチの説明に成り、通常のＣＭＯＳインバータモーター回路スイッチ依り、磁極切り替えスイッチスピードが数段速いのが、高出力ＣＭＯＳインバータモーター回路スイッチに成り、構造として圧電素子４電子磁気分割装置に依って、電気抵抗ゼロ電気を使った高出力ＣＭＯＳインバータモーター回路スイッチに成り、高出力Ｎ型シリコン基板Ｂに対して高出力Ｐ型シリコン基板Ｂが有り、高出力Ｎ型シリコンＢドレイン（Ｄ）に対して高出力Ｎ型シリコンＢソース（Ｓ）が有り、高出力Ｐ型シリコンＢドレイン（Ｄ）に対して高出力Ｐ型シリコンＢソース（Ｓ）が有り、其々ゲートが取り付き、高出力Ｐ型シリコンＢソース（Ｓ）に対して、ＶＤＤが取り付き高出力Ｎ型シリコンＢソース（Ｓ）に対して、ＶＳＳが取り付き、圧電素子４電子磁気分割装置を使った電気抵抗ゼロ電気配線の入力と出力に依って、高出力ＣＭＯＳインバータモーター回路スイッチが作動擦る構造に成る。
【００９５】
第２６の課題解決手段は、図２３の高出力ＣＭＯＳインバータモーター磁気回路スイッチの説明に成り、通常のＣＭＯＳインバータモーター回路スイッチ依り、磁極切り替えスイッチスピードが数段速いのが、高出力ＣＭＯＳインバータモーター磁気回路スイッチに成り、構造として圧電素子４電子磁気分割装置に依って、電気抵抗ゼロ電気を使った高出力ＣＭＯＳインバータモーター磁気回路スイッチに成り、高出力Ｎ型圧電素子粒子入りシリコン基板Ｂに対して高出力Ｐ型圧電素子粒子入りシリコン基板Ｂが有り、高出力Ｎ型圧電素子粒子入りシリコンＢドレイン（Ｄ）に対して高出力Ｎ型圧電素子粒子入りシリコンＢソース（Ｓ）が有り、高出力Ｐ型圧電素子粒子入りシリコンＢドレイン（Ｄ）に対して高出力Ｐ型圧電素子粒子入りシリコンＢソース（Ｓ）が有り、其々ゲートが取り付き、高出力Ｐ型圧電素子粒子入りシリコンＢソース（Ｓ）に対して、ＶＤＤが取り付き高出力Ｎ型圧電素子粒子入りシリコンＢソース（Ｓ）に対して、ＶＳＳが取り付き、圧電素子４電子磁気分割装置を使った電気抵抗ゼロ電気配線の入力と出力に依って、高出力ＣＭＯＳインバータモーター磁気回路スイッチが作動擦る構造に成る。
【００９６】
第２７の課題解決手段は、図２４の旧レールモーター参考改良図Ａは、内蔵歯車に対してモーター軸が有り、連動歯車によって電気電子放電管及びインバータ装置型の二つの大小の回転体を使ったレールモーターの旧レールモーター参考改良図Ａに成る。
次に、旧参考作品改良図Ｂは、高出力六角形状圧電素子連結発電回路体付の八方軽水素イオン電子プラスマイナス放電管装置とマイナス軽水素イオン発生装置とプラス軽水素イオン発生装置に依って回転作動指せるモーターに成り、モーター形状は、他社とは異なるモーター装置に成る。
更に、軽水素イオン作動発電モーターに対しての高出力六角形状圧電素子連結型発電回路（一、二、三、四、五、六、七、八、九、十、十一、十二、十三、十四、十五、十六、十七、十八、十九、二十、）装置を使った高出力六角形状圧電素子連結発電回路型コイル無ライトレールモーターは、竹灰入りプラスチックグラスファィバー絶縁体に対して、軽水素イオン電子通過リング複数穴装置に依って、圧電素子圧電磁力線イオン電子素子移動が可能なモーター軸に介して、複数の高出力六角形状圧電素子連結型発電回路の、（一、二、三、四、五、六、七、八、九そして、十、十一、十二、十三、十四、十五、十六、十七、十八、十九、二十、）の装置に成る。
そして、本考案の高出力六角形状圧電素子連結発電回路型コイル無ライトレールモーターに対して説明擦る為の、軽水素イオン作動発電モーターは、高出力インバータ装置の（Ａ,Ｂ,Ｃ,Ｄ,Ｅ,Ｆ,Ｇ,Ｈ,Ｉ,Ｊ,Ｋ,Ｌ,Ｍ,Ｎ,Ｏ,Ｐ,Ｑ,Ｒ,Ｓ,Ｔ,）で有り、軽量竹灰入り陶器絶縁体リレー装置のＷ磁極切り替え装置を使った高出力六角形状圧電素子連結発電回路型コイル無ライトレールモーターに成る。
本考案の、特徴の一つに成る。
【００９７】
第２８の課題解決手段は、図２５の本考案の高出力六角形状圧電素子連結発電回路型コイル無ライトレールモーターは、高出力軽水素入りダイオードシリコンインバータ装置と軽量竹灰入り陶器素子リレー装置を使った自動車レールモーターのモーターブレーキとして、磁極磁石接合モーター作動を可能に出来る高出力軽水素入りダイオードシリコンインバータ装置と超高速回転を可能に擦る軽量竹灰入り陶器素子リレー装置を使った本考案の高出力六角形状圧電素子連結発電回路型コイル無ライトレールモーターに成る。
【００９８】
第２９の課題解決手段は、図２６の半圧縮ガラスを使った高出力六角形状圧電素子連結発電回路付の三重発光ライトパネルは、アルゴンガス入りグラスファイバーシートパネルライトＢと軽水素入りフッ化カルシウム入りグラスファイバーパネルライトとネオンガス入りチタン酸バリウムシリコン入り発電回路補助スペース付白色高出力プラス発電回路とネオンガス入りチタン酸バリウムシリコン入り発電回路補助スペース付白色高出力マイナス発電回路と竹灰入り窒素ガス内蔵プラスチック粒子入り竹灰入りグラスファイバーカバー装置とプラス圧電素子磁気４分割装置Ｃとマイナス圧電素子磁気４分割装置Ｃを取り付けた高出力六角形状圧電素子連結発電回路付の三重発光ライトパネルに成り、ライトアルミニウムリングプレートカバーと蝶番と吊紐金具に対して電気配線を取り付けたライトに成り、通常アルゴンガス入りグラスファイバーシートパネルライトに対して、アルゴンガス入りグラスファイバーシートパネルライトの光瞬間吸収発光出来る軽水素トリチウム電子ガス入りの軽水素入りフッ化カルシウム入りグラスファイバーパネルで、発光反射ライト構造に対して、ネオンガス入りチタン酸バリウムシリコン入り発電回路補助スペース付白色高出力プラス発電回路とネオンガス入りチタン酸バリウムシリコン入り発電回路補助スペース付白色高出力マイナス発電回路形式の三重発光を可能にした高出力六角形状圧電素子連結発電回路付の三重発光ライトパネル装置に成る。
【００９９】
第３０の課題解決手段は、図２７の二重構造絶縁体リレー装置は、竹灰入り石英粒子入りガラス絶縁体枠Ａと竹灰入りグラスファィバー溶液シートと竹灰入り石英粒子入りガラス絶縁体枠Ｂとリレー回路装置を使った二重構造絶縁体リレー装置に成り、通常リレー装置依り、速いリレー回転出来る本考案の高出力六角形状圧電素子連結発電回路型コイル無ライトレールモーターの二重構造絶縁体リレー装置に成る。
【０１００】
第３１の課題解決手段は、図２８の未来の発電を行える超高速リニア発電回路モーターカーの電磁石構造は、世界的に例の無いと循環型軽水素タンクと軽水素入りチタン酸バリウムシリコンガス管→窒素冷却軽水素管と高出力イオン磁力線送電型発電回路装置を使った超高速リニア発電回路モーターカーの電磁石構造に成り、高出力六角形状圧電素子連結発電回路型コイル無レールモーター構造の超高速リニア発電回路モーターカーに成る。
【０１０１】
第３２の課題解決手段は、図２９の、二重構造絶縁体リレー装置に対して、竹灰入り石英粒子入りガラス絶縁体枠Ａと竹灰入りグラスファィバー溶液シートと竹灰入り石英粒子入りガラス絶縁体枠Ｂとモーター本体配線部分を取り付けた二重構造絶縁体リレー装置に成る。
【０１０２】
第３３の課題解決手段は、図３０の、超高速リニア発電回路モーターカーは軽水素イオン管入り浮上用高出力六角形状圧電素子連結発電回路型電磁石と軽水素イオン管入り推進用高出力六角形状圧電素子連結発電回路型電磁石と高出力銅筒管コイル配線Ｅと三重連結構造高出力圧電素子合成電磁石と水路構造の超高速リニア発電回路モーターカーに成り、電気消費使用を抑える為の、軽水素イオン管入り浮上用高出力六角形状圧電素子連結発電回路型電磁石と軽水素イオン管入り推進用高出力六角形状圧電素子連結発電回路型電磁石を使った軽水素イオン磁力線移動発電回路をメインとした高出力六角形状圧電素子連結発電回路型コイル無レールモーター形状に対して、軽水素トリチウム電子タンクを利用積載した超高速リニア発電回路モーターカーの参考図に成る。
【０１０３】
第３４の課題解決手段は、図３１の、高出力六角形状軽水素入り圧電素子磁石体連結発電回路イオン電磁圧電発電型コイル無電池無補助モーター自転車は足踏み扱ぎ装置と高出力六角形状圧電素子連結型発電回路Ｅ と前輪高出力電磁誘導圧電素子連結六角形状発電装置と後輪高出力電磁誘導圧電素子連結六角形状発電装置と第一補助高出力電磁誘導圧電素子連結六角形状発電装置と第二補助高出力電磁誘導圧電素子連結六角形状発電装置とボルトＥとカバーＥとボルト止め装置Ｅとカバー止め突起装置Ｅ構造の高出力六角形状軽水素入り圧電素子磁石体連結発電回路イオン電磁圧電発電型コイル無電池無補助モーター自転車の参考図に成る。
【０１０４】
第３５の課題解決手段は、図３２の、大気イオン磁力線気化熱風発生型太陽光熱イオンエネルギー発電始動回転型連結圧電素子発電回路風力フォース発電装置システムは、軽量風受け羽根装置と高出力六角形状圧電素子連結発電回路型シート内蔵型軽水素圧電素子粒子入りシリコンダイオード熱光瞬間吸収ソーラーパネルと風車軸に対して、二枚風車と風返し羽根装置とイオン電磁波送信口とイオン電磁波受信口と雨貯水タンクＥとイオン蒸気放出口と高出力軽水素イオン磁気電磁誘導発電装置を使った大気イオン磁力線気化熱風発生型太陽光熱イオンエネルギー発電始動回転型連結圧電素子発電回路風力フォース発電装置システムに成り、本考案の高出力六角形状圧電素子連結発電回路型コイル無ライトレールモーターの高出力六角形状圧電素子連結発電回路を使った発電システムの参考図に成る。
【０１０５】
第３６の課題解決手段は、図３３と図３４は、図３０の著作権特許考案に対しての、北海道知事宛てに提出した日本の弱者一人一人の財団が作る地下リニアモーターカーの本考案参考図の二つに切った図をハガキに貼りつけて、北海道知事宛てに送付した証拠の参考図に成る。
【０１０６】
第３７の課題解決手段は、図３５と図３６は、図３１の著作権特許考案に対しての、北海道知事宛てに提出した日本の弱者一人一人の財団が作る高出力六角形状軽水素入り圧電素子磁石体連結発電回路イオン電磁圧電発電型コイル無電池無補助モーター自転車に成り、本考案の、高出力六角形状圧電素子連結発電回路型コイル無ライトレールモーターを応用した高出力六角形状軽水素入り圧電素子磁石体連結発電回路イオン電磁圧電発電型コイル無電池無補助モーター自転車の本考案参考図の二つに切った図をハガキに貼りつけて、北海道知事宛てに送付した証拠の参考図に成る。
【０１０７】
第３８の課題解決手段は、図３７と図３８は、図３２の著作権特許考案に対しての、北海道知事宛てに提出した日本の弱者一人一人の財団が作る大気イオン磁力線気化熱風発生型太陽光熱イオンエネルギー発電始動回転型連結圧電素子発電回路風力フォース発電装置システム、本考案の、高出力六角形状圧電素子連結発電回路型コイル無ライトレールモーターを応用した大気イオン磁力線気化熱風発生型太陽光熱イオンエネルギー発電始動回転型連結圧電素子発電回路風力フォース発電装置システムの本考案参考図の二つに切った図をハガキに貼りつけて、北海道知事宛てに送付した証拠の参考図に成る。
【０１０８】
第３９の課題解決手段は、図３９のニューヒグマ世界観光船推進装置は、高出力電動仕切り弁内蔵型サイドバランサーモータースクリューと高出力六角形状３乗圧電素子連結型７連結以上コイル無レールモーターと防護用高出力電動仕切り弁カバーと軽量竹灰入りグラスファイバー錆防止パネル部分と第一鋼鉄板セラミックアルミニウム錆防止塗装板部分と竹灰入りゴム部分と第二鋼鉄板セラミックアルミニウム錆防止塗装板部分と絶縁竹灰入りゴムグラスファイバー部分と高出力六角形状圧電素子連結型発電回路パネルＦを積載したニューヒグマ世界観光船推進装置に成る本考案の高出力六角形状圧電素子連結発電回路型コイル無ライトレールモーターの高出力六角形状圧電素子連結発電回路を使った発電システムの参考図に成る。
【０１０９】
第４０の課題解決手段は、図４０と図４１は、図４０の著作権特許考案に対しての、北海道知事宛てに提出した日本の弱者一人一人の財団が作るニューヒグマ世界観光船に成り、本考案の、高出力六角形状圧電素子連結発電回路型コイル無ライトレールモーターを応用した高出力電動仕切り弁内蔵型サイドバランサーモータースクリューと高出力六角形状３乗圧電素子連結型７連結以上コイル無レールモーターと防護用高出力電動仕切り弁カバーと軽量竹灰入りグラスファイバー錆防止パネル部分と第一鋼鉄板セラミックアルミニウム錆防止塗装板部分と竹灰入りゴム部分と第二鋼鉄板セラミックアルミニウム錆防止塗装板部分を応用積載した本考案参考図の二つに切った図をハガキに貼りつけて、北海道知事宛てに送付した証拠のハガキに貼りつけた図４０と図４１の参考図に成る。
【０１１０】
第４１の課題解決手段は、図４２の新バージョン二層構造電気抵抗ゼロ回路配線は、本著作権考案の高出力六角形状圧電素子連結発電回路型コイル無ライトレールモーターの回路説明に成り、アルミニウム鉛ガラス粒子入り下側溝回路配線部分の回路基板に対して、軽水素ガス入り圧電素子粒子入りシリコンダイオード上層側回路配線部分に対して、二層回路配線溝部分構造が有り、もう一つの圧電構造回路配線溝部分に依って、電気抵抗ゼロ電気の回路配線説明の参考図に成る。
【０１１１】
第４２の課題解決手段は、図４３の全自動位置帰還型海上海底地図高認識目印Ｓ０Ｓビグ装置に対して、ソナー水中スクリューレーダー船位置再認識装置に対して、全自動前後左右記憶位置帰還型高出力六角形状圧電素子３乗３連コイル無レールモータースクリュー（中コイル連結軸電磁石スイッチ接合切り離しタイプ有）に依って、海上ビグ装置に対して、高出力熱瞬間発電夏季モデルソーラー海水温パネルに依って、
二重軽水素ガス入り発砲スチロール軽量圧電素子窒素エアー蓄電池グラスファイバーゴム浮輪は、発電を行える海上ビグ装置として成り立って入る装置に成り、弱ガンマ―放射線パネルカメラとリレー二重発光ライトと陸海空数値データー地図と山岳ヘリコプターＧＰＳ及び衛星ＧＰＳアンテナと全自動陸海上間全自動位置距離計測スクリュー無線波発信装置と９高出力プロペラモーター飛行機と高出力レールモーターＦを積載内蔵した全自動位置帰還型海上海底地図高認識目印Ｓ０Ｓビグ装置に成り、本考案の高出力六角形状圧電素子連結発電回路型コイル無ライトレールモーターの高出力六角形状圧電素子連結発電回路を使った発電システムの参考図に成る。
【０１１２】
第４３の課題解決手段は、図４４の高出力六角形状圧電素子連結発電回路の改良型と高出力六角形状圧電素子連結発電回路ソーラーパネル改良装置の説明に成り、超薄発電シートは、プラスチックシートに軽水素チタン酸バリウムプラスチック溶液と竹灰入りグラスファィバー高出力六角形状圧電素子粒子入り発電回路シートの参考図に成る。
これ等も、高出力六角形状圧電素子連結発電回路型コイル無ライトレールモーターの高出力六角形状圧電素子連結発電回路技術を応用した著作権同一技術使用作品の参考図に成る。
【０１１３】
第４４の課題解決手段は、図４５の新バージョン二層構造電気抵抗ゼロ回路配線は、本著作権考案の高出力六角形状圧電素子連結発電回路型コイル無ライトレールモーターの回路説明した本考案参考図の図をハガキに貼りつけて、北海道知事宛てに送付した証拠のハガキに貼りつけた図４５の参考図に成る。
【０１１４】
第４５の課題解決手段は、図４６の全自動位置帰還型海上海底地図高認識目印Ｓ０Ｓビグ装置図は、本著作権考案の高出力六角形状圧電素子連結発電回路型コイル無ライトレールモーターを使用した本考案参考図の図をハガキに貼りつけて、北海道知事宛てに送付した証拠のハガキに貼りつけた図４６の参考図に成る。
【０１１５】
第４６の課題解決手段は、図４７は、９高出力プロペラモーター飛行機に成り、本著作権考案の高出力六角形状圧電素子連結発電回路型レールモーターを使用した高出力レールモーターＦと高出力六角形状圧電素子連結半コイル無レールモーターと収納型走行装置４ヶ所と高出力レールモーター足走行装置と高出力六角形状軽量圧電素子連結型発電回路Ｆ構造の９高出力プロペラモーター飛行機に成り、本著作権考案の高出力六角形状軽量圧電素子連結発電回路を飛行機全体のカバー内に内蔵させた軽水素イオンの連続磁力線電気圧力発電装置は、世界初の発電技術だが、表かされない場所での使用技術に成り、日本電気企業の格好の無視し易い技術の為、無視されて作った場合は、弱者の個人資産公開の上での無視した相手側が勝手に作った商品に対して海外国で、作って販売した場合は、特許年数の２０年の１００倍つまり、全世界一年間販売最高販売数に対して、１００倍の金額を日本国税として支払って貰う事に成り、支払えない場合は、横領罪と詐欺罪の無期懲役刑に成るが、此の場合は、最高裁判官に無期懲役の年数を本考案の技術が、特許権もしくは、実用新案年数の２０年が切れた後も、著作権の特許権切れと著作権の実用新案権切れに成り、特許庁説明では、特許権と実用新案権の権利機関の利益を得た者だから、文部科学省の著作権の特許権切れと著作権の実用新案権切れに対して、特許庁は、管理して居ない為、商品を作る事が出来るとの説明として入るが、本来は、著作権の特許権切れの盗作横領罪と著作権の実用新案権切れ盗作横領罪に成る為、本来は、特許庁が相手説明する日本語説明で無い事実だが、現在、リニアモーターの電気商品に対して、同一作品を、作って販売仕手入る件に於いて、リニアモーターが日本の特許権が成立擦る事実に対して一社又は、個人の資産が、数千兆円から数京円の利益金額に成るだけだが、法人税２０パーセントに対して、リニアモーターの利益税金を支払わなくて済む日本のモーター電気企業説明として、日本の電気企業組合の相談の上で、其々企業がリニアモーターを使った製品販売を作って利益を得る事に対して、テレビ局及び新聞社及びラジオ関係の宣伝利益に対しても、リニアモーターの利益宣伝料金請求に対しても、リニアモーターの特許権番号のテレビ局及び新聞社及びラジオ関係の公開無との申し合わせの為の結果、テレビ局及び新聞社及びラジオ関係の特許権と実用新案権の番号明示無の販売宣伝を許可して入る状態の事実に成り、この状態を、無法状態と言う誰でも利益を上げる事が出来る説明としての脱税状態が続いて入る。
従って、これ以上の、レールモーターの同一リニアモーターカーの不正作品を作らさない為と、永遠に、同一リニアモーターカーのモーター不当利益に対して、即ち、独占禁止法を取り入れた利益取得を日本国が認めて入る状態に対して、弱者即ち、一生所得及び年間所得が、少ない者が、高額所得者利益と並んで、平等な個人資産に擦る為の、レールモーターそして、企業名のリニアモーターのデザイン優先権主張と異なる六角形状デザインとリニアモーターの通常インバータ技術と異なる高出力インバータリレー装置と付属の圧電素子４電子磁気分割装置内蔵のモーターが、本考案者の実用新案登録が成立した時点で、日本国の全電気企業では、今後は、一億年過ぎても、絶対に出来ない個人の財産権に成り、此の事が否定去れる時代が来た時、即ち、著作権切れを、死後５０年過ぎると誰でも、世界中の商品及び日本中の商品が誰でも作れる即ち、商品の盗作で無い事を、文部科学省の著作権法に書かれて入る事実に成る。
従って、特にテレビのブラウンカンテレビの特許権切れの死後５０年が近づくと、テレビ商品に死後５０年明記と国の宣伝機関は、テレビの特許権切れに対して、只のテレビと言う物の扱いに成る為に、海外販売等をしない時は、日本国内の所得の少ない者同士と海外国の技術を使った商品の販売が出来る説明に成り、現在の市販去れて入るテレビの十分の一以下の値段で作る又は、古いテレビの部品改造が出来るだけでなく、電気製品企業側の特にテレビのブラウンカンテレビの特許権切れの死後５０年を過ぎると、無法状態に成り、企業側では、商品を買って貰えない理由付に依って、法人税を下げて、最後に、法人税ゼロ円時代も、有りえる法律の書き方をした日本国の、文部科学省の著作権に対して、期限が存在し得る説明の大学の著作権法を、実際に書いて国会で認めさせて成立後は数十年経って入るが、此の、著作権法期限有の説明を、何故しなければ成らなかった理由説明に成る。
問題は、企業名のリニアモーターの名称自体が、リニアモーターカーの著作権盗作と言われ兼ねない技術に成り、内コイル式モーター及び内コイル依り、電気消費が、少なく其れに対して、リニアモーターは、偶々コイルが短い分電気消費を少なく出来たモーターに成り、本来は、著作権技術の優先権主張として、海外リニアモーターカー技術の盗作掲げない為に、リニアモーターカーの磁極切り替えは、リレー装置に対して、企業側のリニアモーターのインバータ磁極切り替え装置は、本考案著作権者は、絶対に作らない商品と断言出来る。
尚且つ、現在のリニアモーターカーと異なる技術に成り、海外リニアモーターカーの著作権者と本考案者との話合いに成る。
理由に、磁石を使ったと言う鉄磁石説明が、海外技術に対して、高出力圧電素子の軽水素タンク付の軽水素イオン磁気電子全自動供給型は、高出力圧電素子磁石体に軽水素入りとした登録実用新案第３１６８０４３号高出力発電７連結以上モーターに既に記載去れた著作権特許文章引用の実用新案文書文献で有った。
この様に、空くまでも、企業名のリニアモーターの全てのデザインと構造を変えなければ、商品化出来ない理由と言える作品の参考図に成る。
【０１１６】
第４７の課題解決手段は、図４８の９高出力プロペラモーター飛行機は、高出力レールモーターＦと高出力六角形状圧電素子連結半コイル無レールモーターを使った９高出力プロペラモーター飛行機に成り、本著作権考案の高出力六角形状軽量圧電素子連結発電回路を飛行機全体のカバー内に内蔵させた軽水素イオンの連続磁力線電気圧力発電装置は世界初の発電技術の参考図に成る。
【０１１７】
第４８の課題解決手段は、図４９の電動前デカタイヤ車は、デザインと構造を変える事に依って、高出力六角形状圧電素子連結発電回路型コイル無レールモーターは、モーター起動時に掛かる少電気量モーター使用とエアーチューブ部分は、三重エアーチューブとドアと半液体ゴムチューブクッション体とゴム部分と舗装面と荷物入れ場所構造の高出力六角形状圧電素子連結発電回路型コイル無ライトレールモーターの高出力六角形状圧電素子連結発電回路技術を応用した著作権のモーターデザイン構造の異なる技術使用作品の参考図に成る。
【０１１８】
第４９の課題解決手段は、図５０と図４９の著作権特許考案に対しての、北海道知事宛てに提出した日本の弱者一人一人の財団が作る図４９の電動前デカタイヤ車に成り、本考案参考図の二つに切った図をハガキに貼りつけて、北海道知事宛てに送付した証拠のハガキに貼りつけた図５０と図５１の参考図に成る。
【０１１９】
第５０の課題解決手段は、図５２の超高速電気観光船ヒグマ推進装置は、高出力電動仕切り弁窓装置と高出力サイドスクリューモーターと二重発光ライトカメラとスクリューソナー波発射装置とスクリュー低周波発射装置と高出力弱ガンマ放射線飛散防止パネルカメラと高出力六角形状圧電素子連結発電回路型レールモータースクリュー装置積載の高出力六角形状圧電素子連結発電回路技術を応用した著作権のモーターデザイン構造の異なる技術使用作品の参考図に成る。
【０１２０】
第５１の課題解決手段は、図５３の超高速電気観光船ヒグマ推進装置は、高出力超高速５連結×ギアスクリューモーターと高出力１５連結スクリューモーターと高出力サイドスクリューモーターと立体ニャン高出力ライトラインカメラ装置と立体ワン高出力ライトラインカメラ装置を積載内蔵した図５３の超高速電気観光船ヒグマ推進装置の参考図に成る。
【０１２１】
第５２の課題解決手段は、図５４の高出力リニアモーターロケットは、と高出力リニアモーターロケット補助推進用スクリューエアー高速装置と高出力リニアモーターサイド移動補助推進電磁石装置と高出力リニアモーター多層連結高出力電磁石装置を使った図５４の高出力リニアモーターロケットの高出力六角形状圧電素子連結発電回路技術を応用した著作権のモーターデザイン構造の異なる技術使用作品の参考図に成る。
【０１２２】
第５３の課題解決手段は、図５５の６プロペラ山岳ヘリコプター は複数カラー光ライン装置と複数電波キャッチ体と高出力六角形状圧電素子連結型発電回路Ｇと二重発光ライトカメラ装置と分離型貯蓄電池体と風止め突起羽根装置部分と位置固定全自動確認型ＧＰＳとアンテナ型太陽光熱瞬間吸収発電パネルの高出力六角形状圧電素子連結発電回路技術を応用した著作権のモーターデザイン構造の異なる技術使用作品の参考図に成る。
【０１２３】
第５４の課題解決手段は、図５６と図５７の図に対して、図５３の超高速電気観光船ヒグマ推進装置に対して、著作権特許考案に対しての、北海道知事宛てに提出した日本の弱者一人一人の財団が作る図５３の超高速電気観光船ヒグマ推進装置に成り、本考案参考図の二つに切った図をハガキに貼りつけて、北海道知事宛てに送付した証拠のハガキに貼りつけた図５６と図５７の参考図に成る。
【０１２４】
第５５の課題解決手段は、図５８と図５９の図に対して、図５３の超高速電気観光船ヒグマ推進装置に対して、著作権特許考案に対しての、北海道知事宛てに提出した日本の弱者一人一人の財団が作る図５３の超高速電気観光船ヒグマ推進装置に成り、本考案参考図の二つに切った図をハガキに貼りつけて、北海道知事宛てに送付した証拠のハガキに貼りつけた図５８と図５９の参考図に成る。
【０１２５】
第５６の課題解決手段は、図６０と図６１の図に対して、図５４の高出力リニアモーターロケットに対して、著作権特許考案に対しての、北海道知事宛てに提出した日本の弱者一人一人の財団が作る図５４の高出力リニアモーターロケットに成り、本考案参考図の二つに切った図をハガキに貼りつけて、北海道知事宛てに送付した証拠のハガキに貼りつけた図６０と図６１の参考図に成る。
【０１２６】
第５７の課題解決手段は、図６２の、高出力サイドスクリューモーターと立体ニャン高出力ライトラインカメラ装置と立体ワン高出力ライトラインカメラ装置と高出力リニアモーターロケットと高出力リニアモーターロケット補助推進用スクリューエアー高速装置と高出力リニアモーターサイド移動補助推進電磁石装置と高出力リニアモーター多層連結高出力電磁石装置と６プロペラ山岳ヘリコプター と複数カラー光ライン装置と複数電波キャッチ体と高出力六角形状圧電素子連結型発電回路Ｇと二重発光ライトカメラ装置と分離型貯蓄電池体と風止め突起羽根装置部分と位置固定全自動確認型ＧＰＳとアンテナ型太陽光熱瞬間吸収発電パネルとアルミニウム軽水素入りプラスチック発砲スチロール粒子入り補助充電池プラス転倒防止タンク装置とアルミニウム軽水素入りプラスチック発砲スチロール粒子入り補助充電池マイナス転倒防止タンク装置と軽水素イオンバリウムガスタンクと高出力イオン電磁誘導発電装置と高出力六角形状圧電素子連結型発電回路構造の異なる技術使用作品の超高速電気観光船ヒグマ観光船の参考図に成る。
【０１２７】
第５８の課題解決手段は、図６３の、新高出力六角形状圧電素子連結型発電回路の説明に成り、軽水素ガス入り圧電素子磁石体Ｈと連結部分Ｈと圧電素子粒子入り軽水素シリコン部分と軽水素入りシリコンマイクロシート０，００５部分と通常圧電素子Ｈと軽水素入りシリコンＨと窒素ガス入りシリコン粒子ラインＨ部分に依る新高出力六角形状圧電素子連結型発電回路に成り、特徴として、熱光瞬間吸収発電パネルに成る。
軽水素トリチウム電子ガス入りシリコン膜を数十枚内蔵させた新高出力六角形状圧電素子連結型発電回路と軽水素入りのチタン酸バリウムシリコン膜を数十枚入れた新高出力六角形状圧電素子連結型発電回路に成る。
【０１２８】
第５９の課題解決手段は、図６４は、図６２と図６３の図に対して、図６４と図６５の超高速電気観光船ヒグマ推進装置に対して、著作権特許考案に対しての、北海道知事宛てに提出した日本の弱者一人一人の財団が作る図５３の超高速電気観光船ヒグマ推進装置に成り、本考案参考図の二つに切った図をハガキに貼りつけて、北海道知事宛てに送付した証拠のハガキに貼りつけた図５８と図５９の参考図に成る。
【０１２９】
第６４の課題解決手段は、図６６の、小舟転倒防止装置Ｈに対して、と高出力六角形状圧電素子連結型発電回路Ｉとボルト止めＨとワイヤＨと水切り重りＨと舵Ｈとカバーボルト止め方式Ｈと竹灰入りプラスチックゴムＨとアルミニウム板Ｈと竹灰入り塩化プラスチックゴムリング入れカバー装置の高出力六角形状圧電素子連結発電回路技術を応用した著作権のモーターデザイン構造の異なる技術使用の小舟転倒防止装置Ｈ作品の参考図に成る。
【０１３０】
第６１の課題解決手段は、図６７の、中型船転倒防止装置Ｉと船底転倒防止重心移動固定装置と酸化銅入りプラスチックビニール芯入り十字網軽水素発光フッ化カルシウム入り配線入りロープと鉄球部分と竹灰入りビニールゴム部分と軽水素入り発砲スチロールと軽水素入り圧電素子磁石体粒子内蔵シリコンダイオード熱光瞬間吸収発電ボールとネジ型電気ジャック装置と網用浮→ビグ装置とリング止め方法と発泡スチロールと蓋装置と竹灰入りプラスチック部分構造の中型船転倒防止装置Ｉの重心を下に鉄球で擦る事で、船の横転を避けた構造の中型船転倒防止装置Ｉのモーター技術部品の参考説明図。
【０１３１】
第６２の課題解決手段は、図６８は、図６６の半切り図６８と図６９の中型船転倒防止装置Ｉに対して、著作権特許考案に対しての、北海道知事宛てに提出した日本の弱者一人一人の財団が作る図５３の中型船転倒防止装置Ｉに成り、本考案参考図の二つに切った図をハガキに貼りつけて、北海道知事宛てに送付した証拠のハガキに貼りつけた図６８と図６９の参考図に成る。
【０１３２】
第６３の課題解決手段は、図７０は、図６７の半切り図７０と図７１の中型船転倒防止装置Ｉに対して、著作権特許考案に対しての、北海道知事宛てに提出した日本の弱者一人一人の財団が作る図５３の中型船転倒防止装置Ｉに成り、本考案参考図の二つに切った図をハガキに貼りつけて、北海道知事宛てに送付した証拠のハガキに貼りつけた図７０と図７１の参考図に成る。
【０１３３】
第６４の課題解決手段は、図７２の、高出力水素イオン電磁電気発生装置→高出力六角形状圧電素子連結発電回路型コイル無レールモーターと軽水素タンクＪと軽水素配管と高速リレー装置と磁気イオン一本配線
と電気分配器と一本配線と高出力圧電素子電波受信体とイオン磁気電気増幅分離装置とゲルマニウム高出力銅筒管コイルと高出力銅筒管コイル配線Ｊと高出力スピーカーＪとイオン磁気電気再生装置と画像増幅分配リレー再生画像装置は、高出力六角形状圧電素子連結発電回路型コイル無レールモーターに依る磁気イオン電気圧電システムの軽水素タンクＪ発電した電気で、超小型画像装置を作動指せる高出力水素イオン電磁電気発生装置付の高出力六角形状圧電素子連結発電回路型コイル無レールモーターの参考図に成る。
【０１３４】
第６５の課題解決手段は、図７３の、画像増幅分配リレー再生画像装置とアルゴンガス入りシリコングラスファイバーシート画像パネルとマイナス映像波リレー入力配線とマイナスＡ画像波〜Ｐ画像波と映像波リレー配線位置説明図とプラス映像波リレー入力配線とプラスＡ画像波〜Ｐ画像波に成り、通常テレビ波を、映像波と音声波に分けた後、映像波の波長分配装置と映像波波長を、画像波の映像波分配装置に、振り分けた時点で、映像波が画像パネル状に順番に振り分けられるか、調整しながら、映像回路の機械及び映像素子の調整を、高速リレー装置に依って、映像波の分配スタイルが決まるが、映像波の割り当ては、多くて
２の偶数の２０分割から４０分割に成り、日本の電気テレビ企業の何万画素に成らないテレビに成り、日本電気テレビ企業とは、全く異なる画像システムに、全て変える日も近い日の高出力六角形状圧電素子連結発電回路型コイル無レールモーターの高出力リレーインバータ装置の参考図に成る。
【０１３５】
第６６の課題解決手段は、図７４の、画像増幅分配リレー再生画像装置の図７３の画像増幅分配リレー再生画像装置に対して、著作権特許考案に対しての、北海道知事宛てに提出した日本の弱者一人一人の財団が作る図７３の画像増幅分配リレー再生画像装置に成り、本考案参考図の二つに切った図をハガキに貼りつけて、北海道知事宛てに送付した証拠のハガキに貼りつけた図７４の参考図に成る。
【０１３６】
第６７の課題解決手段は、図７５の高出力六角形状圧電素子連結型レールモーター制御補助免震装置付の全自動ロボットアーム海川生物餌やり水槽掃除装置は、と高出力六角形状圧電素子連結一個巻きコイル型レールモーターと高出力六角形状圧電素子連結三個巻きコイル型レールモーターと制御エレベーター高出力六角形状圧電素子レールモーターとエレベーターワイヤと滑車とエレベーターと全自動ロボットアーム海川生物餌やり水槽掃除装置と餌やり装置ワイヤと餌管と餌バケットと海の貝水槽と海の魚水槽と川の魚水槽と川の貝水槽と海藻育成水槽とスッポン育成水槽は、家の地下に成り、特開２０１３―２３４５７１号の未来の別の美瑛街に出来る世界遺産を目指す為の永遠に壊さないクリスタルダイヤガラスビルに伴う修身介護システムの著作権原本にも、記載した、今後の農業及び漁業及び林業の自給自足社会成立の為の薬の素の野草の放射線の弱ガンマ線飛散防止パネルを使った品種改良薬草を育成出来る地下農園と魚の育成に伴う自給自足社会に必要な高出力六角形状圧電素子連結型レールモーター制御補助免震装置付の全自動ロボットアーム等を作動指せる高出力六角形状圧電素子連結型レールモーターの参考図に成る。
【０１３７】
第６８の課題解決手段は、図７６の両刃Ｗ正反転回転高出力六角形状圧電素子連結コイル無レールモーター剃刀→高出力六角形状圧電素子連結型コイル無正転反転Ｗレールモーター剃刀と正転と反転とネジ山と刃
とダイオードゴムとシリコンゴムと両刃カミソリ刃と高出力スピーカー振動肌モミ装置と竹灰入りプラスチック突起部分とダイオードシリコン突起部分と圧電素子４電子磁気分割装置と高出力六角形状圧電素子連結型発電回路付の図７６の両刃Ｗ正反転回転高出力六角形状圧電素子連結コイル無レールモーター剃刀に成り、商品は、日本国内の販売に成る理由に対して、電動モーター剃刀の動物用ならば、特許権に成り、人の電動剃刀に成ると実用新案権止まりに成る高出力六角形状圧電素子連結発電回路型コイル無レールモーターの参考図に成る。
【０１３８】
第６９の課題解決手段は、図７７の、図７５の高出力六角形状圧電素子連結型レールモーター制御補助免震装置付の全自動ロボットアーム海川生物餌やり水槽掃除装置図７５の半切り図７７と図７８の高出力六角形状圧電素子連結型レールモーター制御補助免震装置付の全自動ロボットアーム海川生物餌やり水槽掃除装置に対して、著作権特許考案に対しての、北海道知事宛てに提出した日本の弱者一人一人の財団が作る図７５の高出力六角形状圧電素子連結型レールモーター制御補助免震装置付の全自動ロボットアーム海川生物餌やり水槽掃除装置に成り、本考案参考７５図の二つに切った図をハガキに貼りつけて、北海道知事宛てに送付した証拠のハガキに貼りつけた図７７と図７８の参考図に成る。
【０１３９】
第７０の課題解決手段は、図７９の高出力棒状六角形状圧電素子連結型レールモーター部分と磁力線分散絶縁体装置と絶縁シートパネル部分と永久磁石部分と亜鉛部分と鋼鉄部分と鉄芯入りアルミニウムナットと電磁石リレーインバータ高出力コイルと電気配線Ａボックスと電気配線Ｂボックスと高出力３連インバータ高出力コイルに対しての高出力六角形状圧電素子連結発電回路型コイル無レールモーターの参考図に成る。
【０１４０】
第７１の課題解決手段は、図８０の、原子力発電所補強免震装置は、原子炉に対して、鉄筋と鋼鉄板付のコンクリートに対して、高出力六角形状圧電素子連結型レールモーターホイスト即ち、高出力六角形状圧電素子連結発電回路型コイル無レールモーターの応用参考図に成る。
【０１４１】
第７２の課題解決手段は、図８１の、原子力ビル建屋本体に対して、鉄筋と鋼鉄板とコンクリート付の原子炉に対して高出力六角形状圧電素子連結型電動仕切り弁閉鎖扉装置と免震杭装置に対して、原子炉建屋は、二重構造コロ電磁石モーター制御免震と三重構造コロ電磁石モーター制御免震が取り付き、原子炉を冷やす装置として、複数穴開き竹灰入りセラミックナット固定型冷却ボールに対して、窒素入りプラスチック球として、竹灰入りガラス穴付の冷却装置をナット部分付の鋼鉄カバー装置に成り、高出力六角形状圧電素子連結型レールモーターホイストに依って、原子炉部分だけの免震装置が設置され、高出力六角形状圧電素子連結型レールコロ電磁石反発速度調整免震装置と高出力六角形状圧電素子連結型レールモーターホイスト免震補助装置に依って、原子炉保護に成って居る高出力六角形状圧電素子連結発電回路型コイル無レールモーターの応用参考図に成る。
【０１４２】
第７３の課題解決手段は、図８２の、図８０の原子力免震装置に対して、著作権特許考案に対しての、北海道知事宛てに提出した日本の弱者一人一人の財団が作る図８０の原子力塔の免震装置に成り、本考案参考図をハガキに貼りつけて、北海道知事宛てに送付した証拠のハガキに貼りつけた図８０の参考図に成る。
【０１４３】
第７４の課題解決手段は、図８３の、図８１の半切り図８３と図８４の原子力免震に対して、著作権特許考案に対しての、北海道知事宛てに提出した日本の弱者一人一人の財団が作る図５３の原子力免震に成り、本考案参考図の二つに切った図をハガキに貼りつけて、北海道知事宛てに送付した証拠のハガキに貼りつけた図８３と図８４の参考図に成る。
【０１４４】
第７５の課題解決手段は、図８５の、高出力六角形状圧電素子連結発電回路型レールモーターホイスト免震装置を使用したビル本体に対して、固定金属板とコンクリート天盤仕上げ用複数鋼鉄穴とコンクリート穴と高出力電磁石板と高出力六角形状圧電素子連結型発電回路を使った高出力六角形状圧電素子連結発電回路型レールモーターホイスト免震装置に成り、高出力六角形状圧電素子連結発電回路型コイル無レールモーターの応用参考図に成る。
【０１４５】
第７６の課題解決手段は、図８６の、高出力多層式複数コイル内蔵型電磁石免震板は、プラス配線Ｋとマイナス配線Ｋと圧電素子４電子磁気分割装置と高出力六角形状圧電素子連結埋め込み型発電回路を使った高出力六角形状圧電素子連結発電回路型コイル無レールモーターの応用参考図に成る。
【０１４６】
第７７の課題解決手段は、図８７の、自動車の異なったシートベルトと異なる安全装置に成り、頭部分と背もたれ部分とシート弱アルファ放射線パネルカメラセンサーバンドと高出力六角形状圧電素子連結発電回路型棒状レールモーターと三重エアーチューブ型綿網チューブ内蔵型椅子クッション調整装置と椅子部分と姿勢調整モーターエアー袋装置と高出力六角形状圧電素子連結発電回路型リクライニング制御レールモーター装置付の自動車の異なったシートベルトと異なる安全装置に成る高出力六角形状圧電素子連結発電回路型コイル無レールモーターの応用参考図に成る。
【０１４７】
第７８の課題解決手段は、図８８の、熱瞬間吸収発電スクリュー管とネジ部分Ｋと熱水と二重ロック装置と高出力六角形状圧電素子連結型シリコン部分カバー発電回路体に対して、高出力六角形状圧電素子連結発電回路型コイル無レールモーターの応用参考図に成る。
【０１４８】
第７９の課題解決手段は、図８９の、沸騰水発電タンク部分と水位センサーと蒸気発生タンク水量確認カメラと高出力電動仕切り弁と循環蒸気回収管と圧電素子４電子磁気分割装置Ｋと再生循環蒸気送り管と高出力圧電素子粒子入り軽水素内蔵シリコンと高出力六角形状圧電素子連結型発電回路Ｋに成る高出力六角形状圧電素子連結発電回路型コイル無レールモーターの応用参考図に成る。
【０１４９】
第８０の課題解決手段は、図９０の、図８８の熱瞬間吸収発電スクリュー管に対して、著作権特許考案に対しての、北海道知事宛てに提出した日本の弱者一人一人の財団が作る図９０の熱瞬間吸収発電スクリュー管に成り、本考案参考図をハガキに貼りつけて、北海道知事宛てに送付した証拠のハガキに貼りつけた図９０の参考図に成る。
【０１５０】
第８１の課題解決手段は、図９１の、図８９の沸騰水発電タンク部分に対して、図８９の半切り図９１と図９２の沸騰水発電タンクに対して、著作権特許考案に対しての、北海道知事宛てに提出した日本の弱者一人一人の財団が作る図８９の沸騰水発電タンクに成り、本考案参考図の二つに切った図をハガキに貼りつけて、北海道知事宛てに送付した証拠のハガキに貼りつけた図９１と図９２の参考図に成る。
【０１５１】
第８２の課題解決手段は、図９３の、高出力四角形状圧電素子連結型発電回路型コイル無レールモーターＬと高出力インバータスイッチＬとプラス配線Ｌとマイナス配線Ｌとアルミニウムモーターカバー装置に対して高出力六角形状圧電素子連結発電回路型コイル無レールモーターの応用参考図に成る。
【０１５２】
第８３の課題解決手段は、図９４の、高出力楕円形状圧電素子連結型発電回路型コイル無レールモーターＭと高出力インバータスイッチＭとプラス配線Ｍとマイナス配線Ｍとアルミニウムモーターカバー装置Ｍ装置に対して高出力六角形状圧電素子連結発電回路型コイル無レールモーターの応用参考図に成る。
【０１５３】
第８４の課題解決手段は、図９５の、高出力三角形状圧電素子連結型発電回路型コイル無レールモーターＮに対して、高出力インバータスイッチＮとプラス配線Ｎとマイナス配線Ｎとアルミニウムモーターカバー装置Ｎ構造の高出力六角形状圧電素子連結発電回路型コイル無レールモーターの応用参考図に成る。
【０１５４】
第８５の課題解決手段は、図９６の、高出力四角形状圧電素子連結型発電回路型レールモーターＯに対して、高出力インバータスイッチＯとプラス配線Ｏとマイナス配線Ｏとアルミニウムモーターカバー装置Ｏ構造の高出力六角形状圧電素子連結発電回路型コイル無レールモーターの応用参考図に成る。
【０１５５】
第８６の課題解決手段は、図９７の、高出力楕円形状圧電素子連結型発電回路型レールモーターＰに対して、高出力インバータスイッチＰとプラス配線Ｐとマイナス配線Ｐとアルミニウムモーターカバー装置Ｐ構造の高出力六角形状圧電素子連結発電回路型コイル無レールモーターの応用参考図に成る。
【０１５６】
第８７の課題解決手段は、図９８の、高出力三角形状圧電素子連結型発電回路型レールモーターＱに対して、高出力インバータスイッチＱとプラス配線Ｑとマイナス配線Ｑとアルミニウムモーターカバー装置Ｑ構造の高出力六角形状圧電素子連結発電回路型コイル無レールモーターの応用参考図に成る。
【０１５７】
第８８の課題解決手段は、図９９の、高出力六角形状圧電素子連結発電回路型コイル無レールモーター仕切り弁装置ＱＱに対して、薬剤注入管ＱＱと薬剤分解用曲線突起装置ＱＱと通常太巻き高周波銅コイル装置ＱＱとプラス電気配線ＱＱとマイナス電気配線ＱＱとモーター土台ＱＱと高出力高速リレー装置ＱＱ構造の高出力六角形状圧電素子連結発電回路型コイル無レールモーターの応用参考図に成る。
【０１５８】
第８９の課題解決手段は、図１００の、高出力六角形状圧電素子連結発電回路型コイル無レールモーター仕切り弁装置Ｒに対して、薬剤注入管Ｒと薬剤分解用角材突起装置Ｒと高出力電磁弁Ｒと高出力六角形状圧電素子連結発電回路型棒状レールモーターＲと薬剤取り込み風車Ｒと高出力高速リレー装置Ｒとプラス電気配線Ｒとマイナス電気配線Ｒとモーター土台Ｒと高出力六角形状圧電素子連結発電回路型コイル無レールモーターＲ構造の高出力六角形状圧電素子連結発電回路型コイル無レールモーターの応用参考図に成る。
【０１５９】
第９０の課題解決手段は、図１０１の、高出力六角形状圧電素子連結発電回路型コイル無レールモーター仕切り弁装置Ｓに対して、ボルト部分Ｓと薬剤注入管Ｓと通常太巻き高周波銅コイル装置Ｓと薬剤分解用斜線突起装置Ｓと高出力コンプレッサーエアー循環噴出口Ｓと上部薬剤取り込み用電動仕切り弁Ｓと薬剤放出用高出力六角形状圧電素子連結発電回路型コイル無レールモーター仕切り弁装置Ｓと下部薬剤取り込み用電動仕切り弁Ｓとマイナス電気配線Ｓとプラス電気配線Ｓと高出力高速リレー装置Ｓと遠心分離機下部薬剤取り出し高出力六角形状圧電素子連結発電回路型コイル無レールモーター仕切り弁口Ｓと高出力モーター扉Ｓと高出力コンプレッサーＳと遠心分離機上部薬剤取り出し高出力六角形状圧電素子連結発電回路型コイル無レールモーター仕切り弁口Ｓ構造の高出力六角形状圧電素子連結発電回路型コイル無レールモーターの応用参考図に成る。
【０１６０】
第９１の課題解決手段は、図１０２の、図９９の参考図に対して、高出力六角形状圧電素子連結発電回路型コイル無レールモーター仕切り弁装置ＱＱの高出力遠心分離機装置部分に対して、図９９の半切り図１０２と図１０３の高出力六角形状圧電素子連結発電回路型コイル無レールモーター仕切り弁装置ＱＱの高出力遠心分離機装置部分に対して、著作権特許考案に対しての、北海道知事宛てに提出した日本の弱者一人一人の財団が作る図９９の沸騰水発電タンクに成り、本考案参考図の二つに切った図をハガキに貼りつけて、北海道知事宛てに送付した証拠のハガキに貼りつけた図１０２と図１０３の参考図に成る。
【０１６１】
第９２の課題解決手段は、図１０４の、図１００の参考図に対して、高出力六角形状圧電素子連結発電回路型コイル無レールモーター仕切り弁装置ＲＲの高出力遠心分離機装置部分に対して、図１００の半切り図１０４と図１０５の高出力六角形状圧電素子連結発電回路型コイル無レールモーター仕切り弁装置ＲＲの高出力遠心分離機装置部分に対して、著作権特許考案に対しての、北海道知事宛てに提出した日本の弱者一人一人の財団が作る図１００の沸騰水発電タンクに成り、本考案参考図の二つに切った図をハガキに貼りつけて、北海道知事宛てに送付した証拠のハガキに貼りつけた図１０４と図１０５の参考図に成る。
【０１６２】
第９３の課題解決手段は、図１０６の、図１０１の参考図に対して、高出力六角形状圧電素子連結発電回路型コイル無レールモーター仕切り弁装置ＳＳの高出力遠心分離機装置部分に対して、図１０１の半切り図１０６と図１０７の高出力六角形状圧電素子連結発電回路型コイル無レールモーター仕切り弁装置ＳＳの高出力遠心分離機装置部分に対して、著作権特許考案に対しての、北海道知事宛てに提出した日本の弱者一人一人の財団が作る図１００の沸騰水発電タンクに成り、本考案参考図の二つに切った図をハガキに貼りつけて、北海道知事宛てに送付した証拠のハガキに貼りつけた図１０６と図１０７の参考図に成る。
【０１６３】
第９４の課題解決手段は、図１０８の、福島原子力発電所の水止め方法に対して、原子力建屋と複数個所水中ポンプと水中ポンプとドリル杭と岩盤まで掘削してコンクリート打設と複数個所と防波堤と高出力三連水中ポンプと海の水と海側の水を止める事の出来る水中ポンプ装置構造の高出力六角形状圧電素子連結発電回路型コイル無レールモーターの応用参考図に成る。
【０１６４】
第９５の課題解決手段は、図１０９の、低電気消費アルゴンフッ化カルシウム発光発電ライトに対して、マイナス電気回収配線とプラス電気回収配線とプラス磁力線アルゴンフッ化カルシウム発光高速電気磁力線発光ライトとマイナス磁力線アルゴンフッ化カルシウム発光高速電気磁力線発光ライト装置構造の高出力六角形状圧電素子連結発電回路型コイル無レールモーターの応用参考図に成る。
【０１６５】
第９６の課題解決手段は、図１１０の、高出力六角形状圧電素子連結内蔵型アルゴン軽水素フッ化カルシウム窒素三重発光グラスファィバーライトに対して、超長プラススクリュー一巻きコイル電気増幅スピード循環電気配線と超長マイナススクリュー一巻きコイル電気増幅スピード循環電気配線とプラス圧電素子４電子磁気分割装置とマイナス圧電素子４電子磁気分割装置と電気抵抗ゼロプラス電気配線と電気抵抗ゼロマイナス電気配線とプラス三重ライトとマイナス三重ライトとプラス電気配線とマイナス電気配線とアルゴン軽水素フッ化カルシウム窒素合成ライト部分装置構造の高出力六角形状圧電素子連結発電回路型コイル無レールモーターの応用参考図に成る。
【０１６６】
第９７の課題解決手段は、図１１１の、図１１０の半切り図１１１と図１１２の高出力六角形状圧電素子連結内蔵型アルゴン軽水素フッ化カルシウム窒素三重発光グラスファィバーライトに対して、著作権特許考案に対しての、北海道知事宛てに提出した日本の弱者一人一人の財団が作る図１１１の高出力六角形状圧電素子連結内蔵型アルゴン軽水素フッ化カルシウム窒素三重発光グラスファィバーライトに成り、本考案参考図１１０に対して、二つに切った図をハガキに貼りつけて、北海道知事宛てに送付した証拠のハガキに貼りつけた図１１１と図１１２の参考図に成る。
【０１６７】
第９８の課題解決手段は、図１１３の、高出力六角形状圧電素子連結型発電回路電磁力線装置Ｕに対して、高出力六角形状圧電素子連結型レールモーター電磁誘導発電装置Ｕとスクリュー部分Ｕと菜種油部分Ｕと竹灰入りセラミック部分Ｕと刺し込み固定のボルトリング止め構造の竹灰入りセラミックＵと循環配管Ｕと発電機四重カバーＵと三連スクリュー三重配管Ｕと振動防止材に赤粘土ビニールゴム煉り材使用固定粘土Ｕ装置構造の高出力六角形状圧電素子連結発電回路型コイル無レールモーターの応用参考図に成る。
【０１６８】
第９９の課題解決手段は、図１１４の、本考案の高出力六角形状圧電素子連結発電回路型コイル無ライトレールモーターの冷却型高出力真空装置瞬間乾燥機に対して、高出力真空装置六角形状圧電素子連結型コイル無レールモーターとＳ字型止め枠板装置と銅筒管と鉛銅アルミニウム部分と微量ヘリウム窒素炭素複数穴空き冷却物質を使った冷却型高出力真空装置瞬間乾燥機のモーター技術参考説明図。
【０１６９】
第１００の課題解決手段は、図１１５の、パチンコ機械のシャッター式誘導弾高出力モーター入賞装置に対して、手元ダイヤル入力プラスアルファ干支絵文字図柄設定数字プラス入賞型高出力パチンコ遊戯装置とシャッター式高出力モーター風車装置と部分グラスファィバープラスチック高出力モーター釘板装置とシャッター式高出力モーター玉釘装置とシャッター式高出力モーター釘装置とエアー加湿機装置とシャッター式玉洗い高出力モーター装置とシャッター式高出力モーターライト釘装置と干支絵組合せ文字を使った特殊パチンコ機械に成り、高出力六角形状圧電素子連結発電回路型コイル無ライトレールモーターの技術参考説明図。
【０１７０】
第１０１の課題解決手段は、図１１６の、発電回路発電機は、鉄塔に対して川水そして滝を使った水力式ダイナモ→高出力六角形状圧電素子連結発電回路内蔵型ダイナモと高出力六角形状地下圧電素子連結型電気増幅発電回路に於いて、送電線とプラス送電線とマイナス送電線と変圧器と圧電素子４電子磁気分割装置に依ってプラス増幅電気とマイナス増幅電気が出来る発電回路発電機に対して高出力六角形状圧電素子連結発電回路型コイル無レールモーターの技術応用参考図に成る。
最後のまとめ書き説明。
請求項１文章の追加説明
本考案の、図２４説明の高出力六角形状圧電素子連結発電回路型コイル無ライトレールモーターは、登録実用新案第３１６８０４３号高出力発電７連結以上モーターと登録実用新案第３２０３１０６号の国の全額借金返済と都道府県市町村区の全額借金返済に対して知事の回答が無い対策として、時効の無い国の借金返済対策として美瑛まちの庶民全体の生活権維持を守る為の知的所有財産の著作権活用と先著作権技術主張を美瑛まちが優先し、電気スピードと同じ速さで電気を流す事の出来る高出力銅筒管コイル配線と無金属二重配線に対しての知的所有財産の盗作防止の為の先著作権活用公開技術に記載去れて要る軽水素トリチウム電子ガス入り圧電素子磁石体粒子内蔵の銅筒管コイル配線を軽水素トリチウム電子ガス入りの圧電素子磁石体シートと複数針穴空きの軽水素入りのチタン酸バリウムシートを交互に成る様に多層シート重ね構造の六角形状の高出力圧電素子磁石体をアルミニウム亜鉛合金六角形カバーの磁石接合穴開き枠に対して、複数針穴形状のステンレス薄シートに依って、高出力軽水素入り多層式六角形圧電素子磁石体を複数針穴形状のステンレス薄シートで包んだ高出力圧電素子磁石体をアルミニウム亜鉛合金六角形カバーの中に填め込んでアルミニウム亜鉛合金六角形カバーを鉛溶着固定した二列リング輪形状のコイル無の複数の高出力インバータ配線制御の高出力六角形状圧電素子連結発電回路型コイル無ライトレールモーター構造説明で有る。
請求項２文章の追加説明
本考案の、図２４説明の高出力六角形状圧電素子連結発電回路型コイル無ライトレールモーターは、登録実用新案第３１６８０４３号高出力発電７連結以上モーターと登録実用新案第３２０３１０６号の国の全額借金返済と都道府県市町村区の全額借金返済に対して知事の回答が無い対策として、時効の無い国の借金返済対策として美瑛まちの庶民全体の生活権維持を守る為の知的所有財産の著作権活用と先著作権技術主張を美瑛まちが優先し、電気スピードと同じ速さで電気を流す事の出来る高出力銅筒管コイル配線と無金属二重配線に対しての知的所有財産の盗作防止の為の先著作権活用公開技術に記載去れて要る軽水素トリチウム電子ガス入り軽量竹灰入りガラス粒子内蔵圧電素子磁石体シートと複数針穴形状の軽水素トリチウム電子ガス入りチタン酸バリウムシートを交互に複数枚重ね合わせた多層式六角形連結発電回路構造の高出力圧電素子二列リング輪形状の内側複数六角形状連結発電回路リング輪にモーター軸が一体化した複数の六角形状連結二列リング輪形状の回転体をもう一列の六角形状連結発電回路リング輪に複数のプラス高出力銅筒管配線と複数のマイナス高出力銅筒管配線と複数の高出力インバータスイッチと複数の圧電素子４電子磁気分割装置を取り付けた請求項Ｉ記載の高出力六角形状圧電素子連結発電回路型コイル無ライトレールモーター構造説明で有る。
請求項３文章の追加説明
本考案の、高出力六角形状圧電素子連結発電回路型コイル無ライトレールモーターの配線は、登録実用新案第３１６８０４３号高出力発電７連結以上モーターと登録実用新案第３２０３１０６号の国の全額借金返済と都道府県市町村区の全額借金返済に対して知事の回答が無い対策として、時効の無い国の借金返済対策として美瑛まちの庶民全体の生活権維持を守る為の知的所有財産の著作権活用と先著作権技術主張を美瑛まちが優先し、電気スピードと同じ速さで電気を流す事の出来る高出力銅筒管コイル配線と無金属二重配線に対しての知的所有財産の盗作防止の為の先著作権活用公開技術に記載去れて要る高出力銅四角筒管電気配線の軽水素トリチウム電子ガスと窒素ガスと軽量竹灰入りガラス粒子入りチタン酸バリウム構造の圧電素子磁石体を、混合合成した電気の通り易い物質と温度の上りづらい物質で作り上げた電気の流れ易い物質配線を銅四角筒管電気配線の中に軽水素トリチウム電子ガスと窒素ガスの電気の通りが良い気化物質を内蔵指せた複数の電気配線を使用積載した請求項Ｉ記載の高出力六角形状圧電素子連結発電回路型コイル無ライトレールモーター構造説明で有る。
請求項４文章の追加説明
本考案の、高出力六角形状圧電素子連結発電回路型コイル無ライトレールモーターに積載一体型システムの特開２００４―３０４９９２号公報の圧電素子３電子磁気分割装置の電気から熱抵抗電気を減らして電気を長持ちさせて、電気製品に無理をかけない電気装置の有り方（別名圧電素子４電子磁気分割装置。）に記載去れて要る技術の圧電素子４電子磁気分割装置のプラス圧電素子４電子磁気分割装置とマイナス圧電素子４電子磁気分割装置に依って、通常電気中に含まれる熱抵抗プラス電気と熱抵抗マイナス電気を、通常電気中から取り除く装置で有り、プラス圧電素子４電子磁気分割装置の磁気の弱いプラス磁石体に、通常プラス電気を其々のプラス圧電素子磁石体の中間陽電子素子体から、プラス圧電素子磁石体の端側のプラス陽電子素子体にプラス電気を流す事に依って、電気抵抗ゼロのプラス電気を得る事が出来て、更にもう一つのマイナス圧電素子４電子磁気分割装置に対しても、通常電気中に含まれる熱抵抗マイナス電気を、圧電素子４電子磁気分割装置の磁気の弱いマイナス磁石体に、通常マイナス電気を其々のマイナス圧電素子磁石体の中間陰電子素子体から、プラス圧電素子磁石体の端側のプラス陰電子素子体にマイナス電気を流す事に依って、電気抵抗ゼロのマイナス電気を得る事が出来る請求項Ｉ記載の高出力六角形状圧電素子連結発電回路型コイル無ライトレールモーター構造説明で有る。    
請求項５文章の追加説明
本考案の、高出力六角形状圧電素子連結発電回路型コイル無ライトレールモーターの発電三重発光ライト構造は、高出力発光ＬＥＤライトと異なる技術の半圧縮ガラス板ライトカバーに対してアルゴンガスと超微量ネオンガスと温度上昇の防止材の窒素ガスとアルゴンガスと超微量ネオンガスの発光促進電子ガスの軽水素トリチウム電子ガスを入れたグラスフアイバーライトパネルに対して、後ろ部分から軽水素トリチウム電子ガスと窒素ガス入りのフッ化カルシウム光瞬間吸収発光ライトグラスフアイバーライトパネルと高出力六角形状白色軽量圧電素子連結型発電回路シートパネルの二重のライトパネルとライト使用電気量を減らす為の高出力六角形状白色軽量圧電素子連結型発電回路シートパネルの三重シート重ねライトパネルを高出力六角形状圧電素子連結発電回路型コイル無ライトレールモーターのカバーに差し込みボルト固定方式で貼りつけた構造の請求項Ｉ記載の高出力六角形状圧電素子連結発電回路型コイル無ライトレールモーター構造説明で有る。
【考案の効果】
【０１７１】
上述したように本考案の、高出力六角形状圧電素子連結発電回路型コイル無ライトレールモーターは、モーター配線に高出力銅筒管配線を使用して、モーター磁石体に高出力圧電素子磁石体の六角形状圧電素子磁石体装置に対して、高出力圧電素子六角形状磁石体に対し、圧電素子六角部分の先端同志の軽水素トリチウム電子ガス入りの圧電素子磁石体同志が接合して、磁力線イオン電子移動が容易に出来る構造にした装置に成り、高出力圧電素子磁石体の滑落崩壊防護装置として、複数針穴構造のステンレス磁石体シートを、軽水素入りの多層式の高出力圧電素子磁石体を防護擦る形状構造にした高出力六角形状圧電素子磁石体の円形形状の発電回路を大と小の二輪形状構造にした高出力リレーインバータ装置と圧電素子４電子磁気分割装置を複数積載内蔵指せた二つの大小の高出力発電回路を、高出力リレーインバータ装置に依って、作動出来るモーター作動時に電気が幾分使用するが、モーター回転直後から、高出力六角形状圧電素子磁石体連結型発電回路装置構造の効果に依って、企業名リニアモーター及び、本考案者の同じ高出力軽水素トリチウム電子ガス入り圧電素子磁石体の高出力銅筒管コイル積載の軽水素入りインバータ磁極切り替えモーター依り、更に、電気消費を世界トップ水準にまで、モーター構造の全てを変えた電気消費を世界で一番少なくしたモーター。
【０１７２】
更に、高出力六角形状圧電素子連結発電回路型コイル無ライトレールモーターを使用積載した、全自動家電及び全自動自動車及び全自動機械及び全自動船及び全自動飛行機及び全自動医療器械及び全自動トラクター及び全自動ロボット及び全自動観測機械及び全自動ロケットロボット及び全自動水中ロボット及び全自動コンピュータ及び全自動商業機械及び全自動印刷機及び全自動建設機械及び全自動各ロボットなどの、世界で一番電気消費の少ないモーターと世界で一番電気消費の少ないライト技術を、日本の全電気企業及び機械企業に世界対抗出来るモーターとライトの技術を本考案者の先技術が確定擦る事で、今後の資本主義社会の電気を作る原子力発電所の全ての廃止と火力発電所全ての廃止を目的とした今まで築き上げて来た電気を基本とした資本主義に反した目の前に有る自給自足社会の考え方即ち、資本主義社会に反した自給自足社会の考え方に対して、文部科学省及び経済産業省及び財務省及び国土交通省などの、国の財政を扱う機関が国税使用を半分以下出来る事を確認擦る為に、日本の各国立大学に試作品実験の実施を行って無駄な金を使う、今までの歴史的及び世界的電気化学の考え方に対して、ゼロスタート学習の考え方の始まり、そして、弱者農業国民一人一人の自立社会と弱者漁業国民一人一人の自立社会と弱者林業国民一人一人の自立社会と弱者商業国民一人一人の自立社会を目指す為の、日本の有数大企業の世界企業の資産に対して、数億倍の資産そして、世界トップ資産企業体を目指す為の高出力六角形状圧電素子連結発電回路型コイル無ライトレールモーター技術。
【産業上の利用可能性】
【０１７３】
第１の産業上の利用可能性として、図２８と図３０の未来の発電を行える超高速リニア発電回路モーターカーの電磁石構造は、世界的に例の無いと循環型軽水素タンクと軽水素入りチタン酸バリウムシリコンガス管→窒素冷却軽水素管と高出力イオン磁力線送電型発電回路装置を使った超高速リニア発電回路モーターカーの電磁石構造に成り、高出力六角形状圧電素子連結発電回路型コイル無レールモーター構造の超高速リニア発電回路モーターカーに対して、通常のリニアモーターカー依り、重い重量物を運搬出来る為、更に、高出力圧電素子磁石体を使用し高出力六角形状圧電素子連結発電回路型コイル無ライトレールモーター技術の高出力六角形状圧電素子連結発電回路技術を使用して居る為に、現在のリニアモーターカー依り、更にスピードアップしたリニアモーターカーに成り、リニアモーターカーの地下に高出力スクリュー銅筒管電気高圧配線の高速電気を作る為の電気高出力スクリュー銅筒管電気高圧配線工事を同時に行って、世界最速及び宇宙最速の電気スピードに依って、マッハリニアモーターカーの夢を実現したい事に成る産業上の利用可能性。
【０１７４】
第２の産業上の利用可能性として、図３１の高出力六角形状軽水素入り圧電素子磁石体連結発電回路イオン電磁圧電発電型コイル無電池無補助モーター自転車は、現在の、モーター補助自転車と異なる高出力六角形状圧電素子連結発電回路型コイル無レールモーターを室内ＧＰＳ掃除機の腕振りに応じて、全自動作動擦る掃除機本体及び義手及び義足のＧＰＳは、人の意志を言葉及び行動で全自動作動擦る義手及び義足のモーター利用に成り、充電池を小さく出来るのが利点に成る産業上の利用可能性。
【０１７５】
第３の産業上の利用可能性として、図３２の大気イオン磁力線気化熱風発生型太陽光熱イオン蒸気エネルギー発電始動回転型連結圧電素子発電回路風力フォース発電装置システムでは、高出力六角形状圧電素子連結発電回路装置を使った風力発電装置システムに成り、高出力電磁誘導発電装置を使って入る事と晴れの日及び夏の温度の高い日の熱エネルギーの瞬間吸収発電出来る高出力六角形状圧電素子連結発電回路型シリコンダイオードソーラーパネルに成り、風の無い日及び湿度の高い曇りの無風の日でも、発電する他社のソーラーパネル風車の発電量と異なる増幅発電を可能にした世界最新技術説明の産業上の利用可能性。
【０１７６】
第４の産業上の利用可能性として、図３９のニューヒグマ世界観光船推進装置は、特開２０１２―２３６６０６号の国の全額借金返済と都道府県市町村区の全額借金返済の為の知的所有財産の多機能電気観光船著作権原本の改良型に成り、高出力六角形状圧電素子連結発電回路型コイル無ライトレールモーター技術の高出力六角形状圧電素子連結発電回路技術を船の内側全体に貼り詰め構造の電気増幅発電装置に成り、船の補助発電装置に成り、発電機を小さく出来るメリットが有り、高出力六角形状圧電素子連結発電回路型ライトレールモーターを使用した高出力銅筒管コイル型の高出力六角形状圧電素子連結発電回路型ライトレールモーターに成り、力が有って、電気消費が少なく成るメリットが有る産業上の利用可能性。
【０１７７】
第５の産業上の利用可能性として、図４２の新バージョン二層構造電気抵抗ゼロ回路配線は、回路配線に電気通す事で回路中電気の増幅発電を行える増幅発電回路配線に成り、此の場合でも回路抵抗体無の回路電気増幅発電配線に依って、世界に本考案者しか書き得なかった新バージョン二層構造電気抵抗ゼロ回路配線に依って、リレーインバータ圧電素子４電子磁気分割装置等の配線管理を行う事に成る。
テレビ回路及びあらゆる電気電子回路の新バージョン二層構造電気抵抗ゼロ回路配線に成り、新しい技術の電気回路配線に成る為、少ない電気に対して多くので本気を得る事が出来る新バージョン二層構造電気抵抗ゼロ回路配線に成る装置の産業上の利用可能性。
【０１７８】
第６の産業上の利用可能性として、図４３の全自動位置帰還型海上海底地図高認識目印Ｓ０Ｓビグ装置に成り、この他に、海上の海の波の上に這わすＧＰＳ付配管は、全自動位置帰還装置に成り、全自動位置帰還装置には、ロボット蜂等の超小型偵察ロボットの全自動位置帰還装置に成る。
【０１７９】
第７の産業上の利用可能性として、図４７の９高出力プロペラモーター飛行機の軽量モーターと電気消費の少ないモーターと軽量装置の高出力六角形状圧電素子連結発電回路を飛行機全体に内蔵積載擦る事で、発電機の小型化と軽量化が可能に成り、高出力六角形状圧電素子連結発電回路型コイル無ライトレール磁石モータータイヤを９高出力プロペラモーター飛行機に積載したタイヤ交換型の９高出力プロペラモーター飛行機に成り、将来及び未来的には、日本国の弱者国民が作る１８００メートル級のトンネル滑走路飛行場等が、今後の飛行機の滑走路に指定予定に成る。
此の場合は、トンネルリニアー道滑走路が予定技術に成る装置の産業上の利用可能性。
【０１８０】
第８の産業上の利用可能性として、図４９の電動前デカタイヤ車は、衝突事故対応型車両に成り、此の頃の道路は、舗装道路を取り止めて、基礎石として、基礎に敷く石に対してコンクリート形式の道路沈下と道路の波溝が出来づらい道路に成り、自動車同士の事故防止車を目的とした自動車で有り、砂漠走行専用の凹凸突起の多いタイヤの電動前デカタイヤ車及びトラクターの前付型のトラクターに成り、特殊トラクターに成り、後部の小さいタイヤは、ノーパンクタイヤに成り、サスペイションを電気モーター六角ホイストサスペイション等に変える事で、傾斜地に対応した新しいノーパンクモーターリング爪ビニールプラスチックゴムタイヤトラクターの新しい歴史に成る装置の産業上の利用可能性。
【０１８１】
第９の産業上の利用可能性として、図５２の超高速電気観光船ヒグマ推進装置の高出力電動仕切り弁窓装置と高出力サイドスクリューモーターと二重発光ライトカメラとスクリューソナー波発射装置とスクリュー低周波発射センサー装置と高出力弱ガンマ放射線飛散防止パネルカメラと高出力六角形状圧電素子連結発電回路型レールモータースクリュー装置積載の高出力六角形状圧電素子連結発電回路技術を応用した著作権のモーターデザイン構造等装置で有り、特に、高出力六角形状圧電素子連結発電回路型レールモータースクリュー装置は、サイドバランサースクリュー装置は、船の揺れを無くす為の装置に成り、船の重心を取る為の、船底重心装置方式の二重発光ライトカメラとスクリューソナー波発射装置とスクリュー低周波発射装置と高出力弱ガンマ放射線飛散防止パネルカメラこれ等を防護擦る鋼鉄球板に成る。
従って、船の高出力電動仕切り弁に対して、高出力六角形状圧電素子連結発電回路型レールモーターを使用したモーター技術説明装置の産業上の利用可能性。
【０１８２】
第１０の産業上の利用可能性として、図５３の超高速電気観光船ヒグマ推進装置は、高出力超高速５連結×ギアスクリューモーターと高出力１５連結スクリューモーターと高出力サイドスクリューモーターと立体ニャン高出力ライトラインカメラ装置と立体ワン高出力ライトラインカメラ装置を積載内蔵した図５３の超高速電気観光船ヒグマ推進装置では、超長の高出力超高速５連結×ギアスクリューモーターは、最新技術説明に成る装置の産業上の利用可能性。
更に、高出力１５連結スクリューモーターは、高出力六角形状圧電素子連結発電回路型レールモータースクリュー装置に成り、超高速観光船に成り、オール鋼鉄カバー性の潜る観光船も著作権上のアイデア作品に成り、モーターは、全て高出力六角形状圧電素子連結発電回路型レールモーターを使用擦る予定に成る装置の産業上の利用可能性。
【０１８３】
第１１の産業上の利用可能性として、図５４の高出力リニアモーターロケットは、と高出力リニアモーターロケット補助推進用スクリューエアー高速装置と高出力リニアモーターサイド移動補助推進電磁石装置と高出力リニアモーター多層連結高出力電磁石装置を使った図５４の高出力リニアモーターロケットの高出力六角形状圧電素子連結発電回路技術を応用した著作権のモーターデザイン構造の異なる技術使用作品に成り、ロボットロケットは、宇宙空間で、ロボットロケット同士が全自動データーに依って、組み合わせて行く宇宙観測用の高出力天体電波望遠鏡に成る装置の産業上の利用可能性。
【０１８４】
第１２の産業上の利用可能性として、図５５の６プロペラ山岳ヘリコプター は複数カラー光ライン装置と複数電波キャッチ体と高出力六角形状圧電素子連結型発電回路Ｇと二重発光ライトカメラ装置と分離型貯蓄電池体と風止め突起羽根装置部分と位置固定全自動確認型ＧＰＳとアンテナ型太陽光熱瞬間吸収発電パネルの高出力六角形状圧電素子連結発電回路技術を応用した著作権のモーターデザイン構造の異なる技術使用作品の参考図に成る装置の産業上の利用可能性。
此の場合は、特開２０１３―０８２４４８号の国の全額借金返済と都道府県市町村区の全額借金返済の為の知的所有財産の山岳ヘリコプターの著作権原本。（企業と国及び都道府県市町村が特許権で無い企業の特許提出によって山岳ヘリコプターを、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の著作権原本の改良型に成り、６プロペラ山岳ヘリコプター自体の複数のプロペラ山岳ヘリコプター技術に成り、北海道庁知事提出では、２００１年の５月から６月考案の作品に成る装置の産業上の利用可能性。
【０１８５】
第１３の産業上の利用可能性として、図６２の、高出力サイドスクリューモーターと立体ニャン高出力ライトラインカメラ装置と立体ワン高出力ライトラインカメラ装置と高出力リニアモーターロケットと高出力リニアモーターロケット補助推進用スクリューエアー高速装置と高出力リニアモーターサイド移動補助推進電磁石装置と高出力リニアモーター多層連結高出力電磁石装置と６プロペラ山岳ヘリコプター と複数カラー光ライン装置と複数電波キャッチ体と高出力六角形状圧電素子連結型発電回路Ｇと二重発光ライトカメラ装置と分離型貯蓄電池体と風止め突起羽根装置部分と位置固定全自動確認型ＧＰＳとアンテナ型太陽光熱瞬間吸収発電パネルとアルミニウム軽水素入りプラスチック発砲スチロール粒子入り補助充電池プラス転倒防止タンク装置とアルミニウム軽水素入りプラスチック発砲スチロール粒子入り補助充電池マイナス転倒防止タンク装置と軽水素イオンバリウムガスタンクと高出力イオン電磁誘導発電装置と高出力六角形状圧電素子連結型発電回路構造の異なる技術使用作品の超高速電気観光船ヒグマ観光船の参考図に成る。
従って、高出力六角形状圧電素子連結型発電回路内蔵型の軽水素炭素シリコン充電池は、発電機の始動用充電池電気に成り、プラス充電池とマイナス充電池が、両サイドに別れた構造に成り、海水で冷やす構造の充電池に成り、急速充電を可能に擦る為、微量水銀入り充電池と微量液体マグネシウム入り充電池が存在擦る装置の産業上の利用可能性。
【０１８６】
第１４の産業上の利用可能性として、図６３の、新高出力六角形状圧電素子連結型発電回路の説明に成り、軽水素ガス入り圧電素子磁石体Ｈと連結部分Ｈと圧電素子粒子入り軽水素シリコン部分と軽水素入りシリコンマイクロシート０，００５部分と通常圧電素子Ｈと軽水素入りシリコンＨと窒素ガス入りシリコン粒子ラインＨ部分に依る新高出力六角形状圧電素子連結型発電回路に成り、特徴として、熱光瞬間吸収発電パネルに成る装置の産業上の利用可能性。
軽水素トリチウム電子ガス入りシリコン膜を数十枚内蔵させた新高出力六角形状圧電素子連結型発電回路と軽水素入りのチタン酸バリウムシリコン膜を数十枚入れた新高出力六角形状圧電素子連結型発電回路に成り、新高出力六角形状圧電素子連結型発電回路は、あらゆる電気製品の増幅電気打撃発電装置に成る装置の産業上の利用可能性。
【０１８７】
第１５の産業上の利用可能性として、図６６の、小舟転倒防止装置Ｈに対して、と高出力六角形状圧電素子連結型発電回路Ｉとボルト止めＨとワイヤＨと水切り重りＨと舵Ｈとカバーボルト止め方式Ｈと竹灰入りプラスチックゴムＨとアルミニウム板Ｈと竹灰入り塩化プラスチックゴムリング入れカバー装置の高出力六角形状圧電素子連結発電回路技術を応用した著作権のモーターデザイン構造の異なる技術使用の小舟転倒防止装置Ｈ作品の参考図に成る装置の産業上の利用可能性。
従って、水切り重り二個の前後の左右の振れの重心を維持擦る為の装置に成り、図６７の船の重心装置は、船の転倒防止装置に成り、船の海水浸水が無い限り、沈まない船の構造に成る装置の産業上の利用可能性。
【０１８８】
第１６の産業上の利用可能性として、図７２の、高出力水素イオン電磁電気発生装置→高出力六角形状圧電素子連結発電回路型コイル無レールモーターと軽水素タンクＪと軽水素配管と高速リレー装置と磁気イオン一本配線と電気分配器と一本配線と高出力圧電素子電波受信体とイオン磁気電気増幅分離装置とゲルマニウム高出力銅筒管コイルと高出力銅筒管コイル配線Ｊと高出力スピーカーＪとイオン磁気電気再生装置と画像増幅分配リレー再生画像装置は、高出力六角形状圧電素子連結発電回路型コイル無レールモーターに依る磁気イオン電気圧電システムの軽水素タンクＪ発電した電気で、超小型画像装置を作動指せる高出力水素イオン電磁電気発生装置付の高出力六角形状圧電素子連結発電回路型コイル無レールモーターの参考図に成る装置の産業上の利用可能性。
此の場合は、モーターに発電気化ガスタンク積載の発電モーター構造に成り、全てのモーター使用の発電装置に成る装置の産業上の利用可能性。
【０１８９】
第１７の産業上の利用可能性として、図７３の、画像増幅分配リレー再生画像装置とアルゴンガス入りシリコングラスファイバーシート画像パネルとマイナス映像波リレー入力配線とマイナスＡ画像波〜Ｐ画像波と映像波リレー配線位置説明図とプラス映像波リレー入力配線とプラスＡ画像波〜Ｐ画像波に成り、通常テレビ波を、映像波と音声波に分けた後、映像波の波長分配装置と映像波波長を、画像波の映像波分配装置に、振り分けた時点で、映像波が画像パネル状に順番に振り分けられるか、調整しながら、映像回路の機械及び映像素子の調整を、高速リレー装置に依って、映像波の分配スタイルが決まるが、映像波の割り当ては、多くて２の偶数の２０分割から４０分割に成り、日本の電気テレビ企業の何万画素に成らないテレビに成り、日本電気テレビ企業とは、全く異なる画像システムに、全て変える日も近い日の高出力六角形状圧電素子連結発電回路型コイル無レールモーターの高出力リレーインバータ装置の参考図に成る装置の産業上の利用可能性。
新しいテレビの映像波を画像増幅分配リレー再生画像装置とアルゴンガス入りシリコングラスファイバーシート画像パネルとマイナス映像波リレー入力配線とマイナスＡ画像波〜Ｐ画像波と映像波リレー配線位置説明図とプラス映像波リレー入力配線とプラスＡ画像波〜Ｐ画像波として、映し出す装置に成り、他のテレビ画像パネルスイッチ方式と異なるテレビに成る装置の産業上の利用可能性。
【０１９０】
第１８の産業上の利用可能性として、図７５の高出力六角形状圧電素子連結型レールモーター制御補助免震装置付の全自動ロボットアーム海川生物餌やり水槽掃除装置は、と高出力六角形状圧電素子連結一個巻きコイル型レールモーターと高出力六角形状圧電素子連結三個巻きコイル型レールモーターと制御エレベーター高出力六角形状圧電素子レールモーターとエレベーターワイヤと滑車とエレベーターと全自動ロボットアーム海川生物餌やり水槽掃除装置と餌やり装置ワイヤと餌管と餌バケットと海の貝水槽と海の魚水槽と川の魚水槽と川の貝水槽と海藻育成水槽とスッポン育成水槽は、家の地下に成り、特開２０１３―２３４５７１号の未来の別の美瑛街に出来る世界遺産を目指す為の永遠に壊さないクリスタルダイヤガラスビルに伴う修身介護システムの著作権原本にも、記載した、今後の農業及び漁業及び林業の自給自足社会成立の為の薬の素の野草の放射線の弱ガンマ線飛散防止パネルを使った品種改良薬草を育成出来る地下農園と魚の育成に伴う自給自足社会に必要な高出力六角形状圧電素子連結型レールモーター制御補助免震装置付の全自動ロボットアーム等を作動指せる高出力六角形状圧電素子連結型レールモーターの参考図に成る装置の産業上の利用可能性。
これ等は、特許公開２０１５―１６７４７０号国の全額借金返済と都道府県市町村区の全額借金返済後に対して自給自足型の農業及び漁業及び林業及び中小企業が世界トップの日本円銀行団体と世界最高銀行団体と成る為の完全自給自足物流システムに対しての知的所有財産を使った財団経営の未来的農業漁業林業一体型中小企業体システムで紹介した未来の農業と漁業と林業と商業の有り方説明として、自給自足の第一歩の説明に成り、本考案者が最終の答えと擦る自給自足社会に必要な水の全自動調整装置等の高出力六角形状圧電素子連結型レールモーターの積載使用説明図に成る装置の産業上の利用可能性。
【０１９１】
第１９の産業上の利用可能性として、図７６の両刃Ｗ正反転回転高出力六角形状圧電素子連結コイル無レールモーター剃刀→高出力六角形状圧電素子連結型コイル無正転反転Ｗレールモーター剃刀と正転と反転とネジ山と刃とダイオードゴムとシリコンゴムと両刃カミソリ刃と高出力スピーカー振動肌モミ装置と竹灰入りプラスチック突起部分とダイオードシリコン突起部分と圧電素子４電子磁気分割装置と高出力六角形状圧電素子連結型発電回路付の図７６の両刃Ｗ正反転回転高出力六角形状圧電素子連結コイル無レールモーター剃刀に成り、商品は、日本国内の販売に成る理由に対して、電動モーター剃刀の動物用ならば、特許権に成り、人の電動剃刀に成ると実用新案権止まりに成る高出力六角形状圧電素子連結発電回路型コイル無レールモーターの参考図に成る装置の産業上の利用可能性。
此処での、両刃は、全自動草刈機械刃に使用し、全自動調理機の刃に使用予定刃に成る装置の産業上の利用可能性。
そして、高出力スピーカー振動肌モミ装置は、バイブレイションモーターを使わない技術の肌を揉む装置に成り、シリコンゴム突起を使用した肌モミ装置に成る装置の産業上の利用可能性。
【０１９２】
第２０の産業上の利用可能性として、図７９の高出力棒状六角形状圧電素子連結型レールモーター部分と磁力線分散絶縁体装置と絶縁シートパネル部分と永久磁石部分と亜鉛部分と鋼鉄部分と鉄芯入りアルミニウムナットと電磁石リレーインバータ高出力コイルと電気配線Ａボックスと電気配線Ｂボックスと高出力３連インバータ高出力コイルに対しての高出力六角形状圧電素子連結発電回路型コイル無レールモーターホイストの参考図に成る装置の産業上の利用可能性。
従って、此のモーターホイストは、全自動建設機械に使用積載予定の高出力六角形状圧電素子連結型レールモーターホイストに成り、今後の化石燃料の石油の枯渇とガスの枯渇に依る油不足を最初から考えた作品に成る装置の産業上の利用可能性。
【０１９３】
第２１の産業上の利用可能性として、図８０の、原子力発電所補強免震装置は、原子炉に対して、鉄筋と鋼鉄板付のコンクリートに対して、高出力六角形状圧電素子連結型レールモーターホイスト即ち、高出力六角形状圧電素子連結発電回路型コイル無レールモーターの応用参考図に成る装置の産業上の利用可能性。
従って、後補強免震装置の一番安全性の高い高出力棒状六角形状圧電素子連結型レールモーター部分に成る装置の産業上の利用可能性。
問題視されるのは、油圧ホイスト及びエアーホイストでは、対応出来ない免震技術に成り、後補強免震装置の一番安全性の高い高出力棒状六角形状圧電素子連結型レールモーターを使用した原子力免震でも、不完全免震装置に成るが、後補強免震装置の設置を擦るか撓いかでは、原子力発電機の崩壊度が変わる事に成る装置の産業上の利用可能性。
【０１９４】
第２２の産業上の利用可能性として、図８１の、原子力ビル建屋本体に対して、鉄筋と鋼鉄板とコンクリート付の原子炉に対して高出力六角形状圧電素子連結型電動仕切り弁閉鎖扉装置と免震杭装置に対して、原子炉建屋は、二重構造コロ電磁石モーター制御免震と三重構造コロ電磁石モーター制御免震が取り付き、原子炉を冷やす装置として、複数穴開き竹灰入りセラミックナット固定型冷却ボールに対して、窒素入りプラスチック球として、竹灰入りガラス穴付の冷却装置をナット部分付の鋼鉄カバー装置に成り、高出力六角形状圧電素子連結型レールモーターホイストに依って、原子炉部分だけの免震装置が設置され、高出力六角形状圧電素子連結型レールコロ電磁石反発速度調整免震装置と高出力六角形状圧電素子連結型レールモーターホイスト免震補助装置に依って、原子炉保護に成って居る高出力六角形状圧電素子連結発電回路型コイル無レールモーターの応用参考図に成る装置の産業上の利用可能性。
此の場合は、冷却システムを少し変える事で、蒸気爆発を無くす新技術に成り、免震装置を複数の三段階免震装置及び四段階免震装置等の技術に成ると、電磁石反発免震効果に依って、原子力本体が守られる全自動振動調整装置等の高出力六角形状圧電素子連結型レールモーターの積載使用説明図に成る装置の産業上の利用可能性。
【０１９５】
第２３の産業上の利用可能性として、図８５の、高出力六角形状圧電素子連結発電回路型レールモーターホイスト免震装置を使用したビル本体に対して、固定金属板とコンクリート天盤仕上げ用複数鋼鉄穴とコンクリート穴と高出力電磁石板と高出力六角形状圧電素子連結型発電回路を使った高出力六角形状圧電素子連結発電回路型レールモーターホイスト免震装置に成り、高出力六角形状圧電素子連結発電回路型コイル無レールモーターの応用参考図に成る装置の産業上の利用可能性。
此の場合でも、コンクリート床の厚鉄板に対して複数穴開きの鋼鉄板は、鉄筋溶接のコンクリート打設仕上げの免震装置の鋼鉄板のボルト止め及び溶接固定型の全自動振動調整装置等の高出力六角形状圧電素子連結型レールモーターの積載使用の免震装置に成る装置の産業上の利用可能性。
【０１９６】
第２４の産業上の利用可能性として、図８６の高出力多層式複数コイル内蔵型電磁石免震板は、プラス配線Ｋとマイナス配線Ｋと圧電素子４電子磁気分割装置と高出力六角形状圧電素子連結埋め込み型発電回路を使った高出力六角形状圧電素子連結発電回路型コイル無レールモーターの応用参考図に成り、免震装置の、電磁石反発システムの故障の場合は、コロ免震が作動する事に対して、コロ免震自体がモーターの地震の揺れ調整型免震装置に成る装置の産業上の利用可能性。
従って、コロ免震は、電磁石反発免震装置に成る装置の産業上の利用可能性。
【０１９７】
第２５の産業上の利用可能性として、図８７の自動車の異なったシートベルトと異なる安全装置に成り、頭部分と背もたれ部分とシート弱アルファ放射線パネルカメラセンサーバンドと高出力六角形状圧電素子連結発電回路型棒状レールモーターと三重エアーチューブ型綿網チューブ内蔵型椅子クッション調整装置と椅子部分と姿勢調整モーターエアー袋装置と高出力六角形状圧電素子連結発電回路型リクライニング制御レールモーター装置付の自動車の異なったシートベルトと異なる安全装置に成る高出力六角形状圧電素子連結発電回路型コイル無レールモーターの応用参考図に成る装置の産業上の利用可能性。
従って、高出力六角形状圧電素子連結発電回路を複数内蔵擦ると同時に、磁力線シートとして使用出来る他社に無い自動車椅子構造説明に成る装置の産業上の利用可能性。
【０１９８】
第２６の産業上の利用可能性として、図８８の、熱瞬間吸収発電スクリュー管とネジ部分Ｋと熱水と二重ロック装置と高出力六角形状圧電素子連結型シリコン部分カバー発電回路体に対して、高出力六角形状圧電素子連結発電回路型コイル無レールモーターの応用参考図に成る装置の産業上の利用可能性。
従って、スクリュー配管は、二重及び三重及び四重構造の熱瞬間吸収発電スクリュー管に成り、高出力六角形状圧電素子連結型シリコン部分カバー発電回路体の内蔵の有り方では、真空発電回路体等が、考えられる装置構造説明に成る装置の産業上の利用可能性。
従って、ガス抜きボルトコック付に成る装置の産業上の利用可能性。
【０１９９】
第２７の産業上の利用可能性として、図８９の、沸騰水発電タンク部分と水位センサーと蒸気発生タンク水量確認カメラと高出力電動仕切り弁と循環蒸気回収管と圧電素子４電子磁気分割装置Ｋと再生循環蒸気送り管と高出力圧電素子粒子入り軽水素内蔵シリコンと高出力六角形状圧電素子連結型発電回路Ｋに成る高出力六角形状圧電素子連結発電回路型コイル無レールモーターの応用参考図に成る装置の産業上の利用可能性。
従って、沸騰水タンクに対して、熱瞬間吸収発電シートの上に、高出力六角形状圧電素子連結発電回路を積載した高出力六角形状圧電素子連結発電回路型コイル無レールモーターの応用参考図に成る装置の産業上の利用可能性。
【０２００】
第２８の産業上の利用可能性として、図９３の、高出力四角形状圧電素子連結型発電回路型コイル無レールモーターＬと高出力インバータスイッチＬとプラス配線Ｌとマイナス配線Ｌとアルミニウムモーターカバー装置に対して高出力六角形状圧電素子連結発電回路型コイル無レールモーターの応用参考図に成る装置の産業上の利用可能性。
異なったモーターデザインに成り、問題視は、高出力イオン磁気の電磁誘導発電が度の位発電出来るかが問題点に成る装置の産業上の利用可能性。
【０２０１】
第２９の産業上の利用可能性として、図９４の、高出力楕円形状圧電素子連結型発電回路型コイル無レールモーターＭと高出力インバータスイッチＭとプラス配線Ｍとマイナス配線Ｍとアルミニウムモーターカバー装置Ｍ装置に対して高出力六角形状圧電素子連結発電回路型コイル無レールモーターの応用参考図に成る装置の産業上の利用可能性。
異なったモーターデザインに成り、問題視は、高出力イオン磁気の電磁誘導発電が度の位発電出来るかが問題点に成る装置の産業上の利用可能性。
【０２０２】
第３０の産業上の利用可能性として、図９５の、高出力三角形状圧電素子連結型発電回路型コイル無レールモーターＮに対して、高出力インバータスイッチＮとプラス配線Ｎとマイナス配線Ｎとアルミニウムモーターカバー装置Ｎ構造の高出力六角形状圧電素子連結発電回路型コイル無レールモーターの応用参考図に成る装置の産業上の利用可能性。
【０２０３】
第３１の産業上の利用可能性として、図９６の、高出力四角形状圧電素子連結型発電回路型レールモーターＯに対して、高出力インバータスイッチＯとプラス配線Ｏとマイナス配線Ｏとアルミニウムモーターカバー装置Ｏ構造の高出力六角形状圧電素子連結発電回路型コイル無レールモーターの応用参考図に成る装置の産業上の利用可能性。
異なったモーターデザインに成り、問題視は、高出力イオン磁気の電磁誘導発電が度の位発電出来るかが問題点に成る装置の産業上の利用可能性。
【０２０４】
第３２の産業上の利用可能性として、図９７の、高出力楕円形状圧電素子連結型発電回路型レールモーターＰに対して、高出力インバータスイッチＰとプラス配線Ｐとマイナス配線Ｐとアルミニウムモーターカバー装置Ｐ構造の高出力六角形状圧電素子連結発電回路型コイル無レールモーターの応用参考図に成る装置の産業上の利用可能性。
異なったモーターデザインに成り、問題視は、高出力イオン磁気の電磁誘導発電が度の位発電出来るかが問題点に成る装置の産業上の利用可能性。
【０２０５】
第３３の産業上の利用可能性として、図９８の、高出力三角形状圧電素子連結型発電回路型レールモーターＱに対して、高出力インバータスイッチＱとプラス配線Ｑとマイナス配線Ｑとアルミニウムモーターカバー装置Ｑ構造の高出力六角形状圧電素子連結発電回路型コイル無レールモーターの応用参考図に成る装置の産業上の利用可能性。
異なったモーターデザインに成り、問題視は、高出力イオン磁気の電磁誘導発電が度の位発電出来るかが問題点に成る装置の産業上の利用可能性。
【０２０６】
第３４の産業上の利用可能性として、図９９の、高出力六角形状圧電素子連結発電回路型コイル無レールモーター仕切り弁装置ＱＱに対して、薬剤注入管ＱＱと薬剤分解用曲線突起装置ＱＱと通常太巻き高周波銅コイル装置ＱＱとプラス電気配線ＱＱとマイナス電気配線ＱＱとモーター土台ＱＱと高出力高速リレー装置ＱＱ構造の高出力六角形状圧電素子連結発電回路型コイル無レールモーターの応用参考図に成る装置の産業上の利用可能性。
従って、新しい新薬の遠心分離機に依って、作り出す為の装置に成る装置の産業上の利用可能性。
【０２０７】
第３５の産業上の利用可能性として、図１００の、高出力六角形状圧電素子連結発電回路型コイル無レールモーター仕切り弁装置Ｒに対して、薬剤注入管Ｒと薬剤分解用角材突起装置Ｒと高出力電磁弁Ｒと高出力六角形状圧電素子連結発電回路型棒状レールモーターＲと薬剤取り込み風車Ｒと高出力高速リレー装置Ｒとプラス電気配線Ｒとマイナス電気配線Ｒとモーター土台Ｒと高出力六角形状圧電素子連結発電回路型コイル無レールモーターＲ構造の高出力六角形状圧電素子連結発電回路型コイル無レールモーターの応用参考図に成る装置の産業上の利用可能性。
従って、新しい新薬の遠心分離機に依って、作り出す為の装置に成る装置の産業上の利用可能性。
【０２０８】
第３６の産業上の利用可能性として、図１０１の、高出力六角形状圧電素子連結発電回路型コイル無レールモーター仕切り弁装置Ｓに対して、ボルト部分Ｓと薬剤注入管Ｓと通常太巻き高周波銅コイル装置Ｓと薬剤分解用斜線突起装置Ｓと高出力コンプレッサーエアー循環噴出口Ｓと上部薬剤取り込み用電動仕切り弁Ｓと薬剤放出用高出力六角形状圧電素子連結発電回路型コイル無レールモーター仕切り弁装置Ｓと下部薬剤取り込み用電動仕切り弁Ｓとマイナス電気配線Ｓとプラス電気配線Ｓと高出力高速リレー装置Ｓと遠心分離機下部薬剤取り出し高出力六角形状圧電素子連結発電回路型コイル無レールモーター仕切り弁口Ｓと高出力モーター扉Ｓと高出力コンプレッサーＳと遠心分離機上部薬剤取り出し高出力六角形状圧電素子連結発電回路型コイル無レールモーター仕切り弁口Ｓ構造の高出力六角形状圧電素子連結発電回路型コイル無レールモーターの応用参考図に成る装置の産業上の利用可能性。
従って、新しい新薬の遠心分離機に依って、作り出す為の装置に成る装置の産業上の利用可能性。
【０２０９】
第３７の産業上の利用可能性として、図１０８の、福島原子力発電所の水止め方法に対して、原子力建屋と複数個所水中ポンプと水中ポンプとドリル杭と岩盤まで掘削してコンクリート打設と複数個所と防波堤と高出力三連水中ポンプと海の水と海側の水を止める事の出来る水中ポンプ装置構造の高出力六角形状圧電素子連結発電回路型コイル無レールモーターの応用参考図に成る装置の産業上の利用可能性。
福島県の原子力発電所の地下浸水を止める手段とした冷却凍土方式と異なるコンクリート擁壁工法に成る装置の産業上の利用可能性。
【０２１０】
第３８の産業上の利用可能性として、図１０９の、低電気消費アルゴンフッ化カルシウム発光発電ライトに対して、マイナス電気回収配線とプラス電気回収配線とプラス磁力線アルゴンフッ化カルシウム発光高速電気磁力線発光ライトとマイナス磁力線アルゴンフッ化カルシウム発光高速電気磁力線発光ライト装置構造の高出力六角形状圧電素子連結発電回路型コイル無レールモーターの応用参考図に成る装置の産業上の利用可能性。
現在の、発光ＬＥＤライト及び高出力発光ＬＥＤライト依り、更に、電気消費の少ないライトの新しい玉構造に成る装置の産業上の利用可能性。
【０２１１】
第３９の産業上の利用可能性として、図１１０の、高出力六角形状圧電素子連結内蔵型アルゴン軽水素フッ化カルシウム窒素三重発光グラスファィバーライトに対して、超長プラススクリュー一巻きコイル電気増幅スピード循環電気配線と超長マイナススクリュー一巻きコイル電気増幅スピード循環電気配線とプラス圧電素子４電子磁気分割装置とマイナス圧電素子４電子磁気分割装置と電気抵抗ゼロプラス電気配線と電気抵抗ゼロマイナス電気配線とプラス三重ライトとマイナス三重ライトとプラス電気配線とマイナス電気配線とアルゴン軽水素フッ化カルシウム窒素合成ライト部分装置構造の高出力六角形状圧電素子連結発電回路型コイル無レールモーターの応用参考図に成る装置の産業上の利用可能性。
現在の、発光ＬＥＤライト及び高出力発光ＬＥＤライト依り、更に、電気消費の少ないライトの新しい玉構造に成る装置の産業上の利用可能性。
【０２１２】
第４０の産業上の利用可能性として、図１１３の、高出力六角形状圧電素子連結型発電回路電磁力線装置Ｕに対して、高出力六角形状圧電素子連結型レールモーター電磁誘導発電装置Ｕとスクリュー部分Ｕと菜種油部分Ｕと竹灰入りセラミック部分Ｕと刺し込み固定のボルトリング止め構造の竹灰入りセラミックＵと循環配管Ｕと発電機四重カバーＵと三連スクリュー三重配管Ｕと振動防止材に赤粘土ビニールゴム煉り材使用固定粘土Ｕ装置構造の高出力六角形状圧電素子連結発電回路型コイル無レールモーターの応用参考図に成る装置の産業上の利用可能性。
菜種油沸騰発電機は、通常の水で無い、軽水素酸素水を使った循環菜種油沸騰発電機は、菜種油を使う事で、冷えづらい発電機構造にした新技術沸騰水発電機に成る装置の産業上の利用可能性。
【０２１３】
第４１の産業上の利用可能性として、図１１４の、本考案の高出力六角形状圧電素子連結発電回路型コイル無ライトレールモーターの冷却型高出力真空装置瞬間乾燥機に対して、高出力真空装置六角形状圧電素子連結型コイル無レールモーターとＳ字型止め枠板装置と銅筒管と鉛銅アルミニウム部分と微量ヘリウム窒素炭素複数穴空き冷却物質を使った冷却型高出力真空装置瞬間乾燥機のモーター技術参考説明図装置の産業上の利用可能性。
此の場合は、瞬間真空装置乾燥機の別の形式に成り、瞬間真空装置洗濯乾燥機に成り、毛布でも、３分以内で、瞬間乾燥出来る洗濯乾燥機の乾燥装置部分に成り、洗濯乾燥時間が今までの時間を大幅短縮出来る世界トップ技術説明に成る装置の産業上の利用可能性。
【０２１４】
第４２の産業上の利用可能性として、図１１５の、パチンコ機械のシャッター式誘導弾高出力モーター入賞装置に対して、手元ダイヤル入力プラスアルファ干支絵文字図柄設定数字プラス入賞型高出力パチンコ遊戯装置とシャッター式高出力モーター風車装置と部分グラスファィバープラスチック高出力モーター釘板装置とシャッター式高出力モーター玉釘装置とシャッター式高出力モーター釘装置とエアー加湿機装置とシャッター式玉洗い高出力モーター装置とシャッター式高出力モーターライト釘装置と干支絵組合せ文字を使った特殊パチンコ機械に成り、高出力六角形状圧電素子連結発電回路型コイル無ライトレールモーターの技術参考説明図装置の産業上の利用可能性。
此の場合は、現在有るパチンコの大当たり方式を、一遍指せる釘等の構造を、大幅に変えたパチンコ機種の部品説明に成り、モータースイッチで、パチンコ台のデザイン風景が一変擦る最新式の高出力六角形状圧電素子連結発電回路型コイル無ライトレールモーターを使った装置の産業上の利用可能性。
【０２１５】
第４３の産業上の利用可能性として、図１１６の、発電回路発電機は、鉄塔に対して川水そして滝を使った水力式ダイナモ→高出力六角形状圧電素子連結発電回路内蔵型ダイナモと高出力六角形状地下圧電素子連結型電気増幅発電回路に於いて、送電線とプラス送電線とマイナス送電線と変圧器と圧電素子４電子磁気分割装置に依ってプラス増幅電気とマイナス増幅電気が出来る発電回路発電機に対して高出力六角形状圧電素子連結発電回路型コイル無レールモーターの技術応用参考図に成る装置の産業上の利用可能性。
これは、未来及び将来的の発電装置に成り、原子力発電所を全てなくして、火力発電所を全てなくして、水力発電所の電気エネルギーを増幅発電させて一般家庭及び企業に電気販売擦る技術説明に成る装置の産業上の利用可能性。
【図面の簡単な説明】
【０２１６】
【図１】本考案の高出力六角形状圧電素子連結発電回路型コイル無ライトレールモーターの高出力六角形状圧電素子磁石体の滑落崩壊防止の為の防護装置の説明及び軽水素入りインバータ装置の設置説明と圧電素子４電子磁気分割装置の配置説明図。
【図２】本考案の高出力六角形状圧電素子連結発電回路型コイル無ライトレールモーターの上面図と側面図。
【図３】本考案の高出力六角形状圧電素子連結発電回路型コイル無ライトレールモーターの側面図。
【図４】本考案の高出力六角形状圧電素子連結発電回路型コイル無ライトレールモーターのライト構造説明図。
【図５】本考案の高出力六角形状圧電素子連結発電回路型コイル無ライトレールモーター使用の高出力７連結以上六角形状圧電素子連結発電回路型コイル無ライトレールモーターの構造説明平面図。
【図６】本考案の高出力六角形状圧電素子連結発電回路型コイル無ライトレールモーター使用の高出力六角形状圧電素子参乗連結発電回路型コイル無ライトレールモーター平面図。
【図７】本考案の高出力六角形状圧電素子連結発電回路型コイル無ライトレールモーター使用の高出力７連結以上六角形状圧電素子連結発電回路型コイル無ライトレールモーターの構造説明平面図。
【図８】本考案の高出力六角形状圧電素子連結発電回路型コイル無ライトレールモーター使用の高出力六角形状圧電素子参乗連結発電回路型コイル無ライトレールモーター平面図と高出力圧電素子の多層式の構造説明図。
【図９】本考案の高出力六角形状圧電素子連結発電回路型コイル無ライトレールモーター使用の高出力六角形状圧電素子参乗連結発電回路型コイル無レールダイナモモーター参考平面図。
【図１０】本考案の高出力六角形状圧電素子連結発電回路型コイル無ライトレールモーター使用の高出力六角形状圧電素子参乗連結発電回路型異種２連結以上コイル無ライトレールモーター参考平面図。
【図１１】本考案の高出力六角形状圧電素子連結発電回路型コイル無ライトレールモーター使用の高出力六角形状圧電素子参乗連結発電回路型軽量歯車コイル無ライトレールモーター参考平面図。
【図１２】本考案の高出力六角形状圧電素子連結発電回路型コイル無ライトレールモーターが現在考案されるまでの旧レールモーター及び旧棒状レールモーターが現在の高出力六角形状圧電素子連結発電回路型コイル無ライトレールモーターに成るまでのモーター構造の変化と技術進化の説明図。
【図１３】本考案の高出力六角形状圧電素子連結発電回路型コイル無ライトレールモーターに欠かせない高出力銅筒管コイル配線及び電気配線の変化と進化の説明図。
【図１４】本考案の高出力六角形状圧電素子連結発電回路型コイル無ライトレールモーターに欠かせない高出力圧電素子磁石体が何故六角形状までに、変化して進化して来た経緯の説明図。
【図１５】本考案の高出力六角形状圧電素子連結発電回路型コイル無ライトレールモーターの燃えにくいプラスチックゴム絶縁体の説明図。
【図１６】本考案の高出力六角形状圧電素子連結発電回路型コイル無ライトレールモーターの高出力インバータの構造説明図。
【図１７】本考案の高出力六角形状圧電素子連結発電回路型コイル無ライトレールモーターの発電三重発光ライトの構造説明図。
【図１８】本考案の高出力六角形状圧電素子連結発電回路型コイル無ライトレールモーターの発電三重発光ライトの考案日を特定出来る証拠の北海道知事宛てのハガキ説明図。
【図１９】本考案の高出力六角形状圧電素子連結発電回路型コイル無ライトレールモーターの高出力六角形状圧電素子連結発電回路を使った内コル式の内カバーの構造説明参考図。
【図２０】本考案の高出力六角形状圧電素子連結発電回路型コイル無ライトレールモーターに欠かせない高出力六角形状圧電素子連結発電回路磁石体に成るまでの経緯を説明した参考平面図。
【図２１】本考案の高出力六角形状圧電素子連結発電回路型コイル無ライトレールモーターの二重発光ライト高出力六角形状圧電素子連結型コイル無レールモーターＴ装置の参考説明図。
【図２２】本考案の高出力六角形状圧電素子連結発電回路型コイル無ライトレールモーターの高出力ＣＭＯＳインバータモーター磁気回路スイッチの参考説明図。
【図２３】本考案の高出力六角形状圧電素子連結発電回路型コイル無ライトレールモーターの別の高出力ＣＭＯＳインバータモーター磁気回路スイッチの参考説明図。
【図２４】本考案の高出力六角形状圧電素子連結発電回路型コイル無ライトレールモーターの旧レールモーター参考改良図Ａの参考説明図。
【図２５】本考案の高出力六角形状圧電素子連結発電回路型コイル無ライトレールモーターの高出力六角形状圧電素子連結発電回路型コイル無ライトレールモーターの参考説明図。
【図２６】本考案の高出力六角形状圧電素子連結発電回路型コイル無ライトレールモーターの半圧縮ガラスを使った高出力六角形状圧電素子連結発電回路付の三重発光ライトパネルの参考説明図。
【図２７】本考案の高出力六角形状圧電素子連結発電回路型コイル無ライトレールモーターの二重構造絶縁体リレー装置の参考説明図。
【図２８】本考案の高出力六角形状圧電素子連結発電回路型コイル無ライトレールモーターの超高速リニア発電回路モーターカーの電磁石構造の参考説明図。
【図２９】本考案の高出力六角形状圧電素子連結発電回路型コイル無ライトレールモーターの二重構造絶縁体リレー装置の参考説明図。
【図３０】本考案の高出力六角形状圧電素子連結発電回路型コイル無ライトレールモーターの超高速リニア発電回路モーターカーは軽水素イオン管入り浮上用高出力六角形状圧電素子連結発電回路型電磁石と軽水素イオン管入り推進用高出力六角形状圧電素子連結発電回路型電磁石と高出力銅筒管コイル配線Ｅと三重連結構造高出力圧電素子合成電磁石と水路構造の超高速リニア発電回路モーターカーの参考説明図。
【図３１】本考案の高出力六角形状圧電素子連結発電回路型コイル無ライトレールモーターの高出力六角形状軽水素入り圧電素子磁石体連結発電回路イオン電磁圧電発電型コイル無電池無補助モーター自転車は足踏み扱ぎ装置と高出力六角形状圧電素子連結型発電回路Ｅ と前輪高出力電磁誘導圧電素子連結六角形状発電装置と後輪高出力電磁誘導圧電素子連結六角形状発電装置と第一補助高出力電磁誘導圧電素子連結六角形状発電装置と第二補助高出力電磁誘導圧電素子連結六角形状発電装置とボルトＥとカバーＥとボルト止め装置Ｅとカバー止め突起装置Ｅ構造の高出力六角形状軽水素入り圧電素子磁石体連結発電回路イオン電磁圧電発電型コイル無電池無補助モーター自転車の参考図
【図３２】本考案の高出力六角形状圧電素子連結発電回路型コイル無ライトレールモーターの大気イオン磁力線気化熱風発生型太陽光熱イオンエネルギー発電始動回転型連結圧電素子発電回路風力フォース発電装置システムは、軽量風受け羽根装置と高出力六角形状圧電素子連結発電回路型シート内蔵型軽水素圧電素子粒子入りシリコンダイオード熱光瞬間吸収ソーラーパネルと風車軸に対して、二枚風車と風返し羽根装置とイオン電磁波送信口とイオン電磁波受信口と雨貯水タンクＥとイオン蒸気放出口と高出力軽水素イオン磁気電磁誘導発電装置を使った大気イオン磁力線気化熱風発生型太陽光熱イオンエネルギー発電始動回転型連結圧電素子発電回路風力フォース発電装置システムに成り、本考案の高出力六角形状圧電素子連結発電回路型コイル無ライトレールモーターの高出力六角形状圧電素子連結発電回路を使った発電システムの参考図
【図３３】本考案の高出力六角形状圧電素子連結発電回路型コイル無ライトレールモーターの図３３と図３４は、図３０の著作権特許考案に対しての、北海道知事宛てに提出した日本の弱者一人一人の財団が作る地下リニアモーターカーの本考案参考図の二つに切った図をハガキに貼りつけて、北海道知事宛てに送付した証拠のモーター技術参考図。
【図３４】本考案の高出力六角形状圧電素子連結発電回路型コイル無ライトレールモーターの図３３と図３４は、図３０の著作権特許考案に対しての、北海道知事宛てに提出した日本の弱者一人一人の財団が作る地下リニアモーターカーの本考案参考図の二つに切った図をハガキに貼りつけて、北海道知事宛てに送付した証拠のモーター技術参考図。
【図３５】本考案の高出力六角形状圧電素子連結発電回路型コイル無ライトレールモーターの著作権特許考案に対しての、北海道知事宛てに提出した日本の弱者一人一人の財団が作る高出力六角形状軽水素入り圧電素子磁石体連結発電回路イオン電磁圧電発電型コイル無電池無補助モーター自転車に成り、本考案の、高出力六角形状圧電素子連結発電回路型コイル無ライトレールモーターを応用した高出力六角形状軽水素入り圧電素子磁石体連結発電回路イオン電磁圧電発電型コイル無電池無補助モーター自転車の本考案参考図の二つに切った図をハガキに貼りつけて、北海道知事宛てに送付した証拠のモーター技術参考図。
【図３６】本考案の高出力六角形状圧電素子連結発電回路型コイル無ライトレールモーターの著作権特許考案に対しての、北海道知事宛てに提出した日本の弱者一人一人の財団が作る高出力六角形状軽水素入り圧電素子磁石体連結発電回路イオン電磁圧電発電型コイル無電池無補助モーター自転車に成り、本考案の、高出力六角形状圧電素子連結発電回路型コイル無ライトレールモーターを応用した高出力六角形状軽水素入り圧電素子磁石体連結発電回路イオン電磁圧電発電型コイル無電池無補助モーター自転車の本考案参考図の二つに切った図をハガキに貼りつけて、北海道知事宛てに送付した証拠のモーター技術参考図。
【図３７】本考案の高出力六角形状圧電素子連結発電回路型コイル無ライトレールモーターの著作権特許考案に対しての、北海道知事宛てに提出した日本の弱者一人一人の財団が作る大気イオン磁力線気化熱風発生型太陽光熱イオンエネルギー発電始動回転型連結圧電素子発電回路風力フォース発電装置システム、本考案の、高出力六角形状圧電素子連結発電回路型コイル無ライトレールモーターを応用した大気イオン磁力線気化熱風発生型太陽光熱イオンエネルギー発電始動回転型連結圧電素子発電回路風力フォース発電装置システムの本考案参考図の二つに切った図をハガキに貼りつけて、北海道知事宛てに送付した証拠のモーター技術参考図。
【図３８】本考案の高出力六角形状圧電素子連結発電回路型コイル無ライトレールモーターの著作権特許考案に対しての、北海道知事宛てに提出した日本の弱者一人一人の財団が作る大気イオン磁力線気化熱風発生型太陽光熱イオンエネルギー発電始動回転型連結圧電素子発電回路風力フォース発電装置システム、本考案の、高出力六角形状圧電素子連結発電回路型コイル無ライトレールモーターを応用した大気イオン磁力線気化熱風発生型太陽光熱イオンエネルギー発電始動回転型連結圧電素子発電回路風力フォース発電装置システムの本考案参考図の二つに切った図をハガキに貼りつけて、北海道知事宛てに送付した証拠の参考図。
【図３９】本考案の高出力六角形状圧電素子連結発電回路型コイル無ライトレールモーターのニューヒグマ世界観光船推進装置モーターの参考説明図。
【図４０】本考案の高出力六角形状圧電素子連結発電回路型コイル無ライトレールモーターの著作権特許考案に対しての、北海道知事宛てに提出した日本の弱者一人一人の財団が作るニューヒグマ世界観光船に成り、本考案の、高出力六角形状圧電素子連結発電回路型コイル無ライトレールモーターを応用した高出力電動仕切り弁内蔵型サイドバランサーモータースクリューと高出力六角形状３乗圧電素子連結型７連結以上コイル無レールモーターと防護用高出力電動仕切り弁カバーと軽量竹灰入りグラスファイバー錆防止パネル部分と第一鋼鉄板セラミックアルミニウム錆防止塗装板部分と竹灰入りゴム部分と第二鋼鉄板セラミックアルミニウム錆防止塗装板部分を応用積載した本考案参考図の二つに切った図をハガキに貼りつけて、北海道知事宛てに送付した証拠のハガキに貼りつけた図４０と図４１のモーター参考図。
【図４１】本考案の高出力六角形状圧電素子連結発電回路型コイル無ライトレールモーターの著作権特許考案に対しての、北海道知事宛てに提出した日本の弱者一人一人の財団が作るニューヒグマ世界観光船に成り、本考案の、高出力六角形状圧電素子連結発電回路型コイル無ライトレールモーターを応用した高出力電動仕切り弁内蔵型サイドバランサーモータースクリューと高出力六角形状３乗圧電素子連結型７連結以上コイル無レールモーターと防護用高出力電動仕切り弁カバーと軽量竹灰入りグラスファイバー錆防止パネル部分と第一鋼鉄板セラミックアルミニウム錆防止塗装板部分と竹灰入りゴム部分と第二鋼鉄板セラミックアルミニウム錆防止塗装板部分を応用積載した本考案参考図の二つに切った図をハガキに貼りつけて、北海道知事宛てに送付した証拠のハガキに貼りつけた図４０と図４１のモーター参考図。
【図４２】本考案の高出力六角形状圧電素子連結発電回路型コイル無ライトレールモーターの新バージョン二層構造電気抵抗ゼロ回路配線モーター回路の参考図。
【図４３】本考案の高出力六角形状圧電素子連結発電回路型コイル無ライトレールモーターの全自動位置帰還型海上海底地図高認識目印Ｓ０Ｓビグ装置のモーター参考図。
【図４４】本考案の高出力六角形状圧電素子連結発電回路型コイル無ライトレールモーターの高出力六角形状圧電素子連結発電回路の改良型と高出力六角形状圧電素子連結発電回路ソーラーパネル改良装置モーター技術参考図。
【図４５】本考案の高出力六角形状圧電素子連結発電回路型コイル無ライトレールモーターの新バージョン二層構造電気抵抗ゼロ回路配線は、本著作権考案の高出力六角形状圧電素子連結発電回路型コイル無ライトレールモーターの回路説明した本考案参考図の図をハガキに貼りつけて、北海道知事宛てに送付した証拠のハガキに貼りつけた図４５の参考図。
【図４６】本考案の高出力六角形状圧電素子連結発電回路型コイル無ライトレールモーターの全自動位置帰還型海上海底地図高認識目印Ｓ０Ｓビグ装置図は、本著作権考案の高出力六角形状圧電素子連結発電回路型コイル無ライトレールモーターを使用した本考案参考図の図をハガキに貼りつけて、北海道知事宛てに送付した証拠のハガキに貼りつけた図４６の参考図。
【図４７】本考案の高出力六角形状圧電素子連結発電回路型コイル無ライトレールモーターの９高出力プロペラモーター飛行機のモーター技術参考図。
【図４８】本考案の高出力六角形状圧電素子連結発電回路型コイル無ライトレールモーターの別の９高出力プロペラモーター飛行機のモーター技術参考図。
【図４９】本考案の高出力六角形状圧電素子連結発電回路型コイル無ライトレールモーターの電動前デカタイヤ車のモーター技術参考図。
【図５０】本考案の高出力六角形状圧電素子連結発電回路型コイル無ライトレールモーターの著作権特許考案に対しての、北海道知事宛てに提出した日本の弱者一人一人の財団が作る図４９の電動前デカタイヤ車に成り、本考案参考図の二つに切った図をハガキに貼りつけて、北海道知事宛てに送付した証拠のハガキに貼りつけた図５０と図５１の参考図。
【図５１】本考案の高出力六角形状圧電素子連結発電回路型コイル無ライトレールモーターの著作権特許考案に対しての、北海道知事宛てに提出した日本の弱者一人一人の財団が作る図４９の電動前デカタイヤ車に成り、本考案参考図の二つに切った図をハガキに貼りつけて、北海道知事宛てに送付した証拠のハガキに貼りつけた図５０と図５１の参考図。
【図５２】本考案の高出力六角形状圧電素子連結発電回路型コイル無ライトレールモーターの超高速電気観光船ヒグマ推進装置は、高出力電動仕切り弁窓装置と高出力サイドスクリューモーターと二重発光ライトカメラとスクリューソナー波発射装置とスクリュー低周波発射装置と高出力弱ガンマ放射線飛散防止パネルカメラと高出力六角形状圧電素子連結発電回路型レールモータースクリュー装置積載の高出力六角形状圧電素子連結発電回路技術を応用した著作権のモーターデザイン構造の異なる技術使用作品の配置参考図。
【図５３】本考案の高出力六角形状圧電素子連結発電回路型コイル無ライトレールモーターの超高速電気観光船ヒグマ推進装置は、高出力超高速５連結×ギアスクリューモーターと高出力１５連結スクリューモーターと高出力サイドスクリューモーターと立体ニャン高出力ライトラインカメラ装置と立体ワン高出力ライトラインカメラ装置を積載内蔵した図５３の超高速電気観光船ヒグマ推進装置の配置参考図。
【図５４】本考案の高出力六角形状圧電素子連結発電回路型コイル無ライトレールモーターの高出力リニアモーターロケットは、と高出力リニアモーターロケット補助推進用スクリューエアー高速装置と高出力リニアモーターサイド移動補助推進電磁石装置と高出力リニアモーター多層連結高出力電磁石装置を使った図５４の高出力リニアモーターロケットの高出力六角形状圧電素子連結発電回路技術を応用した著作権のモーターデザイン構造の異なる技術使用作品の概略モーター部品配置位置参考図。
【図５５】本考案の高出力六角形状圧電素子連結発電回路型コイル無ライトレールモーターの６プロペラ山岳ヘリコプター は複数カラー光ライン装置と複数電波キャッチ体と高出力六角形状圧電素子連結型発電回路Ｇと二重発光ライトカメラ装置と分離型貯蓄電池体と風止め突起羽根装置部分と位置固定全自動確認型ＧＰＳとアンテナ型太陽光熱瞬間吸収発電パネルの高出力六角形状圧電素子連結発電回路技術を応用した著作権のモーターデザイン構造の異なる技術使用作品の参考図のモーター配置と特開２０１３―２４２８８２号の国会議員が必ず読んで借金返済対策を決めなければ成らない国と都道府県市町村区の全額借金返済の為の著作権５０００図未満の公開文書図と著作権編集機著作権原本。（企業と国及び都道府県市町村が特許権で無い企業の特許提出によって著作権編集機著作権原本商品を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の新技術の著作権物技術に記載去れて要る６プロペラ山岳ヘリコプターなどの複数プロペラの著作権参考図。
【図５６】本考案の高出力六角形状圧電素子連結発電回路型コイル無ライトレールモーターの超高速電気観光船ヒグマ推進装置に対して、著作権特許考案に対しての、北海道知事宛てに提出した日本の弱者一人一人の財団が作る図５３の超高速電気観光船ヒグマ推進装置に成り、本考案参考図の二つに切った図をハガキに貼りつけて、北海道知事宛てに送付した証拠のハガキに貼りつけた図５６と図５７の参考図。
【図５７】本考案の高出力六角形状圧電素子連結発電回路型コイル無ライトレールモーターの超高速電気観光船ヒグマ推進装置に対して、著作権特許考案に対しての、北海道知事宛てに提出した日本の弱者一人一人の財団が作る図５３の超高速電気観光船ヒグマ推進装置に成り、本考案参考図の二つに切った図をハガキに貼りつけて、北海道知事宛てに送付した証拠のハガキに貼りつけた図５６と図５７の参考図。
【図５８】本考案の高出力六角形状圧電素子連結発電回路型コイル無ライトレールモーターの超高速電気観光船ヒグマ推進装置に対して、著作権特許考案に対しての、北海道知事宛てに提出した日本の弱者一人一人の財団が作る図５３の超高速電気観光船ヒグマ推進装置に成り、本考案参考図の二つに切った図をハガキに貼りつけて、北海道知事宛てに送付した証拠のハガキに貼りつけた図５８と図５９の参考図。
【図５９】本考案の高出力六角形状圧電素子連結発電回路型コイル無ライトレールモーターの超高速電気観光船ヒグマ推進装置に対して、著作権特許考案に対しての、北海道知事宛てに提出した日本の弱者一人一人の財団が作る図５３の超高速電気観光船ヒグマ推進装置に成り、本考案参考図の二つに切った図をハガキに貼りつけて、北海道知事宛てに送付した証拠のハガキに貼りつけた図５８と図５９の参考図。
【図６０】本考案の高出力六角形状圧電素子連結発電回路型コイル無ライトレールモーターの高出力リニアモーターロケットに対して、著作権特許考案に対しての、北海道知事宛てに提出した日本の弱者一人一人の財団が作る図５４の高出力リニアモーターロケットに成り、本考案参考図の二つに切った図をハガキに貼りつけて、北海道知事宛てに送付した証拠のハガキに貼りつけた図６０と図６１の参考図。
【図６１】本考案の高出力六角形状圧電素子連結発電回路型コイル無ライトレールモーターの高出力リニアモーターロケットに対して、著作権特許考案に対しての、北海道知事宛てに提出した日本の弱者一人一人の財団が作る図５４の高出力リニアモーターロケットに成り、本考案参考図の二つに切った図をハガキに貼りつけて、北海道知事宛てに送付した証拠のハガキに貼りつけた図６０と図６１の参考図。
【図６２】本考案の高出力六角形状圧電素子連結発電回路型コイル無ライトレールモーターの高出力サイドスクリューモーターと立体ニャン高出力ライトラインカメラ装置と立体ワン高出力ライトラインカメラ装置と高出力リニアモーターロケットと高出力リニアモーターロケット補助推進用スクリューエアー高速装置と高出力リニアモーターサイド移動補助推進電磁石装置と高出力リニアモーター多層連結高出力電磁石装置と６プロペラ山岳ヘリコプター と複数カラー光ライン装置と複数電波キャッチ体と高出力六角形状圧電素子連結型発電回路Ｇと二重発光ライトカメラ装置と分離型貯蓄電池体と風止め突起羽根装置部分と位置固定全自動確認型ＧＰＳとアンテナ型太陽光熱瞬間吸収発電パネルとアルミニウム軽水素入りプラスチック発砲スチロール粒子入り補助充電池プラス転倒防止タンク装置とアルミニウム軽水素入りプラスチック発砲スチロール粒子入り補助充電池マイナス転倒防止タンク装置と軽水素イオンバリウムガスタンクと高出力イオン電磁誘導発電装置と高出力六角形状圧電素子連結型発電回路構造の異なる技術使用作品の超高速電気観光船ヒグマ観光船の参考図のモーター技術部品の配置説明図。
【図６３】本考案の高出力六角形状圧電素子連結発電回路型コイル無ライトレールモーターの新高出力六角形状圧電素子連結型発電回路の参考説明図。
【図６４】本考案の高出力六角形状圧電素子連結発電回路型コイル無ライトレールモーターの超高速電気観光船ヒグマ推進装置に対して、著作権特許考案に対しての、北海道知事宛てに提出した日本の弱者一人一人の財団が作る図５３の超高速電気観光船ヒグマ推進装置に成り、本考案参考図の二つに切った図をハガキに貼りつけて、北海道知事宛てに送付した証拠のハガキに貼りつけた図５８と図５９の参考図。
【図６５】本考案の高出力六角形状圧電素子連結発電回路型コイル無ライトレールモーターの超高速電気観光船ヒグマ推進装置に対して、著作権特許考案に対しての、北海道知事宛てに提出した日本の弱者一人一人の財団が作る図５３の超高速電気観光船ヒグマ推進装置に成り、本考案参考図の二つに切った図をハガキに貼りつけて、北海道知事宛てに送付した証拠のハガキに貼りつけた図５８と図５９の参考図。
【図６６】本考案の高出力六角形状圧電素子連結発電回路型コイル無ライトレールモーターの小舟転倒防止装置Ｈのモーター技術参考説明図。
【図６７】本考案の高出力六角形状圧電素子連結発電回路型コイル無ライトレールモーターの中型船転倒防止装置Ｉと船底転倒防止重心移動固定装置と酸化銅入りプラスチックビニール芯入り十字網軽水素発光フッ化カルシウム入り配線入りロープと鉄球部分と竹灰入りビニールゴム部分と軽水素入り発砲スチロールと軽水素入り圧電素子磁石体粒子内蔵シリコンダイオード熱光瞬間吸収発電ボールとネジ型電気ジャック装置と網用浮→ビグ装置とリング止め方法と発泡スチロールと蓋装置と竹灰入りプラスチック部分構造の中型船転倒防止装置Ｉの重心を下に鉄球で擦る事で、船の横転を避けた構造の中型船転倒防止装置Ｉのモーター技術部品の参考説明図。
【図６８】本考案の高出力六角形状圧電素子連結発電回路型コイル無ライトレールモーターの中型船転倒防止装置Ｉに対して、著作権特許考案に対しての、北海道知事宛てに提出した日本の弱者一人一人の財団が作る図５３の中型船転倒防止装置Ｉに成り、本考案参考図の二つに切った図をハガキに貼りつけて、北海道知事宛てに送付した証拠のハガキに貼りつけた図６８と図６９のモーター技術の参考図。
【図６９】本考案の高出力六角形状圧電素子連結発電回路型コイル無ライトレールモーターの中型船転倒防止装置Ｉに対して、著作権特許考案に対しての、北海道知事宛てに提出した日本の弱者一人一人の財団が作る図５３の中型船転倒防止装置Ｉに成り、本考案参考図の二つに切った図をハガキに貼りつけて、北海道知事宛てに送付した証拠のハガキに貼りつけた図６８と図６９のモーター技術の参考図。
【図７０】本考案の高出力六角形状圧電素子連結発電回路型コイル無ライトレールモーターの中型船転倒防止装置Ｉに対して、著作権特許考案に対しての、北海道知事宛てに提出した日本の弱者一人一人の財団が作る図５３の中型船転倒防止装置Ｉに成り、本考案参考図の二つに切った図をハガキに貼りつけて、北海道知事宛てに送付した証拠のハガキに貼りつけた図７０と図７１のモーター技術の参考図。
【図７１】本考案の高出力六角形状圧電素子連結発電回路型コイル無ライトレールモーターの中型船転倒防止装置Ｉに対して、著作権特許考案に対しての、北海道知事宛てに提出した日本の弱者一人一人の財団が作る図５３の中型船転倒防止装置Ｉに成り、本考案参考図の二つに切った図をハガキに貼りつけて、北海道知事宛てに送付した証拠のハガキに貼りつけた図７０と図７１のモーター技術の参考図。
【図７２】本考案の高出力六角形状圧電素子連結発電回路型コイル無ライトレールモーターの高出力水素イオン電磁電気発生装置→高出力六角形状圧電素子連結発電回路型コイル無レールモーターと軽水素タンクＪと軽水素配管と高速リレー装置と磁気イオン一本配線と電気分配器と一本配線と高出力圧電素子電波受信体とイオン磁気電気増幅分離装置とゲルマニウム高出力銅筒管コイルと高出力銅筒管コイル配線Ｊと高出力スピーカーＪとイオン磁気電気再生装置と画像増幅分配リレー再生画像装置は、高出力六角形状圧電素子連結発電回路型コイル無レールモーターに依る磁気イオン電気圧電システムの軽水素タンクＪ発電した電気で、超小型画像装置を作動指せる高出力水素イオン電磁電気発生装置付の高出力六角形状圧電素子連結発電回路型コイル無レールモーターの参考図。
【図７３】本考案の高出力六角形状圧電素子連結発電回路型コイル無ライトレールモーターの画像増幅分配リレー再生画像装置とアルゴンガス入りシリコングラスファイバーシート画像パネルとマイナス映像波リレー入力配線とマイナスＡ画像波〜Ｐ画像波と映像波リレー配線位置説明図とプラス映像波リレー入力配線とプラスＡ画像波〜Ｐ画像波に成り、通常テレビ波を、映像波と音声波に分けた後、映像波の波長分配装置と映像波波長を、画像波の映像波分配装置に、振り分けた時点で、映像波が画像パネル状に順番に振り分けられるか、調整しながら、映像回路の機械及び映像素子の調整を、高速リレー装置に依って、映像波の分配スタイルが決まるが、映像波の割り当ては、多くて２の偶数の２０分割から４０分割に成り、日本の電気テレビ企業の何万画素に成らないテレビに成り、日本電気テレビ企業とは、全く異なる画像システムに、全て変える日も近い日の高出力六角形状圧電素子連結発電回路型コイル無レールモーターの高出力リレーインバータ装置の参考図のモーター部品技術の参考図。
【図７４】本考案の高出力六角形状圧電素子連結発電回路型コイル無ライトレールモーターの画像増幅分配リレー再生画像装置の図７３の画像増幅分配リレー再生画像装置に対して、著作権特許考案に対しての、北海道知事宛てに提出した日本の弱者一人一人の財団が作る図７３の画像増幅分配リレー再生画像装置に成り、本考案参考図の二つに切った図をハガキに貼りつけて、北海道知事宛てに送付した証拠のハガキに貼りつけた図７４の参考図。
【図７５】本考案の高出力六角形状圧電素子連結発電回路型コイル無ライトレールモーターの高出力六角形状圧電素子連結型レールモーター制御補助免震装置付の全自動ロボットアーム海川生物餌やり水槽掃除装置のモーター参考図。
【図７６】本考案の高出力六角形状圧電素子連結発電回路型コイル無ライトレールモーターの両刃Ｗ正反転回転高出力六角形状圧電素子連結コイル無レールモーター剃刀→高出力六角形状圧電素子連結型コイル無正転反転Ｗレールモーター剃刀と正転と反転とネジ山と刃とダイオードゴムとシリコンゴムと両刃カミソリ刃と高出力スピーカー振動肌モミ装置と竹灰入りプラスチック突起部分とダイオードシリコン突起部分と圧電素子４電子磁気分割装置と高出力六角形状圧電素子連結型発電回路付の図７６の両刃Ｗ正反転回転高出力六角形状圧電素子連結コイル無レールモーター剃刀に成り、商品は、日本国内の販売に成る理由に対して、電動モーター剃刀の動物用ならば、特許権に成り、人の電動剃刀に成ると実用新案権止まりに成る高出力六角形状圧電素子連結発電回路型コイル無レールモーターの参考図。
【図７７】本考案の高出力六角形状圧電素子連結発電回路型コイル無ライトレールモーターの高出力六角形状圧電素子連結型レールモーター制御補助免震装置付の全自動ロボットアーム海川生物餌やり水槽掃除装置図７５の半切り図７７と図７８の高出力六角形状圧電素子連結型レールモーター制御補助免震装置付の全自動ロボットアーム海川生物餌やり水槽掃除装置に対して、著作権特許考案に対しての、北海道知事宛てに提出した日本の弱者一人一人の財団が作る図７５の高出力六角形状圧電素子連結型レールモーター制御補助免震装置付の全自動ロボットアーム海川生物餌やり水槽掃除装置に成り、本考案参考７５図の二つに切った図をハガキに貼りつけて、北海道知事宛てに送付した証拠のハガキに貼りつけた図７７と図７８の参考図。
【図７８】本考案の高出力六角形状圧電素子連結発電回路型コイル無ライトレールモーターの高出力六角形状圧電素子連結型レールモーター制御補助免震装置付の全自動ロボットアーム海川生物餌やり水槽掃除装置図７５の半切り図７７と図７８の高出力六角形状圧電素子連結型レールモーター制御補助免震装置付の全自動ロボットアーム海川生物餌やり水槽掃除装置に対して、著作権特許考案に対しての、北海道知事宛てに提出した日本の弱者一人一人の財団が作る図７５の高出力六角形状圧電素子連結型レールモーター制御補助免震装置付の全自動ロボットアーム海川生物餌やり水槽掃除装置に成り、本考案参考７５図の二つに切った図をハガキに貼りつけて、北海道知事宛てに送付した証拠のハガキに貼りつけた図７７と図７８の参考図。
【図７９】本考案の高出力六角形状圧電素子連結発電回路型コイル無ライトレールモーターの高出力棒状六角形状圧電素子連結型レールモーター部分と磁力線分散絶縁体装置と絶縁シートパネル部分と永久磁石部分と亜鉛部分と鋼鉄部分と鉄芯入りアルミニウムナットと電磁石リレーインバータ高出力コイルと電気配線Ａボックスと電気配線Ｂボックスと高出力３連インバータ高出力コイルに対しての高出力六角形状圧電素子連結発電回路型コイル無レールモーターの参考図。
【図８０】本考案の高出力六角形状圧電素子連結発電回路型コイル無ライトレールモーターの原子力発電所補強免震装置は、原子炉に対して、鉄筋と鋼鉄板付のコンクリートに対して、高出力六角形状圧電素子連結型レールモーターホイスト即ち、高出力六角形状圧電素子連結発電回路型コイル無レールモーターの応用参考図。
【図８１】本考案の高出力六角形状圧電素子連結発電回路型コイル無ライトレールモーターの原子力ビル建屋本体に対して、鉄筋と鋼鉄板とコンクリート付の原子炉に対して高出力六角形状圧電素子連結型電動仕切り弁閉鎖扉装置と免震杭装置に対して、原子炉建屋は、二重構造コロ電磁石モーター制御免震と三重構造コロ電磁石モーター制御免震が取り付き、原子炉を冷やす装置として、複数穴開き竹灰入りセラミックナット固定型冷却ボールに対して、窒素入りプラスチック球として、竹灰入りガラス穴付の冷却装置をナット部分付の鋼鉄カバー装置に成り、高出力六角形状圧電素子連結型レールモーターホイストに依って、原子炉部分だけの免震装置が設置され、高出力六角形状圧電素子連結型レールコロ電磁石反発速度調整免震装置と高出力六角形状圧電素子連結型レールモーターホイスト免震補助装置に依って、原子炉保護に成って居る高出力六角形状圧電素子連結発電回路型コイル無レールモーターの応用参考図。
【図８２】本考案の高出力六角形状圧電素子連結発電回路型コイル無ライトレールモーターの原子力免震装置に対して、著作権特許考案に対しての、北海道知事宛てに提出した日本の弱者一人一人の財団が作る図８０の原子力塔の免震装置に成り、本考案参考図をハガキに貼りつけて、北海道知事宛てに送付した証拠のハガキに貼りつけた図８０の参考図。
【図８３】本考案の高出力六角形状圧電素子連結発電回路型コイル無ライトレールモーターの原子力免震に対して、著作権特許考案に対しての、北海道知事宛てに提出した日本の弱者一人一人の財団が作る図５３の原子力免震に成り、本考案参考図の二つに切った図をハガキに貼りつけて、北海道知事宛てに送付した証拠のハガキに貼りつけた図８３と図８４の参考図。
【図８４】本考案の高出力六角形状圧電素子連結発電回路型コイル無ライトレールモーターの原子力免震に対して、著作権特許考案に対しての、北海道知事宛てに提出した日本の弱者一人一人の財団が作る図５３の原子力免震に成り、本考案参考図の二つに切った図をハガキに貼りつけて、北海道知事宛てに送付した証拠のハガキに貼りつけた図８３と図８４の参考図。
【図８５】本考案の高出力六角形状圧電素子連結発電回路型コイル無ライトレールモーターの高出力六角形状圧電素子連結発電回路型レールモーターホイスト免震装置を使用したビル本体に対して、固定金属板とコンクリート天盤仕上げ用複数鋼鉄穴とコンクリート穴と高出力電磁石板と高出力六角形状圧電素子連結型発電回路を使った高出力六角形状圧電素子連結発電回路型レールモーターホイスト免震装置に成り、高出力六角形状圧電素子連結発電回路型コイル無レールモーターの応用参考図。
【図８６】本考案の高出力六角形状圧電素子連結発電回路型コイル無ライトレールモーターの高出力多層式複数コイル内蔵型電磁石免震板は、プラス配線Ｋとマイナス配線Ｋと圧電素子４電子磁気分割装置と高出力六角形状圧電素子連結埋め込み型発電回路を使った高出力六角形状圧電素子連結発電回路型コイル無レールモーターの応用参考図。
【図８７】本考案の高出力六角形状圧電素子連結発電回路型コイル無ライトレールモーターの自動車の異なったシートベルトと異なる安全装置に成り、頭部分と背もたれ部分とシート弱アルファ放射線パネルカメラセンサーバンドと高出力六角形状圧電素子連結発電回路型棒状レールモーターと三重エアーチューブ型綿網チューブ内蔵型椅子クッション調整装置と椅子部分と姿勢調整モーターエアー袋装置と高出力六角形状圧電素子連結発電回路型リクライニング制御レールモーター装置付の自動車の異なったシートベルトと異なる安全装置に成る高出力六角形状圧電素子連結発電回路型コイル無レールモーターの応用参考図。
【図８８】本考案の高出力六角形状圧電素子連結発電回路型コイル無ライトレールモーターの熱瞬間吸収発電スクリュー管とネジ部分Ｋと熱水と二重ロック装置と高出力六角形状圧電素子連結型シリコン部分カバー発電回路体に対して、高出力六角形状圧電素子連結発電回路型コイル無レールモーターの応用参考図。
【図８９】本考案の高出力六角形状圧電素子連結発電回路型コイル無ライトレールモーターの沸騰水発電タンク部分と水位センサーと蒸気発生タンク水量確認カメラと高出力電動仕切り弁と循環蒸気回収管と圧電素子４電子磁気分割装置Ｋと再生循環蒸気送り管と高出力圧電素子粒子入り軽水素内蔵シリコンと高出力六角形状圧電素子連結型発電回路Ｋに成る高出力六角形状圧電素子連結発電回路型コイル無レールモーターの応用参考図。
【図９０】本考案の高出力六角形状圧電素子連結発電回路型コイル無ライトレールモーターの熱瞬間吸収発電スクリュー管に対して、著作権特許考案に対しての、北海道知事宛てに提出した日本の弱者一人一人の財団が作る図９０の熱瞬間吸収発電スクリュー管に成り、本考案参考図をハガキに貼りつけて、北海道知事宛てに送付した証拠のハガキに貼りつけた図９０の参考図。
【図９１】本考案の高出力六角形状圧電素子連結発電回路型コイル無ライトレールモーターの沸騰水発電タンク部分に対して、図８９の半切り図９１と図９２の沸騰水発電タンクに対して、著作権特許考案に対しての、北海道知事宛てに提出した日本の弱者一人一人の財団が作る図８９の沸騰水発電タンクに成り、本考案参考図の二つに切った図をハガキに貼りつけて、北海道知事宛てに送付した証拠のハガキに貼りつけた図９１と図９２の参考図。
【図９２】本考案の高出力六角形状圧電素子連結発電回路型コイル無ライトレールモーターの沸騰水発電タンク部分に対して、図８９の半切り図９１と図９２の沸騰水発電タンクに対して、著作権特許考案に対しての、北海道知事宛てに提出した日本の弱者一人一人の財団が作る図８９の沸騰水発電タンクに成り、本考案参考図の二つに切った図をハガキに貼りつけて、北海道知事宛てに送付した証拠のハガキに貼りつけた図９１と図９２の参考図。
【図９３】本考案の高出力六角形状圧電素子連結発電回路型コイル無ライトレールモーターの高出力四角形状圧電素子連結型発電回路型コイル無レールモーターＬと高出力インバータスイッチＬとプラス配線Ｌとマイナス配線Ｌとアルミニウムモーターカバー装置に対して高出力六角形状圧電素子連結発電回路型コイル無レールモーターの応用参考図。
【図９４】本考案の高出力六角形状圧電素子連結発電回路型コイル無ライトレールモーターの高出力楕円形状圧電素子連結型発電回路型コイル無レールモーターＭと高出力インバータスイッチＭとプラス配線Ｍとマイナス配線Ｍとアルミニウムモーターカバー装置Ｍ装置に対して高出力六角形状圧電素子連結発電回路型コイル無レールモーターの応用参考図。
【図９５】本考案の高出力六角形状圧電素子連結発電回路型コイル無ライトレールモーターの高出力三角形状圧電素子連結型発電回路型コイル無レールモーターＮに対して、高出力インバータスイッチＮとプラス配線Ｎとマイナス配線Ｎとアルミニウムモーターカバー装置Ｎ構造の高出力六角形状圧電素子連結発電回路型コイル無レールモーターの応用参考図。
【図９６】本考案の高出力六角形状圧電素子連結発電回路型コイル無ライトレールモーターの高出力四角形状圧電素子連結型発電回路型レールモーターＯに対して、高出力インバータスイッチＯとプラス配線Ｏとマイナス配線Ｏとアルミニウムモーターカバー装置Ｏ構造の高出力六角形状圧電素子連結発電回路型コイル無レールモーターの応用参考図。
【図９７】本考案の高出力六角形状圧電素子連結発電回路型コイル無ライトレールモーターの高出力楕円形状圧電素子連結型発電回路型レールモーターＰに対して、高出力インバータスイッチＰとプラス配線Ｐとマイナス配線Ｐとアルミニウムモーターカバー装置Ｐ構造の高出力六角形状圧電素子連結発電回路型コイル無レールモーターの応用参考図。
【図９８】本考案の高出力六角形状圧電素子連結発電回路型コイル無ライトレールモーターの高出力三角形状圧電素子連結型発電回路型レールモーターＱに対して、高出力インバータスイッチＱとプラス配線Ｑとマイナス配線Ｑとアルミニウムモーターカバー装置Ｑ構造の高出力六角形状圧電素子連結発電回路型コイル無レールモーターの応用参考図。
【図９９】本考案の高出力六角形状圧電素子連結発電回路型コイル無ライトレールモーターの高出力六角形状圧電素子連結発電回路型コイル無レールモーター仕切り弁装置ＱＱに対して、薬剤注入管ＱＱと薬剤分解用曲線突起装置ＱＱと通常太巻き高周波銅コイル装置ＱＱとプラス電気配線ＱＱとマイナス電気配線ＱＱとモーター土台ＱＱと高出力高速リレー装置ＱＱ構造の高出力六角形状圧電素子連結発電回路型コイル無レールモーターの応用参考図。
【図１００】本考案の高出力六角形状圧電素子連結発電回路型コイル無ライトレールモーターの高出力六角形状圧電素子連結発電回路型コイル無レールモーター仕切り弁装置Ｒに対して、薬剤注入管Ｒと薬剤分解用角材突起装置Ｒと高出力電磁弁Ｒと高出力六角形状圧電素子連結発電回路型棒状レールモーターＲと薬剤取り込み風車Ｒと高出力高速リレー装置Ｒとプラス電気配線Ｒとマイナス電気配線Ｒとモーター土台Ｒと高出力六角形状圧電素子連結発電回路型コイル無レールモーターＲ構造の高出力六角形状圧電素子連結発電回路型コイル無レールモーターの応用参考図。
【図１０１】本考案の高出力六角形状圧電素子連結発電回路型コイル無ライトレールモーターの高出力六角形状圧電素子連結発電回路型コイル無レールモーター仕切り弁装置Ｓに対して、ボルト部分Ｓと薬剤注入管Ｓと通常太巻き高周波銅コイル装置Ｓと薬剤分解用斜線突起装置Ｓと高出力コンプレッサーエアー循環噴出口Ｓと上部薬剤取り込み用電動仕切り弁Ｓと薬剤放出用高出力六角形状圧電素子連結発電回路型コイル無レールモーター仕切り弁装置Ｓと下部薬剤取り込み用電動仕切り弁Ｓとマイナス電気配線Ｓとプラス電気配線Ｓと高出力高速リレー装置Ｓと遠心分離機下部薬剤取り出し高出力六角形状圧電素子連結発電回路型コイル無レールモーター仕切り弁口Ｓと高出力モーター扉Ｓと高出力コンプレッサーＳと遠心分離機上部薬剤取り出し高出力六角形状圧電素子連結発電回路型コイル無レールモーター仕切り弁口Ｓ構造の高出力六角形状圧電素子連結発電回路型コイル無レールモーターの応用参考図。
【図１０２】本考案の高出力六角形状圧電素子連結発電回路型コイル無ライトレールモーターの高出力六角形状圧電素子連結発電回路型コイル無レールモーター仕切り弁装置ＱＱの高出力遠心分離機装置部分に対して、図９９の半切り図１０２と図１０３の高出力六角形状圧電素子連結発電回路型コイル無レールモーター仕切り弁装置ＱＱの高出力遠心分離機装置部分に対して、著作権特許考案に対しての、北海道知事宛てに提出した日本の弱者一人一人の財団が作る図９９の沸騰水発電タンクに成り、本考案参考図の二つに切った図をハガキに貼りつけて、北海道知事宛てに送付した証拠のハガキに貼りつけた図１０２と図１０３の参考図。
【図１０３】本考案の高出力六角形状圧電素子連結発電回路型コイル無ライトレールモーターの高出力六角形状圧電素子連結発電回路型コイル無レールモーター仕切り弁装置ＱＱの高出力遠心分離機装置部分に対して、図９９の半切り図１０２と図１０３の高出力六角形状圧電素子連結発電回路型コイル無レールモーター仕切り弁装置ＱＱの高出力遠心分離機装置部分に対して、著作権特許考案に対しての、北海道知事宛てに提出した日本の弱者一人一人の財団が作る図９９の沸騰水発電タンクに成り、本考案参考図の二つに切った図をハガキに貼りつけて、北海道知事宛てに送付した証拠のハガキに貼りつけた図１０２と図１０３の参考図。
【図１０４】本考案の高出力六角形状圧電素子連結発電回路型コイル無ライトレールモーターの高出力六角形状圧電素子連結発電回路型コイル無レールモーター仕切り弁装置ＲＲの高出力遠心分離機装置部分に対して、図１００の半切り図１０４と図１０５の高出力六角形状圧電素子連結発電回路型コイル無レールモーター仕切り弁装置ＲＲの高出力遠心分離機装置部分に対して、著作権特許考案に対しての、北海道知事宛てに提出した日本の弱者一人一人の財団が作る図１００の沸騰水発電タンクに成り、本考案参考図の二つに切った図をハガキに貼り付けて北海道知事宛てに送付した証拠のハガキに貼りつけた図１０４と図１０５の参考図。
【図１０５】本考案の高出力六角形状圧電素子連結発電回路型コイル無ライトレールモーターの高出力六角形状圧電素子連結発電回路型コイル無レールモーター仕切り弁装置ＲＲの高出力遠心分離機装置部分に対して、図１００の半切り図１０４と図１０５の高出力六角形状圧電素子連結発電回路型コイル無レールモーター仕切り弁装置ＲＲの高出力遠心分離機装置部分に対して、著作権特許考案に対しての、北海道知事宛てに提出した日本の弱者一人一人の財団が作る図１００の沸騰水発電タンクに成り、本考案参考図の二つに切った図をハガキに貼り付けて北海道知事宛てに送付した証拠のハガキに貼りつけた図１０４と図１０５の参考図。
【図１０６】本考案の高出力六角形状圧電素子連結発電回路型コイル無ライトレールモーターの高出力六角形状圧電素子連結発電回路型コイル無レールモーター仕切り弁装置ＳＳの高出力遠心分離機装置部分に対して、図１０１の半切り図１０６と図１０７の高出力六角形状圧電素子連結発電回路型コイル無レールモーター仕切り弁装置ＳＳの高出力遠心分離機装置部分に対して、著作権特許考案に対しての、北海道知事宛てに提出した日本の弱者一人一人の財団が作る図１００の沸騰水発電タンクに成り、本考案参考図の二つに切った図をハガキに貼り付けて北海道知事宛てに送付した証拠のハガキに貼りつけた図１０６と図１０７の参考図。
【図１０７】本考案の高出力六角形状圧電素子連結発電回路型コイル無ライトレールモーターの高出力六角形状圧電素子連結発電回路型コイル無レールモーター仕切り弁装置ＳＳの高出力遠心分離機装置部分に対して、図１０１の半切り図１０６と図１０７の高出力六角形状圧電素子連結発電回路型コイル無レールモーター仕切り弁装置ＳＳの高出力遠心分離機装置部分に対して、著作権特許考案に対しての、北海道知事宛てに提出した日本の弱者一人一人の財団が作る図１００の沸騰水発電タンクに成り、本考案参考図の二つに切った図をハガキに貼り付けて北海道知事宛てに送付した証拠のハガキに貼りつけた図１０６と図１０７の参考図。
【図１０８】本考案の高出力六角形状圧電素子連結発電回路型コイル無ライトレールモーターの福島原子力発電所の水止め方法に対して、原子力建屋と複数個所水中ポンプと水中ポンプとドリル杭と岩盤まで掘削してコンクリート打設と複数個所と防波堤と高出力三連水中ポンプと海の水と海側の水を止める事の出来る水中ポンプ装置構造の高出力六角形状圧電素子連結発電回路型コイル無レールモーターの応用参考図。
【図１０９】本考案の高出力六角形状圧電素子連結発電回路型コイル無ライトレールモーターの低電気消費アルゴンフッ化カルシウム発光発電ライトに対して、マイナス電気回収配線とプラス電気回収配線とプラス磁力線アルゴンフッ化カルシウム発光高速電気磁力線発光ライトとマイナス磁力線アルゴンフッ化カルシウム発光高速電気磁力線発光ライト装置構造の高出力六角形状圧電素子連結発電回路型コイル無レールモーターの応用参考図。
【図１１０】本考案の高出力六角形状圧電素子連結発電回路型コイル無ライトレールモーターの高出力六角形状圧電素子連結内蔵型アルゴン軽水素フッ化カルシウム窒素三重発光グラスファィバーライトに対して、超長プラススクリュー一巻きコイル電気増幅スピード循環電気配線と超長マイナススクリュー一巻きコイル電気増幅スピード循環電気配線とプラス圧電素子４電子磁気分割装置とマイナス圧電素子４電子磁気分割装置と電気抵抗ゼロプラス電気配線と電気抵抗ゼロマイナス電気配線とプラス三重ライトとマイナス三重ライトとプラス電気配線とマイナス電気配線とアルゴン軽水素フッ化カルシウム窒素合成ライト部分装置構造の高出力六角形状圧電素子連結発電回路型コイル無レールモーターの応用参考図。
【図１１１】本考案の高出力六角形状圧電素子連結発電回路型コイル無ライトレールモーターの図１１０の半切り図１１１と図１１２の高出力六角形状圧電素子連結内蔵型アルゴン軽水素フッ化カルシウム窒素三重発光グラスファィバーライトに対して、著作権特許考案に対しての、北海道知事宛てに提出した日本の弱者一人一人の財団が作る図１１１の高出力六角形状圧電素子連結内蔵型アルゴン軽水素フッ化カルシウム窒素三重発光グラスファィバーライトに成り、本考案参考図１１０に対して、二つに切った図をハガキに貼りつけて、北海道知事宛てに送付した証拠のハガキに貼りつけた図１１１と図１１２の参考図。
【図１１２】本考案の高出力六角形状圧電素子連結発電回路型コイル無ライトレールモーターの図１１０の半切り図１１１と図１１２の高出力六角形状圧電素子連結内蔵型アルゴン軽水素フッ化カルシウム窒素三重発光グラスファィバーライトに対して、著作権特許考案に対しての、北海道知事宛てに提出した日本の弱者一人一人の財団が作る図１１１の高出力六角形状圧電素子連結内蔵型アルゴン軽水素フッ化カルシウム窒素三重発光グラスファィバーライトに成り、本考案参考図１１０に対して、二つに切った図をハガキに貼りつけて、北海道知事宛てに送付した証拠のハガキに貼りつけた図１１１と図１１２の参考図。
【図１１３】本考案の高出力六角形状圧電素子連結発電回路型コイル無ライトレールモーターの高出力六角形状圧電素子連結型発電回路電磁力線装置Ｕの参考説明図。
【図１１４】本考案の高出力六角形状圧電素子連結発電回路型コイル無ライトレールモーターの冷却型高出力真空装置瞬間乾燥機に対して、高出力真空装置六角形状圧電素子連結型コイル無レールモーターとＳ字型止め枠板装置と銅筒管と鉛銅アルミニウム部分と微量ヘリウム窒素炭素複数穴空き冷却物質を使った冷却型高出力真空装置瞬間乾燥機のモーター技術参考説明図。
【図１１５】本考案の高出力六角形状圧電素子連結発電回路型コイル無ライトレールモーターのシャッター式誘導弾高出力モーター入賞装置に対して、手元ダイヤル入力プラスアルファ干支絵文字図柄設定数字プラス入賞型高出力パチンコ遊戯装置とシャッター式高出力モーター風車装置と部分グラスファィバープラスチック高出力モーター釘板装置とシャッター式高出力モーター玉釘装置とシャッター式高出力モーター釘装置とエアー加湿機装置とシャッター式玉洗い高出力モーター装置とシャッター式高出力モーターライト釘装置と干支絵組合せ文字を使った特殊パチンコ機械に成り、高出力六角形状圧電素子連結発電回路型コイル無ライトレールモーターの技術参考説明図。
【図１１６】本考案の高出力六角形状圧電素子連結発電回路型コイル無ライトレールモーターの発電回路発電機は、鉄塔に対して川水そして滝を使った水力式ダイナモ→高出力六角形状圧電素子連結発電回路内蔵型ダイナモと高出力六角形状地下圧電素子連結型電気増幅発電回路に於いて、送電線とプラス送電線とマイナス送電線と変圧器と圧電素子４電子磁気分割装置に依ってプラス増幅電気とマイナス増幅電気が出来る発電回路発電機に対して高出力六角形状圧電素子連結発電回路型コイル無レールモーターの技術応用参考図。
【考案を実施するための形態】
【０２１７】
以下本考案の実施の形態を図1〜図に基づいて説明する。
【０２１８】
図１の説明として、（１）の高出力六角形状圧電素子連結発電回路型コイル無ライトレールモーターは、（２）のプラス高出力銅筒管配線Ａ,Ｂ,Ｃ,Ｄ,Ｅ,と（３）のマイナス高出力銅筒管配線Ａ,Ｂ,Ｃ,Ｄ,Ｅ,が（７）の複数針穴形状薄ステンレスカバー付高出力圧電素子磁石体部分と（４）の圧電素子４電子磁気分割装置と（９）の軽水素入りインバータダイオードリレースイッチＡ,Ｂ,Ｃ,Ｄ,Ｅ,Ｆ,Ｇ,Ｈ,Ｉ,Ｊ,Ｋ,Ｌ,Ｍ,Ｎ,Ｏ,Ｐ,装置に取り付ける構造のレールモーターまたは、高出力レールモーターを改良したモーター形状に成り、モーターのカバーには、（５）のアルミニウム鉄合金カバーが取り付く構造に成り、（１０）のモーター丸円組合せ六角軸が取り付く構造に成り、（７）の複数針穴形状薄ステンレスカバー付高出力圧電素子磁石体部分に対して複数針穴形状薄ステンレスカバーが取り付けられた圧電素子滑落崩壊防止構造に成って居るモーター構造に成り、モーター同士の高出力軽水素トリチウム電子ガス入り圧電素子磁石体の超薄ステンレス部分は、イオン磁力線が良く通る構造の複数穴開き構造の高出力圧電素子即ち、複数針穴形状の軽水素トリチウム電子ガス入りのチタン酸バリウムシートと軽水素トリチウム電子ガス入りの圧電素子磁石体シートを、交互に貼りあわせたシートを、高出力圧電素子磁石体シートと命名した高出力圧電素子磁石体のモーター回転力に依る高出力圧電素子磁石体を保護防護カバーした軽水素イオンの沢山入った（１）の高出力六角形状圧電素子連結発電回路型コイル無ライトレールモーターの６の上面図と８の側面図に成る。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２１９】
図２の説明として、（１）の高出力六角形状圧電素子連結発電回路型コイル無ライトレールモーターは、（２）のプラス高出力銅筒管配線Ａ,Ｂ,Ｃ,Ｄ,Ｅ,と（３）のマイナス高出力銅筒管配線Ａ,Ｂ,Ｃ,Ｄ,Ｅ,と（４）の圧電素子４電子磁気分割装置の特開２００４―３０４９９２号公報の圧電素子３電子磁気分割装置の電気から熱抵抗電気を減らして電気を長持ちさせて、電気製品に無理をかけない電気装置の有り方（別名圧電素子４電子磁気分割装置。）付のモーターに成り、（１０）のモーター丸円組合せ六角軸に対して、（９）の軽水素入りインバータダイオードリレースイッチＡ,Ｂ,Ｃ,Ｄ,Ｅ,Ｆ,Ｇ,Ｈ,Ｉ,Ｊ,Ｋ,Ｌ,Ｍ,Ｎ,Ｏ,Ｐ,は（７）の複数針穴形状薄ステンレスカバー付高出力圧電素子磁石体部分に（２）のプラス高出力銅筒管配線Ａ,Ｂ,Ｃ,Ｄ,Ｅ,と（３）のマイナス高出力銅筒管配線Ａ,Ｂ,Ｃ,Ｄ,Ｅ,と圧電素子４電子磁気分割装置を高出力銅筒管配線で繋いだ（９）の軽水素入りインバータダイオードリレースイッチＡ,Ｂ,Ｃ,Ｄ,Ｅ,Ｆ,Ｇ,Ｈ,Ｉ,Ｊ,Ｋ,Ｌ,Ｍ,Ｎ,Ｏ,Ｐ, 軽水素入りインバータダイオードリレースイッチに成り、高出力インバータスイッチと高出力軽水素トリチウム電子ガス入り半絶縁体リレー装置を使ったリレー装置でも、電気の流れの速いリレー装置に成る。
そして、モーターに対して、（５）のアルミニウム鉄合金カバーそして（１１）のボルト止め金具固定装置取り付けた（６）の高出力六角形状圧電素子連結発電回路の部分上面図そして、（８）の貼り付け側面図に成る。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。   
【０２２０】
図３の説明として、（１）の高出力六角形状圧電素子連結発電回路型コイル無ライトレールモーターは、（８）の側面図貼り付けに対して、（９）の軽水素入りインバータダイオードリレースイッチＡ,Ｂ,Ｃ,Ｄ,Ｅ,Ｆ,Ｇ,Ｈ,Ｉ,Ｊ,Ｋ,Ｌ,Ｍ,Ｎ,Ｏ,Ｐ,は、（１６）のプラス電気配線と（１７）のマイナス電気配線と軽水素入り高出力六角形状圧電素子連結発電回路其々に取り付いた（１）の高出力六角形状圧電素子連結発電回路型コイル無ライトレールモーターに成り、（１０）の モーター丸円組合せ六角軸に成り、（１２）の六角軸部分に対して、（１３）の丸円軸部分が有り、連軸の（１５）の軸突起切りナット部分は、（１４）のナット部分構造に成り、モーター軸づれが生じない構造に成って要る。
そして、（１）の高出力六角形状圧電素子連結発電回路型コイル無ライトレールモーター全体は、（１１）のボルト止め金具固定装置に依って固定去れて要る。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２２１】
図４の説明として、（１）の高出力六角形状圧電素子連結発電回路型コイル無ライトレールモーターに対して、（４）圧電素子４電子磁気分割装置は、（１６）のプラス電気配線と（１７） のマイナス電気配線は（９）        軽水素入りインバータダイオードリレースイッチＡ,Ｂ,Ｃ,Ｄ,Ｅ,Ｆ,Ｇ,Ｈ,Ｉ,Ｊ,Ｋ,Ｌ,Ｍ,Ｎ,Ｏ,Ｐ, （７）の複数針穴形状薄ステンレスカバー付高出力圧電素子磁石体部分に対して、（１０）のモーター丸円組合せ六角軸と（１１）のボルト止め金具固定装置と（１２）の六角軸部分と（１３）の丸円軸部分と（１４）のナット部分と（１５）の軸突起切りナット部分構造から成る。
そして、（５）のアルミニウム鉄合金カバーのモーター構造に成り、（１８）のアルゴンガス入りグラスファイバーライトパネルに対して、（１９）のプラスアルゴンガス入りグラスファイバーライトパネル電気配線と（２０）のマイナスアルゴンガス入りグラスファイバーライトパネル電気配線は、（２１）のプラス電気配線スイッチと（２２）のマイナス電気配線スイッチは（２３）の差し込み固定装置に依って、（２４）の軽水素入りフッ化カルシウム入りグラスファイバー瞬間光吸収発電型ライトパネルが（２５）の貼り付け固定装置に依って、一つの（１）の高出力六角形状圧電素子連結発電回路型コイル無ライトレールモーターのライトに成る。
更に、（１）の高出力六角形状圧電素子連結発電回路型コイル無ライトレールモーターに対しての（６）の高出力六角形状圧電素子連結発電回路の部分上面図と（９）の軽水素入りインバータダイオードリレースイッチＡ,Ｂ,Ｃ,Ｄ,Ｅ,Ｆ,Ｇ,Ｈ,Ｉ,Ｊ,Ｋ,Ｌ,Ｍ,Ｎ,Ｏ,Ｐ,と（７）の複数針穴形状薄ステンレスカバー付高出力圧電素子磁石体部分の（８）の貼り付け側面図の（１）の高出力六角形状圧電素子連結発電回路型コイル無ライトレールモーターに成る。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２２２】
図５の説明として、（１）の高出力六角形状圧電素子連結発電回路型コイル無ライトレールモーターに対しての図１と図２比較の（１２）の六角軸部分と（１３）の丸円軸部分と（１４）のナット部分と（１５）の軸突起切りナット部分の（１）の高出力六角形状圧電素子連結発電回路型コイル無ライトレールモーターに成り、（１６）のプラス電気配線と（１７）のマイナス電気配線付の（１８）のアルゴンガス入りグラスファイバーライトパネルに対して、（１９）のプラスアルゴンガス入りグラスファイバーライトパネル電気配線と（２０）の、マイナスアルゴンガス入りグラスファイバーライトパネル電気配線と（２１）のプラス電気配線スイッチと（２２）のマイナス電気配線スイッチに対して、（２３）の差し込み固定装置に成る。
そして、図４比較の（２４）の軽水素入りフッ化カルシウム入りグラスファイバー瞬間光吸収発電型ライトパネルと（２５）の貼り付け固定装置に成る。
更に、（１）の高出力六角形状圧電素子連結発電回路型コイル無ライトレールモーターに対して、（２６）の圧電素子４電子磁気分割装置Ｔ書き込み名称場所と（２７）の軽水素入りインバータダイオードスイッチＡ１,Ｂ１,Ｃ１,Ｄ１,Ｅ１,Ｆ１,Ｇ１,Ｈ１,Ｉ１,Ｊ１,Ｋ１,Ｌ１,Ｍ１,Ｎ１,Ｏ１,Ｐ１,Ａ２,Ｂ２,Ｃ２,Ｄ２,Ｅ２,Ｆ２,Ｇ２,Ｈ２,Ｉ２,Ｊ２,Ｋ２,Ｌ２,Ｍ２,Ｎ２,Ｏ２,Ｐ２,Ａ３,Ｂ３,Ｃ３,Ｄ３,Ｅ３,Ｆ３,Ｇ３,Ｈ３,Ｉ３,Ｊ３,Ｋ３,Ｌ３,Ｍ３,Ｎ３,Ｏ３,Ｐ３,Ａ４,Ｂ４, Ｃ４,Ｄ４,Ｅ４,Ｆ４,Ｇ４,Ｈ４,Ｉ４,Ｊ４,Ｋ４,Ｌ４,Ｍ４,Ｎ４,Ｏ４,Ｐ４, Ａ５,Ｂ５,Ｃ５,Ｄ５, Ｅ５,Ｆ５,Ｇ５,Ｈ５,Ｉ５,Ｊ５,Ｋ５,Ｌ５,Ｍ５,Ｎ５,Ｏ５,Ｐ５,Ａ６,Ｂ６,Ｃ６, Ｄ６,Ｅ６,Ｆ６,Ｇ６,Ｈ６,Ｉ６,Ｊ６,Ｋ６,Ｌ６,Ｍ６,Ｎ６,Ｏ６,Ｐ６, Ａ７,Ｂ７,Ｃ７,Ｄ７,Ｅ７,Ｆ７,Ｇ７,Ｈ７,Ｉ７,Ｊ７,Ｋ７,Ｌ７,Ｍ７,Ｎ７,Ｏ７,Ｐ７,合計壱百壱拾弐個の軽水素入りインバータダイオードスイッチが取り付く構造の（２８）の第一Ａ高出力六角形状圧電素子連結発電回路型コイル無ライトレールモーターと（２９）の第二Ｂ高出力六角形状圧電素子連結発電回路型コイル無ライトレールモーターと（３０）の第三Ｃ高出力六角形状圧電素子連結発電回路型コイル無ライトレールモーターと（３１）の第四Ｄ高出力六角形状圧電素子連結発電回路型コイル無ライトレールモーターと（３２）の第五Ｅ高出力六角形状圧電素子連結発電回路型コイル無ライトレールモーターと（３３）の第六Ｆ高出力六角形状圧電素子連結発電回路型コイル無ライトレールモーターと（３４）の第七Ｇ高出力六角形状圧電素子連結発電回路型コイル無ライトレールモーターと（３５）の高出力７連結以上六角形状圧電素子連結発電回路型コイル無ライトレールモーターと（３６）の高出力六角形状圧電素子参乗連結発電回路型コイル無ライトレールモーターと（３７）の高出力六角形状圧電素子一乗連結発電回路型コイル無ライトレールモーターＡ,Ｂ,Ｃ,Ｄ,Ｅ,Ｆ,Ｇ,と（３８）の高出力六角形状圧電素子二乗連結発電回路型コイル無ライトレールモーターＡ,Ｂ,Ｃ,Ｄ,Ｅ,と（３９）の高出力六角形状圧電素子三乗連結発電回路型コイル無ライトレールモーターＡ,Ｂ,Ｃ,Ｄ,Ｅ,に成る。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２２３】
図６の説明として、（１）の高出力六角形状圧電素子連結発電回路型コイル無ライトレールモーターに対しての応用モーターの（３６）の高出力六角形状圧電素子参乗連結発電回路型コイル無ライトレールモーターに対して、（１２）の六角軸部分と（１３）の丸円軸部分と（１４）のナット部分取り付けた高出力六角形状圧電素子参乗連結発電回路型コイル無ライトレールモーターに成り、三方向からの軽水素イオン磁気電磁誘導発電と作動出来るコイル無の（１）の高出力六角形状圧電素子連結発電回路型コイル無ライトレールモーターの応用モーターの（３６）の高出力六角形状圧電素子参乗連結発電回路型コイル無ライトレールモーターに成り、（３７）の高出力六角形状圧電素子一乗連結発電回路型コイル無ライトレールモーターＡ,Ｂ,Ｃ,Ｄ,Ｅ,Ｆ,Ｇ,と（３８）の高出力六角形状圧電素子二乗連結発電回路型コイル無ライトレールモーターＡ,Ｂ,Ｃ,Ｄ,Ｅ,と（３９）の高出力六角形状圧電素子三乗連結発電回路型コイル無ライトレールモーターＡ,Ｂ,Ｃ,Ｄ,Ｅ,に依って連続回転作動する（３６）の高出力六角形状圧電素子参乗連結発電回路型コイル無ライトレールモーター。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２２４】
図７の説明として、（１）の高出力六角形状圧電素子連結発電回路型コイル無ライトレールモーターに対しての応用モーターの高出力六角形状圧電素子三乗７連結発電回路型コイル無ライトレールモーターに成り、
図６の高出力六角形状圧電素子参乗連結発電回路型コイル無ライトレールモーターを七組連結指せた登録実用新案第３１６８０４３号高出力発電７連結以上モーターに成り、（１２）の六角軸部分と（１３）の丸円軸部分と（１４）のナット部分から連なる（４０）の高出力六角形状圧電素子三乗７連結発電回路型第１コイル無ライトレールモーターと（４１）の高出力六角形状圧電素子三乗７連結発電回路型第２コイル無ライトレールモーターと（４２）の高出力六角形状圧電素子三乗７連結発電回路型第３コイル無ライトレールモーターと（４３）の高出力六角形状圧電素子三乗７連結発電回路型第４コイル無ライトレールモーターと（４４）の高出力六角形状圧電素子三乗７連結発電回路型第５コイル無ライトレールモーターと（４５）の高出力六角形状圧電素子三乗７連結発電回路型第６コイル無ライトレールモーターと（４６）の高出力六角形状圧電素子三乗７連結発電回路型第７コイル無ライトレールモーターの構造デザインが全て登録実用新案第３１６８０４３号高出力発電７連結以上モーターとは異なる高出力六角形状圧電素子三乗７連結発電回路型コイル無ライトレールモーター。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２２５】
図８の説明として、（１）の高出力六角形状圧電素子連結発電回路型コイル無ライトレールモーターに対しての（３６）の高出力六角形状圧電素子参乗連結発電回路型コイル無ライトレールモーターは、（１１）のボルト止め金具固定装置と（９）の軽水素入りインバータダイオードリレースイッチＡ,Ｂ,Ｃ,Ｄ,Ｅ,Ｆ,Ｇ,Ｈ,Ｉ,Ｊ,Ｋ,Ｌ,Ｍ,Ｎ,Ｏ,Ｐ,は、高出力銅筒管配線から連なり、（１２）の六角軸部分と（１３）の丸円軸部分
と（１４）のナット部分構造から成る（３７）の高出力六角形状圧電素子一乗連結発電回路型コイル無ライトレールモーターＡ,Ｂ,Ｃ,Ｄ,Ｅ,Ｆ,Ｇ,と（３８）の高出力六角形状圧電素子二乗連結発電回路型コイル無ライトレールモーターＡ,Ｂ,Ｃ,Ｄ,Ｅ,と（３９）の高出力六角形状圧電素子三乗連結発電回路型コイル無ライトレールモーターＡ,Ｂ,Ｃ,Ｄ,Ｅ,から成るモーターの高出力六角形状圧電素子連結発電回路型の一部分に対して、（１５８）の軽水素入りシリコンＤ部分と（１５９）の軽水素入り軽量圧電素子Ｄから成る熱瞬間吸収発電部分シート構造装置を積載内蔵指せた（３６）の高出力六角形状圧電素子参乗連結発電回路型コイル無ライトレールモーターに成る。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２２６】
図９の説明として、（１）の高出力六角形状圧電素子連結発電回路型コイル無ライトレールモーターに対して（１２）の六角軸部分と（１３）の丸円軸部分と（１４）のナット部分から成る（３７）の高出力六角形状圧電素子一乗連結発電回路型コイル無ライトレールモーターＡ,Ｂ,Ｃ,Ｄ,Ｅ,Ｆ,Ｇ,と（３８）の高出力六角形状圧電素子二乗連結発電回路型コイル無ライトレールモーターＡ,Ｂ,Ｃ,Ｄ,Ｅ,と（３９）の高出力六角形状圧電素子三乗連結発電回路型コイル無ライトレールモーターＡ,Ｂ,Ｃ,Ｄ,Ｅ,から連なる（４７）の軽水素入り高出力六角形状圧電素子連結発電回路円形リング型を持ち得た（４８）の通常ダイナモと（４９）のダイナモ軸と（５０）のダイナモ端子と（５１）の改良型高出力ダイナモ本体に対して、（５２）のコイル無モーター本体と（５３）の高出力ダイナモと（５４）の高出力六角形状圧電素子連結発電回路型電磁誘導発電モーターから成る（１）の高出力六角形状圧電素子連結発電回路型コイル無ライトレールモーター参考図説明に成る。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２２７】
図１０の説明として、（１）の高出力六角形状圧電素子連結発電回路型コイル無ライトレールモーターに対して（１２）の六角軸部分と（１３）の丸円軸部分と（１４）のナット部分から連なる（３７）の高出力六角形状圧電素子一乗連結発電回路型コイル無ライトレールモーターＡ,Ｂ,Ｃ,Ｄ,Ｅ,Ｆ,Ｇ,と（３８）の高出力六角形状圧電素子二乗連結発電回路型コイル無ライトレールモーターＡ,Ｂ,Ｃ,Ｄ,Ｅ,と（３９）の高出力六角形状圧電素子三乗連結発電回路型コイル無ライトレールモーターＡ,Ｂ,Ｃ,Ｄ,Ｅ,の（５５）の異種２連結以上高出力モーターは登録実用新案第３１１４４９１号二連結以上モーター応用の（５６）の高出力コイルモーターと登録実用新案第３１６８０４３号高出力発電７連結以上モーターの一つコイルモーター部分と（１）の高出力六角形状圧電素子連結発電回路型コイル無ライトレールモーターを連結指せた（５５）の異種２連結以上高出力モーター参考図説明に成る。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２２８】
図１１の説明として、（１）の高出力六角形状圧電素子連結発電回路型コイル無ライトレールモーターに対しての応用参考図に成り、（１２）の六角軸部分と（１３）の丸円軸部分と（１４）のナット部分から連なる（３７）の高出力六角形状圧電素子一乗連結発電回路型コイル無ライトレールモーターＡ,Ｂ,Ｃ,Ｄ,Ｅ,Ｆ,Ｇ,と（３８）の高出力六角形状圧電素子二乗連結発電回路型コイル無ライトレールモーターＡ,Ｂ,Ｃ,Ｄ,Ｅ,と（３９）の高出力六角形状圧電素子三乗連結発電回路型コイル無ライトレールモーターＡ,Ｂ,Ｃ,Ｄ,Ｅ,積載の（５７）の高出力軽量歯車コイル無３乗レールモーターに対して、（５８）の軽量歯車と（５９）のステンレス枠構造の（５７）の高出力軽量歯車コイル無３乗レールモーターに成る。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２２９】
図１２の説明として、（１）の高出力六角形状圧電素子連結発電回路型コイル無ライトレールモーターに対して、（６２）の棒状レールモーターは、（６５）の旧初代日本初レールモーターが最初に成り、リレー装置を使った（６３）の高出力棒状レールモーターは、（６３）の高出力棒状レールモーターと進化して、（７３）の棒状レールモーターは、（７４）のコイル無棒状レールモーター固定装置は（６４）の高出力六角連結棒状圧電素子発電回路型レールモーターへとモーター進化を擦る事に成り、現在の、（１）の高出力六角形状圧電素子連結発電回路型コイル無ライトレールモーターまでの進化と改造の軽易の流れ説明に成り、（６６）の高出力レールモーターは、（７０）の磁極切り替えスイッチと（７１）の高出力インバータ電極切り替えスイッチは（７２）の高出力軽水素入り圧電素子磁石体粒子入りビニールインバータスイッチへと進化して、（６７）の高出力卍形状レールモーターと（６８）の高出力十字形状レールモーターは（６９）の高出力コイル無ライトレールモーターへとモーター進化した結果、現在の、世界で一番電気消費の少ないモーターとして、９０パーセント程完成のモーターが出来上がる。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２３０】
図１３の説明として、（１）の高出力六角形状圧電素子連結発電回路型コイル無ライトレールモーターに対して、（７５）の進化する電気抵抗ゼロコイル配線の簡易説明に成り、常温電気に依る電気抵抗ゼロ配線は、世界特許権に成り得る登録実用新案第３２０３１０６号の国の全額借金返済と都道府県市町村区の全額借金返済に対して知事の回答が無い対策として、時効の無い国の借金返済対策として美瑛まちの庶民全体の生活権維持を守る為の知的所有財産の著作権活用と先著作権技術主張を美瑛まちが優先し、電気スピードと同じ速さで電気を流す事の出来る高出力銅筒管コイル配線と無金属二重配線に対しての知的所有財産の盗作防止の為の先著作権活用公開技術に成り、特許公開としても、良く知られて入る（７６）の銅コイル配線は（７７）の高出力銅筒管電気抵抗ゼロコイル配線へとそして、（７８）の高出力銅筒管軽量圧電素子電気抵抗ゼロコイル配線更に、（７９）の高出力弱アルファ粒子軽水素圧電素子入り銅筒管電気抵抗ゼロコイル配線へと進化擦る。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２３１】
図１４の説明として、（１）の高出力六角形状圧電素子連結発電回路型コイル無ライトレールモーターに対して、（９２）の発電磁石体への進化の比較として、（８０）の電磁誘導発電効果が低い鋼鉄磁石体から（８１）の鋼鉄磁石体に対して、（８２）の圧電素子磁石体は、（８３）の水素入り圧電素子磁石体そして、（８４）の軽水素入り圧電素子磁石体へと進化し、（８５）の軽水素入りチタン酸バリウム複数針穴形状シートと（８６）の多層重ね方式と（８７）の軽水素入り圧電シートと（８８）の高出力圧電素子磁石体シートに成り、（８９）の高出力圧電素子四角形状磁石体に成り、（９０）の高出力六角形状軽水素入り圧電素子磁石体は、（９１）の電磁誘導発電効果の高い高出力圧電素子磁石体へと改良進化し、（９３）の通常磁石体〜電磁誘導発電効果の高い磁石体への移行経緯図で有り、（１）の高出力六角形状圧電素子連結発電回路型コイル無ライトレールモーター進化と改良が続く事に成る。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２３２】
図１５の説明として、（１）の高出力六角形状圧電素子連結発電回路型コイル無ライトレールモーターに対して、（９４）の燃えにくいプラスチックゴム絶縁体説明図として、（９５）の高出力銅筒管電気配線に対して、（９６）の竹灰入りゴム絶縁体と（９７）の竹灰入りプラスチックゴム絶縁体と（９８）の通常銅筒管電気配線部分と（９９）の軽水素入り圧電素子磁石体電気抵抗ゼロ配線部分から連なる（９４）の燃えにくいプラスチックゴム絶縁体説明図。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２３３】
図１６の説明として、（１）の高出力六角形状圧電素子連結発電回路型コイル無ライトレールモーターに対しての、高出力インバータ装置と高出力リレーインバータ装置の（１００）の高出力インバータ説明改良図として、（１０１）のシリコン酸化膜として、（１０１）のシリコン酸化膜に対して、（１０２）の軽水素入りシリコン酸化膜に対して、（１０３）のＮ型シリコン基板Ａと（１０４）の軽水素入りＮ型シリコン基板と進化改良され、（１０４）の軽水素入りＮ型シリコン基板へと構造が変わり、（１０５）のＰウエルに対して、（１０６）のＮ_  →Ｎ型半導体に対して不純物濃度の低い→Ｎ型半導体説明に成り、（１０７）のＳｐ→Ｐ型シリコンソースと（１０８）のＴｐ→トランジスタＰ型シリコンと（１０９）のＤｐ→Ｐ型シリコンドレインと（１１０）のＰ_  →Ｐ型半導体に対して不純物濃度の低い→Ｐ型半導体説明に成る。
と（１１１）のＤｎ→Ｎ型シリコンドレインと（１１２）のＴｎ→トランジスタＮ型シリコンと（１１３）のＳｎ→Ｎ型シリコンソースと（１１４）の軽水素圧電素子磁石体粒子入りシリコン酸化膜及びＮ型シリコンシートと（１１５）のＧ→ゲートと（１１６）のＤｐ, Ｄｎ→Ｎ型シリコンドレイン及びＤｐ→Ｐ型シリコンドレインと（１１７）のアルミニウム→ボンデイングワイヤ部分から成る（１００）の高出力インバータ説明改良図。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２３４】
図１７の説明として、（１１８）の発電三重発光ライトの（１１９）のＬＥＤ素子（１２０）の封止樹脂と（１２１）のボンデイングワイヤと（１２２）のリードフレームと（１２３）の技術進化と（１２４）のアルゴンガス入りダイオードと（１２５）の半圧縮ガラスと（１２６）のピアノ線と（１２７）の軽水素入りダイオードと（１２８）のアルゴンガス入りグラスファイバーシートパネルライトＢと（１２９）の白色高出力発電回路→プラス白色高出力発電回路とマイナス白色高出力発電回路と（１３０）の、ネオンガス入りチタン酸バリウムシリコン入り発電回路補助スペースと（１３１）の軽水素入りフッ化カルシウム入りグラスファイバーパネルライトの構造の仕組みを説明した図１７で有る。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２３５】
図１８の説明として、北海道知事宛ての、著作権考案の参考図の事実を書き記した図１７の半分に切った図をハガキに貼りつけて北海道知事宛てに送付した考案証拠図。
【０２３６】
図１９の説明として、（１）の高出力六角形状圧電素子連結発電回路型コイル無ライトレールモーターに対して、（１３２）の高出力六角形状圧電素子連結型発電回路内カバー付内コイルモーターに対して、（１３３）のモーター軸誘導カバーと（１３４）の蝶番と（１３５）の内側高出力六角形状圧電素子連結型発電回路と（１３６）の高出力モーターカバー固定ボルト穴と（１３７）の高出力圧電素子永久磁石体と（１３８）の圧電素子粒子入りシリコン磁力線調整シートと（１３９）の高出力銅筒管コイルと（１４０）の内コイル構造の（１３２）の高出力六角形状圧電素子連結型発電回路内カバー付内コイルモーターに成る高出力六角形状圧電素子連結発電回路応用参考図。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２３７】
図２０の説明として、（１）の高出力六角形状圧電素子連結発電回路型コイル無ライトレールモーターに対して、（１４１）の高出力六角形状圧電素子連結型発電回路Ｂに成り、（１４２）の圧電素子圧電発電増幅可能な水素イオン入り圧電素子を２００２年考案作品に対して、（１４３）の水素イオン入り圧電素子磁石と（１４４）の水素イオン入りチタン酸バリウム溶液構造に依って、（１４５）の電気増幅進化と成り、（１４６）の軽水素入り圧電素子磁石シートと（１４７）の合わせパネルと（１４８）の複数針穴空き軽水素入りチタン酸バリウムシートと（１４９）の四角形状の連結発電回路を２００９年３月９日考案の発電回路を（１５０）の更なる増幅発電を開発し、（１５１）の軽水素入りの六角形状圧電素子磁石体の連結型発電回路を考案した特許の考え方を検討する。
そして、高出力発電回路は、（１５２）の増幅プラス電気Ｃと（１５３）の増幅マイナス電気Ｃと（１５４）の通常プラス電気Ｄと（１５５）の通常マイナス電気Ｄと（１５６）の増幅プラス電気Ｄと（１５７）の増幅マイナス電気Ｄと（１５８）の軽水素入りシリコンＤ部分と（１５９）の軽水素入り軽量圧電素子Ｄから連なる高出力発電回路の改良の時間の事実に成る（１）の高出力六角形状圧電素子連結発電回路型コイル無ライトレールモーター内蔵の高出力六角形状圧電素子連結発電回路型に成る。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２３８】
図２１の説明として、（１）の高出力六角形状圧電素子連結発電回路型コイル無ライトレールモーターに対して、（５３２）の二重発光ライト高出力六角形状圧電素子連結型コイル無レールモーターＴに対して、（５３３）の高出力六角形状圧電素子連結型コイル無レールモーター部分Ｔと（５３４）の高出力アルゴンガス入りグラスファィバーパネル軽水素フッ化カルシウム光吸収発電ライト二重構造パネル装置Ｔと（５３５）とインバータ集合配線システム装置Ｔと（５３６）の圧電素子４電子磁気分割装置Ｔを積載内蔵した（１）の高出力六角形状圧電素子連結発電回路型コイル無ライトレールモーター。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２３９】
図２２の説明として、（１）の高出力六角形状圧電素子連結発電回路型コイル無ライトレールモーターに対して、（１６０）の高出力ＣＭＯＳインバータモーター回路スイッチは、（１６１）の入力と（１６２）の出力と（１６３）のゲート（Ｇ）と（１６４）のＶＳＳと（１６５）のＶＤＤと（１６６）の高出力Ｐ型シリコン基板Ｂと（１６７）の高出力Ｎ型シリコン基板Ｂと（１６８）の高出力Ｐ型シリコンＢソース（Ｓ）
と（１６９）の高出力Ｐ型シリコンＢドレイン（Ｄ）と（１７０）の高出力Ｎ型シリコンＢソース（Ｓ）と（１７１）の高出力Ｎ型シリコンＢドレイン（Ｄ）構造から連なる（１６０）の高出力ＣＭＯＳインバータモーター回路スイッチ。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２４０】
図２３の説明として、（１）の高出力六角形状圧電素子連結発電回路型コイル無ライトレールモーターに対して、（１７２）の高出力ＣＭＯＳインバータモーター磁気回路スイッチは、（１６２）の出力と（１６３）のゲート（Ｇ）と（１６４）のＶＳＳと（１６５）のＶＤＤと（１６６）の高出力Ｐ型シリコン基板Ｂと（１６７）の高出力Ｎ型シリコン基板Ｂと（１６８）の高出力Ｐ型シリコンＢソース（Ｓ）と（１６９）の高出力Ｐ型シリコンＢドレイン（Ｄ）と（１７０）の高出力Ｎ型シリコンＢソース（Ｓ）と（１７１）の高出力Ｎ型シリコンＢドレイン（Ｄ）と（１７３）の通常Ｎ型シリコンシートＢと（１７４）の高出力Ｐ型圧電素子粒子入りシリコン基板Ｂと（１７５）の通常Ｐ型シリコンＢと（１７６）の高出力Ｎ型圧電素子粒子入りシリコンソースＢ（Ｓ）と（１７７）の高出力Ｐ型圧電素子粒子入りシリコンドレインＢ（Ｄ）
と（１７８）の高出力Ｎ型圧電素子粒子入りシリコン基板Ｂと（１７９）の高出力Ｎ型圧電素子粒子入りシリコンソースＣ（Ｓ）と（１８０）の高出力Ｐ型圧電素子粒子入りシリコンドレインＣ（Ｄ）構造の（１７２）の高出力ＣＭＯＳインバータモーター磁気回路スイッチに成る。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２４１】
図２４の説明として、（１）の高出力六角形状圧電素子連結発電回路型コイル無ライトレールモーターに対して、（１８１）の軽水素イオン作動発電モーターは、（１８２）の高出力インバータ装置（Ａ,Ｂ,Ｃ,Ｄ,Ｅ,Ｆ,Ｇ,Ｈ,Ｉ,Ｊ,Ｋ,Ｌ,Ｍ,Ｎ,Ｏ,Ｐ,Ｑ,Ｒ,Ｓ,Ｔ,）と（１８３）の竹灰入りプラスチックグラスファィバー 絶縁体と（１８４）のモーター軸と（１８５）の高出力六角形状圧電素子連結型発電回路（一、二、三、四、五、六、七、八、九、十、十一、十二、十三、十四、十五、十六、十七、十八、十九、二十、）の其々の（１８５）の高出力六角形状圧電素子連結型発電回路と（１８７）の軽水素イオン電子通過リング複数穴装置と（１８８）の旧レールモーター参考改良図Ａと（１８９）の内蔵歯車と（１９０）のモーター軸と（１９１）の電気電子放電管及びインバータ装置と（１９２）の連動歯車と（１９３）の旧参考作品改良図Ｂ
（１９４）の高出力六角形状圧電素子連結発電回路体と（１９５）の八方軽水素イオン電子プラスマイナス放電管装置と（１９６）のマイナス軽水素イオン発生装置と（１９７）のプラス軽水素イオン発生装置に依って、連続作動出来る（１）の高出力六角形状圧電素子連結発電回路型コイル無ライトレールモーターに対しての（１８１）の軽水素イオン作動発電モーターに成る。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２４２】
図２５の説明として、（１）の高出力六角形状圧電素子連結発電回路型コイル無ライトレールモーターに対して、（１８２）の高出力インバータ装置（Ａ,Ｂ,Ｃ,Ｄ,Ｅ,Ｆ,Ｇ,Ｈ,Ｉ,Ｊ,Ｋ,Ｌ,Ｍ,Ｎ,Ｏ,Ｐ,Ｑ,Ｒ,Ｓ,Ｔ,）の他に、（１）の高出力六角形状圧電素子連結発電回路を滑落崩壊防止対策として、（１８３）の竹灰入りプラスチックグラスファィバー 絶縁体そして、磁石面同士は、軽水素複数針穴形状の圧電素子磁石体粒子入り竹灰入りプラスチックグラスファィバー 絶縁体に依って、高出力圧電素子磁石体の圧電素子滑落崩壊防止対策を嵩じた（１）の高出力六角形状圧電素子磁石体に成る。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２４３】
図２６の説明として、（１）の高出力六角形状圧電素子連結発電回路型コイル無ライトレールモーターに対してのライト装置に対して、（１２５）の半圧縮ガラスと（１２８）のアルゴンガス入りグラスファイバーシートパネルライトＢと（１３１）の軽水素入りフッ化カルシウム入りグラスファイバーパネルライトと（１９８）の ネオンガス入りチタン酸バリウムシリコン入り発電回路補助スペース付白色高出力プラス発電回路と（１９９）の     ネオンガス入りチタン酸バリウムシリコン入り発電回路補助スペース付白色高出力マイナス発電回路と（２００）の 竹灰入り窒素ガス内蔵プラスチック粒子入り竹灰入りグラスファイバーカバー装置と（２０１）の プラス圧電素子磁気４分割装置Ｃと（２０２）の マイナス圧電素子磁気４分割装置Ｃと（２０３）の ライトアルミニウムリングプレートカバーと（２０４）の 蝶番と（２０５）の 吊紐金具と（２０６）の 電気配線を取り付けた（１２８）のアルゴンガス入りグラスファイバーシートパネルライトＢ参考装置説明で有る。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２４４】
図２７の説明として、（１）の高出力六角形状圧電素子連結発電回路型コイル無ライトレールモーターに対しての（２０７）の竹灰入り石英粒子入りガラス絶縁体枠Ａと（２０８）の竹灰入りグラスファィバー溶液シートと（２０９）の竹灰入り石英粒子入りガラス絶縁体枠Ｂと（２１０）のモーター本体配線部分と（２１１）の二重構造絶縁体リレー装置と（２１２）のリレー回路装置参考説明で有る。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２４５】
図２８の説明として、（１）の高出力六角形状圧電素子連結発電回路型コイル無ライトレールモーターに対して、（２１３）の未来の発電を行える超高速リニア発電回路モーターカーは（２１４）の循環型軽水素タンク発電装置を積載内蔵し（２１５）の軽水素入りチタン酸バリウムシリコンガス管→窒素冷却軽水素管積載の（２１６）の高出力イオン磁力線送電型発電回路装置の参考図。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２４６】
図２９の説明として、（１）の高出力六角形状圧電素子連結発電回路型コイル無ライトレールモーターに対して、（２０７） の竹灰入り石英粒子入りガラス絶縁体枠Ａと（２０８）の竹灰入りグラスファィバー溶液シートと（２０９）の竹灰入り石英粒子入りガラス絶縁体枠Ｂと（２１０）のモーター本体配線部分と（２１１）の二重構造絶縁体リレー装置を使った（１）の高出力六角形状圧電素子連結発電回路型コイル無ライトレールモーター装置の参考図。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２４７】
図３０の説明として、（１）の高出力六角形状圧電素子連結発電回路型コイル無ライトレールモーターに対して、（２１７）の超高速リニア発電回路モーターカーは（２１８）の軽水素イオン管入り浮上用高出力六角形状圧電素子連結発電回路型電磁石と（２１９）の軽水素イオン管入り推進用高出力六角形状圧電素子連結発電回路型電磁石に対して、（２２０）の高出力銅筒管コイル配線Ｅ（２２１）の三重連結構造高出力圧電素子合成電磁石を使った（２２２）の水路方式の（２１７）の超高速リニア発電回路モーターカーに成り、（１）の高出力六角形状圧電素子連結発電回路型コイル無ライトレールモーターの改良型（２１７）の超高速リニア発電回路モーターカーの参考説明。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２４８】
図３１の説明として、（１）の高出力六角形状圧電素子連結発電回路型コイル無ライトレールモーターに対して、（２２３）の高出力六角形状軽水素入り圧電素子磁石体連結発電回路イオン電磁圧電発電型コイル無電池無補助モーター自転車は（２２４）の足踏み扱ぎ装置と（２２５）の高出力六角形状圧電素子連結型発電回路Ｅ と（２２６）の前輪高出力電磁誘導圧電素子連結六角形状発電装置と（２２７）の後輪高出力電磁誘導圧電素子連結六角形状発電装置と（２２８）の第一補助高出力電磁誘導圧電素子連結六角形状発電装置と（２２９）の第二補助高出力電磁誘導圧電素子連結六角形状発電装置と（２３０）のボルトＥと（２３１）のカバーＥと（２３２）のボルト止め装置Ｅと（２３３）のカバー止め突起装置Ｅ積載内蔵の（２２３）の高出力六角形状軽水素入り圧電素子磁石体連結発電回路イオン電磁圧電発電型コイル無電池無補助モーター自転車の（１）の高出力六角形状圧電素子連結発電回路型コイル無ライトレールモーター積載使用の参考説明。
特徴として、自転車走行発電を行った発電電気エネルギーで、自転車のモーター走行を可能にした参考技術。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２４９】
図３２の説明として、（１）の高出力六角形状圧電素子連結発電回路型コイル無ライトレールモーターに対して、（２３４）の大気イオン磁力線気化熱風発生型太陽光熱イオンエネルギー発電始動回転型連結圧電素子発電回路風力フォース発電装置システムに対して、（２３５）の軽量風受け羽根装置と（２３６）の高出力六角形状圧電素子連結発電回路型シート内蔵型軽水素圧電素子粒子入りシリコンダイオード熱光瞬間吸収ソーラーパネルは、（２３７）の風車軸に対して、（２３８）の二枚風車と（２３９）の風返し羽根装置と（２４０）のイオン電磁波送信口と（２４１）のイオン電磁波受信口と（２４２）の雨貯水タンクＥと（２４３）のイオン蒸気放出口構造の（２４４）の高出力軽水素イオン磁気電磁誘導発電装置付の（２３４）の大気イオン磁力線気化熱風発生型太陽光熱イオンエネルギー発電始動回転型連結圧電素子発電回路風力フォース発電装置システムの高出力六角形状圧電素子連結発電回路使用の参考説明。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２５０】
図３３の説明として、北海道知事宛ての、著作権考案の参考図の事実を書き記した図３０の半分に切った図をハガキに貼りつけて北海道知事宛てに送付した考案証拠図。
【０２５１】
図３４の説明として、北海道知事宛ての、著作権考案の参考図の事実を書き記した図３０の半分に切った図をハガキに貼りつけて北海道知事宛てに送付した考案証拠図。
【０２５２】
図３５の説明として、北海道知事宛ての、著作権考案の参考図の事実を書き記した図３１の半分に切った図をハガキに貼りつけて北海道知事宛てに送付した考案証拠図。
【０２５３】
図３６の説明として、北海道知事宛ての、著作権考案の参考図の事実を書き記した図３１の半分に切った図をハガキに貼りつけて北海道知事宛てに送付した考案証拠図。
【０２５４】
図３７の説明として、北海道知事宛ての、著作権考案の参考図の事実を書き記した図３２の半分に切った図をハガキに貼りつけて北海道知事宛てに送付した考案証拠図。
【０２５５】
図３８の説明として、北海道知事宛ての、著作権考案の参考図の事実を書き記した図３２の半分に切った図をハガキに貼りつけて北海道知事宛てに送付した考案証拠図。
【０２５６】
図３９の説明として、（１）の高出力六角形状圧電素子連結発電回路型コイル無ライトレールモーターに対して、（２４５）のニューヒグマ世界観光船推進装置  は（２４６）の高出力電動仕切り弁内蔵型サイドバランサーモータースクリューと（２４７）の高出力六角形状３乗圧電素子連結型７連結以上コイル無レールモーターと（２４８）の防護用高出力電動仕切り弁カバーと（２４９）の軽量竹灰入りグラスファイバー錆防止パネル部分と（２５０）の第一鋼鉄板セラミックアルミニウム錆防止塗装板部分と（２５１）の竹灰入りゴム部分と（２５２）の第二鋼鉄板セラミックアルミニウム錆防止塗装板部分と（２５３）の絶縁竹灰入りゴムグラスファイバー部分と（２５４）の高出力六角形状圧電素子連結型発電回路パネルＦ積載の（１）の高出力六角形状圧電素子連結発電回路型コイル無ライトレールモーターの参考説明。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２５７】
図４０の説明として、北海道知事宛ての、著作権考案の参考図の事実を書き記した図３９の半分に切った図をハガキに貼りつけて北海道知事宛てに送付した考案証拠図。
【０２５８】
図４１の説明として、北海道知事宛ての、著作権考案の参考図の事実を書き記した図３９の半分に切った図をハガキに貼りつけて北海道知事宛てに送付した考案証拠図。
【０２５９】
図４２の説明として、（１）の高出力六角形状圧電素子連結発電回路型コイル無ライトレールモーターに対しての回路装置に成り、（２５５）の新バージョン二層構造電気抵抗ゼロ回路配線は（２５６）のアルミニウム鉛ガラス粒子入り下側溝回路配線部分に対して、（２５７）の軽水素ガス入り圧電素子粒子入りシリコンダイオード上層側回路配線部分と（２５８）の二層回路配線溝部分と（２５９）の圧電構造回路配線溝部分装置構造の（９）の軽水素入りインバータダイオードリレースイッチ積載の（１）の高出力六角形状圧電素子連結発電回路型コイル無ライトレールモーターの参考説明。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２６０】
図４３の説明として、（１）の高出力六角形状圧電素子連結発電回路型コイル無ライトレールモーターに対して（２６０）の全自動位置帰還型海上海底地図高認識目印Ｓ〇Ｓビグ装置は（２６１）のソナー水中スクリューレーダー船位置再認識装置と（２６２）の全自動前後左右記憶位置帰還型高出力六角形状圧電素子３乗３連コイル無レールモータースクリュー（中コイル連結軸電磁石スイッチ接合切り離しタイプ有）と（２６３）の高出力熱瞬間発電夏季モデルソーラー海水温パネルと（２６４）の二重軽水素ガス入り発砲スチロール軽量圧電素子窒素エアー蓄電池グラスファイバーゴム浮輪と（２６５）の弱ガンマ―放射線パネルカメラと（２６６）のリレー二重発光ライトと（２６７）の陸海空数値データー地図と（２６８）の山岳ヘリコプターＧＰＳ及び衛星ＧＰＳアンテナと（２６９）の全自動陸海上間全自動位置距離計測スクリュー無線波発信装置と（２７０）の９高出力プロペラモーター飛行機と（２７１）の高出力レールモーターＦ積載の（２６０）の全自動位置帰還型海上海底地図高認識目印Ｓ〇Ｓビグ装置の（１）の高出力六角形状圧電素子連結発電回路型コイル無ライトレールモーター積載使用参考説明。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２６１】
図４４の説明として、（１）の高出力六角形状圧電素子連結発電回路型コイル無ライトレールモーターに対して使用予定の超薄発電シートは、プラスチックシートに、軽水素トリチウム電子ガス入りのプラスチック溶液と竹灰入りグラスフアイバー溶液を使った軽水素入りダイオードシート等の圧電素子磁石体粒子入りの超薄発電シート説明。
【０２６２】
図４５の説明として、北海道知事宛ての、著作権考案の参考図の事実を書き記した図４２の半分に切った図をハガキに貼りつけて北海道知事宛てに送付した考案証拠図。
【０２６３】
図４６の説明として、北海道知事宛ての、著作権考案の参考図の事実を書き記した図４３の半分に切った図をハガキに貼りつけて北海道知事宛てに送付した考案証拠図。
【０２６４】
図４７の説明として、（１）の高出力六角形状圧電素子連結発電回路型コイル無ライトレールモーターに対して（２７０）の９高出力プロペラモーター飛行機は（２７１）の高出力レールモーターＦと（２７２）の高出力六角形状圧電素子連結半コイル無レールモーターと（２７３）の収納型走行装置４ヶ所と（２７４）の高出力レールモーター足走行装置と（２７５）の高出力六角形状軽量圧電素子連結型発電回路Ｆ積載の（２７０）の９高出力プロペラモーター飛行機の（１）の高出力六角形状圧電素子連結発電回路型コイル無ライトレールモーターの（１）の高出力六角形状圧電素子連結発電回路使用積載の参考説明。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２６５】
図４８の説明として、図４７と同じく、デザイン違いの（２７０）の９高出力プロペラモーター飛行機の参考説明。
【０２６６】
図４９の説明として、（１）の高出力六角形状圧電素子連結発電回路型コイル無ライトレールモーターに対して（２７６）の電動前デカタイヤ車は（２７７）の高出力六角形状圧電素子連結発電回路型コイル無レールモーターに対して、（２７８）の三重エアーチューブ部分構造のタイヤチューブを使用して、（２７９）のドアと（２８０）の半液体ゴムチューブクッション体と（２８１）のゴム部分と（２８２）の舗装面
と（２８３）の荷物入れ場所構造の（２７６）の電動前デカタイヤ車そして、（１）の高出力六角形状圧電素子連結発電回路型コイル無ライトレールモーターの参考説明。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２６７】
図５０の説明として、北海道知事宛ての、著作権考案の参考図の事実を書き記した図４９の半分に切った図をハガキに貼りつけて北海道知事宛てに送付した考案証拠図。
【０２６８】
図５１の説明として、北海道知事宛ての、著作権考案の参考図の事実を書き記した図４９の半分に切った図をハガキに貼りつけて北海道知事宛てに送付した考案証拠図。
【０２６９】
図５２の説明として、（１）の高出力六角形状圧電素子連結発電回路型コイル無ライトレールモーターに対して（２８５）の超高速電気観光船ヒグマ推進装置では、（２８６）の高出力電動仕切り弁窓装置と（２８７）の高出力サイドスクリューモーターと（２８８）の二重発光ライトカメラと（２８９）のスクリューソナー波発射装置と（２９０）のスクリュー低周波発射装置と（２９１）の高出力弱ガンマ放射線飛散防止パネルカメラ積載の（２８５）の超高速電気観光船ヒグマ推進装置の（１）の高出力六角形状圧電素子連結発電回路型コイル無ライトレールモーターの応用説明。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２７０】
図５３の説明として、（１）の高出力六角形状圧電素子連結発電回路型コイル無ライトレールモーターに対して（２８５）の超高速電気観光船ヒグマ推進装置では、（２９３）の高出力超高速５連結×ギアスクリューモーターと（２９４）の高出力１５連結スクリューモーターと（２９５）の高出力サイドスクリューモーターと（２９６）の立体ニャン高出力ライトラインカメラ装置と（２９７）の立体ワン高出力ライトラインカメラ装置積載の（２８５）の超高速電気観光船ヒグマ推進装置の（１）の高出力六角形状圧電素子連結発電回路型コイル無ライトレールモーターの応用説明。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２７１】
図５４の説明として、（１）の高出力六角形状圧電素子連結発電回路型コイル無ライトレールモーターに対して、（２９８）の高出力リニアモーターロケットと（２９９）の高出力リニアモーターロケット補助推進用スクリューエアー高速装置と（３００）の高出力リニアモーターサイド移動補助推進電磁石装置と（３０１）の高出力リニアモーター多層連結高出力電磁石装置の（１）の高出力六角形状圧電素子連結発電回路型コイル無ライトレールモーターの応用説明。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２７２】
図５５の説明として、（１）の高出力六角形状圧電素子連結発電回路型コイル無ライトレールモーターに対して、（３０２）の６プロペラ山岳ヘリコプターでは、（３０３）の複数カラー光ライン装置と（３０４）の複数電波キャッチ体と（３０５）の高出力六角形状圧電素子連結型発電回路Ｇと（３０６）の二重発光ライトカメラ装置と（３０７）の分離型貯蓄電池体と（３０８）の風止め突起羽根装置部分と（３０９）の位置固定全自動確認型ＧＰＳと（３１０）のアンテナ型太陽光熱瞬間吸収発電パネルの（１）の高出力六角形状圧電素子連結発電回路型コイル無ライトレールモーターの応用説明。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２７３】
図５６の説明として、北海道知事宛ての、著作権考案の参考図の事実を書き記した図５２の半分に切った図をハガキに貼りつけて北海道知事宛てに送付した考案証拠図。
【０２７４】
図５７の説明として、北海道知事宛ての、著作権考案の参考図の事実を書き記した図５２の半分に切った図をハガキに貼りつけて北海道知事宛てに送付した考案証拠図。
【０２７５】
図５８の説明として、北海道知事宛ての、著作権考案の参考図の事実を書き記した図５３の半分に切った図をハガキに貼りつけて北海道知事宛てに送付した考案証拠図。
【０２７６】
図５９の説明として、北海道知事宛ての、著作権考案の参考図の事実を書き記した図５３の半分に切った図をハガキに貼りつけて北海道知事宛てに送付した考案証拠図。
【０２７７】
図６０の説明として、北海道知事宛ての、著作権考案の参考図の事実を書き記した図５４の半分に切った図をハガキに貼りつけて北海道知事宛てに送付した考案証拠図。
【０２７８】
図６１の説明として、北海道知事宛ての、著作権考案の参考図の事実を書き記した図５４の半分に切った図をハガキに貼りつけて北海道知事宛てに送付した考案証拠図。
【０２７９】
図６２の説明として、（１）の高出力六角形状圧電素子連結発電回路型コイル無ライトレールモーターに対して、（２９４）の高出力１５連結スクリューモーター及び（２９５）の高出力サイドスクリューモーターがセットされ（２９６）の立体ニャン高出力ライトラインカメラ装置と（２９７）の立体ワン高出力ライトラインカメラ装置と（３１１）のアルミニウム軽水素入りプラスチック発砲スチロール粒子入り補助充電池プラス転倒防止タンク装置と（３１２）のアルミニウム軽水素入りプラスチック発砲スチロール粒子入り補助充電池マイナス転倒防止タンク装置と（３１３）の軽水素イオンバリウムガスタンクと（３１４）の高出力イオン電磁誘導発電装置と（３１５）の高出力六角形状圧電素子連結型発電回路Ｈの（１）の高出力六角形状圧電素子連結発電回路型コイル無ライトレールモーターの応用説明。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２８０】
図６３の説明として、（１）の高出力六角形状圧電素子連結発電回路型コイル無ライトレールモーターに対して、（３１５）の高出力六角形状圧電素子連結型発電回路Ｈと（３１６）の軽水素ガス入り圧電素子磁石体Ｈと（３１７）の連結部分Ｈと（３１８）の圧電素子粒子入り軽水素シリコン部分と（３１９）の軽水素入りシリコンマイクロシート０，００５ミリ部分と（３２０）の通常圧電素子Ｈと（３２１）の軽水素入りシリコンＨと（３２２）の窒素ガス入りシリコン粒子ラインＨ部分の（１）の高出力六角形状圧電素子連結発電回路型コイル無ライトレールモーターの応用説明。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２８１】
図６４の説明として、北海道知事宛ての、著作権考案の参考図の事実を書き記した図６２の半分に切った図をハガキに貼りつけて北海道知事宛てに送付した考案証拠図。
【０２８２】
図６５の説明として、北海道知事宛ての、著作権考案の参考図の事実を書き記した図６２の半分に切った図をハガキに貼りつけて北海道知事宛てに送付した考案証拠図。
【０２８３】
図６６の説明として、（１）の高出力六角形状圧電素子連結発電回路型コイル無ライトレールモーターに対して、（３２３）の高出力軽水素イオン熱瞬間吸収発電船外機では、（３２４）の小舟転倒防止装置Ｈと（３２５）の高出力六角形状圧電素子連結型発電回路Ｉと（３２６）のボルト止めＨと（３２７）のワイヤＨと（３２８）の水切り重りＨと（３２９）の舵Ｈと（３３０）のカバーボルト止め方式Ｈと（３３１）の竹灰入りプラスチックゴムＨと（３３２）のアルミニウム板Ｈと（３３３）の竹灰入り塩化プラスチックゴムリング入れカバー装置の（１）の高出力六角形状圧電素子連結発電回路型コイル無ライトレールモーターの応用説明。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２８４】
図６７の説明として、（１）の高出力六角形状圧電素子連結発電回路型コイル無ライトレールモーターに対して、（３２３）の高出力軽水素イオン熱瞬間吸収発電船外機では、（３３４）の中型船転倒防止装置Ｉと（３３５）の船底転倒防止重心移動固定装置と（３３６）の酸化銅入りプラスチックビニール芯入り十字網軽水素発光フッ化カルシウム入り配線入りロープと（３３７）の鉄球部分と（３３８）の竹灰入りビニールゴム部分と（３３９）の軽水素入り発砲スチロールと（３４０）の軽水素入り圧電素子磁石体粒子内蔵シリコンダイオード熱光瞬間吸収発電ボールと（３４１）のネジ型電気ジャック装置と（３４２）の網用浮→ビグ装置と（３４３）のリング止め方法と（３４４）の発泡スチロールと（３４５）の蓋装置と（３４６）の竹灰入りプラスチック部分の（１）の高出力六角形状圧電素子連結発電回路型コイル無ライトレールモーターの応用説明。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２８５】
図６８の説明として、北海道知事宛ての、著作権考案の参考図の事実を書き記した図６６の半分に切った図をハガキに貼りつけて北海道知事宛てに送付した考案証拠図。
【０２８６】
図６９の説明として、北海道知事宛ての、著作権考案の参考図の事実を書き記した図６６の半分に切った図をハガキに貼りつけて北海道知事宛てに送付した考案証拠図。
【０２８７】
図７０の説明として、北海道知事宛ての、著作権考案の参考図の事実を書き記した図６７の半分に切った図をハガキに貼りつけて北海道知事宛てに送付した考案証拠図。
【０２８８】
図７１の説明として、北海道知事宛ての、著作権考案の参考図の事実を書き記した図６７の半分に切った図をハガキに貼りつけて北海道知事宛てに送付した考案証拠図。
【０２８９】
図７２の説明として、（１）の高出力六角形状圧電素子連結発電回路型コイル無ライトレールモーターに対して、（３４７）の高出力水素イオン電磁電気発生装置→高出力六角形状圧電素子連結発電回路型コイル無レールモーターと（３４８）の軽水素タンクＪと（３４９）の軽水素配管と（３５０）の高速リレー装置と（３５１）の磁気イオン一本配線と（３５２）の電気分配器と（３５３）の一本配線と（３５４）の高出力圧電素子電波受信体と（３５５）のイオン磁気電気増幅分離装置と（３５６）のゲルマニウム高出力銅筒管コイルと（３５７）の高出力銅筒管コイル配線Ｊと（３５８）の高出力スピーカーＪと（３５９）のイオン磁気電気再生装置と（３６０）の画像増幅分配リレー再生画像装置の（１）の高出力六角形状圧電素子連結発電回路型コイル無ライトレールモーターの応用説明。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２９０】
図７３の説明として、（１）の高出力六角形状圧電素子連結発電回路型コイル無ライトレールモーターに対して、（３６０）の画像増幅分配リレー再生画像装置と（３６１）のアルゴンガス入りシリコングラスファイバーシート画像パネルと（３６２）のマイナス映像波リレー入力配線と（３６３）のマイナスＡ画像波〜Ｐ画像波と（３６４）の映像波リレー配線位置説明図と（３６５）のプラス映像波リレー入力配線と（３６６）のプラスＡ画像波〜Ｐ画像波の（１）の高出力六角形状圧電素子連結発電回路型コイル無ライトレールモーターの応用説明。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２９１】
図７４の説明として、北海道知事宛ての、著作権考案の参考図の事実を書き記した図７３の半分に切った図をハガキに貼りつけて北海道知事宛てに送付した考案証拠図。
【０２９２】
図７５の説明として、（１）の高出力六角形状圧電素子連結発電回路型コイル無ライトレールモーターに対して、（３６７）の高出力六角形状圧電素子連結型レールモーター制御補助免震装置と（３６８）の高出力六角形状圧電素子連結一個巻きコイル型レールモーターと（３６９）の高出力六角形状圧電素子連結三個巻きコイル型レールモーターと（３７０）の制御エレベーター高出力六角形状圧電素子レールモーター
と（３７１）のエレベーターワイヤと（３７２）の滑車と（３７３）のエレベーターと（３７４）の全自動ロボットアーム海川生物餌やり水槽掃除装置と（３７５）の餌やり装置ワイヤと（３７６）の餌管と（３７７）の餌バケットと（３７８）の海の貝水槽と（３７９）の海の魚水槽と（３８０）の川の魚水槽と（３８１）の川の貝水槽と（３８２）の海藻育成水槽と（３８３）のスッポン育成水槽に対しての（１）の高出力六角形状圧電素子連結発電回路型コイル無ライトレールモーターの応用説明。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２９３】
図７６の説明として、（１）の高出力六角形状圧電素子連結発電回路型コイル無ライトレールモーターに対して、（３８４）の両刃Ｗ正反転回転高出力六角形状圧電素子連結コイル無レールモーター剃刀→高出力六角形状圧電素子連結型コイル無正転反転Ｗレールモーター剃刀と（３８５）の正転と（３８６）の反転と（３８７）のネジ山と（３８８）の刃と（３８９）のダイオードゴムと（３９０）のシリコンゴムと（３９１）の両刃カミソリ刃と（３９２）の高出力スピーカー振動肌モミ装置と（３９３）の竹灰入りプラスチック突起部分と（３９４）のダイオードシリコン突起部分と（３９５）の圧電素子４電子磁気分割装置と（３９６）の高出力六角形状圧電素子連結型発電回路の（１）の高出力六角形状圧電素子連結発電回路型コイル無ライトレールモーターの応用説明。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
【０２９４】
図７７の説明として、北海道知事宛ての、著作権考案の参考図の事実を書き記した図７５の半分に切った図をハガキに貼りつけて北海道知事宛てに送付した考案証拠図。
【０２９５】
図７８の説明として、北海道知事宛ての、著作権考案の参考図の事実を書き記した図７５の半分に切った図をハガキに貼りつけて北海道知事宛てに送付した考案証拠図。
【０２９６】
図７９の説明として、（１）の高出力六角形状圧電素子連結発電回路型コイル無ライトレールモーターに対して、（５４８）の高出力棒状六角形状圧電素子連結型レールモーターホイスト部分と（５４９）の磁力線分散絶縁体装置と（５５０）の絶縁シートパネル部分と（５５１）の永久磁石部分と（５５２）の亜鉛部分と（５５３）の鋼鉄部分と（５５４）の鉄芯入りアルミニウムナットと（５５５）の電磁石リレーインバータ高出力コイルと（５５６）の電気配線Ａボックスと（５５７）の電気配線Ｂボックスと（５５８）の高出力３連インバータ高出力コイルの（１）の高出力六角形状圧電素子連結発電回路型コイル無ライトレールモーターの応用説明。
従って、高出力六角形状圧電素子連結発電回路の電磁誘導イオン磁気発電しながらモーター回転出来る（１）の高出力六角形状圧電素子連結発電回路型コイル無ライトレールモーターの応用説明。
そして、高出力電磁石に関して、高出力銅筒管コイルと高出力圧電素子磁石体と軽水素イオンを使った高出力六角形状圧電素子連結発電回路の電磁誘導イオン磁気発電しながらモーター回転出来る（１）の高出力六角形状圧電素子連結発電回路型コイル無ライトレールモーターの応用説明。
【０２９７】
図８０の説明として、（１）の高出力六角形状圧電素子連結発電回路型コイル無ライトレールモーターに対して、（３９７）の原子力発電所補強免震装置と（３９８）の原子炉と（３９９）の鉄筋と（４００）の鋼鉄板と（４０１）の高出力六角形状圧電素子連結型レールモーターホイストの（１）の高出力六角形状圧電素子連結発電回路型コイル無ライトレールモーターの応用説明。
そして、高出力電磁石に関して、高出力銅筒管コイルと高出力圧電素子磁石体と軽水素イオンを使った高出力六角形状圧電素子連結発電回路の電磁誘導イオン磁気発電しながらモーター回転出来る（１）の高出力六角形状圧電素子連結発電回路型コイル無ライトレールモーターの応用説明。
【０２９８】
図８１の説明として、（１）の高出力六角形状圧電素子連結発電回路型コイル無ライトレールモーターに対して、（３９８）の原子炉は（３９９）の鉄筋と（４００）の鋼鉄板と（４０１）の高出力六角形状圧電素子連結型レールモーターホイストと（４０２）のコンクリートと（４０３）の複数穴開き竹灰入りセラミックナット固定型冷却ボールと（４０４）の窒素入りプラスチック球と（４０５）の竹灰入りガラス穴と（４０６）のナット部分と（４０７）の免震杭装置と（４０８）の鋼鉄カバーと（４０９）の二重構造コロ電磁石モーター制御免震と（４１０）の三重構造コロ電磁石モーター制御免震と（４１１）の高出力六角形状圧電素子連結型電動仕切り弁閉鎖扉装置   と（４１２）の高出力六角形状圧電素子連結型レールコロ電磁石反発速度調整免震装置  と（４１３）の高出力六角形状圧電素子連結型レールモーターホイスト免震補助装置と（４１４）のビル本体に設置される免震杭装置と二重構造コロ電磁石モーター制御免震と（４１０）の三重構造コロ電磁石モーター制御免震装置の（１）の高出力六角形状圧電素子連結発電回路型コイル無ライトレールモーターの応用説明。
そして、高出力電磁石に関して、高出力銅筒管コイルと高出力圧電素子磁石体と軽水素イオンを使った高出力六角形状圧電素子連結発電回路の電磁誘導イオン磁気発電しながらモーター回転出来る（１）の高出力六角形状圧電素子連結発電回路型コイル無ライトレールモーターの応用説明。
【０２９９】
図８２の説明として、北海道知事宛ての、著作権考案の参考図の事実を書き記した図８０の半分に切った図をハガキに貼りつけて北海道知事宛てに送付した考案証拠図。
【０３００】
図８３の説明として、北海道知事宛ての、著作権考案の参考図の事実を書き記した図８１の半分に切った図をハガキに貼りつけて北海道知事宛てに送付した考案証拠図。
【０３０１】
図８４の説明として、北海道知事宛ての、著作権考案の参考図の事実を書き記した図８１の半分に切った図をハガキに貼りつけて北海道知事宛てに送付した考案証拠図。
【０３０２】
図８５の説明として、（１）の高出力六角形状圧電素子連結発電回路型コイル無ライトレールモーターに対して、（４１４）のビル本体と（４１５）の固定金属板と（４１６）の高出力六角形状圧電素子連結発電回路型レールモーターホイスト免震装置と（４１７）のコンクリート天盤仕上げ用複数鋼鉄穴と（４１８）のコンクリート穴と（４１９）の高出力電磁石板と（４２０）の高出力六角形状圧電素子連結型発電回路の（１）の高出力六角形状圧電素子連結発電回路型コイル無ライトレールモーターの応用説明。
そして、高出力電磁石に関して、高出力銅筒管コイルと高出力圧電素子磁石体と軽水素イオンを使った高出力六角形状圧電素子連結発電回路の電磁誘導イオン磁気発電しながらモーター回転出来る（１）の高出力六角形状圧電素子連結発電回路型コイル無ライトレールモーターの応用説明。
【０３０３】
図８６の説明として、（１）の高出力六角形状圧電素子連結発電回路型コイル無ライトレールモーターに対して、（４２１）のプラス配線Ｋと（４２２）のマイナス配線Ｋと（４２３）の圧電素子４電子磁気分割装置と（４２４）の高出力六角形状圧電素子連結埋め込み型発電回路と（４２５）の高出力多層式複数コイル内蔵型電磁石免震板の（１）の高出力六角形状圧電素子連結発電回路型コイル無ライトレールモーターの応用説明。
そして、高出力電磁石に関して、高出力銅筒管コイルと高出力圧電素子磁石体と軽水素イオンを使った高出力六角形状圧電素子連結発電回路の電磁誘導イオン磁気発電しながらモーター回転出来る（１）の高出力六角形状圧電素子連結発電回路型コイル無ライトレールモーターの応用説明。
【０３０４】
図８７の説明として、（１）の高出力六角形状圧電素子連結発電回路型コイル無ライトレールモーターに対して、（４２６）の頭部分と（４２７）の背もたれ部分と（４２８）のシート弱アルファ放射線パネルカメラセンサーバンドと（４２９）の高出力六角形状圧電素子連結発電回路型棒状レールモーターと（４３０）の三重エアーチューブ型綿網チューブ内蔵型椅子クッション調整装置と（４３１）の椅子部分と（４３２）の姿勢調整モーターエアー袋装置  と（４３３）の高出力六角形状圧電素子連結発電回路型リクライニング制御レールモーター装置の（１）の高出力六角形状圧電素子連結発電回路型コイル無ライトレールモーターの応用説明。
そして、高出力電磁石に関して、高出力銅筒管コイルと高出力圧電素子磁石体と軽水素イオンを使った高出力六角形状圧電素子連結発電回路の電磁誘導イオン磁気発電しながらモーター回転出来る（１）の高出力六角形状圧電素子連結発電回路型コイル無ライトレールモーターの応用説明。
【０３０５】
図８８の説明として、（１）の高出力六角形状圧電素子連結発電回路型コイル無ライトレールモーターに対して、（４３４）の熱瞬間吸収発電スクリュー管と（４３５）のネジ部分Ｋと（４３６）の熱水と（４３７）の二重ロック装置と（４３８）の高出力六角形状圧電素子連結型シリコン部分カバー発電回路体の（１）の高出力六角形状圧電素子連結発電回路型コイル無ライトレールモーターの応用説明。
そして、高出力電磁石に関して、高出力銅筒管コイルと高出力圧電素子磁石体と軽水素イオンを使った高出力六角形状圧電素子連結発電回路の電磁誘導イオン磁気発電しながらモーター回転出来る（１）の高出力六角形状圧電素子連結発電回路型コイル無ライトレールモーターの応用説明。
【０３０６】
図８９の説明として、（１）の高出力六角形状圧電素子連結発電回路型コイル無ライトレールモーターに対して、（４３９）の沸騰水発電タンク部分は（４４０）の水位センサーと（４４１）の蒸気発生タンク水量確認カメラと（４４２）の高出力電動仕切り弁  と（４４３）の循環蒸気回収管と（４４４）の圧電素子４電子磁気分割装置Ｋと（４４５）の再生循環蒸気送り管と（４４６）の高出力圧電素子粒子入り軽水素内蔵シリコンと（４４７）の高出力六角形状圧電素子連結型発電回路Ｋの（１）の高出力六角形状圧電素子連結発電回路型コイル無ライトレールモーターの応用説明。
そして、高出力電磁石に関して、高出力銅筒管コイルと高出力圧電素子磁石体と軽水素イオンを使った高出力六角形状圧電素子連結発電回路の電磁誘導イオン磁気発電しながらモーター回転出来る（１）の高出力六角形状圧電素子連結発電回路型コイル無ライトレールモーターの応用説明。
【０３０７】
図９０の説明として、北海道知事宛ての、著作権考案の参考図の事実を書き記した図８８の半分に切った図をハガキに貼りつけて北海道知事宛てに送付した考案証拠図。
【０３０８】
図９１の説明として、北海道知事宛ての、著作権考案の参考図の事実を書き記した図８９の半分に切った図をハガキに貼りつけて北海道知事宛てに送付した考案証拠図。
【０３０９】
図９２の説明として、北海道知事宛ての、著作権考案の参考図の事実を書き記した図８９の半分に切った図をハガキに貼りつけて北海道知事宛てに送付した考案証拠図。
【０３１０】
図９３の説明として、（１）の高出力六角形状圧電素子連結発電回路型コイル無ライトレールモーターに対して、（４４８）の高出力四角形状圧電素子連結型発電回路型コイル無レールモーターＬでは（４４９）の高出力インバータスイッチＬと（４５０）のプラス配線Ｌと（４５１）のマイナス配線Ｌと（４５２）のアルミニウムモーターカバー装置Ｌの（１）の高出力六角形状圧電素子連結発電回路型コイル無ライトレールモーターの応用説明。
そして、高出力電磁石に関して、高出力銅筒管コイルと高出力圧電素子磁石体と軽水素イオンを使った高出力六角形状圧電素子連結発電回路の電磁誘導イオン磁気発電しながらモーター回転出来る（１）の高出力六角形状圧電素子連結発電回路型コイル無ライトレールモーターの応用説明。
【０３１１】
図９４の説明として、（１）の高出力六角形状圧電素子連結発電回路型コイル無ライトレールモーターに対して、（４５３）の高出力楕円形状圧電素子連結型発電回路型コイル無レールモーターＭと（４５４）の高出力インバータスイッチＭと（４５５）のプラス配線Ｍと（４５６）のマイナス配線Ｍと（４５７）のアルミニウムモーターカバー装置Ｍの（１）の高出力六角形状圧電素子連結発電回路型コイル無ライトレールモーターの応用説明。
そして、高出力電磁石に関して、高出力銅筒管コイルと高出力圧電素子磁石体と軽水素イオンを使った高出力六角形状圧電素子連結発電回路の電磁誘導イオン磁気発電しながらモーター回転出来る（１）の高出力六角形状圧電素子連結発電回路型コイル無ライトレールモーターの応用説明。
【０３１２】
図９５の説明として、（１）の高出力六角形状圧電素子連結発電回路型コイル無ライトレールモーターに対して、（４５９）の高出力三角形状圧電素子連結型発電回路型コイル無レールモーターＮでは、（４６０）の高出力インバータスイッチＮと（４６１）のプラス配線Ｎと（４６２）のマイナス配線Ｎと（４６３）のアルミニウムモーターカバー装置Ｎの（１）の高出力六角形状圧電素子連結発電回路型コイル無ライトレールモーターの応用説明。
そして、高出力電磁石に関して、高出力銅筒管コイルと高出力圧電素子磁石体と軽水素イオンを使った高出力六角形状圧電素子連結発電回路の電磁誘導イオン磁気発電しながらモーター回転出来る（１）の高出力六角形状圧電素子連結発電回路型コイル無ライトレールモーターの応用説明。
【０３１３】
図９６の説明として、（１）の高出力六角形状圧電素子連結発電回路型コイル無ライトレールモーターに対して、（４６４）の高出力四角形状圧電素子連結型発電回路型レールモーターＯでは（４６５）の高出力インバータスイッチＯと（４６６）のプラス配線Ｏと（４６７）のマイナス配線Ｏと（４６８）のアルミニウムモーターカバー装置Ｏの（１）の高出力六角形状圧電素子連結発電回路型コイル無ライトレールモーターの応用説明。
そして、高出力電磁石に関して、高出力銅筒管コイルと高出力圧電素子磁石体と軽水素イオンを使った高出力六角形状圧電素子連結発電回路の電磁誘導イオン磁気発電しながらモーター回転出来る（１）の高出力六角形状圧電素子連結発電回路型コイル無ライトレールモーターの応用説明。
【０３１４】
図９７の説明として、（１）の高出力六角形状圧電素子連結発電回路型コイル無ライトレールモーターに対して、（４６９）の高出力楕円形状圧電素子連結型発電回路型レールモーターＰでは（４７０）の高出力インバータスイッチＰと（４７１）のプラス配線Ｐと（４７２）のマイナス配線Ｐと（４７３）のアルミニウムモーターカバー装置Ｐの（１）の高出力六角形状圧電素子連結発電回路型コイル無ライトレールモーターの応用説明。
そして、高出力電磁石に関して、高出力銅筒管コイルと高出力圧電素子磁石体と軽水素イオンを使った高出力六角形状圧電素子連結発電回路の電磁誘導イオン磁気発電しながらモーター回転出来る（１）の高出力六角形状圧電素子連結発電回路型コイル無ライトレールモーターの応用説明。
【０３１５】
図９８の説明として、（１）の高出力六角形状圧電素子連結発電回路型コイル無ライトレールモーターに対して、（４７４）の高出力三角形状圧電素子連結型発電回路型レールモーターＱでは（４７５）の高出力インバータスイッチＱと（４７６）のプラス配線Ｑと（４７７）のマイナス配線Ｑと（４７８）のアルミニウムモーターカバー装置Ｑの（１）の高出力六角形状圧電素子連結発電回路型コイル無ライトレールモーターの応用説明。
そして、高出力電磁石に関して、高出力銅筒管コイルと高出力圧電素子磁石体と軽水素イオンを使った高出力六角形状圧電素子連結発電回路の電磁誘導イオン磁気発電しながらモーター回転出来る（１）の高出力六角形状圧電素子連結発電回路型コイル無ライトレールモーターの応用説明。
【０３１６】
図９９の説明として、（１）の高出力六角形状圧電素子連結発電回路型コイル無ライトレールモーターに対して、（４８４）の高出力六角形状圧電素子連結発電回路型コイル無レールモーター仕切り弁装置ＱＱでは（４８５）の薬剤注入管ＱＱに対して（４８６）の薬剤分解用曲線突起装置ＱＱと（４８７）の通常太巻き高周波銅コイル装置ＱＱと（４８８）のプラス電気配線ＱＱと（４８９）のマイナス電気配線ＱＱは（４９０）のモーター土台ＱＱと（４９１）の高出力高速リレー装置ＱＱの（１）の高出力六角形状圧電素子連結発電回路型コイル無ライトレールモーターの応用説明。
そして、高出力電磁石に関して、高出力銅筒管コイルと高出力圧電素子磁石体と軽水素イオンを使った高出力六角形状圧電素子連結発電回路の電磁誘導イオン磁気発電しながらモーター回転出来る（１）の高出力六角形状圧電素子連結発電回路型コイル無ライトレールモーターの応用説明。
【０３１７】
図１００の説明として、（１）の高出力六角形状圧電素子連結発電回路型コイル無ライトレールモーターに対して、（４９２）の高出力六角形状圧電素子連結発電回路型コイル無レールモーター仕切り弁装置Ｒでは、（４９３）の薬剤注入管Ｒと（４９４）の薬剤分解用角材突起装置Ｒと（４９５）の高出力電磁弁Ｒと（４９６）の高出力六角形状圧電素子連結発電回路型棒状レールモーターＲと（４９７）の薬剤取り込み風車Ｒと（４９８）の高出力高速リレー装置Ｒと（４９９）のプラス電気配線Ｒと（５００）のマイナス電気配線Ｒと（５０１）のモーター土台Ｒと（５０２）の高出力六角形状圧電素子連結発電回路型コイル無レールモーターＲの（１）の高出力六角形状圧電素子連結発電回路型コイル無ライトレールモーターの応用説明。
そして、高出力電磁石に関して、高出力銅筒管コイルと高出力圧電素子磁石体と軽水素イオンを使った高出力六角形状圧電素子連結発電回路の電磁誘導イオン磁気発電しながらモーター回転出来る（１）の高出力六角形状圧電素子連結発電回路型コイル無ライトレールモーターの応用説明。
【０３１８】
図１０１の説明として、（１）の高出力六角形状圧電素子連結発電回路型コイル無ライトレールモーターに対して、（５０３）の高出力六角形状圧電素子連結発電回路型コイル無レールモーター仕切り弁装置Ｓ（５０４）のボルト部分Ｓと（５０５）の薬剤注入管Ｓに対して（５０６）の通常太巻き高周波銅コイル装置Ｓと（５０７）の薬剤分解用斜線突起装置Ｓに対して（５０８）の高出力コンプレッサーエアー循環噴出口Ｓと（５０９）の上部薬剤取り込み用電動仕切り弁Ｓと（５１０）の薬剤放出用高出力六角形状圧電素子連結発電回路型コイル無レールモーター仕切り弁装置Ｓと（５１１）の下部薬剤取り込み用電動仕切り弁Ｓ
と（５１２）のマイナス電気配線Ｓと（５１３）のプラス電気配線Ｓと（５１４）の高出力高速リレー装置Ｓと（５１５）の遠心分離機下部薬剤取り出し高出力六角形状圧電素子連結発電回路型コイル無レールモーター仕切り弁口Ｓと（５１６）の高出力モーター扉Ｓと（５１７）の高出力コンプレッサーＳと（５１８）の遠心分離機上部薬剤取り出し高出力六角形状圧電素子連結発電回路型コイル無レールモーター仕切り弁口Ｓの（１）の高出力六角形状圧電素子連結発電回路型コイル無ライトレールモーターの応用説明。
そして、高出力電磁石に関して、高出力銅筒管コイルと高出力圧電素子磁石体と軽水素イオンを使った高出力六角形状圧電素子連結発電回路の電磁誘導イオン磁気発電しながらモーター回転出来る（１）の高出力六角形状圧電素子連結発電回路型コイル無ライトレールモーターの応用説明。
【０３１９】
図１０２の説明として、北海道知事宛ての、著作権考案の参考図の事実を書き記した図９９の半分に切った図をハガキに貼りつけて北海道知事宛てに送付した考案証拠図。
【０３２０】
図１０３の説明として、北海道知事宛ての、著作権考案の参考図の事実を書き記した図９９の半分に切った図をハガキに貼りつけて北海道知事宛てに送付した考案証拠図。
【０３２１】
図１０４の説明として、北海道知事宛ての、著作権考案の参考図の事実を書き記した図１００の半分に切った図をハガキに貼りつけて北海道知事宛てに送付した考案証拠図。
【０３２２】
図１０５の説明として、北海道知事宛ての、著作権考案の参考図の事実を書き記した図１００の半分に切った図をハガキに貼りつけて北海道知事宛てに送付した考案証拠図。
【０３２３】
図１０６の説明として、北海道知事宛ての、著作権考案の参考図の事実を書き記した図１０１の半分に切った図をハガキに貼りつけて北海道知事宛てに送付した考案証拠図。
【０３２４】
図１０７の説明として、北海道知事宛ての、著作権考案の参考図の事実を書き記した図１０１の半分に切った図をハガキに貼りつけて北海道知事宛てに送付した考案証拠図。
【０３２５】
図１０８の説明として、（１）の高出力六角形状圧電素子連結発電回路型コイル無ライトレールモーターに対して、（５７５）の福島原子力発電所の水止め方法として（５７６）の原子力建屋の（５７７）の複数個所水中ポンプと（５７８）の水中ポンプを使って（５７９）のドリル杭と（５８０）の岩盤まで掘削してコンクリート打設手段を（５８１）の複数個所の（５８２）の防波堤於いて（５８３）の高出力三連水中ポンプに依って（５８４）の海水を止める事と地下水全てを止める一番安全で金の掛からない土木のやり方説明手段の（１）の高出力六角形状圧電素子連結発電回路型コイル無ライトレールモーターの応用説明。
そして、高出力電磁石に関して、高出力銅筒管コイルと高出力圧電素子磁石体と軽水素イオンを使った高出力六角形状圧電素子連結発電回路の電磁誘導イオン磁気発電しながらモーター回転出来る（１）の高出力六角形状圧電素子連結発電回路型コイル無ライトレールモーターの応用説明。
【０３２６】
図１０９の説明として、（１）の高出力六角形状圧電素子連結発電回路型コイル無ライトレールモーターに対して、（５８６）のマイナス電気回収配線と（５８７）の プラス電気回収配線に対しての（５８８）のプラス磁力線アルゴンフッ化カルシウム発光高速電気磁力線発光ライトと（５８９）のマイナス磁力線アルゴンフッ化カルシウム発光高速電気磁力線発光ライトの（１）の高出力六角形状圧電素子連結発電回路型コイル無ライトレールモーターの応用説明。
そして、高出力電磁石に関して、高出力銅筒管コイルと高出力圧電素子磁石体と軽水素イオンを使った高出力六角形状圧電素子連結発電回路の電磁誘導イオン磁気発電しながらモーター回転出来る（１）の高出力六角形状圧電素子連結発電回路型コイル無ライトレールモーターの応用説明。
【０３２７】
図１１０の説明として、（１）の高出力六角形状圧電素子連結発電回路型コイル無ライトレールモーターに対して、（５１９）の高出力六角形状圧電素子連結内蔵型アルゴン軽水素フッ化カルシウム窒素三重発光グラスファィバーライトに対して（５２０）の超長プラススクリュー一巻きコイル電気増幅スピード循環電気配線と（５２１）の超長マイナススクリュー一巻きコイル電気増幅スピード循環電気配線と（５２２）のプラス圧電素子４電子磁気分割装置と（５２３）のマイナス圧電素子４電子磁気分割装置と（５２４）の電気抵抗ゼロプラス電気配線と（５２５）の電気抵抗ゼロマイナス電気配線に依って、（５２６）のプラス三重ライトと（５２７）のマイナス三重ライト其々は、（５２８）のプラス電気配線と（５２９）のマイナス電気配線
装置其々に依って、（５３０）のアルゴン軽水素フッ化カルシウム窒素合成ライト部分と（５３１）の圧電素子部分構造の（１）の高出力六角形状圧電素子連結発電回路を使った（１）の高出力六角形状圧電素子連結発電回路型コイル無ライトレールモーターの応用説明。
そして、高出力電磁石に関して、高出力銅筒管コイルと高出力圧電素子磁石体と軽水素イオンを使った高出力六角形状圧電素子連結発電回路の電磁誘導イオン磁気発電しながらモーター回転出来る（１）の高出力六角形状圧電素子連結発電回路型コイル無ライトレールモーターの応用説明。
【０３２８】
図１１１の説明として、北海道知事宛ての、著作権考案の参考図の事実を書き記した図１１０の半分に切った図をハガキに貼りつけて北海道知事宛てに送付した考案証拠図。
【０３２９】
図１１２の説明として、北海道知事宛ての、著作権考案の参考図の事実を書き記した図１１０の半分に切った図をハガキに貼りつけて北海道知事宛てに送付した考案証拠図。
【０３３０】
図１１３の説明として、（１）の高出力六角形状圧電素子連結発電回路型コイル無ライトレールモーターに対して、（５３６）の圧電素子４電子磁気分割装置Ｔに対して、（５３７）の高出力六角形状圧電素子連結型発電回路電磁力線装置Ｕと（５３８）の高出力六角形状圧電素子連結型レールモーター電磁誘導発電装置Ｕと（５３９）のスクリュー部分Ｕと（５４０）の菜種油部分Ｕと（５４１）の竹灰入りセラミック部分Ｕと（５４２）の刺し込み固定のボルトリング止め構造の竹灰入りセラミックＵと（５４３）の循環配管Ｕと（５４４）の発電機四重カバーＵと（５４５）の三連スクリュー三重配管Ｕと（５４６）の振動防止材に赤粘土ビニールゴム煉り材使用固定粘土Ｕ材を使った菜種油軽水素酸素水沸騰水発電機に対しての（１）の高出力六角形状圧電素子連結発電回路を使った（１）の高出力六角形状圧電素子連結発電回路型コイル無ライトレールモーターの応用説明。
そして、高出力電磁石に関して、高出力銅筒管コイルと高出力圧電素子磁石体と軽水素イオンを使った高出力六角形状圧電素子連結発電回路の電磁誘導イオン磁気発電しながらモーター回転出来る（１）の高出力六角形状圧電素子連結発電回路型コイル無ライトレールモーターの応用説明。
【０３３１】
図１１４の説明として、（１）の高出力六角形状圧電素子連結発電回路型コイル無ライトレールモーターに対して、（５５９）の冷却型高出力真空装置瞬間乾燥機では、（５６０）の高出力真空装置六角形状圧電素子連結型コイル無レールモーターと（５６１）のＳ字型止め枠板装置と（５６２）の銅筒管と（５６３）の鉛銅アルミニウム部分と（５６４）の微量ヘリウム窒素炭素複数穴空き冷却物質を使った冷却型高出力瞬間真空装置乾燥機型洗濯機の（１）の高出力六角形状圧電素子連結発電回路型コイル無ライトレールモーターの応用説明。
そして、高出力電磁石に関して、高出力銅筒管コイルと高出力圧電素子磁石体と軽水素イオンを使った高出力六角形状圧電素子連結発電回路の電磁誘導イオン磁気発電しながらモーター回転出来る（１）の高出力六角形状圧電素子連結発電回路型コイル無ライトレールモーターの応用説明。
【０３３２】
図１１５の説明として、（１）の高出力六角形状圧電素子連結発電回路型コイル無ライトレールモーターに対して、（５６５）のシャッター式誘導弾高出力モーター入賞装置方式の（５６６）の手元ダイヤル入力プラスアルファ干支絵文字図柄設定数字プラス入賞型高出力パチンコ遊戯装置は（５６７）のシャッター式高出力モーター風車装置と（５６８）の部分グラスファィバープラスチック高出力モーター釘板装置と（５６９）のシャッター式高出力モーター玉釘装置と（５７０）のシャッター式高出力モーター釘装置と（５７１）のエアー加湿機装置と（５７２）のシャッター式玉洗い高出力モーター装置と（５７３）のシャッター式高出力モーターライト釘装置と（５７４）の干支絵組合せ文字を使った（５６６）の手元ダイヤル入力プラスアルファ干支絵文字図柄設定数字プラス入賞型高出力パチンコ遊戯装置の（１）の高出力六角形状圧電素子連結発電回路型コイル無ライトレールモーターの応用説明。
そして、高出力電磁石に関して、高出力銅筒管コイルと高出力圧電素子磁石体と軽水素イオンを使った高出力六角形状圧電素子連結発電回路の電磁誘導イオン磁気発電しながらモーター回転出来る（１）の高出力六角形状圧電素子連結発電回路型コイル無ライトレールモーターの応用説明。
【０３３３】
図１１６の説明として、（１）の高出力六角形状圧電素子連結発電回路型コイル無ライトレールモーターに対して、（５９５）の高出力六角形状地下圧電素子連結型電気増幅発電回路と（５９４）の水力式ダイナモ→高出力六角形状圧電素子連結発電回路内蔵型ダイナモに於いて、（５９１）の鉄塔と（５９２）の川水と（５９３）の滝と（５９４）の水力式ダイナモ→高出力六角形状圧電素子連結発電回路内蔵型ダイナモ
と（５９５）の高出力六角形状地下圧電素子連結型電気増幅発電回路と（５９６）の送電線と（５９７）のプラス送電線と（５９８）のマイナス送電線と（５９９）の変圧器と（６００）の圧電素子４電子磁気分割装置と（６０１）のプラス増幅電気と（６０２）のマイナス増幅電気発電が出来る装置の（１）の高出力六角形状圧電素子連結発電回路型コイル無ライトレールモーターの応用説明。
そして、高出力電磁石に関して、高出力銅筒管コイルと高出力圧電素子磁石体と軽水素イオンを使った高出力六角形状圧電素子連結発電回路の電磁誘導イオン磁気発電しながらモーター回転出来る（１）の高出力六角形状圧電素子連結発電回路型コイル無ライトレールモーターの応用説明。
【符号の説明】
【０３３４】
１        高出力六角形状圧電素子連結発電回路型コイル無ライトレールモーター
２        プラス高出力銅筒管配線Ａ,Ｂ,Ｃ,Ｄ,Ｅ,
３        マイナス高出力銅筒管配線Ａ,Ｂ,Ｃ,Ｄ,Ｅ,
４        圧電素子４電子磁気分割装置
５        アルミニウム鉄合金カバー
６        上面図
７        複数針穴形状薄ステンレスカバー付高出力圧電素子磁石体部分
８        側面図   貼り付け
９        軽水素入りインバータダイオードリレースイッチＡ,Ｂ,Ｃ,Ｄ,Ｅ,Ｆ,Ｇ,Ｈ,Ｉ,Ｊ,Ｋ,Ｌ,Ｍ,Ｎ,Ｏ,Ｐ,
１０      モーター丸円組合せ六角軸
１１      ボルト止め金具固定装置
１２      六角軸部分
１３      丸円軸部分
１４      ナット部分
１５      軸突起切りナット部分
１６      プラス電気配線
１７      マイナス電気配線
１８      アルゴンガス入りグラスファイバーライトパネル
１９      プラスアルゴンガス入りグラスファイバーライトパネル電気配線
２０      マイナスアルゴンガス入りグラスファイバーライトパネル電気配線
２１      プラス電気配線スイッチ
２２      マイナス電気配線スイッチ
２３      差し込み固定装置
２４      軽水素入りフッ化カルシウム入りグラスファイバー瞬間光吸収発電型ライトパネル
２５      貼り付け固定装置
２６      圧電素子４電子磁気分割装置Ｔ書き込み名称場所
２７      軽水素入りインバータダイオードスイッチＡ１,Ｂ１,Ｃ１,Ｄ１,Ｅ１,Ｆ１,Ｇ１,Ｈ１,Ｉ１,Ｊ１,Ｋ１,Ｌ１,Ｍ１,Ｎ１,Ｏ１,Ｐ１,Ａ２,Ｂ２,Ｃ２,Ｄ２,Ｅ２,Ｆ２,Ｇ２,Ｈ２,Ｉ２,Ｊ２,Ｋ２,Ｌ２,Ｍ２,Ｎ２,Ｏ２,Ｐ２,Ａ３,Ｂ３,Ｃ３,Ｄ３,Ｅ３,Ｆ３,Ｇ３,Ｈ３,Ｉ３,Ｊ３,Ｋ３,Ｌ３,Ｍ３,Ｎ３,Ｏ３,Ｐ３,Ａ４,Ｂ４, Ｃ４,Ｄ４,Ｅ４,Ｆ４,Ｇ４,Ｈ４,Ｉ４,Ｊ４,Ｋ４,Ｌ４,Ｍ４,Ｎ４,Ｏ４,Ｐ４, Ａ５,Ｂ５,Ｃ５,Ｄ５, Ｅ５,Ｆ５,Ｇ５,Ｈ５,Ｉ５,Ｊ５,Ｋ５,Ｌ５,Ｍ５,Ｎ５,Ｏ５,Ｐ５,Ａ６,Ｂ６,Ｃ６, Ｄ６,Ｅ６,Ｆ６,Ｇ６,Ｈ６,Ｉ６,Ｊ６,Ｋ６,Ｌ６,Ｍ６,Ｎ６,Ｏ６,Ｐ６, Ａ７,Ｂ７,Ｃ７,Ｄ７,Ｅ７,Ｆ７,Ｇ７,Ｈ７,Ｉ７,Ｊ７,Ｋ７,Ｌ７,Ｍ７,Ｎ７,Ｏ７,Ｐ７,合計壱百壱拾弐個の軽水素入りインバータダイオードスイッチ
２８       第一Ａ高出力六角形状圧電素子連結発電回路型コイル無ライトレールモーター
２９       第二Ｂ高出力六角形状圧電素子連結発電回路型コイル無ライトレールモーター
３０       第三Ｃ高出力六角形状圧電素子連結発電回路型コイル無ライトレールモーター
３１       第四Ｄ高出力六角形状圧電素子連結発電回路型コイル無ライトレールモーター
３２       第五Ｅ高出力六角形状圧電素子連結発電回路型コイル無ライトレールモーター
３３       第六Ｆ高出力六角形状圧電素子連結発電回路型コイル無ライトレールモーター
３４       第七Ｇ高出力六角形状圧電素子連結発電回路型コイル無ライトレールモーター
３５       高出力７連結以上六角形状圧電素子連結発電回路型コイル無ライトレールモーター
３６       高出力六角形状圧電素子参乗連結発電回路型コイル無ライトレールモーター
３７       高出力六角形状圧電素子一乗連結発電回路型コイル無ライトレールモーターＡ,Ｂ,Ｃ,Ｄ,Ｅ,Ｆ,Ｇ,
３８       高出力六角形状圧電素子二乗連結発電回路型コイル無ライトレールモーターＡ,Ｂ,Ｃ,Ｄ,Ｅ,
３９       高出力六角形状圧電素子三乗連結発電回路型コイル無ライトレールモーターＡ,Ｂ,Ｃ,Ｄ,Ｅ,
４０       高出力六角形状圧電素子三乗７連結発電回路型第１コイル無ライトレールモーター
４１       高出力六角形状圧電素子三乗７連結発電回路型第２コイル無ライトレールモーター
４２       高出力六角形状圧電素子三乗７連結発電回路型第３コイル無ライトレールモーター
４３       高出力六角形状圧電素子三乗７連結発電回路型第４コイル無ライトレールモーター
４４       高出力六角形状圧電素子三乗７連結発電回路型第５コイル無ライトレールモーター
４５       高出力六角形状圧電素子三乗７連結発電回路型第６コイル無ライトレールモーター
４６       高出力六角形状圧電素子三乗７連結発電回路型第７コイル無ライトレールモーター
４７       軽水素入り高出力六角形状圧電素子連結発電回路円形リング型
４８       通常ダイナモ
４９       ダイナモ軸
５０       ダイナモ端子
５１       改良型高出力ダイナモ本体
５２       コイル無モーター本体
５３       高出力ダイナモ
５４       高出力六角形状圧電素子連結発電回路型電磁誘導発電モーター
５５       異種２連結以上高出力モーター
５６       高出力コイルモーター
５７       高出力軽量歯車コイル無３乗レールモーター
５８       軽量歯車
５９       ステンレス枠
６０       アルミニウム溶液流し込み部分
６１       高出力モーター丸円組合せ六角軸穴
６２       棒状レールモーター
６３       高出力棒状レールモーター
６４       高出力六角連結棒状圧電素子発電回路型レールモーター
６５       旧初代日本初レールモーター
６６       高出力レールモーター
６７       高出力卍形状レールモーター
６８       高出力十字形状レールモーター
６９       高出力コイル無ライトレールモーター
７０       磁極切り替えスイッチ
７１       高出力インバータ電極切り替えスイッチ
７２       高出力軽水素入り圧電素子磁石体粒子入りビニールインバータスイッチ
７３       棒状レールモーター
７４       コイル無棒状レールモーター固定装置
７５       進化する電気抵抗ゼロコイル配線 
７６       銅コイル配線
７７       高出力銅筒管電気抵抗ゼロコイル配線
７８       高出力銅筒管軽量圧電素子電気抵抗ゼロコイル配線
７９       高出力弱アルファ粒子軽水素圧電素子入り銅筒管電気抵抗ゼロコイル配線
８０       電磁誘導発電効果が低い鋼鉄磁石体
８１       鋼鉄磁石体
８２       圧電素子磁石体
８３       水素入り圧電素子磁石体
８４       軽水素入り圧電素子磁石体
８５       軽水素入りチタン酸バリウム複数針穴形状シート
８６       多層重ね方式
８７       軽水素入り圧電シート
８８       高出力圧電素子磁石体シート
８９       高出力圧電素子四角形状磁石体
９０       高出力六角形状軽水素入り圧電素子磁石体
９１       電磁誘導発電効果の高い高出力圧電素子磁石体
９２       発電磁石体への進化の比較
９３       通常磁石体〜電磁誘導発電効果の高い磁石体への移行経緯図
９４       燃えにくいプラスチックゴム絶縁体説明図
９５       高出力銅筒管電気配線
９６       竹灰入りゴム絶縁体
９７       竹灰入りプラスチックゴム絶縁体
９８       通常銅筒管電気配線部分
９９       軽水素入り圧電素子磁石体電気抵抗ゼロ配線部分
１００     高出力インバータ説明改良図
１０１     シリコン酸化膜
１０２     軽水素入りシリコン酸化膜
１０３     Ｎ型シリコン基板Ａ
１０４     軽水素入りＮ型シリコン基板
１０５     Ｐウエル
１０６     Ｎ_  →Ｎ型半導体に対して不純物濃度の低い→Ｎ型半導体説明に成る。
１０７     Ｓｐ→Ｐ型シリコンソース
１０８     Ｔｐ→トランジスタＰ型シリコン
１０９     Ｄｐ→Ｐ型シリコンドレイン
１１０     Ｐ_  →Ｐ型半導体に対して不純物濃度の低い→Ｐ型半導体説明に成る。
１１１     Ｄｎ→Ｎ型シリコンドレイン
１１２     Ｔｎ→トランジスタＮ型シリコン
１１３     Ｓｎ→Ｎ型シリコンソース
１１４     軽水素圧電素子磁石体粒子入りシリコン酸化膜及びＮ型シリコンシート
１１５     Ｇ→ゲート
１１６     Ｄｐ, Ｄｎ→Ｎ型シリコンドレイン及びＤｐ→Ｐ型シリコンドレイン
１１７     アルミニウム→ボンデイングワイヤ部分
１１８     発電三重発光ライト
１１９     ＬＥＤ素子
１２０     封止樹脂
１２１     ボンデイングワイヤ
１２２     リードフレーム
１２３     技術進化
１２４     アルゴンガス入りダイオード
１２５     半圧縮ガラス
１２６     ピアノ線
１２７     軽水素入りダイオード
１２８     アルゴンガス入りグラスファイバーシートパネルライトＢ
１２９     白色高出力発電回路→プラス白色高出力発電回路とマイナス白色高出力発電回路
１３０     ネオンガス入りチタン酸バリウムシリコン入り発電回路補助スペース
１３１     軽水素入りフッ化カルシウム入りグラスファイバーパネルライト
１３２     高出力六角形状圧電素子連結型発電回路内カバー付内コイルモーター
１３３     モーター軸誘導カバー
１３４     蝶番
１３５     内側高出力六角形状圧電素子連結型発電回路
１３６     高出力モーターカバー固定ボルト穴
１３７     高出力圧電素子永久磁石体
１３８     圧電素子粒子入りシリコン磁力線調整シート
１３９     高出力銅筒管コイル
１４０     内コイル
１４１     高出力六角形状圧電素子連結型発電回路Ｂ
１４２     圧電素子圧電発電増幅可能な水素イオン入り圧電素子を２００２年考案
１４３     水素イオン入り圧電素子磁石
１４４     水素イオン入りチタン酸バリウム溶液
１４５     電気増幅進化
１４６     軽水素入り圧電素子磁石シート
１４７     合わせパネル
１４８     複数針穴空き軽水素入りチタン酸バリウムシート
１４９     四角形状の連結発電回路を考案
１５０     更なる増幅発電を開発
１５１     軽水素入りの六角形状圧電素子磁石体の連結型発電回路を考案した特許の考え方を検討する。
１５２     増幅プラス電気Ｃ
１５３     増幅マイナス電気Ｃ
１５４     通常プラス電気Ｄ
１５５     通常マイナス電気Ｄ
１５６     増幅プラス電気Ｄ
１５７     増幅マイナス電気Ｄ
１５８     軽水素入りシリコンＤ部分
１５９     軽水素入り軽量圧電素子Ｄ
１６０     高出力ＣＭＯＳインバータモーター回路スイッチ
１６１     入力
１６２     出力
１６３     ゲート（Ｇ）
１６４     ＶＳＳ
１６５     ＶＤＤ
１６６     高出力Ｐ型シリコン基板Ｂ
１６７     高出力Ｎ型シリコン基板Ｂ
１６８     高出力Ｐ型シリコンＢソース（Ｓ）
１６９     高出力Ｐ型シリコンＢドレイン（Ｄ）
１７０     高出力Ｎ型シリコンＢソース（Ｓ）
１７１     高出力Ｎ型シリコンＢドレイン（Ｄ）
１７２     高出力ＣＭＯＳインバータモーター磁気回路スイッチ
１７３     通常Ｎ型シリコンシートＢ
１７４     高出力Ｐ型圧電素子粒子入りシリコン基板Ｂ
１７５     通常Ｐ型シリコンＢ
１７６     高出力Ｎ型圧電素子粒子入りシリコンソースＢ（Ｓ）
１７７     高出力Ｐ型圧電素子粒子入りシリコンドレインＢ（Ｄ）
１７８     高出力Ｎ型圧電素子粒子入りシリコン基板Ｂ
１７９     高出力Ｎ型圧電素子粒子入りシリコンソースＣ（Ｓ）
１８０     高出力Ｐ型圧電素子粒子入りシリコンドレインＣ（Ｄ）
１８１     軽水素イオン作動発電モーター
１８２     高出力インバータ装置（Ａ,Ｂ,Ｃ,Ｄ,Ｅ,Ｆ,Ｇ,Ｈ,Ｉ,Ｊ,Ｋ,Ｌ,Ｍ,Ｎ,Ｏ,Ｐ,Ｑ,Ｒ,Ｓ,Ｔ,）
１８３     竹灰入りプラスチックグラスファィバー 絶縁体   
１８４     モーター軸
１８５     高出力六角形状圧電素子連結型発電回路（一、二、三、四、五、六、七、八、九、十、十一、十二、十三、十四、十五、十六、十七、十八、十九、二十、）
１８６     軽量竹灰入り陶器絶縁体リレー装置
１８７     軽水素イオン電子通過リング複数穴装置
１８８     旧レールモーター参考改良図Ａ
１８９     内蔵歯車
１９０     モーター軸
１９１     電気電子放電管及びインバータ装置
１９２     連動歯車
１９３     旧参考作品改良図Ｂ
１９４     高出力六角形状圧電素子連結発電回路体
１９５     八方軽水素イオン電子プラスマイナス放電管装置
１９６     マイナス軽水素イオン発生装置
１９７     プラス軽水素イオン発生装置
１９８     ネオンガス入りチタン酸バリウムシリコン入り発電回路補助スペース付白色高出力プラス発電回路
１９９     ネオンガス入りチタン酸バリウムシリコン入り発電回路補助スペース付白色高出力マイナス発電回路
２００     竹灰入り窒素ガス内蔵プラスチック粒子入り竹灰入りグラスファイバーカバー装置
２０１     プラス圧電素子磁気４分割装置Ｃ
２０２     マイナス圧電素子磁気４分割装置Ｃ
２０３     ライトアルミニウムリングプレートカバー
２０４     蝶番
２０５     吊紐金具
２０６     電気配線
２０７     竹灰入り石英粒子入りガラス絶縁体枠Ａ
２０８     竹灰入りグラスファィバー溶液シート
２０９     竹灰入り石英粒子入りガラス絶縁体枠Ｂ
２１０     モーター本体配線部分
２１１     二重構造絶縁体リレー装置
２１２     リレー回路装置
２１３     未来の発電を行える超高速リニア発電回路モーターカー
２１４     循環型軽水素タンク発電装置
２１５     軽水素入りチタン酸バリウムシリコンガス管→窒素冷却軽水素管
２１６     高出力イオン磁力線送電型発電回路装置
２１７     超高速リニア発電回路モーターカー
２１８     軽水素イオン管入り浮上用高出力六角形状圧電素子連結発電回路型電磁石
２１９     軽水素イオン管入り推進用高出力六角形状圧電素子連結発電回路型電磁石
２２０     高出力銅筒管コイル配線Ｅ
２２１     三重連結構造高出力圧電素子合成電磁石
２２２     水路
２２３     高出力六角形状軽水素入り圧電素子磁石体連結発電回路イオン電磁圧電発電型コイル無電池無補助モーター自転車
２２４     足踏み扱ぎ装置
２２５     高出力六角形状圧電素子連結型発電回路Ｅ
２２６     前輪高出力電磁誘導圧電素子連結六角形状発電装置
２２７     後輪高出力電磁誘導圧電素子連結六角形状発電装置
２２８     第一補助高出力電磁誘導圧電素子連結六角形状発電装置
２２９     第二補助高出力電磁誘導圧電素子連結六角形状発電装置
２３０     ボルトＥ
２３１     カバーＥ
２３２     ボルト止め装置Ｅ
２３３     カバー止め突起装置Ｅ
２３４     大気イオン磁力線気化熱風発生型太陽光熱イオンエネルギー発電始動回転型連結圧電素子発電回路風力フォース発電装置システム
２３５     軽量風受け羽根装置
２３６     高出力六角形状圧電素子連結発電回路型シート内蔵型軽水素圧電素子粒子入りシリコンダイオード熱光瞬間吸収ソーラーパネル
２３７     風車軸
２３８     二枚風車
２３９     風返し羽根装置
２４０     イオン電磁波送信口
２４１     イオン電磁波受信口
２４２     雨貯水タンクＥ
２４３     イオン蒸気放出口
２４４     高出力軽水素イオン磁気電磁誘導発電装置
２４５     ニューヒグマ世界観光船推進装置  
２４６     高出力電動仕切り弁内蔵型サイドバランサーモータースクリュー
２４７     高出力六角形状３乗圧電素子連結型７連結以上コイル無レールモーター
２４８     防護用高出力電動仕切り弁カバー
２４９     軽量竹灰入りグラスファイバー錆防止パネル部分
２５０     第一鋼鉄板セラミックアルミニウム錆防止塗装板部分
２５１     竹灰入りゴム部分
２５２     第二鋼鉄板セラミックアルミニウム錆防止塗装板部分
２５３     絶縁竹灰入りゴムグラスファイバー部分
２５４     高出力六角形状圧電素子連結型発電回路パネルＦ
２５５     新バージョン二層構造電気抵抗ゼロ回路配線
２５６     アルミニウム鉛ガラス粒子入り下側溝回路配線部分
２５７     軽水素ガス入り圧電素子粒子入りシリコンダイオード上層側回路配線部分
２５８     二層回路配線溝部分
２５９     圧電構造回路配線溝部分
２６０     全自動位置帰還型海上海底地図高認識目印Ｓ〇Ｓビグ装置
２６１     ソナー水中スクリューレーダー船位置再認識装置
２６２     全自動前後左右記憶位置帰還型高出力六角形状圧電素子３乗３連コイル無レールモータースクリュー（中コイル連結軸電磁石スイッチ接合切り離しタイプ有）
２６３     高出力熱瞬間発電夏季モデルソーラー海水温パネル
２６４     二重軽水素ガス入り発砲スチロール軽量圧電素子窒素エアー蓄電池グラスファイバーゴム浮輪
２６５     弱ガンマ―放射線パネルカメラ
２６６     リレー二重発光ライト
２６７     陸海空数値データー地図
２６８     山岳ヘリコプターＧＰＳ及び衛星ＧＰＳアンテナ
２６９     全自動陸海上間全自動位置距離計測スクリュー無線波発信装置
２７０     ９高出力プロペラモーター飛行機
２７１     高出力レールモーターＦ
２７２     高出力六角形状圧電素子連結半コイル無レールモーター
２７３     収納型走行装置４ヶ所
２７４     高出力レールモーター足走行装置
２７５     高出力六角形状軽量圧電素子連結型発電回路Ｆ
２７６     電動前デカタイヤ車
２７７     高出力六角形状圧電素子連結発電回路型コイル無レールモーター
２７８     三重エアーチューブ部分
２７９     ドア
２８０     半液体ゴムチューブクッション体
２８１     ゴム部分     
２８２     舗装面
２８３     荷物入れ場所
２８４     未来事故防止車弱者一人一人の財団の参考図
２８５     超高速電気観光船ヒグマ推進装置
２８６     高出力電動仕切り弁窓装置
２８７     高出力サイドスクリューモーター
２８８     二重発光ライトカメラ
２８９     スクリューソナー波発射装置
２９０     スクリュー低周波発射装置
２９１     高出力弱ガンマ放射線飛散防止パネルカメラ
２９２     高出力六角形状圧電素子連結発電回路型レールモータースクリュー
２９３     高出力超高速５連結×ギアスクリューモーター
２９４     高出力１５連結スクリューモーター
２９５     高出力サイドスクリューモーター
２９６     立体ニャン高出力ライトラインカメラ装置
２９７     立体ワン高出力ライトラインカメラ装置
２９８     高出力リニアモーターロケット
２９９     高出力リニアモーターロケット補助推進用スクリューエアー高速装置
３００     高出力リニアモーターサイド移動補助推進電磁石装置
３０１     高出力リニアモーター多層連結高出力電磁石装置
３０２     ６プロペラ山岳ヘリコプター
３０３     複数カラー光ライン装置
３０４     複数電波キャッチ体
３０５     高出力六角形状圧電素子連結型発電回路Ｇ
３０６     二重発光ライトカメラ装置
３０７     分離型貯蓄電池体
３０８     風止め突起羽根装置部分
３０９     位置固定全自動確認型ＧＰＳ
３１０     アンテナ型太陽光熱瞬間吸収発電パネル
３１１     アルミニウム軽水素入りプラスチック発砲スチロール粒子入り補助充電池プラス転倒防止タンク装置
３１２     アルミニウム軽水素入りプラスチック発砲スチロール粒子入り補助充電池マイナス転倒防止タンク装置
３１３     軽水素イオンバリウムガスタンク
３１４     高出力イオン電磁誘導発電装置
３１５     高出力六角形状圧電素子連結型発電回路Ｈ
３１６     軽水素ガス入り圧電素子磁石体Ｈ
３１７     連結部分Ｈ
３１８     圧電素子粒子入り軽水素シリコン部分
３１９     軽水素入りシリコンマイクロシート０，００５ミリ部分
３２０     通常圧電素子Ｈ
３２１     軽水素入りシリコンＨ
３２２     窒素ガス入りシリコン粒子ラインＨ部分
３２３     高出力軽水素イオン熱瞬間吸収発電船外機
３２４     小舟転倒防止装置Ｈ
３２５     高出力六角形状圧電素子連結型発電回路Ｉ
３２６     ボルト止めＨ
３２７     ワイヤＨ
３２８     水切り重りＨ
３２９     舵Ｈ
３３０     カバーボルト止め方式Ｈ
３３１     竹灰入りプラスチックゴムＨ
３３２     アルミニウム板Ｈ
３３３     竹灰入り塩化プラスチックゴムリング入れカバー装置
３３４     中型船転倒防止装置Ｉ
３３５     船底転倒防止重心移動固定装置
３３６     酸化銅入りプラスチックビニール芯入り十字網軽水素発光フッ化カルシウム入り配線入りロープ
３３７     鉄球部分
３３８     竹灰入りビニールゴム部分
３３９     軽水素入り発砲スチロール
３４０     軽水素入り圧電素子磁石体粒子内蔵シリコンダイオード熱光瞬間吸収発電ボール
３４１     ネジ型電気ジャック装置
３４２     網用浮→ビグ装置
３４３     リング止め方法
３４４     発泡スチロール
３４５     蓋装置
３４６     竹灰入りプラスチック部分
３４７     高出力水素イオン電磁電気発生装置→高出力六角形状圧電素子連結発電回路型コイル無レールモーター
３４８     軽水素タンクＪ
３４９     軽水素配管
３５０     高速リレー装置
３５１     磁気イオン一本配線
３５２     電気分配器
３５３     一本配線
３５４     高出力圧電素子電波受信体
３５５     イオン磁気電気増幅分離装置
３５６     ゲルマニウム高出力銅筒管コイル
３５７     高出力銅筒管コイル配線Ｊ
３５８     高出力スピーカーＪ
３５９     イオン磁気電気再生装置
３６０     画像増幅分配リレー再生画像装置
３６１     アルゴンガス入りシリコングラスファイバーシート画像パネル
３６２     マイナス映像波リレー入力配線
３６３     マイナスＡ画像波〜Ｐ画像波
３６４     映像波リレー配線位置説明図
３６５     プラス映像波リレー入力配線
３６６     プラスＡ画像波〜Ｐ画像波
３６７     高出力六角形状圧電素子連結型レールモーター制御補助免震装置
３６８     高出力六角形状圧電素子連結一個巻きコイル型レールモーター
３６９     高出力六角形状圧電素子連結三個巻きコイル型レールモーター
３７０     制御エレベーター高出力六角形状圧電素子レールモーター
３７１     エレベーターワイヤ
３７２     滑車
３７３     エレベーター
３７４     全自動ロボットアーム海川生物餌やり水槽掃除装置
３７５     餌やり装置ワイヤ
３７６     餌管
３７７     餌バケット
３７８     海の貝水槽
３７９     海の魚水槽
３８０     川の魚水槽
３８１     川の貝水槽
３８２     海藻育成水槽
３８３     スッポン育成水槽
３８４     両刃Ｗ正反転回転高出力六角形状圧電素子連結コイル無レールモーター剃刀→高出力六角形状圧電素子連結型コイル無正転反転Ｗレールモーター剃刀
３８５     正転
３８６     反転
３８７     ネジ山
３８８     刃
３８９     ダイオードゴム
３９０     シリコンゴム
３９１     両刃カミソリ刃
３９２     高出力スピーカー振動肌モミ装置
３９３     竹灰入りプラスチック突起部分
３９４     ダイオードシリコン突起部分
３９５     圧電素子４電子磁気分割装置
３９６     高出力六角形状圧電素子連結型発電回路
３９７     原子力発電所補強免震装置
３９８     原子炉
３９９     鉄筋
４００     鋼鉄板
４０１     高出力六角形状圧電素子連結型レールモーターホイスト
４０２     コンクリート
４０３     複数穴開き竹灰入りセラミックナット固定型冷却ボール
４０４     窒素入りプラスチック球
４０５     竹灰入りガラス穴
４０６     ナット部分
４０７     免震杭装置
４０８     鋼鉄カバー
４０９     二重構造コロ電磁石モーター制御免震
４１０     三重構造コロ電磁石モーター制御免震
４１１     高出力六角形状圧電素子連結型電動仕切り弁閉鎖扉装置   
４１２     高出力六角形状圧電素子連結型レールコロ電磁石反発速度調整免震装置  
４１３     高出力六角形状圧電素子連結型レールモーターホイスト免震補助装置
４１４     ビル本体
４１５     固定金属板
４１６     高出力六角形状圧電素子連結発電回路型レールモーターホイスト免震装置
４１７     コンクリート天盤仕上げ用複数鋼鉄穴
４１８     コンクリート穴
４１９     高出力電磁石板
４２０     高出力六角形状圧電素子連結型発電回路
４２１     プラス配線Ｋ
４２２     マイナス配線Ｋ
４２３     圧電素子４電子磁気分割装置
４２４     高出力六角形状圧電素子連結埋め込み型発電回路
４２５     高出力多層式複数コイル内蔵型電磁石免震板
４２６     頭部分
４２７     背もたれ部分
４２８     シート弱アルファ放射線パネルカメラセンサーバンド
４２９     高出力六角形状圧電素子連結発電回路型棒状レールモーター
４３０     三重エアーチューブ型綿網チューブ内蔵型椅子クッション調整装置
４３１     椅子部分
４３２     姿勢調整モーターエアー袋装置  
４３３     高出力六角形状圧電素子連結発電回路型リクライニング制御レールモーター装置
４３４     熱瞬間吸収発電スクリュー管
４３５     ネジ部分Ｋ
４３６     熱水
４３７     二重ロック装置
４３８     高出力六角形状圧電素子連結型シリコン部分カバー発電回路体
４３９     沸騰水発電タンク部分
４４０     水位センサー
４４１     蒸気発生タンク水量確認カメラ
４４２     高出力電動仕切り弁  
４４３     循環蒸気回収管
４４４     圧電素子４電子磁気分割装置Ｋ
４４５     再生循環蒸気送り管
４４６     高出力圧電素子粒子入り軽水素内蔵シリコン
４４７     高出力六角形状圧電素子連結型発電回路Ｋ
４４８     高出力四角形状圧電素子連結型発電回路型コイル無レールモーターＬ
４４９     高出力インバータスイッチＬ
４５０     プラス配線Ｌ
４５１     マイナス配線Ｌ
４５２     アルミニウムモーターカバー装置
４５３     高出力楕円形状圧電素子連結型発電回路型コイル無レールモーターＭ
４５４     高出力インバータスイッチＭ
４５５     プラス配線Ｍ
４５６     マイナス配線Ｍ
４５７     アルミニウムモーターカバー装置Ｍ
４５８     モーター軸Ｍ
４５９     高出力三角形状圧電素子連結型発電回路型コイル無レールモーターＮ
４６０     高出力インバータスイッチＮ
４６１     プラス配線Ｎ
４６２     マイナス配線Ｎ
４６３     アルミニウムモーターカバー装置Ｎ
４６４     高出力四角形状圧電素子連結型発電回路型レールモーターＯ
４６５     高出力インバータスイッチＯ
４６６     プラス配線Ｏ
４６７     マイナス配線Ｏ
４６８     アルミニウムモーターカバー装置Ｏ
４６９     高出力楕円形状圧電素子連結型発電回路型レールモーターＰ
４７０     高出力インバータスイッチＰ
４７１     プラス配線Ｐ   
４７２     マイナス配線Ｐ
４７３     アルミニウムモーターカバー装置Ｐ
４７４     高出力三角形状圧電素子連結型発電回路型レールモーターＱ
４７５     高出力インバータスイッチＱ
４７６     プラス配線Ｑ
４７７     マイナス配線Ｑ
４７８     アルミニウムモーターカバー装置Ｑ
４７９     モーター軸Ｌ
４８０     モーター軸Ｎ
４８１     モーター軸Ｏ
４８２     モーター軸Ｍ
４８３     モーター軸Ｎ
４８４     高出力六角形状圧電素子連結発電回路型コイル無レールモーター仕切り弁装置ＱＱ
４８５     薬剤注入管ＱＱ
４８６     薬剤分解用曲線突起装置ＱＱ
４８７     通常太巻き高周波銅コイル装置ＱＱ
４８８     プラス電気配線ＱＱ
４８９     マイナス電気配線ＱＱ
４９０     モーター土台ＱＱ
４９１     高出力高速リレー装置ＱＱ
４９２     高出力六角形状圧電素子連結発電回路型コイル無レールモーター仕切り弁装置Ｒ
４９３     薬剤注入管Ｒ
４９４     薬剤分解用角材突起装置Ｒ
４９５     高出力電磁弁Ｒ
４９６     高出力六角形状圧電素子連結発電回路型棒状レールモーターＲ
４９７     薬剤取り込み風車Ｒ
４９８     高出力高速リレー装置Ｒ
４９９     プラス電気配線Ｒ
５００     マイナス電気配線Ｒ
５０１     モーター土台Ｒ
５０２     高出力六角形状圧電素子連結発電回路型コイル無レールモーターＲ
５０３     高出力六角形状圧電素子連結発電回路型コイル無レールモーター仕切り弁装置Ｓ
５０４     ボルト部分Ｓ
５０５     薬剤注入管Ｓ
５０６     通常太巻き高周波銅コイル装置Ｓ
５０７     薬剤分解用斜線突起装置Ｓ
５０８     高出力コンプレッサーエアー循環噴出口Ｓ
５０９     上部薬剤取り込み用電動仕切り弁Ｓ
５１０     薬剤放出用高出力六角形状圧電素子連結発電回路型コイル無レールモーター仕切り弁装置Ｓ
５１１     下部薬剤取り込み用電動仕切り弁Ｓ
５１２     マイナス電気配線Ｓ
５１３     プラス電気配線Ｓ
５１４     高出力高速リレー装置Ｓ
５１５     遠心分離機下部薬剤取り出し高出力六角形状圧電素子連結発電回路型コイル無レールモーター仕切り弁口Ｓ
５１６     高出力モーター扉Ｓ
５１７     高出力コンプレッサーＳ
５１８     遠心分離機上部薬剤取り出し高出力六角形状圧電素子連結発電回路型コイル無レールモーター仕切り弁口Ｓ
５１９     高出力六角形状圧電素子連結内蔵型アルゴン軽水素フッ化カルシウム窒素三重発光グラスファィバーライト
５２０     超長プラススクリュー一巻きコイル電気増幅スピード循環電気配線
５２１     超長マイナススクリュー一巻きコイル電気増幅スピード循環電気配線
５２２     プラス圧電素子４電子磁気分割装置
５２３     マイナス圧電素子４電子磁気分割装置
５２４     電気抵抗ゼロプラス電気配線
５２５     電気抵抗ゼロマイナス電気配線
５２６     プラス三重ライト
５２７     マイナス三重ライト
５２８     プラス電気配線
５２９     マイナス電気配線
５３０     アルゴン軽水素フッ化カルシウム窒素合成ライト部分
５３１     圧電素子部分
５３２     二重発光ライト高出力六角形状圧電素子連結型コイル無レールモーターＴ
５３３     高出力六角形状圧電素子連結型コイル無レールモーター部分Ｔ
５３４     高出力アルゴンガス入りグラスファィバーパネル軽水素フッ化カルシウム光吸収発電ライト二重構造パネル装置Ｔ
５３５     インバータ集合配線システム装置Ｔ
５３６     圧電素子４電子磁気分割装置Ｔ
５３７     高出力六角形状圧電素子連結型発電回路電磁力線装置Ｕ
５３８     高出力六角形状圧電素子連結型レールモーター電磁誘導発電装置Ｕ
５３９     スクリュー部分Ｕ
５４０     菜種油部分Ｕ
５４１     竹灰入りセラミック部分Ｕ
５４２     刺し込み固定のボルトリング止め構造の竹灰入りセラミックＵ
５４３     循環配管Ｕ
５４４     発電機四重カバーＵ
５４５     三連スクリュー三重配管Ｕ
５４６     振動防止材に赤粘土ビニールゴム煉り材使用固定粘土Ｕ
５４７     高出力電動仕切り弁
５４８     高出力棒状六角形状圧電素子連結型レールモーターホイスト部分
５４９     磁力線分散絶縁体装置
５５０     絶縁シートパネル部分
５５１     永久磁石部分
５５２     亜鉛部分
５５３     鋼鉄部分
５５４     鉄芯入りアルミニウムナット
５５５     電磁石リレーインバータ高出力コイル
５５６     電気配線Ａボックス
５５７     電気配線Ｂボックス
５５８     高出力３連インバータ高出力コイル
５５９     冷却型高出力真空装置瞬間乾燥機
５６０     高出力真空装置六角形状圧電素子連結型コイル無レールモーター
５６１     Ｓ字型止め枠板装置
５６２     銅筒管
５６３     鉛銅アルミニウム部分
５６４     微量ヘリウム窒素炭素複数穴空き冷却物質
５６５     シャッター式誘導弾高出力モーター入賞装置
５６６     手元ダイヤル入力プラスアルファ干支絵文字図柄設定数字プラス入賞型高出力パチンコ遊戯装置
５６７     シャッター式高出力モーター風車装置
５６８     部分グラスファィバープラスチック高出力モーター釘板装置
５６９     シャッター式高出力モーター玉釘装置
５７０     シャッター式高出力モーター釘装置
５７１     エアー加湿機装置
５７２     シャッター式玉洗い高出力モーター装置
５７３     シャッター式高出力モーターライト釘装置
５７４     干支絵組合せ文字
５７５     福島原子力発電所の水止め方法
５７６     原子力建屋
５７７     複数個所水中ポンプ
５７８     水中ポンプ
５７９     ドリル杭
５８０     岩盤まで掘削してコンクリート打設
５８１     複数個所
５８２     防波堤
５８３     高出力三連水中ポンプ
５８４     海
５８５     低電気消費アルゴンフッ化カルシウム発光発電ライト
５８６     マイナス電気回収配線
５８７     プラス電気回収配線
５８８     プラス磁力線アルゴンフッ化カルシウム発光高速電気磁力線発光ライト
５８９     マイナス磁力線アルゴンフッ化カルシウム発光高速電気磁力線発光ライト
５９０     発電回路発電機
５９１     鉄塔
５９２     川水
５９３     滝
５９４     水力式ダイナモ→高出力六角形状圧電素子連結発電回路内蔵型ダイナモ
５９５     高出力六角形状地下圧電素子連結型電気増幅発電回路
５９６     送電線
５９７     プラス送電線
５９８     マイナス送電線
５９９     変圧器
６００     圧電素子４電子磁気分割装置
６０１     プラス増幅電気
６０２     マイナス増幅電気
６０３     飛行機タイヤ
６０４     高出力六角形状圧電素子連結型レールモーター
６０５     圧電素子磁気粒子入り複数針穴空き平板コイル内蔵型電磁石ゴム
６０６     キャビン
６０７     工作機
６０８     タイヤ
６０９     モーター
６１０     モーターホイスト
【図１】
0003206065.tif 000003
【図２】
0003206065.tif 000004
【図３】
0003206065.tif 000005
【図４】
0003206065.tif 000006
【図５】
0003206065.tif 000007
【図６】
0003206065.tif 000008
【図７】
0003206065.tif 000009
【図８】
0003206065.tif 000010
【図９】
0003206065.tif 000011
【図１０】
0003206065.tif 000012
【図１１】
0003206065.tif 000013
【図１２】
0003206065.tif 000014
【図１３】
0003206065.tif 000015
【図１４】
0003206065.tif 000016
【図１５】
0003206065.tif 000017
【図１６】
0003206065.tif 000018
【図１７】
0003206065.tif 000019
【図１８】
0003206065.tif 000020
【図１９】
0003206065.tif 000021
【図２０】
0003206065.tif 000022
【図２１】
0003206065.tif 000023
【図２２】
0003206065.tif 000024
【図２３】
0003206065.tif 000025
【図２４】
0003206065.tif 000026
【図２５】
0003206065.tif 000027
【図２６】
0003206065.tif 000028
【図２７】
0003206065.tif 000029
【図２８】
0003206065.tif 000030
【図２９】
0003206065.tif 000031
【図３０】
0003206065.tif 000032
【図３１】
0003206065.tif 000033
【図３２】
0003206065.tif 000034
【図３３】
0003206065.tif 000035
【図３４】
0003206065.tif 000036
【図３５】
0003206065.tif 000037
【図３６】
0003206065.tif 000038
【図３７】
0003206065.tif 000039
【図３８】
0003206065.tif 000040
【図３９】
0003206065.tif 000041
【図４０】
0003206065.tif 000042
【図４１】
0003206065.tif 000043
【図４２】
0003206065.tif 000044
【図４３】
0003206065.tif 000045
【図４４】
0003206065.tif 000046
【図４５】
0003206065.tif 000047
【図４６】
0003206065.tif 000048
【図４７】
0003206065.tif 000049
【図４８】
0003206065.tif 000050
【図４９】
0003206065.tif 000051
【図５０】
0003206065.tif 000052
【図５１】
0003206065.tif 000053
【図５２】
0003206065.tif 000054
【図５３】
0003206065.tif 000055
【図５４】
0003206065.tif 000056
【図５５】
0003206065.tif 000057
【図５６】
0003206065.tif 000058
【図５７】
0003206065.tif 000059
【図５８】
0003206065.tif 000060
【図５９】
0003206065.tif 000061
【図６０】
0003206065.tif 000062
【図６１】
0003206065.tif 000063
【図６２】
0003206065.tif 000064
【図６３】
0003206065.tif 000065
【図６４】
0003206065.tif 000066
【図６５】
0003206065.tif 000067
【図６６】
0003206065.tif 000068
【図６７】
0003206065.tif 000069
【図６８】
0003206065.tif 000070
【図６９】
0003206065.tif 000071
【図７０】
0003206065.tif 000072
【図７１】
0003206065.tif 000073
【図７２】
0003206065.tif 000074
【図７３】
0003206065.tif 000075
【図７４】
0003206065.tif 000076
【図７５】
0003206065.tif 000077
【図７６】
0003206065.tif 000078
【図７７】
0003206065.tif 000079
【図７８】
0003206065.tif 000080
【図７９】
0003206065.tif 000081
【図８０】
0003206065.tif 000082
【図８１】
0003206065.tif 000083
【図８２】
0003206065.tif 000084
【図８３】
0003206065.tif 000085
【図８４】
0003206065.tif 000086
【図８５】
0003206065.tif 000087
【図８６】
0003206065.tif 000088
【図８７】
0003206065.tif 000089
【図８８】
0003206065.tif 000090
【図８９】
0003206065.tif 000091
【図９０】
0003206065.tif 000092
【図９１】
0003206065.tif 000093
【図９２】
0003206065.tif 000094
【図９３】
0003206065.tif 000095
【図９４】
0003206065.tif 000096
【図９５】
0003206065.tif 000097
【図９６】
0003206065.tif 000098
【図９７】
0003206065.tif 000099
【図９８】
0003206065.tif 000100
【図９９】
0003206065.tif 000101
【図１００】
0003206065.tif 000102
【図１０１】
0003206065.tif 000103
【図１０２】
0003206065.tif 000104
【図１０３】
0003206065.tif 000105
【図１０４】
0003206065.tif 000106
【図１０５】
0003206065.tif 000107
【図１０６】
0003206065.tif 000108
【図１０７】
0003206065.tif 000109
【図１０８】
0003206065.tif 000110
【図１０９】
0003206065.tif 000111
【図１１０】
0003206065.tif 000112
【図１１１】
0003206065.tif 000113
【図１１２】
0003206065.tif 000114
【図１１３】
0003206065.tif 000115
【図１１４】
0003206065.tif 000116
【図１１５】
0003206065.tif 000117
【図１１６】
0003206065.tif 000118
【手続補正書】
【提出日】平成28年6月28日(2016.6.28)
【手続補正１】
【補正対象書類名】実用新案登録請求の範囲
【補正対象項目名】全文
【補正方法】変更
【補正の内容】
【実用新案登録請求の範囲】
【請求項１】
本考案の、高出力六角形状圧電素子連結発電回路型コイル無ライトレールモーターは、外側連結固定磁石体に対して、軽水素プロチウム電子ガス入りの圧電素子磁石体粒子内蔵の外側の六角形状連結型の磁石体其々に銅筒管コイル配線を取り付けた外側の六角形状の外側磁石体連結発電回路方式の磁石体とイオン磁力線連続回転指せる内側回転体の軽水素プロチウム電子ガス入りの圧電素子磁石体粒子内蔵の内側の六角形状連結型の磁石体の二列リング形状の軽水素プロチウム電子ガス入りの圧電素子磁石体の六角形状連結発電回路方式を取り入れたコイル無しモーターに成り、其々の磁石体構造に対して、軽水素プロチウム電子ガス入りの圧電素子磁石体シートと複数針穴空きの軽水素入りのチタン酸バリウムシートを交互に成る様に重ねた多層シート重ね構造の複数の軽水素プロチウムガス入りの六角形状の高出力圧電素子磁石体其々を絶縁体のアルミニウム亜鉛合金六角形カバーの磁石接合穴開き枠に対して、複数針穴形状のステンレス薄シートに依って、二重の六角状圧電磁石体の連結部に対して、高出力軽水素入り多層式六角形圧電素子磁石体を複数針穴形状のステンレス薄シートで包んだ高出力圧電素子磁石体を絶縁枠のアルミニウム亜鉛合金六角形カバーの中に填め込んでアルミニウム亜鉛合金六角形絶縁カバーを鉛溶
着固定した二列六角形状圧電素子リング輪形状のコイル無の複数の高出力インバータ配線制御の高出力六角形状圧電素子連結発電回路型コイル無ライトレールモーター。
【請求項２】
本考案の、高出力六角形状圧電素子連結発電回路型コイル無ライトレールモーターのモーター回転体の二列丸円リング磁石体其々は、軽水素プロチウム電子ガス入り軽量竹灰入りガラス粒子内蔵圧電素子磁石体シートとシート重ねる為の複数針穴形状の軽水素プロチウム電子ガス入りチタン酸バリウムシートを交互に複数枚重ね合わせた軽水素ガスがたっぷり入った多層式の六角形状の軽水素入りの圧電素子磁石体を六角形状の三角点同志が結合連結する形の連結発電回路構造の高出力圧電素子磁石体の二列状にしたリング輪モーター磁石体形状の装置に対して、外側の固定六角形状圧電素子連結発電回路方式と内側の回転する側の複数六角形状圧電素子連結発電回路リング構造に対して、六角形状圧電素子連結発電回路モーター軸が二列回転出来る構造にした内側回転体の六角形状連結二列リング輪形状の回転体を回す為の外側の固定磁石体の六角形状圧電素子連結発電回路リング輪磁石体其々にプラス高出力銅筒管配線とマイナス高出力銅筒管配線と高出力インバータスイッチと圧電素子４電子磁気分割装置を外側固定の高出力六角形状圧電素子連結発電回路に取り付けた請求項Ｉ記載の高出力六角形状圧電素子連結発電回路型コイル無ライトレールモーター。
【請求項３】
本考案の、高出力六角形状圧電素子連結発電回路型コイル無ライトレールモーターの外側固定磁石に対する配線は、高出力銅四角筒管電気配線の軽水素プロチウム電子ガスと窒素ガスと軽量竹灰入りガラス粒子入りチタン酸バリウム構造の圧電素子磁石体を、電気銅四角筒管電気配線に対して電気の通り易い軽水素プロチウム電子ガスと窒素ガス物質の温度の上りづらい物質で作り上げた電気の流れ易い物質配線を銅四角筒管電気配線の中に軽水素プロチウム電子ガスと窒素ガスの電気の通りが良い気化物質を内蔵指せた電気配線を外側固定磁石プラス配線とマイナス配線其々に圧電素子４電子磁気分割装置を電気配線で取り付けた請求項Ｉ記載の高出力六角形状圧電素子連結発電回路型コイル無ライトレールモーター。
【請求項４】
本考案の、高出力六角形状圧電素子連結発電回路型コイル無ライトレールモーターの通常電気供給配線の通常電気取り除き装置として、外側モーター固定磁石体のプラス配線とマイナス配線其々に圧電素子４電子磁気分割装置のプラス圧電素子４電子磁気分割装置とマイナス圧電素子４電子磁気分割装置に依って、通常電気中に含まれる熱抵抗プラス電気と熱抵抗マイナス電気を、通常電気中から取り除く装置で有り、プラス圧電素子４電子磁気分割装置の磁気の弱いプラス磁石体に、通常プラス電気を其々のプラス圧電素子磁石体の中間陽電子素子体から、プラス圧電素子磁石体の端側のプラス陽電子素子体にプラス電気を流す事に依って、電気抵抗ゼロのプラス電気を得る事が出来て、更にもう一つのマイナス圧電素子４電子磁気分割装置に対しても、通常電気中に含まれる熱抵抗マイナス電気を、圧電素子４電子磁気分割装置の磁気の弱いマイナス磁石体に、通常マイナス電気を其々のマイナス圧電素子磁石体の中間陰電子素子体から、プラス圧電素子磁石体の端側のプラス陰電子素子体にマイナス電気を流す事に依って、電気抵抗ゼロのマイナス電気を得る事が出来る請求項Ｉ記載の高出力六角形状圧電素子連結発電回路型コイル無ライトレールモーター。  
【請求項５】
本考案の、高出力六角形状圧電素子連結発電回路型コイル無ライトレールモーターのモーターカバーの外側面に取り付けられる発電三重発光ライト構造は、半圧縮ガラス板を使ったライトカバーに対してアルゴンガスと超微量ネオンガスと温度上昇の防止材の窒素ガスと発光促進電子ガスの軽水素プロチウム電子ガスをグラスフアイバーに入れた電気配線付きのライトパネルに対して、後ろ部分から二重発光構造として照らす為の軽水素プロチウム電子ガスと窒素ガス入りのフッ化カルシウム光瞬間吸収発光ライト電気配線付きのグラスフアイバーライトパネルと高出力六角形状白色軽量圧電素子連結型発電回路シートパネルの二重のライトパネルとライト使用電気量を減らす為の高出力六角形状白色軽量圧電素子連結型発電回路シートパネルの三重シート重ねライトパネルを高出力六角形状圧電素子連結発電回路型コイル無ライトレールモーターのカバーに差し込みボルト固定方式で貼りつけた構造の請求項Ｉ記載の高出力六角形状圧電素子連結発電回路型コイル無ライトレールモーター。